(57)【要約】【課題】既存ガソリン機関は基礎研究皆無の容積利用で熱量を全く利用しないため、小学校理科の速度×質量＝仕事能力を、最適噴射速度容積×重力仕事率最大摩擦損失最少とし、同一燃料量既存ガソリン機関の５００倍仮説出力にする。【解決手段】縮径主燃焼室兼熱交換器内ＮＯｘ低減皆無隔離長時間冷却燃焼により、密封容器内完全燃焼終了に近付けて熱回収量を最大とし、廃熱回収熱交換器により既存５００℃前後の排気温度を５０℃以下等の凝縮水とし、１回転毎に４００℃回収熱量を限りなく増大し、熱交換して得た超臨界温度等最高温度の高温水容積速度利用により、５０℃等の低温高温水を噴射加速して、ノズル内や外では高温水を弾丸や吹雪のように加速し、重力仕事率最大摩擦損失最少最適噴射速度容積で出力発生し、絶好機出力を、同一燃料量既存ガソリン機関の５００倍仮説出力等とし、ＣＯ２等の燃焼ガス排気を０に近付けます。【選択図】        図１１
2004332541.tif 000002
【特許請求の範囲】
【請求項１】
シリンダヘッド（１５）に具備した高温水噴射電磁弁（８７Ｃｄ）より超臨界温度等複数温度の高温水（５２ｂ）を噴射するＨ型エネルギ保存サイクル機関。
【請求項２】
シリンダヘッド（１５）に具備した高温水噴射電磁弁（８７Ｃｄ）より超臨界温度等複数温度の高温水（５２ｂ）を噴射するＤ型エネルギ保存サイクル機関。
【請求項３】
シリンダヘッド（１５）に具備した高温水噴射電磁弁（８７Ｃｄ）より超臨界温度等複数温度の高温水（５２ｂ）を噴射するＥ型エネルギ保存サイクル機関。
【請求項４】
シリンダヘッド（１５）に具備した高温水噴射電磁弁（８７Ｃｄ）より超臨界温度等複数温度の高温水（５２ｂ）を噴射するエネルギ保存サイクル機関。
【請求項５】
シリンダヘッド（１５）に具備した高温水噴射電磁弁（８７Ｃｄ）より超臨界温度等複数温度の高温水（５２ｂ）を噴射して最適噴射速度容積にするＨ型エネルギ保存サイクル機関。
【請求項６】
シリンダヘッド（１５）に具備した高温水噴射電磁弁（８７Ｃｄ）より超臨界温度等複数温度の高温水（５２ｂ）を噴射して最適噴射速度容積にするＤ型エネルギ保存サイクル機関。
【請求項７】
シリンダヘッド（１５）に具備した高温水噴射電磁弁（８７Ｃｄ）より超臨界温度等複数温度の高温水（５２ｂ）を噴射して最適噴射速度容積にするＥ型エネルギ保存サイクル機関。
【請求項８】
シリンダヘッド（１５）に具備した高温水噴射電磁弁（８７Ｃｄ）より超臨界温度等複数温度の高温水（５２ｂ）を噴射して最適噴射速度容積にするエネルギ保存サイクル機関。
【請求項９】
シリンダヘッド（１５）に具備した高温水噴射電磁弁（８７Ｃｄ）より超臨界温度等最高温度の高温水（５２ｂ）容積速度利用により、１００℃以下の低温高温水を噴射するＨ型エネルギ保存サイクル機関。
【請求項１０】
シリンダヘッド（１５）に具備した高温水噴射電磁弁（８７Ｃｄ）より超臨界温度等最高温度の高温水（５２ｂ）容積速度利用により、１００℃以下の低温高温水を噴射するＤ型エネルギ保存サイクル機関。
【請求項１１】
シリンダヘッド（１５）に具備した高温水噴射電磁弁（８７Ｃｄ）より超臨界温度等最高温度の高温水（５２ｂ）容積速度利用により、１００℃以下の低温高温水を噴射するＥ型エネルギ保存サイクル機関。
【請求項１２】
シリンダヘッド（１５）に具備した高温水噴射電磁弁（８７Ｃｄ）より超臨界温度等最高温度の高温水（５２ｂ）容積速度利用により、１００℃以下の低温高温水を噴射するエネルギ保存サイクル機関。
【請求項１３】
シリンダヘッド（１５）に具備した複数弁座（９８）の高温水噴射電磁弁（８７Ｃｄ）より超臨界温度等最高温度の高温水（５２ｂ）容積速度利用により、１００℃以下の低温高温水を噴射するＨ型エネルギ保存サイクル機関。
【請求項１４】
シリンダヘッド（１５）に具備した複数弁座（９８）の高温水噴射電磁弁（８７Ｃｄ）より超臨界温度等最高温度の高温水（５２ｂ）容積速度利用により、１００℃以下の低温高温水を噴射するＤ型エネルギ保存サイクル機関。
【請求項１５】
シリンダヘッド（１５）に具備した複数弁座（９８）の高温水噴射電磁弁（８７Ｃｄ）より超臨界温度等最高温度の高温水（５２ｂ）容積速度利用により、１００℃以下の低温高温水を噴射するＥ型エネルギ保存サイクル機関。
【請求項１６】
シリンダヘッド（１５）に具備した複数弁座（９８）の高温水噴射電磁弁（８７Ｃｄ）より超臨界温度等最高温度の高温水（５２ｂ）容積速度利用により、１００℃以下の低温高温水を噴射するエネルギ保存サイクル機関。
【請求項１７】
シリンダヘッド（１５）に具備した複数弁座（９８）の高温水噴射電磁弁（８７Ｃｄ）より超臨界温度等最高温度の高温水（５２ｂ）容積速度利用により、１００℃以下の低温高温水を噴射して最適噴射速度容積にするＨ型エネルギ保存サイクル機関。
【請求項１８】
シリンダヘッド（１５）に具備した複数弁座（９８）の高温水噴射電磁弁（８７Ｃｄ）より超臨界温度等最高温度の高温水（５２ｂ）容積速度利用により、１００℃以下の低温高温水を噴射して最適噴射速度容積にするＤ型エネルギ保存サイクル機関。
【請求項１９】
シリンダヘッド（１５）に具備した複数弁座（９８）の高温水噴射電磁弁（８７Ｃｄ）より超臨界温度等最高温度の高温水（５２ｂ）容積速度利用により、１００℃以下の低温高温水を噴射して最適噴射速度容積にするＥ型エネルギ保存サイクル機関。
【請求項２０】
シリンダヘッド（１５）に具備した複数弁座（９８）の高温水噴射電磁弁（８７Ｃｄ）より超臨界温度等最高温度の高温水（５２ｂ）容積速度利用により、１００℃以下の低温高温水を噴射して最適噴射速度容積にするエネルギ保存サイクル機関。
【請求項２１】
シリンダヘッド（１５）に具備した複数弁座（９８）を同時に開弁閉弁の高温水噴射電磁弁（８７Ｃｄ）より超臨界温度等最高温度の高温水（５２ｂ）容積速度利用により、１００℃以下の低温高温水を噴射して最適噴射速度容積にするＨ型エネルギ保存サイクル機関。
【請求項２２】
シリンダヘッド（１５）に具備した複数弁座（９８）を同時に開弁閉弁の高温水噴射電磁弁（８７Ｃｄ）より超臨界温度等最高温度の高温水（５２ｂ）容積速度利用により、１００℃以下の低温高温水を噴射して最適噴射速度容積にするＤ型エネルギ保存サイクル機関。
【請求項２３】
シリンダヘッド（１５）に具備した複数弁座（９８）を同時に開弁閉弁の高温水噴射電磁弁（８７Ｃｄ）より超臨界温度等最高温度の高温水（５２ｂ）容積速度利用により、１００℃以下の低温高温水を噴射して最適噴射速度容積にするＥ型エネルギ保存サイクル機関。
【請求項２４】
シリンダヘッド（１５）に具備した複数弁座（９８）を同時に開弁閉弁の高温水噴射電磁弁（８７Ｃｄ）より超臨界温度等最高温度の高温水（５２ｂ）容積速度利用により、１００℃以下の低温高温水を噴射して最適噴射速度容積にするエネルギ保存サイクル機関。
【請求項２５】
シリンダヘッド（１５）に具備した高温水噴射電磁弁（８７Ｃｄ）より複数の高温水溜（９５）を介して超臨界温度等複数温度の高温水（５２ｂ）を噴射するＨ型エネルギ保存サイクル機関。
【請求項２６】
シリンダヘッド（１５）に具備した高温水噴射電磁弁（８７Ｃｄ）より複数の高温水溜（９５）を介して超臨界温度等複数温度の高温水（５２ｂ）を噴射するＤ型エネルギ保存サイクル機関。
【請求項２７】
シリンダヘッド（１５）に具備した高温水噴射電磁弁（８７Ｃｄ）より複数の高温水溜（９５）を介して超臨界温度等複数温度の高温水（５２ｂ）を噴射するＥ型エネルギ保存サイクル機関。
【請求項２８】
シリンダヘッド（１５）に具備した高温水噴射電磁弁（８７Ｃｄ）より複数の高温水溜（９５）を介して超臨界温度等複数温度の高温水（５２ｂ）を噴射するエネルギ保存サイクル機関。
【請求項２９】
シリンダヘッド（１５）に具備した高温水噴射電磁弁（８７Ｃｄ）より複数の弁座（９８）を介して超臨界温度等複数温度の高温水（５２ｂ）を噴射するＨ型エネルギ保存サイクル機関。
【請求項３０】
シリンダヘッド（１５）に具備した高温水噴射電磁弁（８７Ｃｄ）より複数の弁座（９８）を介して超臨界温度等複数温度の高温水（５２ｂ）を噴射するＤ型エネルギ保存サイクル機関。
【請求項３１】
シリンダヘッド（１５）に具備した高温水噴射電磁弁（８７Ｃｄ）より複数の弁座（９８）を介して超臨界温度等複数温度の高温水（５２ｂ）を噴射するＥ型エネルギ保存サイクル機関。
【請求項３２】
シリンダヘッド（１５）に具備した高温水噴射電磁弁（８７Ｃｄ）より複数の弁座（９８）を介して超臨界温度等複数温度の高温水（５２ｂ）を噴射するエネルギ保存サイクル機関。
【請求項３３】
シリンダヘッド（１５）に具備した高温水噴射電磁弁（８７Ｃｄ）より超臨界温度等複数温度の高温水（５２ｂ）を噴射して出力を発生するＨ型エネルギ保存サイクル機関。
【請求項３４】
シリンダヘッド（１５）に具備した高温水噴射電磁弁（８７Ｃｄ）より超臨界温度等複数温度の高温水（５２ｂ）を噴射して出力を発生するＤ型エネルギ保存サイクル機関。
【請求項３５】
シリンダヘッド（１５）に具備した高温水噴射電磁弁（８７Ｃｄ）より超臨界温度等複数温度の高温水（５２ｂ）を噴射して出力を発生するＥ型エネルギ保存サイクル機関。
【請求項３６】
シリンダヘッド（１５）に具備した高温水噴射電磁弁（８７Ｃｄ）より超臨界温度等複数温度の高温水（５２ｂ）を噴射して出力を発生するエネルギ保存サイクル機関。
【請求項３７】
シリンダヘッド（１５）に具備した高温水噴射電磁弁（８７Ｃｄ）より複数の高温水溜（９５）を介して超臨界温度等複数温度の高温水（５２ｂ）を噴射して出力を発生するＨ型エネルギ保存サイクル機関。
【請求項３８】
シリンダヘッド（１５）に具備した高温水噴射電磁弁（８７Ｃｄ）より複数の高温水溜（９５）を介して超臨界温度等複数温度の高温水（５２ｂ）を噴射して出力を発生するＤ型エネルギ保存サイクル機関。
【請求項３９】
シリンダヘッド（１５）に具備した高温水噴射電磁弁（８７Ｃｄ）より複数の高温水溜（９５）を介して超臨界温度等複数温度の高温水（５２ｂ）を噴射して出力を発生するＥ型エネルギ保存サイクル機関。
【請求項４０】
シリンダヘッド（１５）に具備した高温水噴射電磁弁（８７Ｃｄ）より複数の高温水溜（９５）を介して超臨界温度等複数温度の高温水（５２ｂ）を噴射して出力を発生するエネルギ保存サイクル機関。
【請求項４１】
シリンダヘッド（１５）に具備した高温水噴射電磁弁（８７Ｃｄ）より複数の弁座（９８）を介して超臨界温度等複数温度の高温水（５２ｂ）を噴射して出力を発生するＨ型エネルギ保存サイクル機関。
【請求項４２】
シリンダヘッド（１５）に具備した高温水噴射電磁弁（８７Ｃｄ）より複数の弁座（９８）を介して超臨界温度等複数温度の高温水（５２ｂ）を噴射して出力を発生するＤ型エネルギ保存サイクル機関。
【請求項４３】
シリンダヘッド（１５）に具備した高温水噴射電磁弁（８７Ｃｄ）より複数の弁座（９８）を介して超臨界温度等複数温度の高温水（５２ｂ）を噴射して出力を発生するＥ型エネルギ保存サイクル機関。
【請求項４４】
シリンダヘッド（１５）に具備した高温水噴射電磁弁（８７Ｃｄ）より複数の弁座（９８）を介して超臨界温度等複数温度の高温水（５２ｂ）を噴射して出力を発生するエネルギ保存サイクル機関。
【請求項４５】
シリンダヘッド（１５）に具備した高温水噴射電磁弁（８７Ｃｄ）より超臨界温度等複数温度の高温水（５２ｂ）を噴射して重力仕事率を増大するＨ型エネルギ保存サイクル機関。
【請求項４６】
シリンダヘッド（１５）に具備した高温水噴射電磁弁（８７Ｃｄ）より超臨界温度等複数温度の高温水（５２ｂ）を噴射して重力仕事率を増大するＤ型エネルギ保存サイクル機関。
【請求項４７】
シリンダヘッド（１５）に具備した高温水噴射電磁弁（８７Ｃｄ）より超臨界温度等複数温度の高温水（５２ｂ）を噴射して重力仕事率を増大するＥ型エネルギ保存サイクル機関。
【請求項４８】
シリンダヘッド（１５）に具備した高温水噴射電磁弁（８７Ｃｄ）より超臨界温度等複数温度の高温水（５２ｂ）を噴射して重力仕事率を増大するエネルギ保存サイクル機関。
【請求項４９】
シリンダヘッド（１５）に具備した高温水噴射電磁弁（８７Ｃｄ）より複数の高温水溜（９５）を介して超臨界温度等複数温度の高温水（５２ｂ）を噴射して重力仕事率を増大するＨ型エネルギ保存サイクル機関。
【請求項５０】
シリンダヘッド（１５）に具備した高温水噴射電磁弁（８７Ｃｄ）より複数の高温水溜（９５）を介して超臨界温度等複数温度の高温水（５２ｂ）を噴射して重力仕事率を増大するＤ型エネルギ保存サイクル機関。
【請求項５１】
シリンダヘッド（１５）に具備した高温水噴射電磁弁（８７Ｃｄ）より複数の高温水溜（９５）を介して超臨界温度等複数温度の高温水（５２ｂ）を噴射して重力仕事率を増大するＥ型エネルギ保存サイクル機関。
【請求項５２】
シリンダヘッド（１５）に具備した高温水噴射電磁弁（８７Ｃｄ）より複数の高温水溜（９５）を介して超臨界温度等複数温度の高温水（５２ｂ）を噴射して重力仕事率を増大するエネルギ保存サイクル機関。
【請求項５３】
シリンダヘッド（１５）に具備した高温水噴射電磁弁（８７Ｃｄ）より複数の弁座（９８）を介して超臨界温度等複数温度の高温水（５２ｂ）を噴射して重力仕事率を増大するＨ型エネルギ保存サイクル機関。
【請求項５４】
シリンダヘッド（１５）に具備した高温水噴射電磁弁（８７Ｃｄ）より複数の弁座（９８）を介して超臨界温度等複数温度の高温水（５２ｂ）を噴射して重力仕事率を増大するＤ型エネルギ保存サイクル機関。
【請求項５５】
シリンダヘッド（１５）に具備した高温水噴射電磁弁（８７Ｃｄ）より複数の弁座（９８）を介して超臨界温度等複数温度の高温水（５２ｂ）を噴射して重力仕事率を増大するＥ型エネルギ保存サイクル機関。
【請求項５６】
シリンダヘッド（１５）に具備した高温水噴射電磁弁（８７Ｃｄ）より複数の弁座（９８）を介して超臨界温度等複数温度の高温水（５２ｂ）を噴射して重力仕事率を増大するエネルギ保存サイクル機関。
【請求項５７】
シリンダヘッド（１５）に具備した高温水噴射電磁弁（８７Ｃｄ）より超臨界温度等複数温度の高温水（５２ｂ）を噴射して出力を発生して重力仕事率を増大するＨ型エネルギ保存サイクル機関。
【請求項５８】
シリンダヘッド（１５）に具備した高温水噴射電磁弁（８７Ｃｄ）より超臨界温度等複数温度の高温水（５２ｂ）を噴射して出力を発生して重力仕事率を増大するＤ型エネルギ保存サイクル機関。
【請求項５９】
シリンダヘッド（１５）に具備した高温水噴射電磁弁（８７Ｃｄ）より超臨界温度等複数温度の高温水（５２ｂ）を噴射して出力を発生して重力仕事率を増大するＥ型エネルギ保存サイクル機関。
【請求項６０】
シリンダヘッド（１５）に具備した高温水噴射電磁弁（８７Ｃｄ）より超臨界温度等複数温度の高温水（５２ｂ）を噴射して出力を発生して重力仕事率を増大するエネルギ保存サイクル機関。
【請求項６１】
シリンダヘッド（１５）に具備した高温水噴射電磁弁（８７Ｃｄ）より複数の高温水溜（９５）を介して超臨界温度等複数温度の高温水（５２ｂ）を噴射して出力を発生して重力仕事率を増大するＨ型エネルギ保存サイクル機関。
【請求項６２】
シリンダヘッド（１５）に具備した高温水噴射電磁弁（８７Ｃｄ）より複数の高温水溜（９５）を介して超臨界温度等複数温度の高温水（５２ｂ）を噴射して出力を発生して重力仕事率を増大するＤ型エネルギ保存サイクル機関。
【請求項６３】
シリンダヘッド（１５）に具備した高温水噴射電磁弁（８７Ｃｄ）より複数の高温水溜（９５）を介して超臨界温度等複数温度の高温水（５２ｂ）を噴射して出力を発生して重力仕事率を増大するＥ型エネルギ保存サイクル機関。
【請求項６４】
シリンダヘッド（１５）に具備した高温水噴射電磁弁（８７Ｃｄ）より複数の高温水溜（９５）を介して超臨界温度等複数温度の高温水（５２ｂ）を噴射して出力を発生して重力仕事率を増大するエネルギ保存サイクル機関。
【請求項６５】
シリンダヘッド（１５）に具備した高温水噴射電磁弁（８７Ｃｄ）より複数の弁座（９８）を介して超臨界温度等複数温度の高温水（５２ｂ）を噴射して出力を発生して重力仕事率を増大するＨ型エネルギ保存サイクル機関。
【請求項６６】
シリンダヘッド（１５）に具備した高温水噴射電磁弁（８７Ｃｄ）より複数の弁座（９８）を介して超臨界温度等複数温度の高温水（５２ｂ）を噴射して出力を発生して重力仕事率を増大するＤ型エネルギ保存サイクル機関。
【請求項６７】
シリンダヘッド（１５）に具備した高温水噴射電磁弁（８７Ｃｄ）より複数の弁座（９８）を介して超臨界温度等複数温度の高温水（５２ｂ）を噴射して出力を発生して重力仕事率を増大するＥ型エネルギ保存サイクル機関。
【請求項６８】
シリンダヘッド（１５）に具備した高温水噴射電磁弁（８７Ｃｄ）より複数の弁座（９８）を介して超臨界温度等複数温度の高温水（５２ｂ）を噴射して出力を発生して重力仕事率を増大するエネルギ保存サイクル機関。
【請求項６９】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射するＨ型エネルギ保存サイクル機関。
【請求項７０】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射するＤ型エネルギ保存サイクル機関。
【請求項７１】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射するＥ型エネルギ保存サイクル機関。
【請求項７２】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射するエネルギ保存サイクル機関。
【請求項７３】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射するＨ型エネルギ保存サイクル機関。
【請求項７４】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射するＤ型エネルギ保存サイクル機関。
【請求項７５】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射するＥ型エネルギ保存サイクル機関。
【請求項７６】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射するエネルギ保存サイクル機関。
【請求項７７】
シリンダヘッド（１５）に具備した複数弁座（９８）の高温水噴射電磁弁（８７Ｃｄ）より超臨界温度等複数温度の高温水（５２ｂ）を噴射して出力を発生するＨ型エネルギ保存サイクル機関。
【請求項７８】
シリンダヘッド（１５）に具備した複数弁座（９８）の高温水噴射電磁弁（８７Ｃｄ）より超臨界温度等複数温度の高温水（５２ｂ）を噴射して出力を発生するＤ型エネルギ保存サイクル機関。
【請求項７９】
シリンダヘッド（１５）に具備した複数弁座（９８）の高温水噴射電磁弁（８７Ｃｄ）より超臨界温度等複数温度の高温水（５２ｂ）を噴射して出力を発生するＥ型エネルギ保存サイクル機関。
【請求項８０】
シリンダヘッド（１５）に具備した複数弁座（９８）の高温水噴射電磁弁（８７Ｃｄ）より超臨界温度等複数温度の高温水（５２ｂ）を噴射して出力を発生するエネルギ保存サイクル機関。
【請求項８１】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して出力を発生するＨ型エネルギ保存サイクル機関。
【請求項８２】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して出力を発生するＤ型エネルギ保存サイクル機関。
【請求項８３】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して出力を発生するＥ型エネルギ保存サイクル機関。
【請求項８４】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して出力を発生するエネルギ保存サイクル機関。
【請求項８５】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して出力を発生するＨ型エネルギ保存サイクル機関。
【請求項８６】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して出力を発生するＤ型エネルギ保存サイクル機関。
【請求項８７】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して出力を発生するＥ型エネルギ保存サイクル機関。
【請求項８８】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して出力を発生するエネルギ保存サイクル機関。
【請求項８９】
シリンダヘッド（１５）に具備した複数弁座（９８）の高温水噴射電磁弁（８７Ｃｄ）より超臨界温度等複数温度の高温水（５２ｂ）を噴射して重力仕事率を増大するＨ型エネルギ保存サイクル機関。
【請求項９０】
シリンダヘッド（１５）に具備した複数弁座（９８）の高温水噴射電磁弁（８７Ｃｄ）より超臨界温度等複数温度の高温水（５２ｂ）を噴射して重力仕事率を増大するＤ型エネルギ保存サイクル機関。
【請求項９１】
シリンダヘッド（１５）に具備した複数弁座（９８）の高温水噴射電磁弁（８７Ｃｄ）より超臨界温度等複数温度の高温水（５２ｂ）を噴射して重力仕事率を増大するＥ型エネルギ保存サイクル機関。
【請求項９２】
シリンダヘッド（１５）に具備した複数弁座（９８）の高温水噴射電磁弁（８７Ｃｄ）より超臨界温度等複数温度の高温水（５２ｂ）を噴射して重力仕事率を増大するエネルギ保存サイクル機関。
【請求項９３】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して重力仕事率を増大するＨ型エネルギ保存サイクル機関。
【請求項９４】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して重力仕事率を増大するＤ型エネルギ保存サイクル機関。
【請求項９５】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して重力仕事率を増大するＥ型エネルギ保存サイクル機関。
【請求項９６】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して重力仕事率を増大するエネルギ保存サイクル機関。
【請求項９７】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して重力仕事率を増大するＨ型エネルギ保存サイクル機関。
【請求項９８】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して重力仕事率を増大するＤ型エネルギ保存サイクル機関。
【請求項９９】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して重力仕事率を増大するＥ型エネルギ保存サイクル機関。
【請求項１００】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して重力仕事率を増大するエネルギ保存サイクル機関。
【請求項１０１】
シリンダヘッド（１５）に具備した複数弁座（９８）の高温水噴射電磁弁（８７Ｃｄ）より超臨界温度等複数温度の高温水（５２ｂ）を噴射して出力を発生して重力仕事率を増大するＨ型エネルギ保存サイクル機関。
【請求項１０２】
シリンダヘッド（１５）に具備した複数弁座（９８）の高温水噴射電磁弁（８７Ｃｄ）より超臨界温度等複数温度の高温水（５２ｂ）を噴射して出力を発生して重力仕事率を増大するＤ型エネルギ保存サイクル機関。
【請求項１０３】
シリンダヘッド（１５）に具備した複数弁座（９８）の高温水噴射電磁弁（８７Ｃｄ）より超臨界温度等複数温度の高温水（５２ｂ）を噴射して出力を発生して重力仕事率を増大するＥ型エネルギ保存サイクル機関。
【請求項１０４】
シリンダヘッド（１５）に具備した複数弁座（９８）の高温水噴射電磁弁（８７Ｃｄ）より超臨界温度等複数温度の高温水（５２ｂ）を噴射して出力を発生して重力仕事率を増大するエネルギ保存サイクル機関。
【請求項１０５】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して出力を発生して重力仕事率を増大するＨ型エネルギ保存サイクル機関。
【請求項１０６】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して出力を発生して重力仕事率を増大するＤ型エネルギ保存サイクル機関。
【請求項１０７】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して出力を発生して重力仕事率を増大するＥ型エネルギ保存サイクル機関。
【請求項１０８】
シリンダヘッド（１５）に具備した複数弁座（９８）の高温水噴射電磁弁（８７Ｃｄ）より複数の高温水溜（９５）を介して超臨界温度等複数温度の高温水（５２ｂ）を噴射して出力を発生して重力仕事率を増大するエネルギ保存サイクル機関。
【請求項１０９】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して出力を発生して重力仕事率を増大するＨ型エネルギ保存サイクル機関。
【請求項１１０】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して出力を発生して重力仕事率を増大するＤ型エネルギ保存サイクル機関。
【請求項１１１】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して出力を発生して重力仕事率を増大するＥ型エネルギ保存サイクル機関。
【請求項１１２】
シリンダヘッド（１５）に具備した複数弁座（９８）の高温水噴射電磁弁（８７Ｃｄ）より複数の弁座（９８）を介して超臨界温度等複数温度の高温水（５２ｂ）を噴射して出力を発生して重力仕事率を増大するエネルギ保存サイクル機関。
【請求項１１３】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射するＨ型エネルギ保存サイクル機関。
【請求項１１４】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射するＤ型エネルギ保存サイクル機関。
【請求項１１５】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射するＥ型エネルギ保存サイクル機関。
【請求項１１６】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射するエネルギ保存サイクル機関。
【請求項１１７】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射するＨ型エネルギ保存サイクル機関。
【請求項１１８】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射するＤ型エネルギ保存サイクル機関。
【請求項１１９】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射するＥ型エネルギ保存サイクル機関。
【請求項１２０】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射するエネルギ保存サイクル機関。
【請求項１２１】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して出力を発生するＨ型エネルギ保存サイクル機関。
【請求項１２２】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して出力を発生するＤ型エネルギ保存サイクル機関。
【請求項１２３】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して出力を発生するＥ型エネルギ保存サイクル機関。
【請求項１２４】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して出力を発生するエネルギ保存サイクル機関。
【請求項１２５】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して出力を発生するＨ型エネルギ保存サイクル機関。
【請求項１２６】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して出力を発生するＤ型エネルギ保存サイクル機関。
【請求項１２７】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して出力を発生するＥ型エネルギ保存サイクル機関。
【請求項１２８】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して出力を発生するエネルギ保存サイクル機関。
【請求項１２９】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して出力を発生するＨ型エネルギ保存サイクル機関。
【請求項１３０】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して出力を発生するＤ型エネルギ保存サイクル機関。
【請求項１３１】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して出力を発生するＥ型エネルギ保存サイクル機関。
【請求項１３２】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して出力を発生するエネルギ保存サイクル機関。
【請求項１３３】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して重力仕事率を増大するＨ型エネルギ保存サイクル機関。
【請求項１３４】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して重力仕事率を増大するＤ型エネルギ保存サイクル機関。
【請求項１３５】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して重力仕事率を増大するＥ型エネルギ保存サイクル機関。
【請求項１３６】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して重力仕事率を増大するエネルギ保存サイクル機関。
【請求項１３７】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して重力仕事率を増大するＨ型エネルギ保存サイクル機関。
【請求項１３８】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して重力仕事率を増大するＤ型エネルギ保存サイクル機関。
【請求項１３９】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して重力仕事率を増大するＥ型エネルギ保存サイクル機関。
【請求項１４０】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して重力仕事率を増大するエネルギ保存サイクル機関。
【請求項１４１】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して重力仕事率を増大するＨ型エネルギ保存サイクル機関。
【請求項１４２】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して重力仕事率を増大するＤ型エネルギ保存サイクル機関。
【請求項１４３】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して重力仕事率を増大するＥ型エネルギ保存サイクル機関。
【請求項１４４】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して重力仕事率を増大するエネルギ保存サイクル機関。
【請求項１４５】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して出力を発生して重力仕事率を増大するＨ型エネルギ保存サイクル機関。
【請求項１４６】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して出力を発生して重力仕事率を増大するＤ型エネルギ保存サイクル機関。
【請求項１４７】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して出力を発生して重力仕事率を増大するＥ型エネルギ保存サイクル機関。
【請求項１４８】
シリンダヘッド（１５）に具備した複数弁座（９８）を同時に開弁閉弁の高温水噴射電磁弁（８７Ｃｄ）より超臨界温度等複数温度の高温水（５２ｂ）を噴射して出力を発生して重力仕事率を増大するエネルギ保存サイクル機関。
【請求項１４９】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して出力を発生して重力仕事率を増大するＨ型エネルギ保存サイクル機関。
【請求項１５０】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して出力を発生して重力仕事率を増大するＤ型エネルギ保存サイクル機関。
【請求項１５１】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して出力を発生して重力仕事率を増大するＥ型エネルギ保存サイクル機関。
【請求項１５２】
シリンダヘッド（１５）に具備した複数弁座（９８）を同時に開弁閉弁の高温水噴射電磁弁（８７Ｃｄ）より複数の高温水溜（９５）を介して超臨界温度等複数温度の高温水（５２ｂ）を噴射して出力を発生して重力仕事率を増大するエネルギ保存サイクル機関。
【請求項１５３】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して出力を発生して重力仕事率を増大するＨ型エネルギ保存サイクル機関。
【請求項１５４】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して出力を発生して重力仕事率を増大するＤ型エネルギ保存サイクル機関。
【請求項１５５】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して出力を発生して重力仕事率を増大するＥ型エネルギ保存サイクル機関。
【請求項１５６】
シリンダヘッド（１５）に具備した複数弁座（９８）を同時に開弁閉弁の高温水噴射電磁弁（８７Ｃｄ）より複数の弁座（９８）を介して超臨界温度等複数温度の高温水（５２ｂ）を噴射して出力を発生して重力仕事率を増大するエネルギ保存サイクル機関。
【請求項１５７】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射するＨ型エネルギ保存サイクル機関。
【請求項１５８】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射するＤ型エネルギ保存サイクル機関。
【請求項１５９】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射するＥ型エネルギ保存サイクル機関。
【請求項１６０】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射するエネルギ保存サイクル機関。
【請求項１６１】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射するＨ型エネルギ保存サイクル機関。
【請求項１６２】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射するＤ型エネルギ保存サイクル機関。
【請求項１６３】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射するＥ型エネルギ保存サイクル機関。
【請求項１６４】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射するエネルギ保存サイクル機関。
【請求項１６５】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して出力を発生するＨ型エネルギ保存サイクル機関。
【請求項１６６】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して出力を発生するＤ型エネルギ保存サイクル機関。
【請求項１６７】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して出力を発生するＥ型エネルギ保存サイクル機関。
【請求項１６８】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して出力を発生するエネルギ保存サイクル機関。
【請求項１６９】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して出力を発生するＨ型エネルギ保存サイクル機関。
【請求項１７０】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して出力を発生するＤ型エネルギ保存サイクル機関。
【請求項１７１】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して出力を発生するＥ型エネルギ保存サイクル機関。
【請求項１７２】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して出力を発生するエネルギ保存サイクル機関。
【請求項１７３】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して出力を発生するＨ型エネルギ保存サイクル機関。
【請求項１７４】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して出力を発生するＤ型エネルギ保存サイクル機関。
【請求項１７５】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して出力を発生するＥ型エネルギ保存サイクル機関。
【請求項１７６】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して出力を発生するエネルギ保存サイクル機関。
【請求項１７７】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して重力仕事率を増大するＨ型エネルギ保存サイクル機関。
【請求項１７８】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して重力仕事率を増大するＤ型エネルギ保存サイクル機関。
【請求項１７９】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して重力仕事率を増大するＥ型エネルギ保存サイクル機関。
【請求項１８０】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して重力仕事率を増大するエネルギ保存サイクル機関。
【請求項１８１】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して重力仕事率を増大するＨ型エネルギ保存サイクル機関。
【請求項１８２】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して重力仕事率を増大するＤ型エネルギ保存サイクル機関。
【請求項１８３】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して重力仕事率を増大するＥ型エネルギ保存サイクル機関。
【請求項１８４】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して重力仕事率を増大するエネルギ保存サイクル機関。
【請求項１８５】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して重力仕事率を増大するＨ型エネルギ保存サイクル機関。
【請求項１８６】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して重力仕事率を増大するＤ型エネルギ保存サイクル機関。
【請求項１８７】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して重力仕事率を増大するＥ型エネルギ保存サイクル機関。
【請求項１８８】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して重力仕事率を増大するエネルギ保存サイクル機関。
【請求項１８９】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して出力を発生して重力仕事率を増大するＨ型エネルギ保存サイクル機関。
【請求項１９０】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して出力を発生して重力仕事率を増大するＤ型エネルギ保存サイクル機関。
【請求項１９１】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して出力を発生して重力仕事率を増大するＥ型エネルギ保存サイクル機関。
【請求項１９２】
シリンダヘッド（１５）に具備した複数弁座（９８）を同時に開弁閉弁の高温水噴射電磁弁（８７Ｃｄ）より超臨界温度等最高温度の高温水（５２ｂ）の容積速度利用により、１００℃以下の低温高温水を噴射して出力を発生して重力仕事率を増大するエネルギ保存サイクル機関。
【請求項１９３】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して出力を発生して重力仕事率を増大するＨ型エネルギ保存サイクル機関。
【請求項１９４】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して出力を発生して重力仕事率を増大するＤ型エネルギ保存サイクル機関。
【請求項１９５】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して出力を発生して重力仕事率を増大するＥ型エネルギ保存サイクル機関。
【請求項１９６】
シリンダヘッド（１５）に具備した複数弁座（９８）を同時に開弁閉弁の高温水噴射電磁弁（８７Ｃｄ）より複数の高温水溜（９５）を介して超臨界温度等最高温度の高温水（５２ｂ）の容積速度利用により、１００℃以下の低温高温水を噴射して出力を発生して重力仕事率を増大するエネルギ保存サイクル機関。
【請求項１９７】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して出力を発生して重力仕事率を増大するＨ型エネルギ保存サイクル機関。
【請求項１９８】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して出力を発生して重力仕事率を増大するＤ型エネルギ保存サイクル機関。
【請求項１９９】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して出力を発生して重力仕事率を増大するＥ型エネルギ保存サイクル機関。
【請求項２００】
シリンダヘッド（１５）に具備した複数弁座（９８）を同時に開弁閉弁の高温水噴射電磁弁（８７Ｃｄ）より複数の弁座（９８）を介して超臨界温度等最高温度の高温水（５２ｂ）の容積速度利用により、１００℃以下の低温高温水を噴射して出力を発生して重力仕事率を増大するエネルギ保存サイクル機関。
【請求項２０１】
縮径主燃焼室兼熱交換器（１）に具備した高温水噴射電磁弁（８７Ｃｃ）より超臨界温度等複数温度の高温水（５２ｂ）を噴射するＨ型エネルギ保存サイクル機関。
【請求項２０２】
縮径主燃焼室兼熱交換器（１）に具備した高温水噴射電磁弁（８７Ｃｃ）より超臨界温度等複数温度の高温水（５２ｂ）を噴射するＤ型エネルギ保存サイクル機関。
【請求項２０３】
縮径主燃焼室兼熱交換器（１）に具備した高温水噴射電磁弁（８７Ｃｃ）より超臨界温度等複数温度の高温水（５２ｂ）を噴射するＥ型エネルギ保存サイクル機関。
【請求項２０４】
縮径主燃焼室兼熱交換器（１）に具備した高温水噴射電磁弁（８７Ｃｃ）より超臨界温度等複数温度の高温水（５２ｂ）を噴射するエネルギ保存サイクル機関。
【請求項２０５】
縮径主燃焼室兼熱交換器（１）に具備した複数弁座（９８）の高温水噴射電磁弁（８７Ｃｃ）より超臨界温度等複数温度の高温水（５２ｂ）を噴射するＨ型エネルギ保存サイクル機関。
【請求項２０６】
縮径主燃焼室兼熱交換器（１）に具備した複数弁座（９８）の高温水噴射電磁弁（８７Ｃｃ）より超臨界温度等複数温度の高温水（５２ｂ）を噴射するＤ型エネルギ保存サイクル機関。
【請求項２０７】
縮径主燃焼室兼熱交換器（１）に具備した複数弁座（９８）の高温水噴射電磁弁（８７Ｃｃ）より超臨界温度等複数温度の高温水（５２ｂ）を噴射するＥ型エネルギ保存サイクル機関。
【請求項２０８】
縮径主燃焼室兼熱交換器（１）に具備した複数弁座（９８）の高温水噴射電磁弁（８７Ｃｃ）より超臨界温度等複数温度の高温水（５２ｂ）を噴射するエネルギ保存サイクル機関。
【請求項２０９】
縮径主燃焼室兼熱交換器（１）に具備した複数弁座（９８）を同時に開弁閉弁の高温水噴射電磁弁（８７Ｃｃ）より超臨界温度等複数温度の高温水（５２ｂ）を噴射するＨ型エネルギ保存サイクル機関。
【請求項２１０】
縮径主燃焼室兼熱交換器（１）に具備した複数弁座（９８）を同時に開弁閉弁の高温水噴射電磁弁（８７Ｃｃ）より超臨界温度等複数温度の高温水（５２ｂ）を噴射するＤ型エネルギ保存サイクル機関。
【請求項２１１】
縮径主燃焼室兼熱交換器（１）に具備した複数弁座（９８）を同時に開弁閉弁の高温水噴射電磁弁（８７Ｃｃ）より超臨界温度等複数温度の高温水（５２ｂ）を噴射するＥ型エネルギ保存サイクル機関。
【請求項２１２】
縮径主燃焼室兼熱交換器（１）に具備した複数弁座（９８）を同時に開弁閉弁の高温水噴射電磁弁（８７Ｃｃ）より超臨界温度等複数温度の高温水（５２ｂ）を噴射するエネルギ保存サイクル機関。
【請求項２１３】
縮径主燃焼室兼熱交換器（１）に具備した高温水噴射電磁弁（８７Ｃｃ）より超臨界温度等最高温度の高温水（５２ｂ）容積速度利用により、１００℃以下の低温高温水を噴射するＨ型エネルギ保存サイクル機関。
【請求項２１４】
縮径主燃焼室兼熱交換器（１）に具備した高温水噴射電磁弁（８７Ｃｃ）より超臨界温度等最高温度の高温水（５２ｂ）容積速度利用により、１００℃以下の低温高温水を噴射するＤ型エネルギ保存サイクル機関。
【請求項２１５】
縮径主燃焼室兼熱交換器（１）に具備した高温水噴射電磁弁（８７Ｃｃ）より超臨界温度等最高温度の高温水（５２ｂ）容積速度利用により、１００℃以下の低温高温水を噴射するＥ型エネルギ保存サイクル機関。
【請求項２１６】
縮径主燃焼室兼熱交換器（１）に具備した高温水噴射電磁弁（８７Ｃｃ）より超臨界温度等最高温度の高温水（５２ｂ）容積速度利用により、１００℃以下の低温高温水を噴射するエネルギ保存サイクル機関。
【請求項２１７】
縮径主燃焼室兼熱交換器（１）に具備した複数弁座（９８）の高温水噴射電磁弁（８７Ｃｃ）より超臨界温度等最高温度の高温水（５２ｂ）容積速度利用により、１００℃以下の低温高温水を噴射するＨ型エネルギ保存サイクル機関。
【請求項２１８】
縮径主燃焼室兼熱交換器（１）に具備した複数弁座（９８）の高温水噴射電磁弁（８７Ｃｃ）より超臨界温度等最高温度の高温水（５２ｂ）容積速度利用により、１００℃以下の低温高温水を噴射するＤ型エネルギ保存サイクル機関。
【請求項２１９】
縮径主燃焼室兼熱交換器（１）に具備した複数弁座（９８）の高温水噴射電磁弁（８７Ｃｃ）より超臨界温度等最高温度の高温水（５２ｂ）容積速度利用により、１００℃以下の低温高温水を噴射するＥ型エネルギ保存サイクル機関。
【請求項２２０】
縮径主燃焼室兼熱交換器（１）に具備した複数弁座（９８）の高温水噴射電磁弁（８７Ｃｃ）より超臨界温度等最高温度の高温水（５２ｂ）容積速度利用により、１００℃以下の低温高温水を噴射するエネルギ保存サイクル機関。
【請求項２２１】
縮径主燃焼室兼熱交換器（１）に具備した複数弁座（９８）の高温水噴射電磁弁（８７Ｃｃ）より超臨界温度等最高温度の高温水（５２ｂ）容積速度利用により、１００℃以下の低温高温水を噴射して最適噴射速度容積にするＨ型エネルギ保存サイクル機関。
【請求項２２２】
縮径主燃焼室兼熱交換器（１）に具備した複数弁座（９８）の高温水噴射電磁弁（８７Ｃｃ）より超臨界温度等最高温度の高温水（５２ｂ）容積速度利用により、１００℃以下の低温高温水を噴射して最適噴射速度容積にするＤ型エネルギ保存サイクル機関。
【請求項２２３】
縮径主燃焼室兼熱交換器（１）に具備した複数弁座（９８）の高温水噴射電磁弁（８７Ｃｃ）より超臨界温度等最高温度の高温水（５２ｂ）容積速度利用により、１００℃以下の低温高温水を噴射して最適噴射速度容積にするＥ型エネルギ保存サイクル機関。
【請求項２２４】
縮径主燃焼室兼熱交換器（１）に具備した複数弁座（９８）の高温水噴射電磁弁（８７Ｃｃ）より超臨界温度等最高温度の高温水（５２ｂ）容積速度利用により、１００℃以下の低温高温水を噴射して最適噴射速度容積にするエネルギ保存サイクル機関。
【請求項２２５】
縮径主燃焼室兼熱交換器（１）に具備した高温水噴射電磁弁（８７Ｃｃ）より複数の高温水溜（９５）を介して超臨界温度等複数温度の高温水（５２ｂ）を噴射するＨ型エネルギ保存サイクル機関。
【請求項２２６】
縮径主燃焼室兼熱交換器（１）に具備した高温水噴射電磁弁（８７Ｃｃ）より複数の高温水溜（９５）を介して超臨界温度等複数温度の高温水（５２ｂ）を噴射するＤ型エネルギ保存サイクル機関。
【請求項２２７】
縮径主燃焼室兼熱交換器（１）に具備した高温水噴射電磁弁（８７Ｃｃ）より複数の高温水溜（９５）を介して超臨界温度等複数温度の高温水（５２ｂ）を噴射するＥ型エネルギ保存サイクル機関。
【請求項２２８】
縮径主燃焼室兼熱交換器（１）に具備した高温水噴射電磁弁（８７Ｃｃ）より複数の高温水溜（９５）を介して超臨界温度等複数温度の高温水（５２ｂ）を噴射するエネルギ保存サイクル機関。
【請求項２２９】
縮径主燃焼室兼熱交換器（１）に具備した高温水噴射電磁弁（８７Ｃｃ）より複数の弁座（９８）を介して超臨界温度等複数温度の高温水（５２ｂ）を噴射するＨ型エネルギ保存サイクル機関。
【請求項２３０】
縮径主燃焼室兼熱交換器（１）に具備した高温水噴射電磁弁（８７Ｃｃ）より複数の弁座（９８）を介して超臨界温度等複数温度の高温水（５２ｂ）を噴射するＤ型エネルギ保存サイクル機関。
【請求項２３１】
縮径主燃焼室兼熱交換器（１）に具備した高温水噴射電磁弁（８７Ｃｃ）より複数の弁座（９８）を介して超臨界温度等複数温度の高温水（５２ｂ）を噴射するＥ型エネルギ保存サイクル機関。
【請求項２３２】
縮径主燃焼室兼熱交換器（１）に具備した高温水噴射電磁弁（８７Ｃｃ）より複数の弁座（９８）を介して超臨界温度等複数温度の高温水（５２ｂ）を噴射するエネルギ保存サイクル機関。
【請求項２３３】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射するＨ型エネルギ保存サイクル機関。
【請求項２３４】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射するＤ型エネルギ保存サイクル機関。
【請求項２３５】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射するＥ型エネルギ保存サイクル機関。
【請求項２３６】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射するエネルギ保存サイクル機関。
【請求項２３７】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射するＨ型エネルギ保存サイクル機関。
【請求項２３８】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射するＤ型エネルギ保存サイクル機関。
【請求項２３９】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射するＥ型エネルギ保存サイクル機関。
【請求項２４０】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射するエネルギ保存サイクル機関。
【請求項２４１】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射するＨ型エネルギ保存サイクル機関。
【請求項２４２】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射するＤ型エネルギ保存サイクル機関。
【請求項２４３】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射するＥ型エネルギ保存サイクル機関。
【請求項２４４】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射するエネルギ保存サイクル機関。
【請求項２４５】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して出力を発生するＨ型エネルギ保存サイクル機関。
【請求項２４６】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して出力を発生するＤ型エネルギ保存サイクル機関。
【請求項２４７】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して出力を発生するＥ型エネルギ保存サイクル機関。
【請求項２４８】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して出力を発生するエネルギ保存サイクル機関。
【請求項２４９】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して出力を発生するＨ型エネルギ保存サイクル機関。
【請求項２５０】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して出力を発生するＤ型エネルギ保存サイクル機関。
【請求項２５１】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して出力を発生するＥ型エネルギ保存サイクル機関。
【請求項２５２】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して出力を発生するエネルギ保存サイクル機関。
【請求項２５３】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して出力を発生するＨ型エネルギ保存サイクル機関。
【請求項２５４】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して出力を発生するＤ型エネルギ保存サイクル機関。
【請求項２５５】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して出力を発生するＥ型エネルギ保存サイクル機関。
【請求項２５６】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して出力を発生するエネルギ保存サイクル機関。
【請求項２５７】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射するＨ型エネルギ保存サイクル機関。
【請求項２５８】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射するＤ型エネルギ保存サイクル機関。
【請求項２５９】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射するＥ型エネルギ保存サイクル機関。
【請求項２６０】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射するエネルギ保存サイクル機関。
【請求項２６１】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射するＨ型エネルギ保存サイクル機関。
【請求項２６２】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射するＤ型エネルギ保存サイクル機関。
【請求項２６３】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射するＥ型エネルギ保存サイクル機関。
【請求項２６４】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射するエネルギ保存サイクル機関。
【請求項２６５】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射するＨ型エネルギ保存サイクル機関。
【請求項２６６】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射するＤ型エネルギ保存サイクル機関。
【請求項２６７】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射するＥ型エネルギ保存サイクル機関。
【請求項２６８】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射するエネルギ保存サイクル機関。
【請求項２６９】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して出力を発生するＨ型エネルギ保存サイクル機関。
【請求項２７０】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して出力を発生するＤ型エネルギ保存サイクル機関。
【請求項２７１】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して出力を発生するＥ型エネルギ保存サイクル機関。
【請求項２７２】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して出力を発生するエネルギ保存サイクル機関。
【請求項２７３】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射して出力を発生するＨ型エネルギ保存サイクル機関。
【請求項２７４】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射して出力を発生するＤ型エネルギ保存サイクル機関。
【請求項２７５】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射して出力を発生するＥ型エネルギ保存サイクル機関。
【請求項２７６】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射して出力を発生するエネルギ保存サイクル機関。
【請求項２７７】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射して出力を発生するＨ型エネルギ保存サイクル機関。
【請求項２７８】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射して出力を発生するＤ型エネルギ保存サイクル機関。
【請求項２７９】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射して出力を発生するＥ型エネルギ保存サイクル機関。
【請求項２８０】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射して出力を発生するエネルギ保存サイクル機関。
【請求項２８１】
縮径主燃焼室兼熱交換器（１）に具備した高温水噴射電磁弁（８７Ｃｃ）より超臨界温度等複数温度の高温水（５２ｂ）を噴射して重力仕事率を増大するＨ型エネルギ保存サイクル機関。
【請求項２８２】
縮径主燃焼室兼熱交換器（１）に具備した高温水噴射電磁弁（８７Ｃｃ）より超臨界温度等複数温度の高温水（５２ｂ）を噴射して重力仕事率を増大するＤ型エネルギ保存サイクル機関。
【請求項２８３】
縮径主燃焼室兼熱交換器（１）に具備した高温水噴射電磁弁（８７Ｃｃ）より超臨界温度等複数温度の高温水（５２ｂ）を噴射して重力仕事率を増大するＥ型エネルギ保存サイクル機関。
【請求項２８４】
縮径主燃焼室兼熱交換器（１）に具備した高温水噴射電磁弁（８７Ｃｃ）より超臨界温度等複数温度の高温水（５２ｂ）を噴射して重力仕事率を増大するエネルギ保存サイクル機関。
【請求項２８５】
縮径主燃焼室兼熱交換器（１）に具備した高温水噴射電磁弁（８７Ｃｃ）より複数の高温水溜（９５）を介して超臨界温度等複数温度の高温水（５２ｂ）を噴射して重力仕事率を増大するＨ型エネルギ保存サイクル機関。
【請求項２８６】
縮径主燃焼室兼熱交換器（１）に具備した高温水噴射電磁弁（８７Ｃｃ）より複数の高温水溜（９５）を介して超臨界温度等複数温度の高温水（５２ｂ）を噴射して重力仕事率を増大するＤ型エネルギ保存サイクル機関。
【請求項２８７】
縮径主燃焼室兼熱交換器（１）に具備した高温水噴射電磁弁（８７Ｃｃ）より複数の高温水溜（９５）を介して超臨界温度等複数温度の高温水（５２ｂ）を噴射して重力仕事率を増大するＥ型エネルギ保存サイクル機関。
【請求項２８８】
縮径主燃焼室兼熱交換器（１）に具備した高温水噴射電磁弁（８７Ｃｃ）より複数の高温水溜（９５）を介して超臨界温度等複数温度の高温水（５２ｂ）を噴射して重力仕事率を増大するエネルギ保存サイクル機関。
【請求項２８９】
縮径主燃焼室兼熱交換器（１）に具備した高温水噴射電磁弁（８７Ｃｃ）より複数の弁座（９８）を介して超臨界温度等複数温度の高温水（５２ｂ）を噴射して重力仕事率を増大するＨ型エネルギ保存サイクル機関。
【請求項２９０】
縮径主燃焼室兼熱交換器（１）に具備した高温水噴射電磁弁（８７Ｃｃ）より複数の弁座（９８）を介して超臨界温度等複数温度の高温水（５２ｂ）を噴射して重力仕事率を増大するＤ型エネルギ保存サイクル機関。
【請求項２９１】
縮径主燃焼室兼熱交換器（１）に具備した高温水噴射電磁弁（８７Ｃｃ）より複数の弁座（９８）を介して超臨界温度等複数温度の高温水（５２ｂ）を噴射して重力仕事率を増大するＥ型エネルギ保存サイクル機関。
【請求項２９２】
縮径主燃焼室兼熱交換器（１）に具備した高温水噴射電磁弁（８７Ｃｃ）より複数の弁座（９８）を介して超臨界温度等複数温度の高温水（５２ｂ）を噴射して重力仕事率を増大するエネルギ保存サイクル機関。
【請求項２９３】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して重力仕事率を増大するＨ型エネルギ保存サイクル機関。
【請求項２９４】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して重力仕事率を増大するＤ型エネルギ保存サイクル機関。
【請求項２９５】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して重力仕事率を増大するＥ型エネルギ保存サイクル機関。
【請求項２９６】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して重力仕事率を増大するエネルギ保存サイクル機関。
【請求項２９７】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して重力仕事率を増大するＨ型エネルギ保存サイクル機関。
【請求項２９８】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して重力仕事率を増大するＤ型エネルギ保存サイクル機関。
【請求項２９９】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して重力仕事率を増大するＥ型エネルギ保存サイクル機関。
【請求項３００】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して重力仕事率を増大するエネルギ保存サイクル機関。
【請求項３０１】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して重力仕事率を増大するＨ型エネルギ保存サイクル機関。
【請求項３０２】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して重力仕事率を増大するＤ型エネルギ保存サイクル機関。
【請求項３０３】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して重力仕事率を増大するＥ型エネルギ保存サイクル機関。
【請求項３０４】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して重力仕事率を増大するエネルギ保存サイクル機関。
【請求項３０５】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して出力を発生して重力仕事率を増大するＨ型エネルギ保存サイクル機関。
【請求項３０６】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して出力を発生して重力仕事率を増大するＤ型エネルギ保存サイクル機関。
【請求項３０７】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して出力を発生して重力仕事率を増大するＥ型エネルギ保存サイクル機関。
【請求項３０８】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を噴射して出力を発生して重力仕事率を増大するエネルギ保存サイクル機関。
【請求項３０９】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して出力を発生して重力仕事率を増大するＨ型エネルギ保存サイクル機関。
【請求項３１０】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して出力を発生して重力仕事率を増大するＤ型エネルギ保存サイクル機関。
【請求項３１１】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して出力を発生して重力仕事率を増大するＥ型エネルギ保存サイクル機関。
【請求項３１２】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を噴射して出力を発生して重力仕事率を増大するエネルギ保存サイクル機関。
【請求項３１３】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して出力を発生して重力仕事率を増大するＨ型エネルギ保存サイクル機関。
【請求項３１４】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して出力を発生して重力仕事率を増大するＤ型エネルギ保存サイクル機関。
【請求項３１５】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して出力を発生して重力仕事率を増大するＥ型エネルギ保存サイクル機関。
【請求項３１６】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を噴射して出力を発生して重力仕事率を増大するエネルギ保存サイクル機関。
【請求項３１７】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して重力仕事率を増大するＨ型エネルギ保存サイクル機関。
【請求項３１８】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して重力仕事率を増大するＤ型エネルギ保存サイクル機関。
【請求項３１９】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して重力仕事率を増大するＥ型エネルギ保存サイクル機関。
【請求項３２０】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して重力仕事率を増大するエネルギ保存サイクル機関。
【請求項３２１】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射して重力仕事率を増大するＨ型エネルギ保存サイクル機関。
【請求項３２２】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射して重力仕事率を増大するＤ型エネルギ保存サイクル機関。
【請求項３２３】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射して重力仕事率を増大するＥ型エネルギ保存サイクル機関。
【請求項３２４】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を噴射して重力仕事率を増大するエネルギ保存サイクル機関。
【請求項３２５】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射して重力仕事率を増大するＨ型エネルギ保存サイクル機関。
【請求項３２６】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射して重力仕事率を増大するＤ型エネルギ保存サイクル機関。
【請求項３２７】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射して重力仕事率を増大するＥ型エネルギ保存サイクル機関。
【請求項３２８】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を噴射して重力仕事率を増大するエネルギ保存サイクル機関。
【請求項３２９】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して出力を発生して重力仕事率を増大するＨ型エネルギ保存サイクル機関。
【請求項３３０】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して出力を発生して重力仕事率を増大するＤ型エネルギ保存サイクル機関。
【請求項３３１】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して出力を発生して重力仕事率を増大するＥ型エネルギ保存サイクル機関。
【請求項３３２】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を噴射して出力を発生して重力仕事率を増大するエネルギ保存サイクル機関。
【請求項３３３】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の弁座（９８）を介して超臨界温度等複数温度の高温水（５２ｂ）を噴射して出力を発生して重力仕事率を増大するＨ型エネルギ保存サイクル機関。
【請求項３３４】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の弁座（９８）を介して超臨界温度等複数温度の高温水（５２ｂ）を噴射して出力を発生して重力仕事率を増大するＤ型エネルギ保存サイクル機関。
【請求項３３５】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の弁座（９８）を介して超臨界温度等複数温度の高温水（５２ｂ）を噴射して出力を発生して重力仕事率を増大するＥ型エネルギ保存サイクル機関。
【請求項３３６】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の弁座（９８）を介して超臨界温度等複数温度の高温水（５２ｂ）を噴射して出力を発生して重力仕事率を増大するエネルギ保存サイクル機関。
【請求項３３７】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の高温水溜（９５）を介して超臨界温度等複数温度の高温水（５２ｂ）を噴射して出力を発生して重力仕事率を増大するＨ型エネルギ保存サイクル機関。
【請求項３３８】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の高温水溜（９５）を介して超臨界温度等複数温度の高温水（５２ｂ）を噴射して出力を発生して重力仕事率を増大するＤ型エネルギ保存サイクル機関。
【請求項３３９】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の高温水溜（９５）を介して超臨界温度等複数温度の高温水（５２ｂ）を噴射して出力を発生して重力仕事率を増大するＥ型エネルギ保存サイクル機関。
【請求項３４０】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の高温水溜（９５）を介して超臨界温度等複数温度の高温水（５２ｂ）を噴射して出力を発生して重力仕事率を増大するエネルギ保存サイクル機関。
【請求項３４１】
縮径主燃焼室兼熱交換器（１）に具備した高温水噴射電磁弁（８７Ｃｃ）より超臨界温度等複数温度の高温水（５２ｂ）を末広ノズル噴口部（９４ａ）より噴射するＨ型エネルギ保存サイクル機関。
【請求項３４２】
縮径主燃焼室兼熱交換器（１）に具備した高温水噴射電磁弁（８７Ｃｃ）より超臨界温度等複数温度の高温水（５２ｂ）を末広ノズル噴口部（９４ａ）より噴射するＤ型エネルギ保存サイクル機関。
【請求項３４３】
縮径主燃焼室兼熱交換器（１）に具備した高温水噴射電磁弁（８７Ｃｃ）より超臨界温度等複数温度の高温水（５２ｂ）を末広ノズル噴口部（９４ａ）より噴射するＥ型エネルギ保存サイクル機関。
【請求項３４４】
縮径主燃焼室兼熱交換器（１）に具備した高温水噴射電磁弁（８７Ｃｃ）より超臨界温度等複数温度の高温水（５２ｂ）を末広ノズル噴口部（９４ａ）より噴射するエネルギ保存サイクル機関。
【請求項３４５】
縮径主燃焼室兼熱交換器（１）に具備した高温水噴射電磁弁（８７Ｃｃ）より複数の高温水溜（９５）を介して超臨界温度等複数温度の高温水（５２ｂ）を末広ノズル噴口部（９４ａ）より噴射するＨ型エネルギ保存サイクル機関。
【請求項３４６】
縮径主燃焼室兼熱交換器（１）に具備した高温水噴射電磁弁（８７Ｃｃ）より複数の高温水溜（９５）を介して超臨界温度等複数温度の高温水（５２ｂ）を末広ノズル噴口部（９４ａ）より噴射するＤ型エネルギ保存サイクル機関。
【請求項３４７】
縮径主燃焼室兼熱交換器（１）に具備した高温水噴射電磁弁（８７Ｃｃ）より複数の高温水溜（９５）を介して超臨界温度等複数温度の高温水（５２ｂ）を末広ノズル噴口部（９４ａ）より噴射するＥ型エネルギ保存サイクル機関。
【請求項３４８】
縮径主燃焼室兼熱交換器（１）に具備した高温水噴射電磁弁（８７Ｃｃ）より複数の高温水溜（９５）を介して超臨界温度等複数温度の高温水（５２ｂ）を末広ノズル噴口部（９４ａ）より噴射するエネルギ保存サイクル機関。
【請求項３４９】
縮径主燃焼室兼熱交換器（１）に具備した高温水噴射電磁弁（８７Ｃｃ）より複数の弁座（９８）を介して超臨界温度等複数温度の高温水（５２ｂ）を末広ノズル噴口部（９４ａ）より噴射するＨ型エネルギ保存サイクル機関。
【請求項３５０】
縮径主燃焼室兼熱交換器（１）に具備した高温水噴射電磁弁（８７Ｃｃ）より複数の弁座（９８）を介して超臨界温度等複数温度の高温水（５２ｂ）を末広ノズル噴口部（９４ａ）より噴射するＤ型エネルギ保存サイクル機関。
【請求項３５１】
縮径主燃焼室兼熱交換器（１）に具備した高温水噴射電磁弁（８７Ｃｃ）より複数の弁座（９８）を介して超臨界温度等複数温度の高温水（５２ｂ）を末広ノズル噴口部（９４ａ）より噴射するＥ型エネルギ保存サイクル機関。
【請求項３５２】
縮径主燃焼室兼熱交換器（１）に具備した高温水噴射電磁弁（８７Ｃｃ）より複数の弁座（９８）を介して超臨界温度等複数温度の高温水（５２ｂ）を末広ノズル噴口部（９４ａ）より噴射するエネルギ保存サイクル機関。
【請求項３５３】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射するＨ型エネルギ保存サイクル機関。
【請求項３５４】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射するＤ型エネルギ保存サイクル機関。
【請求項３５５】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射するＥ型エネルギ保存サイクル機関。
【請求項３５６】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射するエネルギ保存サイクル機関。
【請求項３５７】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射するＨ型エネルギ保存サイクル機関。
【請求項３５８】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射するＤ型エネルギ保存サイクル機関。
【請求項３５９】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射するＥ型エネルギ保存サイクル機関。
【請求項３６０】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射するエネルギ保存サイクル機関。
【請求項３６１】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射するＨ型エネルギ保存サイクル機関。
【請求項３６２】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射するＤ型エネルギ保存サイクル機関。
【請求項３６３】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射するＥ型エネルギ保存サイクル機関。
【請求項３６４】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射するエネルギ保存サイクル機関。
【請求項３６５】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して出力を発生するＨ型エネルギ保存サイクル機関。
【請求項３６６】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して出力を発生するＤ型エネルギ保存サイクル機関。
【請求項３６７】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して出力を発生するＥ型エネルギ保存サイクル機関。
【請求項３６８】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して出力を発生するエネルギ保存サイクル機関。
【請求項３６９】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生するＨ型エネルギ保存サイクル機関。
【請求項３７０】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生するＤ型エネルギ保存サイクル機関。
【請求項３７１】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生するＥ型エネルギ保存サイクル機関。
【請求項３７２】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生するエネルギ保存サイクル機関。
【請求項３７３】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生するＨ型エネルギ保存サイクル機関。
【請求項３７４】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生するＤ型エネルギ保存サイクル機関。
【請求項３７５】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生するＥ型エネルギ保存サイクル機関。
【請求項３７６】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生するエネルギ保存サイクル機関。
【請求項３７７】
シリンダヘッド（１５）に具備した高温水噴射電磁弁（８７Ｃｄ）より超臨界温度等複数温度の高温水（５２ｂ）を末広ノズル噴口部（９４ａ）より噴射するＨ型エネルギ保存サイクル機関。
【請求項３７８】
シリンダヘッド（１５）に具備した高温水噴射電磁弁（８７Ｃｄ）より超臨界温度等複数温度の高温水（５２ｂ）を末広ノズル噴口部（９４ａ）より噴射するＤ型エネルギ保存サイクル機関。
【請求項３７９】
シリンダヘッド（１５）に具備した高温水噴射電磁弁（８７Ｃｄ）より超臨界温度等複数温度の高温水（５２ｂ）を末広ノズル噴口部（９４ａ）より噴射するＥ型エネルギ保存サイクル機関。
【請求項３８０】
シリンダヘッド（１５）に具備した高温水噴射電磁弁（８７Ｃｄ）より超臨界温度等複数温度の高温水（５２ｂ）を末広ノズル噴口部（９４ａ）より噴射するエネルギ保存サイクル機関。
【請求項３８１】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射するＨ型エネルギ保存サイクル機関。
【請求項３８２】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射するＤ型エネルギ保存サイクル機関。
【請求項３８３】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射するＥ型エネルギ保存サイクル機関。
【請求項３８４】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射するエネルギ保存サイクル機関。
【請求項３８５】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射するＨ型エネルギ保存サイクル機関。
【請求項３８６】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射するＤ型エネルギ保存サイクル機関。
【請求項３８７】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射するＥ型エネルギ保存サイクル機関。
【請求項３８８】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射するエネルギ保存サイクル機関。
【請求項３８９】
シリンダヘッド（１５）に具備した高温水噴射電磁弁（８７Ｃｄ）より超臨界温度等複数温度の高温水（５２ｂ）を末広ノズル噴口部（９４ａ）より噴射して出力を発生するＨ型エネルギ保存サイクル機関。
【請求項３９０】
シリンダヘッド（１５）に具備した高温水噴射電磁弁（８７Ｃｄ）より超臨界温度等複数温度の高温水（５２ｂ）を末広ノズル噴口部（９４ａ）より噴射して出力を発生するＤ型エネルギ保存サイクル機関。
【請求項３９１】
シリンダヘッド（１５）に具備した高温水噴射電磁弁（８７Ｃｄ）より超臨界温度等複数温度の高温水（５２ｂ）を末広ノズル噴口部（９４ａ）より噴射して出力を発生するＥ型エネルギ保存サイクル機関。
【請求項３９２】
シリンダヘッド（１５）に具備した高温水噴射電磁弁（８７Ｃｄ）より超臨界温度等複数温度の高温水（５２ｂ）を末広ノズル噴口部（９４ａ）より噴射して出力を発生するエネルギ保存サイクル機関。
【請求項３９３】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して出力を発生するＨ型エネルギ保存サイクル機関。
【請求項３９４】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して出力を発生するＤ型エネルギ保存サイクル機関。
【請求項３９５】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して出力を発生するＥ型エネルギ保存サイクル機関。
【請求項３９６】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して出力を発生するエネルギ保存サイクル機関。
【請求項３９７】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して出力を発生するＨ型エネルギ保存サイクル機関。
【請求項３９８】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して出力を発生するＤ型エネルギ保存サイクル機関。
【請求項３９９】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して出力を発生するＥ型エネルギ保存サイクル機関。
【請求項４００】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して出力を発生するエネルギ保存サイクル機関。
【請求項４０１】
シリンダヘッド（１５）に具備した高温水噴射電磁弁（８７Ｃｄ）より超臨界温度等複数温度の高温水（５２ｂ）を末広ノズル噴口部（９４ａ）より噴射して重力仕事率を増大するＨ型エネルギ保存サイクル機関。
【請求項４０２】
シリンダヘッド（１５）に具備した高温水噴射電磁弁（８７Ｃｄ）より超臨界温度等複数温度の高温水（５２ｂ）を末広ノズル噴口部（９４ａ）より噴射して重力仕事率を増大するＤ型エネルギ保存サイクル機関。
【請求項４０３】
シリンダヘッド（１５）に具備した高温水噴射電磁弁（８７Ｃｄ）より超臨界温度等複数温度の高温水（５２ｂ）を末広ノズル噴口部（９４ａ）より噴射して重力仕事率を増大するＥ型エネルギ保存サイクル機関。
【請求項４０４】
シリンダヘッド（１５）に具備した高温水噴射電磁弁（８７Ｃｄ）より超臨界温度等複数温度の高温水（５２ｂ）を末広ノズル噴口部（９４ａ）より噴射して重力仕事率を増大するエネルギ保存サイクル機関。
【請求項４０５】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して重力仕事率を増大するＨ型エネルギ保存サイクル機関。
【請求項４０６】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して重力仕事率を増大するＤ型エネルギ保存サイクル機関。
【請求項４０７】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して重力仕事率を増大するＥ型エネルギ保存サイクル機関。
【請求項４０８】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して重力仕事率を増大するエネルギ保存サイクル機関。
【請求項４０９】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して重力仕事率を増大するＨ型エネルギ保存サイクル機関。
【請求項４１０】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して重力仕事率を増大するＤ型エネルギ保存サイクル機関。
【請求項４１１】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して重力仕事率を増大するＥ型エネルギ保存サイクル機関。
【請求項４１２】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して重力仕事率を増大するエネルギ保存サイクル機関。
【請求項４１３】
シリンダヘッド（１５）に具備した高温水噴射電磁弁（８７Ｃｄ）より超臨界温度等複数温度の高温水（５２ｂ）を末広ノズル噴口部（９４ａ）より噴射して出力を発生して重力仕事率を増大するＨ型エネルギ保存サイクル機関。
【請求項４１４】
シリンダヘッド（１５）に具備した高温水噴射電磁弁（８７Ｃｄ）より超臨界温度等複数温度の高温水（５２ｂ）を末広ノズル噴口部（９４ａ）より噴射して出力を発生して重力仕事率を増大するＤ型エネルギ保存サイクル機関。
【請求項４１５】
シリンダヘッド（１５）に具備した高温水噴射電磁弁（８７Ｃｄ）より超臨界温度等複数温度の高温水（５２ｂ）を末広ノズル噴口部（９４ａ）より噴射して出力を発生して重力仕事率を増大するＥ型エネルギ保存サイクル機関。
【請求項４１６】
シリンダヘッド（１５）に具備した高温水噴射電磁弁（８７Ｃｄ）より超臨界温度等複数温度の高温水（５２ｂ）を末広ノズル噴口部（９４ａ）より噴射して出力を発生して重力仕事率を増大するエネルギ保存サイクル機関。
【請求項４１７】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して出力を発生して重力仕事率を増大するＨ型エネルギ保存サイクル機関。
【請求項４１８】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して出力を発生して重力仕事率を増大するＤ型エネルギ保存サイクル機関。
【請求項４１９】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して出力を発生して重力仕事率を増大するＥ型エネルギ保存サイクル機関。
【請求項４２０】
シリンダヘッド（１５）に具備した高温水噴射電磁弁（８７Ｃｄ）より複数の高温水溜（９５）を介して超臨界温度等複数温度の高温水（５２ｂ）を末広ノズル噴口部（９４ａ）より噴射して出力を発生して重力仕事率を増大するエネルギ保存サイクル機関。
【請求項４２１】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して出力を発生して重力仕事率を増大するＨ型エネルギ保存サイクル機関。
【請求項４２２】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して出力を発生して重力仕事率を増大するＤ型エネルギ保存サイクル機関。
【請求項４２３】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して出力を発生して重力仕事率を増大するＥ型エネルギ保存サイクル機関。
【請求項４２４】
シリンダヘッド（１５）に具備した高温水噴射電磁弁（８７Ｃｄ）より複数の弁座（９８）を介して超臨界温度等複数温度の高温水（５２ｂ）を末広ノズル噴口部（９４ａ）より噴射して出力を発生して重力仕事率を増大するエネルギ保存サイクル機関。
【請求項４２５】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射するＨ型エネルギ保存サイクル機関。
【請求項４２６】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射するＤ型エネルギ保存サイクル機関。
【請求項４２７】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射するＥ型エネルギ保存サイクル機関。
【請求項４２８】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射するエネルギ保存サイクル機関。
【請求項４２９】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射するＨ型エネルギ保存サイクル機関。
【請求項４３０】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射するＤ型エネルギ保存サイクル機関。
【請求項４３１】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射するＥ型エネルギ保存サイクル機関。
【請求項４３２】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射するエネルギ保存サイクル機関。
【請求項４３３】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射するＨ型エネルギ保存サイクル機関。
【請求項４３４】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射するＤ型エネルギ保存サイクル機関。
【請求項４３５】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射するＥ型エネルギ保存サイクル機関。
【請求項４３６】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射するエネルギ保存サイクル機関。
【請求項４３７】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して出力を発生するＨ型エネルギ保存サイクル機関。
【請求項４３８】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して出力を発生するＤ型エネルギ保存サイクル機関。
【請求項４３９】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して出力を発生するＥ型エネルギ保存サイクル機関。
【請求項４４０】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して出力を発生するエネルギ保存サイクル機関。
【請求項４４１】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生するＨ型エネルギ保存サイクル機関。
【請求項４４２】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生するＤ型エネルギ保存サイクル機関。
【請求項４４３】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生するＥ型エネルギ保存サイクル機関。
【請求項４４４】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生するエネルギ保存サイクル機関。
【請求項４４５】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生するＨ型エネルギ保存サイクル機関。
【請求項４４６】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生するＤ型エネルギ保存サイクル機関。
【請求項４４７】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生するＥ型エネルギ保存サイクル機関。
【請求項４４８】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生するエネルギ保存サイクル機関。
【請求項４４９】
縮径主燃焼室兼熱交換器（１）に具備した高温水噴射電磁弁（８７Ｃｃ）より超臨界温度等複数温度の高温水（５２ｂ）を末広ノズル噴口部（９４ａ）より噴射して重力仕事率を増大するＨ型エネルギ保存サイクル機関。
【請求項４５０】
縮径主燃焼室兼熱交換器（１）に具備した高温水噴射電磁弁（８７Ｃｃ）より超臨界温度等複数温度の高温水（５２ｂ）を末広ノズル噴口部（９４ａ）より噴射して重力仕事率を増大するＤ型エネルギ保存サイクル機関。
【請求項４５１】
縮径主燃焼室兼熱交換器（１）に具備した高温水噴射電磁弁（８７Ｃｃ）より超臨界温度等複数温度の高温水（５２ｂ）を末広ノズル噴口部（９４ａ）より噴射して重力仕事率を増大するＥ型エネルギ保存サイクル機関。
【請求項４５２】
縮径主燃焼室兼熱交換器（１）に具備した高温水噴射電磁弁（８７Ｃｃ）より超臨界温度等複数温度の高温水（５２ｂ）を末広ノズル噴口部（９４ａ）より噴射して重力仕事率を増大するエネルギ保存サイクル機関。
【請求項４５３】
縮径主燃焼室兼熱交換器（１）に具備した高温水噴射電磁弁（８７Ｃｃ）より複数の高温水溜（９５）を介して超臨界温度等複数温度の高温水（５２ｂ）を末広ノズル噴口部（９４ａ）より噴射して重力仕事率を増大するＨ型エネルギ保存サイクル機関。
【請求項４５４】
縮径主燃焼室兼熱交換器（１）に具備した高温水噴射電磁弁（８７Ｃｃ）より複数の高温水溜（９５）を介して超臨界温度等複数温度の高温水（５２ｂ）を末広ノズル噴口部（９４ａ）より噴射して重力仕事率を増大するＤ型エネルギ保存サイクル機関。
【請求項４５５】
縮径主燃焼室兼熱交換器（１）に具備した高温水噴射電磁弁（８７Ｃｃ）より複数の高温水溜（９５）を介して超臨界温度等複数温度の高温水（５２ｂ）を末広ノズル噴口部（９４ａ）より噴射して重力仕事率を増大するＥ型エネルギ保存サイクル機関。
【請求項４５６】
縮径主燃焼室兼熱交換器（１）に具備した高温水噴射電磁弁（８７Ｃｃ）より複数の高温水溜（９５）を介して超臨界温度等複数温度の高温水（５２ｂ）を末広ノズル噴口部（９４ａ）より噴射して重力仕事率を増大するエネルギ保存サイクル機関。
【請求項４５７】
縮径主燃焼室兼熱交換器（１）に具備した高温水噴射電磁弁（８７Ｃｃ）より複数の弁座（９８）を介して超臨界温度等複数温度の高温水（５２ｂ）を末広ノズル噴口部（９４ａ）より噴射して重力仕事率を増大するＨ型エネルギ保存サイクル機関。
【請求項４５８】
縮径主燃焼室兼熱交換器（１）に具備した高温水噴射電磁弁（８７Ｃｃ）より複数の弁座（９８）を介して超臨界温度等複数温度の高温水（５２ｂ）を末広ノズル噴口部（９４ａ）より噴射して重力仕事率を増大するＤ型エネルギ保存サイクル機関。
【請求項４５９】
縮径主燃焼室兼熱交換器（１）に具備した高温水噴射電磁弁（８７Ｃｃ）より複数の弁座（９８）を介して超臨界温度等複数温度の高温水（５２ｂ）を末広ノズル噴口部（９４ａ）より噴射して重力仕事率を増大するＥ型エネルギ保存サイクル機関。
【請求項４６０】
縮径主燃焼室兼熱交換器（１）に具備した高温水噴射電磁弁（８７Ｃｃ）より複数の弁座（９８）を介して超臨界温度等複数温度の高温水（５２ｂ）を末広ノズル噴口部（９４ａ）より噴射して重力仕事率を増大するエネルギ保存サイクル機関。
【請求項４６１】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して重力仕事率を増大するＨ型エネルギ保存サイクル機関。
【請求項４６２】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して重力仕事率を増大するＤ型エネルギ保存サイクル機関。
【請求項４６３】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して重力仕事率を増大するＥ型エネルギ保存サイクル機関。
【請求項４６４】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して重力仕事率を増大するエネルギ保存サイクル機関。
【請求項４６５】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して重力仕事率を増大するＨ型エネルギ保存サイクル機関。
【請求項４６６】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して重力仕事率を増大するＤ型エネルギ保存サイクル機関。
【請求項４６７】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して重力仕事率を増大するＥ型エネルギ保存サイクル機関。
【請求項４６８】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して重力仕事率を増大するエネルギ保存サイクル機関。
【請求項４６９】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して重力仕事率を増大するＨ型エネルギ保存サイクル機関。
【請求項４７０】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して重力仕事率を増大するＤ型エネルギ保存サイクル機関。
【請求項４７１】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して重力仕事率を増大するＥ型エネルギ保存サイクル機関。
【請求項４７２】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して重力仕事率を増大するエネルギ保存サイクル機関。
【請求項４７３】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して出力を発生して重力仕事率を増大するＨ型エネルギ保存サイクル機関。
【請求項４７４】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して出力を発生して重力仕事率を増大するＤ型エネルギ保存サイクル機関。
【請求項４７５】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して出力を発生して重力仕事率を増大するＥ型エネルギ保存サイクル機関。
【請求項４７６】
縮径主燃焼室兼熱交換器（１）に具備した高温水噴射電磁弁（８７Ｃｃ）及び高温水噴射電磁弁（８７Ｃｄ）より超臨界温度等複数温度の高温水（５２ｂ）を末広ノズル噴口部（９４ａ）より噴射して出力を発生して重力仕事率を増大するエネルギ保存サイクル機関。
【請求項４７７】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生して重力仕事率を増大するＨ型エネルギ保存サイクル機関。
【請求項４７８】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生して重力仕事率を増大するＤ型エネルギ保存サイクル機関。
【請求項４７９】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生して重力仕事率を増大するＥ型エネルギ保存サイクル機関。
【請求項４８０】
縮径主燃焼室兼熱交換器（１）に具備した高温水噴射電磁弁（８７Ｃｃ）及び高温水噴射電磁弁（８７Ｃｄ）より夫々複数の高温水溜（９５）を介して超臨界温度等複数温度の高温水（５２ｂ）を末広ノズル噴口部（９４ａ）より噴射して出力を発生して重力仕事率を増大するエネルギ保存サイクル機関。
【請求項４８１】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生して重力仕事率を増大するＨ型エネルギ保存サイクル機関。
【請求項４８２】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生して重力仕事率を増大するＤ型エネルギ保存サイクル機関。
【請求項４８３】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生して重力仕事率を増大するＥ型エネルギ保存サイクル機関。
【請求項４８４】
縮径主燃焼室兼熱交換器（１）に具備した高温水噴射電磁弁（８７Ｃｃ）及び高温水噴射電磁弁（８７Ｃｄ）より夫々複数の弁座（９８）を介して超臨界温度等複数温度の高温水（５２ｂ）を末広ノズル噴口部（９４ａ）より噴射して出力を発生して重力仕事率を増大するエネルギ保存サイクル機関。
【請求項４８５】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して重力仕事率を増大するＨ型エネルギ保存サイクル機関。
【請求項４８６】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して重力仕事率を増大するＤ型エネルギ保存サイクル機関。
【請求項４８７】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して重力仕事率を増大するＥ型エネルギ保存サイクル機関。
【請求項４８８】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して重力仕事率を増大するエネルギ保存サイクル機関。
【請求項４８９】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射して重力仕事率を増大するＨ型エネルギ保存サイクル機関。
【請求項４９０】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射して重力仕事率を増大するＤ型エネルギ保存サイクル機関。
【請求項４９１】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射して重力仕事率を増大するＥ型エネルギ保存サイクル機関。
【請求項４９２】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の高温水溜（９５）を介して超臨界温度等複数温度の高温水（５２ｂ）を末広ノズル噴口部（９４ａ）より噴射して重力仕事率を増大するエネルギ保存サイクル機関。
【請求項４９３】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射して重力仕事率を増大するＨ型エネルギ保存サイクル機関。
【請求項４９４】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射して重力仕事率を増大するＤ型エネルギ保存サイクル機関。
【請求項４９５】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射して重力仕事率を増大するＥ型エネルギ保存サイクル機関。
【請求項４９６】
縮径主燃焼室兼熱交換器（１）に具備した高温水噴射電磁弁（８７Ｃｃ）及びシリンダヘッド（１５）に具備した高温水噴射電磁弁（８７Ｃｄ）より夫々複数の弁座（９８）を介して超臨界温度等複数温度の高温水（５２ｂ）を末広ノズル噴口部（９４ａ）より噴射して重力仕事率を増大するエネルギ保存サイクル機関。
【請求項４９７】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して出力を発生して重力仕事率を増大するＨ型エネルギ保存サイクル機関。
【請求項４９８】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して出力を発生して重力仕事率を増大するＤ型エネルギ保存サイクル機関。
【請求項４９９】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して出力を発生して重力仕事率を増大するＥ型エネルギ保存サイクル機関。
【請求項５００】
縮径主燃焼室兼熱交換器（１）に具備した高温水噴射電磁弁（８７Ｃｃ）及びシリンダヘッド（１５）に具備した高温水噴射電磁弁（８７Ｃｄ）より超臨界温度等複数温度の高温水（５２ｂ）を末広ノズル噴口部（９４ａ）より噴射して出力を発生して重力仕事率を増大するエネルギ保存サイクル機関。
【請求項５０１】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の弁座（９８）を介して超臨界温度等複数温度の高温水（５２ｂ）を末広ノズル噴口部（９４ａ）より噴射して出力を発生して重力仕事率を増大するＨ型エネルギ保存サイクル機関。
【請求項５０２】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の弁座（９８）を介して超臨界温度等複数温度の高温水（５２ｂ）を末広ノズル噴口部（９４ａ）より噴射して出力を発生して重力仕事率を増大するＤ型エネルギ保存サイクル機関。
【請求項５０３】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の弁座（９８）を介して超臨界温度等複数温度の高温水（５２ｂ）を末広ノズル噴口部（９４ａ）より噴射して出力を発生して重力仕事率を増大するＥ型エネルギ保存サイクル機関。
【請求項５０４】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の弁座（９８）を介して超臨界温度等複数温度の高温水（５２ｂ）を末広ノズル噴口部（９４ａ）より噴射して出力を発生して重力仕事率を増大するエネルギ保存サイクル機関。
【請求項５０５】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の高温水溜（９５）を介して超臨界温度等複数温度の高温水（５２ｂ）を末広ノズル噴口部（９４ａ）より噴射して出力を発生して重力仕事率を増大するＨ型エネルギ保存サイクル機関。
【請求項５０６】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の高温水溜（９５）を介して超臨界温度等複数温度の高温水（５２ｂ）を末広ノズル噴口部（９４ａ）より噴射して出力を発生して重力仕事率を増大するＤ型エネルギ保存サイクル機関。
【請求項５０７】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の高温水溜（９５）を介して超臨界温度等複数温度の高温水（５２ｂ）を末広ノズル噴口部（９４ａ）より噴射して出力を発生して重力仕事率を増大するＥ型エネルギ保存サイクル機関。
【請求項５０８】
縮径主燃焼室兼熱交換器（１）に具備した高温水噴射電磁弁（８７Ｃｃ）及びシリンダヘッド（１５）に具備した高温水噴射電磁弁（８７Ｃｄ）の夫々複数の高温水溜（９５）を介して超臨界温度等複数温度の高温水（５２ｂ）を末広ノズル噴口部（９４ａ）より噴射して出力を発生して重力仕事率を増大するエネルギ保存サイクル機関。
【請求項５０９】
縮径主燃焼室兼熱交換器（１）に具備した高温水噴射電磁弁（８７Ｃｃ）より高温水（５２ｂ）を噴射して、燃焼温度を低下させるＨ型エネルギ保存サイクル機関。
【請求項５１０】
縮径主燃焼室兼熱交換器（１）に具備した高温水噴射電磁弁（８７Ｃｃ）より高温水（５２ｂ）を噴射して、燃焼温度を低下させるＤ型エネルギ保存サイクル機関。
【請求項５１１】
縮径主燃焼室兼熱交換器（１）に具備した高温水噴射電磁弁（８７Ｃｃ）より高温水（５２ｂ）を噴射して、燃焼温度を低下させるＥ型エネルギ保存サイクル機関。
【請求項５１２】
縮径主燃焼室兼熱交換器（１）に具備した高温水噴射電磁弁（８７Ｃｃ）より高温水（５２ｂ）を噴射して、燃焼温度を低下させるエネルギ保存サイクル機関。
【請求項５１３】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速するＨ型エネルギ保存サイクル機関。
【請求項５１４】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速するＤ型エネルギ保存サイクル機関。
【請求項５１５】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速するＥ型エネルギ保存サイクル機関。
【請求項５１６】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速するエネルギ保存サイクル機関。
【請求項５１７】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速するＨ型エネルギ保存サイクル機関。
【請求項５１８】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速するＤ型エネルギ保存サイクル機関。
【請求項５１９】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速するＥ型エネルギ保存サイクル機関。
【請求項５２０】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速するエネルギ保存サイクル機関。
【請求項５２１】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項５２２】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項５２３】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項５２４】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項５２５】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射するＨ型エネルギ保存サイクル機関。
【請求項５２６】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射するＤ型エネルギ保存サイクル機関。
【請求項５２７】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射するＥ型エネルギ保存サイクル機関。
【請求項５２８】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射するエネルギ保存サイクル機関。
【請求項５２９】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項５３０】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項５３１】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項５３２】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項５３３】
縮径主燃焼室兼熱交換器（１）に具備した高温水噴射電磁弁（８７Ｃｃ）より高温水（５２ｂ）を噴射して、燃焼温度を低下させて断熱膨張低温燃焼ガスにより水蒸気を冷却凝集するＨ型エネルギ保存サイクル機関。
【請求項５３４】
縮径主燃焼室兼熱交換器（１）に具備した高温水噴射電磁弁（８７Ｃｃ）より高温水（５２ｂ）を噴射して、燃焼温度を低下させて断熱膨張低温燃焼ガスにより水蒸気を冷却凝集するＤ型エネルギ保存サイクル機関。
【請求項５３５】
縮径主燃焼室兼熱交換器（１）に具備した高温水噴射電磁弁（８７Ｃｃ）より高温水（５２ｂ）を噴射して、燃焼温度を低下させて断熱膨張低温燃焼ガスにより水蒸気を冷却凝集するＥ型エネルギ保存サイクル機関。
【請求項５３６】
縮径主燃焼室兼熱交換器（１）に具備した高温水噴射電磁弁（８７Ｃｃ）より高温水（５２ｂ）を噴射して、燃焼温度を低下させて断熱膨張低温燃焼ガスにより水蒸気を冷却凝集するエネルギ保存サイクル機関。
【請求項５３７】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させて断熱膨張低温燃焼ガスにより水蒸気を冷却凝集するＨ型エネルギ保存サイクル機関。
【請求項５３８】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させて断熱膨張低温燃焼ガスにより水蒸気を冷却凝集するＤ型エネルギ保存サイクル機関。
【請求項５３９】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させて断熱膨張低温燃焼ガスにより水蒸気を冷却凝集するＥ型エネルギ保存サイクル機関。
【請求項５４０】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させて断熱膨張低温燃焼ガスにより水蒸気を冷却凝集するエネルギ保存サイクル機関。
【請求項５４１】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項５４２】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項５４３】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項５４４】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項５４５】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項５４６】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項５４７】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項５４８】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項５４９】
縮径主燃焼室兼熱交換器（１）に具備した高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けるＨ型エネルギ保存サイクル機関。
【請求項５５０】
縮径主燃焼室兼熱交換器（１）に具備した高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けるＤ型エネルギ保存サイクル機関。
【請求項５５１】
縮径主燃焼室兼熱交換器（１）に具備した高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けるＥ型エネルギ保存サイクル機関。
【請求項５５２】
縮径主燃焼室兼熱交換器（１）に具備した高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けるエネルギ保存サイクル機関。
【請求項５５３】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させて断熱膨張低温燃焼ガスにより水蒸気を冷却凝集し、ＣＯ２排気を０に近付けるＨ型エネルギ保存サイクル機関。
【請求項５５４】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させて断熱膨張低温燃焼ガスにより水蒸気を冷却凝集し、ＣＯ２排気を０に近付けるＤ型エネルギ保存サイクル機関。
【請求項５５５】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させて断熱膨張低温燃焼ガスにより水蒸気を冷却凝集し、ＣＯ２排気を０に近付けるＥ型エネルギ保存サイクル機関。
【請求項５５６】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させて断熱膨張低温燃焼ガスにより水蒸気を冷却凝集し、ＣＯ２排気を０に近付けるエネルギ保存サイクル機関。
【請求項５５７】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項５５８】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項５５９】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項５６０】
縮径主燃焼室兼熱交換器（１）に具備した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項５６１】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項５６２】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項５６３】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項５６４】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項５６５】
縮径主燃焼室兼熱交換器（１）に具備した高温水噴射電磁弁（８７Ｃｃ）より高温水（５２ｂ）を噴射して、最高燃焼圧力を上昇するＨ型エネルギ保存サイクル機関。
【請求項５６６】
縮径主燃焼室兼熱交換器（１）に具備した高温水噴射電磁弁（８７Ｃｃ）より高温水（５２ｂ）を噴射して、最高燃焼圧力を上昇するＤ型エネルギ保存サイクル機関。
【請求項５６７】
縮径主燃焼室兼熱交換器（１）に具備した高温水噴射電磁弁（８７Ｃｃ）より高温水（５２ｂ）を噴射して、最高燃焼圧力を上昇するＥ型エネルギ保存サイクル機関。
【請求項５６８】
縮径主燃焼室兼熱交換器（１）に具備した高温水噴射電磁弁（８７Ｃｃ）より高温水（５２ｂ）を噴射して、最高燃焼圧力を上昇するエネルギ保存サイクル機関。
【請求項５６９】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項５７０】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項５７１】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項５７２】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項５７３】
縮径主燃焼室兼熱交換器（１）に具備した高温水噴射電磁弁（８７Ｃｃ）より高温水（５２ｂ）を噴射して、最高燃焼圧力を上昇し燃焼温度を低下させるＨ型エネルギ保存サイクル機関。
【請求項５７４】
縮径主燃焼室兼熱交換器（１）に具備した高温水噴射電磁弁（８７Ｃｃ）より高温水（５２ｂ）を噴射して、最高燃焼圧力を上昇し燃焼温度を低下させるＤ型エネルギ保存サイクル機関。
【請求項５７５】
縮径主燃焼室兼熱交換器（１）に具備した高温水噴射電磁弁（８７Ｃｃ）より高温水（５２ｂ）を噴射して、最高燃焼圧力を上昇し燃焼温度を低下させるＥ型エネルギ保存サイクル機関。
【請求項５７６】
縮径主燃焼室兼熱交換器（１）に具備した高温水噴射電磁弁（８７Ｃｃ）より高温水（５２ｂ）を噴射して、最高燃焼圧力を上昇し燃焼温度を低下させるエネルギ保存サイクル機関。
【請求項５７７】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇し燃焼温度を低下させるＨ型エネルギ保存サイクル機関。
【請求項５７８】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇し燃焼温度を低下させるＤ型エネルギ保存サイクル機関。
【請求項５７９】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇し燃焼温度を低下させるＥ型エネルギ保存サイクル機関。
【請求項５８０】
縮径主燃焼室兼熱交換器（１）に具備した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇し燃焼温度を低下させるエネルギ保存サイクル機関。
【請求項５８１】
縮径主燃焼室兼熱交換器（１）に具備した高温水噴射電磁弁（８７Ｃｃ）より縮径主燃焼室熱交換器（２）の高温水（５２ｂ）を噴射して、最高燃焼圧力を上昇するＨ型エネルギ保存サイクル機関。
【請求項５８２】
縮径主燃焼室兼熱交換器（１）に具備した高温水噴射電磁弁（８７Ｃｃ）より縮径主燃焼室熱交換器（２）の高温水（５２ｂ）を噴射して、最高燃焼圧力を上昇するＤ型エネルギ保存サイクル機関。
【請求項５８３】
縮径主燃焼室兼熱交換器（１）に具備した高温水噴射電磁弁（８７Ｃｃ）より縮径主燃焼室熱交換器（２）の高温水（５２ｂ）を噴射して、最高燃焼圧力を上昇するＥ型エネルギ保存サイクル機関。
【請求項５８４】
縮径主燃焼室兼熱交換器（１）に具備した高温水噴射電磁弁（８７Ｃｃ）より縮径主燃焼室熱交換器（２）の高温水（５２ｂ）を噴射して、最高燃焼圧力を上昇するエネルギ保存サイクル機関。
【請求項５８５】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させるＨ型エネルギ保存サイクル機関。
【請求項５８６】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させるＤ型エネルギ保存サイクル機関。
【請求項５８７】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させるＥ型エネルギ保存サイクル機関。
【請求項５８８】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させるエネルギ保存サイクル機関。
【請求項５８９】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射するＨ型エネルギ保存サイクル機関。
【請求項５９０】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射するＤ型エネルギ保存サイクル機関。
【請求項５９１】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射するＥ型エネルギ保存サイクル機関。
【請求項５９２】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射するエネルギ保存サイクル機関。
【請求項５９３】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項５９４】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項５９５】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項５９６】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項５９７】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項５９８】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項５９９】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項６００】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項６０１】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項６０２】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項６０３】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項６０４】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項６０５】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項６０６】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項６０７】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項６０８】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項６０９】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項６１０】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項６１１】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項６１２】
縮径主燃焼室兼熱交換器（１）に具備した高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項６１３】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項６１４】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項６１５】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項６１６】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項６１７】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項６１８】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項６１９】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項６２０】
縮径主燃焼室兼熱交換器（１）に具備した高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項６２１】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、最高燃焼圧力を上昇するＨ型エネルギ保存サイクル機関。
【請求項６２２】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、最高燃焼圧力を上昇するＤ型エネルギ保存サイクル機関。
【請求項６２３】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、最高燃焼圧力を上昇するＥ型エネルギ保存サイクル機関。
【請求項６２４】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、最高燃焼圧力を上昇するエネルギ保存サイクル機関。
【請求項６２５】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させるＨ型エネルギ保存サイクル機関。
【請求項６２６】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させるＤ型エネルギ保存サイクル機関。
【請求項６２７】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させるＥ型エネルギ保存サイクル機関。
【請求項６２８】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させるエネルギ保存サイクル機関。
【請求項６２９】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項６３０】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項６３１】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項６３２】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項６３３】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項６３４】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項６３５】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項６３６】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項６３７】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射するＨ型エネルギ保存サイクル機関。
【請求項６３８】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射するＤ型エネルギ保存サイクル機関。
【請求項６３９】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射するＥ型エネルギ保存サイクル機関。
【請求項６４０】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射するエネルギ保存サイクル機関。
【請求項６４１】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項６４２】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項６４３】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項６４４】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項６４５】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項６４６】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項６４７】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項６４８】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項６４９】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項６５０】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項６５１】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項６５２】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項６５３】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項６５４】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項６５５】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項６５６】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項６５７】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項６５８】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項６５９】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項６６０】
縮径主燃焼室兼熱交換器（１）に具備した高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項６６１】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項６６２】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項６６３】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項６６４】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項６６５】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項６６６】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項６６７】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させ断熱膨張低温燃焼ガスにより水蒸気を冷却凝集し、ＣＯ２排気を０に近付けると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項６６８】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させ断熱膨張低温燃焼ガスにより水蒸気を冷却凝集し、ＣＯ２排気を０に近付けると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項６６９】
縮径主燃焼室兼熱交換器（１）に具備した高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集し、ＣＯ２排気を０に近付けると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項６７０】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射するＨ型エネルギ保存サイクル機関。
【請求項６７１】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射するＤ型エネルギ保存サイクル機関。
【請求項６７２】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射するＥ型エネルギ保存サイクル機関。
【請求項６７３】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射するエネルギ保存サイクル機関。
【請求項６７４】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項６７５】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項６７６】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項６７７】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項６７８】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項６７９】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項６８０】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項６８１】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項６８２】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項６８３】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項６８４】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項６８５】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項６８６】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項６８７】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項６８８】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項６８９】
縮径主燃焼室兼熱交換器（１）に具備した高温水噴射電磁弁（８７Ｄｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項６９０】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項６９１】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項６９２】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項６９３】
縮径主燃焼室兼熱交換器（１）に具備した高温水噴射電磁弁（８７Ｄｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項６９４】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、最高燃焼圧力を上昇するＨ型エネルギ保存サイクル機関。
【請求項６９５】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、最高燃焼圧力を上昇するＤ型エネルギ保存サイクル機関。
【請求項６９６】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、最高燃焼圧力を上昇するＥ型エネルギ保存サイクル機関。
【請求項６９７】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、最高燃焼圧力を上昇するエネルギ保存サイクル機関。
【請求項６９８】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項６９９】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項７００】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項７０１】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項７０２】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させるＨ型エネルギ保存サイクル機関。
【請求項７０３】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させるＤ型エネルギ保存サイクル機関。
【請求項７０４】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させるＥ型エネルギ保存サイクル機関。
【請求項７０５】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させるエネルギ保存サイクル機関。
【請求項７０６】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項７０７】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項７０８】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項７０９】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項７１０】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射するＨ型エネルギ保存サイクル機関。
【請求項７１１】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射するＤ型エネルギ保存サイクル機関。
【請求項７１２】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射するＥ型エネルギ保存サイクル機関。
【請求項７１３】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射するエネルギ保存サイクル機関。
【請求項７１４】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項７１５】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項７１６】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項７１７】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項７１８】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項７１９】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項７２０】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項７２１】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項７２２】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項７２３】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項７２４】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項７２５】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項７２６】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項７２７】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項７２８】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項７２９】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項７３０】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項７３１】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項７３２】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項７３３】
縮径主燃焼室兼熱交換器（１）に具備した一方向空気流路（９）より噴射する空気と燃料を燃焼して、高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項７３４】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、最高燃焼圧力を上昇するＨ型エネルギ保存サイクル機関。
【請求項７３５】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、最高燃焼圧力を上昇するＤ型エネルギ保存サイクル機関。
【請求項７３６】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、最高燃焼圧力を上昇するＥ型エネルギ保存サイクル機関。
【請求項７３７】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、最高燃焼圧力を上昇するエネルギ保存サイクル機関。
【請求項７３８】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項７３９】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項７４０】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項７４１】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項７４２】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項７４３】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項７４４】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項７４５】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項７４６】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させるＨ型エネルギ保存サイクル機関。
【請求項７４７】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させるＤ型エネルギ保存サイクル機関。
【請求項７４８】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させるＥ型エネルギ保存サイクル機関。
【請求項７４９】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させるエネルギ保存サイクル機関。
【請求項７５０】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射するＨ型エネルギ保存サイクル機関。
【請求項７５１】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射するＤ型エネルギ保存サイクル機関。
【請求項７５２】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射するＥ型エネルギ保存サイクル機関。
【請求項７５３】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射するエネルギ保存サイクル機関。
【請求項７５４】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項７５５】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項７５６】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項７５７】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項７５８】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項７５９】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項７６０】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項７６１】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項７６２】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項７６３】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項７６４】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項７６５】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項７６６】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項７６７】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項７６８】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項７６９】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項７７０】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項７７１】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項７７２】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項７７３】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項７７４】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、最高燃焼圧力を上昇するＨ型エネルギ保存サイクル機関。
【請求項７７５】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、最高燃焼圧力を上昇するＤ型エネルギ保存サイクル機関。
【請求項７７６】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、最高燃焼圧力を上昇するＥ型エネルギ保存サイクル機関。
【請求項７７７】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、最高燃焼圧力を上昇するエネルギ保存サイクル機関。
【請求項７７８】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項７７９】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項７８０】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項７８１】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項７８２】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させるＨ型エネルギ保存サイクル機関。
【請求項７８３】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させるＤ型エネルギ保存サイクル機関。
【請求項７８４】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させるＥ型エネルギ保存サイクル機関。
【請求項７８５】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させるエネルギ保存サイクル機関。
【請求項７８６】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項７８７】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項７８８】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項７８９】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項７９０】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射するＨ型エネルギ保存サイクル機関。
【請求項７９１】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射するＤ型エネルギ保存サイクル機関。
【請求項７９２】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射するＥ型エネルギ保存サイクル機関。
【請求項７９３】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射するエネルギ保存サイクル機関。
【請求項７９４】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項７９５】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項７９６】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項７９７】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項７９８】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項７９９】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項８００】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項８０１】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項８０２】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項８０３】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項８０４】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項８０５】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項８０６】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項８０７】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項８０８】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項８０９】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項８１０】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項８１１】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項８１２】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項８１３】
縮径主燃焼室兼熱交換器（１）に具備した一方向空気流路（９）より噴射する空気と燃料を燃焼して、高温水噴射電磁弁（８７Ｃｃ）より縮径主燃焼室熱交換器（２）の複数の導水管（３）の高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項８１４】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、最高燃焼圧力を上昇するＨ型エネルギ保存サイクル機関。
【請求項８１５】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、最高燃焼圧力を上昇するＤ型エネルギ保存サイクル機関。
【請求項８１６】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、最高燃焼圧力を上昇するＥ型エネルギ保存サイクル機関。
【請求項８１７】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、最高燃焼圧力を上昇するエネルギ保存サイクル機関。
【請求項８１８】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項８１９】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項８２０】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項８２１】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項８２２】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させるＨ型エネルギ保存サイクル機関。
【請求項８２３】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させるＤ型エネルギ保存サイクル機関。
【請求項８２４】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させるＥ型エネルギ保存サイクル機関。
【請求項８２５】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させるエネルギ保存サイクル機関。
【請求項８２６】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項８２７】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項８２８】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項８２９】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項８３０】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＨ型エネルギ保存サイクル機関。
【請求項８３１】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＤ型エネルギ保存サイクル機関。
【請求項８３２】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＥ型エネルギ保存サイクル機関。
【請求項８３３】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するエネルギ保存サイクル機関。
【請求項８３４】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項８３５】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項８３６】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項８３７】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項８３８】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項８３９】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項８４０】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項８４１】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項８４２】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項８４３】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項８４４】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項８４５】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項８４６】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項８４７】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項８４８】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項８４９】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項８５０】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項８５１】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項８５２】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項８５３】
縮径主燃焼室兼熱交換器（１）で一方向空気流路（９）より噴射する空気と燃料を燃焼して、導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項８５４】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、最高燃焼圧力を上昇するＨ型エネルギ保存サイクル機関。
【請求項８５５】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、最高燃焼圧力を上昇するＤ型エネルギ保存サイクル機関。
【請求項８５６】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、最高燃焼圧力を上昇するＥ型エネルギ保存サイクル機関。
【請求項８５７】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、最高燃焼圧力を上昇するエネルギ保存サイクル機関。
【請求項８５８】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項８５９】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項８６０】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項８６１】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項８６２】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させるＨ型エネルギ保存サイクル機関。
【請求項８６３】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させるＤ型エネルギ保存サイクル機関。
【請求項８６４】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させるＥ型エネルギ保存サイクル機関。
【請求項８６５】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させるエネルギ保存サイクル機関。
【請求項８６６】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項８６７】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項８６８】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項８６９】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項８７０】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＨ型エネルギ保存サイクル機関。
【請求項８７１】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＤ型エネルギ保存サイクル機関。
【請求項８７２】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＥ型エネルギ保存サイクル機関。
【請求項８７３】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するエネルギ保存サイクル機関。
【請求項８７４】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項８７５】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項８７６】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項８７７】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項８７８】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項８７９】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項８８０】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項８８１】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項８８２】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項８８３】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項８８４】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項８８５】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項８８６】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項８８７】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項８８８】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項８８９】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項８９０】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項８９１】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項８９２】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項８９３】
縮径主燃焼室兼熱交換器（１）で一方向空気流路（９）より噴射する空気と燃料を燃焼して、導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項８９４】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項８９５】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項８９６】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項８９７】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項８９８】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項８９９】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項９００】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集し、ＣＯ２排気を０に近付けると共に、水平継手（３５）を設けて、夫々の拡径燃焼室シリンダ（３６）及び過給室シリンダ（４８）と凹凸（４４）（４４）により嵌合自在に外嵌固着して、下方に設けた排気穴（５）より排気排水することを特徴とするＨ型エネルギ保存サイクル機関。
【請求項９０１】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集し、ＣＯ２排気を０に近付けると共に、水平継手（３５）を設けて、夫々の拡径燃焼室シリンダ（３６）（３６）と凹凸（４４）（４４）により嵌合自在に外嵌固着して、下方に設けた排気穴（５）より排気排水することを特徴とするＤ型エネルギ保存サイクル機関。
【請求項９０２】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集し、ＣＯ２排気を０に近付けると共に、水平継手（３５）（３５）を設けて、夫々の拡径燃焼室シリンダ（３６）（３６）（３６）（３６）と凹凸（４４）（４４）（４４）（４４）により嵌合自在に外嵌固着して、下方に設けた排気穴（５）より排気排水することを特徴とするＥ型エネルギ保存サイクル機関。
【請求項９０３】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＨ型エネルギ保存サイクル機関。
【請求項９０４】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＤ型エネルギ保存サイクル機関。
【請求項９０５】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＥ型エネルギ保存サイクル機関。
【請求項９０６】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させると共に、シリンダヘッド（１５）に具備した高温水噴射電磁弁（８７Ｃｄ）より直接電磁加熱縮径ピストン（２２）の拡径部に水噴射して拡径ピストン（２１）を駆動するエネルギ保存サイクル機関。
【請求項９０７】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＨ型エネルギ保存サイクル機関。
【請求項９０８】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＤ型エネルギ保存サイクル機関。
【請求項９０９】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＥ型エネルギ保存サイクル機関。
【請求項９１０】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集すると共に、シリンダヘッド（１５）に具備した高温水噴射電磁弁（８７Ｃｄ）より直接電磁加熱縮径ピストン（２２）の拡径部に水噴射して拡径ピストン（２１）を駆動するエネルギ保存サイクル機関。
【請求項９１１】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＨ型エネルギ保存サイクル機関。
【請求項９１２】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、気化爆発力により重力仕事率を最大にして燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＤ型エネルギ保存サイクル機関。
【請求項９１３】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＥ型エネルギ保存サイクル機関。
【請求項９１４】
縮径主燃焼室兼熱交換器（１）に具備した一方向空気流路（９）より噴射する空気と燃料を燃焼し、高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するエネルギ保存サイクル機関。
【請求項９１５】
縮径主燃焼室兼熱交換器（１）に具備した一方向空気流路（９）より噴射する空気と燃料を燃焼し、送水ポンプ（７５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＨ型エネルギ保存サイクル機関。
【請求項９１６】
縮径主燃焼室兼熱交換器（１）に具備した一方向空気流路（９）より噴射する空気と燃料を燃焼し、送水ポンプ（７５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＤ型エネルギ保存サイクル機関。
【請求項９１７】
縮径主燃焼室兼熱交換器（１）に具備した一方向空気流路（９）より噴射する空気と燃料を燃焼し、送水ポンプ（７５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＥ型エネルギ保存サイクル機関。
【請求項９１８】
縮径主燃焼室兼熱交換器（１）に具備した一方向空気流路（９）より噴射する空気と燃料を燃焼し、送水ポンプ（７５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するエネルギ保存サイクル機関。
【請求項９１９】
縮径主燃焼室兼熱交換器（１）に具備した一方向空気流路（９）より噴射する空気と燃料を燃焼し、送水ポンプ兼磁気摩擦動力伝達装置（５５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＨ型エネルギ保存サイクル機関。
【請求項９２０】
縮径主燃焼室兼熱交換器（１）に具備した一方向空気流路（９）より噴射する空気と燃料を燃焼し、送水ポンプ兼磁気摩擦動力伝達装置（５５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＤ型エネルギ保存サイクル機関。
【請求項９２１】
縮径主燃焼室兼熱交換器（１）に具備した一方向空気流路（９）より噴射する空気と燃料を燃焼し、送水ポンプ兼磁気摩擦動力伝達装置（５５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＥ型エネルギ保存サイクル機関。
【請求項９２２】
縮径主燃焼室兼熱交換器（１）に具備した一方向空気流路（９）より噴射する空気と燃料を燃焼し、送水ポンプ兼磁気摩擦動力伝達装置（５５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するエネルギ保存サイクル機関。
【請求項９２３】
縮径主燃焼室兼熱交換器（１）に具備した一方向空気流路（９）より噴射する空気と燃料を燃焼し、送水ポンプ兼二重反転磁気摩擦動力伝達装置（８５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＨ型エネルギ保存サイクル機関。
【請求項９２４】
縮径主燃焼室兼熱交換器（１）に具備した一方向空気流路（９）より噴射する空気と燃料を燃焼し、送水ポンプ兼二重反転磁気摩擦動力伝達装置（８５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＤ型エネルギ保存サイクル機関。
【請求項９２５】
縮径主燃焼室兼熱交換器（１）に具備した一方向空気流路（９）より噴射する空気と燃料を燃焼し、送水ポンプ兼二重反転磁気摩擦動力伝達装置（８５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するＥ型エネルギ保存サイクル機関。
【請求項９２６】
縮径主燃焼室兼熱交換器（１）に具備した一方向空気流路（９）より噴射する空気と燃料を燃焼し、送水ポンプ兼二重反転磁気摩擦動力伝達装置（８５）により昇圧して高温水噴射電磁弁（８７Ｃｃ）より高温水（５２ｂ）を噴射して、燃焼温度を低下させて断熱膨張低温燃焼ガスにより水蒸気を冷却凝集し、ＣＯ２排気を０に近付けると共に、シリンダヘッド（１５）に具備した高温水噴射電磁弁（８７Ｃｄ）より直接電磁加熱縮径ピストン（２２）の拡径部に水噴射して拡径ピストン（２１）を駆動するエネルギ保存サイクル機関。
【請求項９２７】
前記縮径主燃焼室兼熱交換器（１）に空気を噴射する一方向空気流路（９）に逆止弁（９７）を使用することを特徴とするＨ型エネルギ保存サイクル機関。
【請求項９２８】
前記縮径主燃焼室兼熱交換器（１）に空気を噴射する一方向空気流路（９）に逆止弁（９７）を使用することを特徴とするＤ型エネルギ保存サイクル機関。
【請求項９２９】
前記縮径主燃焼室兼熱交換器（１）に空気を噴射する一方向空気流路（９）に逆止弁（９７）を使用することを特徴とするＥ型エネルギ保存サイクル機関。
【請求項９３０】
前記縮径主燃焼室兼熱交換器（１）に空気を噴射する一方向空気流路（９）に逆止弁（９７）を使用することを特徴とするエネルギ保存サイクル機関。
【請求項９３１】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、最高燃焼圧力を上昇するＨ型エネルギ保存サイクル機関。
【請求項９３２】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、最高燃焼圧力を上昇するＤ型エネルギ保存サイクル機関。
【請求項９３３】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、最高燃焼圧力を上昇するＥ型エネルギ保存サイクル機関。
【請求項９３４】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、最高燃焼圧力を上昇するエネルギ保存サイクル機関。
【請求項９３５】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項９３６】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項９３７】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項９３８】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項９３９】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させるＨ型エネルギ保存サイクル機関。
【請求項９４０】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させるＤ型エネルギ保存サイクル機関。
【請求項９４１】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させるＥ型エネルギ保存サイクル機関。
【請求項９４２】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させるエネルギ保存サイクル機関。
【請求項９４３】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項９４４】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項９４５】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項９４６】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項９４７】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＨ型エネルギ保存サイクル機関。
【請求項９４８】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＤ型エネルギ保存サイクル機関。
【請求項９４９】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＥ型エネルギ保存サイクル機関。
【請求項９５０】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するエネルギ保存サイクル機関。
【請求項９５１】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項９５２】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項９５３】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項９５４】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項９５５】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＨ型エネルギ保存サイクル機関。
【請求項９５６】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＤ型エネルギ保存サイクル機関。
【請求項９５７】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するＥ型エネルギ保存サイクル機関。
【請求項９５８】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集するエネルギ保存サイクル機関。
【請求項９５９】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＨ型エネルギ保存サイクル機関。
【請求項９６０】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＤ型エネルギ保存サイクル機関。
【請求項９６１】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するＥ型エネルギ保存サイクル機関。
【請求項９６２】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集するエネルギ保存サイクル機関。
【請求項９６３】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ排気を０に近付けるＨ型エネルギ保存サイクル機関。
【請求項９６４】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ排気を０に近付けるＤ型エネルギ保存サイクル機関。
【請求項９６５】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ排気を０に近付けるＥ型エネルギ保存サイクル機関。
【請求項９６６】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスにより水蒸気を冷却凝集し、ＣＯ排気を０に近付けるエネルギ保存サイクル機関。
【請求項９６７】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ排気を０に近付けるＨ型エネルギ保存サイクル機関。
【請求項９６８】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ排気を０に近付けるＤ型エネルギ保存サイクル機関。
【請求項９６９】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ排気を０に近付けるＥ型エネルギ保存サイクル機関。
【請求項９７０】
縮径主燃焼室兼熱交換器（１）に導水管（３）を螺旋環状に具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスにより水蒸気を冷却凝集し、ＣＯ排気を０に近付けるエネルギ保存サイクル機関。
【請求項９７１】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、最高燃焼圧力を上昇するＨ型エネルギ保存サイクル機関。
【請求項９７２】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、最高燃焼圧力を上昇するＤ型エネルギ保存サイクル機関。
【請求項９７３】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、最高燃焼圧力を上昇するＥ型エネルギ保存サイクル機関。
【請求項９７４】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、最高燃焼圧力を上昇するエネルギ保存サイクル機関。
【請求項９７５】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＨ型エネルギ保存サイクル機関。
【請求項９７６】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＤ型エネルギ保存サイクル機関。
【請求項９７７】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するＥ型エネルギ保存サイクル機関。
【請求項９７８】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して最高燃焼圧力を上昇するエネルギ保存サイクル機関。
【請求項９７９】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させるＨ型エネルギ保存サイクル機関。
【請求項９８０】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させるＤ型エネルギ保存サイクル機関。
【請求項９８１】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させるＥ型エネルギ保存サイクル機関。
【請求項９８２】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させるエネルギ保存サイクル機関。
【請求項９８３】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＨ型エネルギ保存サイクル機関。
【請求項９８４】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＤ型エネルギ保存サイクル機関。
【請求項９８５】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるＥ型エネルギ保存サイクル機関。
【請求項９８６】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させるエネルギ保存サイクル機関。
【請求項９８７】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＨ型エネルギ保存サイクル機関。
【請求項９８８】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＤ型エネルギ保存サイクル機関。
【請求項９８９】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するＥ型エネルギ保存サイクル機関。
【請求項９９０】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射するエネルギ保存サイクル機関。
【請求項９９１】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＨ型エネルギ保存サイクル機関。
【請求項９９２】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＤ型エネルギ保存サイクル機関。
【請求項９９３】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するＥ型エネルギ保存サイクル機関。
【請求項９９４】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射するエネルギ保存サイクル機関。
【請求項９９５】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスを核に水分を凝縮するＨ型エネルギ保存サイクル機関。
【請求項９９６】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスを核に水分を凝縮するＤ型エネルギ保存サイクル機関。
【請求項９９７】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスを核に水分を凝縮するＥ型エネルギ保存サイクル機関。
【請求項９９８】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスを核に水分を凝縮するエネルギ保存サイクル機関。
【請求項９９９】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスを核に水分を凝縮するＨ型エネルギ保存サイクル機関。
【請求項１０００】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスを核に水分を凝縮するＤ型エネルギ保存サイクル機関。
【請求項１００１】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスを核に水分を凝縮するＥ型エネルギ保存サイクル機関。
【請求項１００２】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスを核に水分を凝縮するエネルギ保存サイクル機関。
【請求項１００３】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスを核に水分を凝縮し、ＣＯ２排気を０に近付けるＨ型エネルギ保存サイクル機関。
【請求項１００４】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスを核に水分を凝縮し、ＣＯ２排気を０に近付けるＤ型エネルギ保存サイクル機関。
【請求項１００５】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスを核に水分を凝縮し、ＣＯ２排気を０に近付けるＥ型エネルギ保存サイクル機関。
【請求項１００６】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、燃焼温度を低下させ燃焼ガスを高温水で噴射して断熱膨張低温燃焼ガスを核に水分を凝縮し、ＣＯ２排気を０に近付けるエネルギ保存サイクル機関。
【請求項１００７】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスを核に水分を凝縮し、ＣＯ２排気を０に近付けるＨ型エネルギ保存サイクル機関。
【請求項１００８】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスを核に水分を凝縮し、ＣＯ２排気を０に近付けるＤ型エネルギ保存サイクル機関。
【請求項１００９】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスを核に水分を凝縮し、ＣＯ２排気を０に近付けるＥ型エネルギ保存サイクル機関。
【請求項１０１０】
縮径主燃焼室兼熱交換器（１）に導水管（３）を螺旋環状に複数具備した縮径主燃焼室熱交換器（２）に連絡した高温水噴射電磁弁（８７Ｃｃ）より高温水（５２ｂ）を噴射して、ノズル内では高温水（５２ｂ）を弾丸や吹雪のように加速して、ノズル外ではロケットや吹雪のように加速して燃焼温度を低下させ燃焼ガスを高温水で噴射して断熱膨張低温燃焼ガスを核に水分を凝縮し、ＣＯ２排気を０に近付けるエネルギ保存サイクル機関。
【請求項１０１１】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接水噴射するＨ型エネルギ保存サイクル機関。
【請求項１０１２】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接水噴射するＤ型エネルギ保存サイクル機関。
【請求項１０１３】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接水噴射するＥ型エネルギ保存サイクル機関。
【請求項１０１４】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接水噴射するエネルギ保存サイクル機関。
【請求項１０１５】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接水噴射するＨ型エネルギ保存サイクル機関。
【請求項１０１６】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接水噴射するＤ型エネルギ保存サイクル機関。
【請求項１０１７】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接水噴射するＥ型エネルギ保存サイクル機関。
【請求項１０１８】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接水噴射するエネルギ保存サイクル機関。
【請求項１０１９】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、シリンダヘッド（１５）の電磁弁装着部（９３ａ）に後退して設けた高温水噴射電磁弁（８７Ｃｄ）より電磁加熱縮径ピストン（２２）の拡径部に直接高温水噴射するＨ型エネルギ保存サイクル機関。
【請求項１０２０】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、シリンダヘッド（１５）の電磁弁装着部（９３ａ）に後退して設けた高温水噴射電磁弁（８７Ｃｄ）より電磁加熱縮径ピストン（２２）の拡径部に直接高温水噴射するＤ型エネルギ保存サイクル機関。
【請求項１０２１】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、シリンダヘッド（１５）の電磁弁装着部（９３ａ）に後退して設けた高温水噴射電磁弁（８７Ｃｄ）より電磁加熱縮径ピストン（２２）の拡径部に直接高温水噴射するＥ型エネルギ保存サイクル機関。
【請求項１０２２】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、シリンダヘッド（１５）の電磁弁装着部（９３ａ）に後退して設けた高温水噴射電磁弁（８７Ｃｄ）より電磁加熱縮径ピストン（２２）の拡径部に直接高温水噴射するエネルギ保存サイクル機関。
【請求項１０２３】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、シリンダヘッド（１５）の電磁弁装着部（９３ａ）に後退して設けた高温水噴射電磁弁（８７Ｃｄ）より電磁加熱縮径ピストン（２２）の拡径部に直接高温水噴射し、夫々の気化爆発力により重力仕事率を最大にするＨ型エネルギ保存サイクル機関。
【請求項１０２４】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、シリンダヘッド（１５）の電磁弁装着部（９３ａ）に後退して設けた高温水噴射電磁弁（８７Ｃｄ）より電磁加熱縮径ピストン（２２）の拡径部に直接高温水噴射し、夫々の気化爆発力により重力仕事率を最大にするＤ型エネルギ保存サイクル機関。
【請求項１０２５】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、シリンダヘッド（１５）の電磁弁装着部（９３ａ）に後退して設けた高温水噴射電磁弁（８７Ｃｄ）より電磁加熱縮径ピストン（２２）の拡径部に直接高温水噴射し、夫々の気化爆発力により重力仕事率を最大にするＥ型エネルギ保存サイクル機関。
【請求項１０２６】
送水ポンプ兼磁気摩擦動力伝達装置（５５）により昇圧した水を縮径主燃焼室兼熱交換器（１）に高温水噴射電磁弁（８７Ｃｃ）から高温水噴射燃焼温度を低下させると共に、シリンダヘッド（１５）の電磁弁装着部（９３ａ）に後退して設けた高温水噴射電磁弁（８７Ｃｄ）より電磁加熱縮径ピストン（２２）の拡径部に直接高温水噴射し、夫々の気化爆発力により重力仕事率を最大にするエネルギ保存サイクル機関。
【請求項１０２７】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、拡径部に直接高温水噴射するＨ型エネルギ保存サイクル機関。
【請求項１０２８】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、拡径部に直接高温水噴射するＤ型エネルギ保存サイクル機関。
【請求項１０２９】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、拡径部に直接高温水噴射するＥ型エネルギ保存サイクル機関。
【請求項１０３０】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、拡径部に直接高温水噴射するエネルギ保存サイクル機関。
【請求項１０３１】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、拡径部に直接高温水噴射するＨ型エネルギ保存サイクル機関。
【請求項１０３２】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、拡径部に直接高温水噴射するＤ型エネルギ保存サイクル機関。
【請求項１０３３】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、拡径部に直接高温水噴射するＥ型エネルギ保存サイクル機関。
【請求項１０３４】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、拡径部に直接高温水噴射するエネルギ保存サイクル機関。
【請求項１０３５】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＨ型エネルギ保存サイクル機関。
【請求項１０３６】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＤ型エネルギ保存サイクル機関。
【請求項１０３７】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＥ型エネルギ保存サイクル機関。
【請求項１０３８】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するエネルギ保存サイクル機関。
【請求項１０３９】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＨ型エネルギ保存サイクル機関。
【請求項１０４０】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＤ型エネルギ保存サイクル機関。
【請求項１０４１】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＥ型エネルギ保存サイクル機関。
【請求項１０４２】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するエネルギ保存サイクル機関。
【請求項１０４３】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＨ型エネルギ保存サイクル機関。
【請求項１０４４】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＤ型エネルギ保存サイクル機関。
【請求項１０４５】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＥ型エネルギ保存サイクル機関。
【請求項１０４６】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたエネルギ保存サイクル機関。
【請求項１０４７】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＨ型エネルギ保存サイクル機関。
【請求項１０４８】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＤ型エネルギ保存サイクル機関。
【請求項１０４９】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＥ型エネルギ保存サイクル機関。
【請求項１０５０】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたエネルギ保存サイクル機関。
【請求項１０５１】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＨ型エネルギ保存サイクル機関。
【請求項１０５２】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＤ型エネルギ保存サイクル機関。
【請求項１０５３】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＥ型エネルギ保存サイクル機関。
【請求項１０５４】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたエネルギ保存サイクル機関。
【請求項１０５５】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＨ型エネルギ保存サイクル機関。
【請求項１０５６】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＤ型エネルギ保存サイクル機関。
【請求項１０５７】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＥ型エネルギ保存サイクル機関。
【請求項１０５８】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたエネルギ保存サイクル機関。
【請求項１０５９】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＨ型エネルギ保存サイクル機関。
【請求項１０６０】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＤ型エネルギ保存サイクル機関。
【請求項１０６１】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＥ型エネルギ保存サイクル機関。
【請求項１０６２】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するエネルギ保存サイクル機関。
【請求項１０６３】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＨ型エネルギ保存サイクル機関。
【請求項１０６４】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＤ型エネルギ保存サイクル機関。
【請求項１０６５】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＥ型エネルギ保存サイクル機関。
【請求項１０６６】
送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するエネルギ保存サイクル機関。
【請求項１０６７】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＨ型エネルギ保存サイクル機関。
【請求項１０６８】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＤ型エネルギ保存サイクル機関。
【請求項１０６９】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＥ型エネルギ保存サイクル機関。
【請求項１０７０】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたエネルギ保存サイクル機関。
【請求項１０７１】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＨ型エネルギ保存サイクル機関。
【請求項１０７２】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＤ型エネルギ保存サイクル機関。
【請求項１０７３】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＥ型エネルギ保存サイクル機関。
【請求項１０７４】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたエネルギ保存サイクル機関。
【請求項１０７５】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＨ型エネルギ保存サイクル機関。
【請求項１０７６】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＤ型エネルギ保存サイクル機関。
【請求項１０７７】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＥ型エネルギ保存サイクル機関。
【請求項１０７８】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたエネルギ保存サイクル機関。
【請求項１０７９】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＨ型エネルギ保存サイクル機関。
【請求項１０８０】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＤ型エネルギ保存サイクル機関。
【請求項１０８１】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＥ型エネルギ保存サイクル機関。
【請求項１０８２】
送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたエネルギ保存サイクル機関。
【請求項１０８３】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させると共に、電磁加熱縮径ピストン（２２）の拡径部に高温水噴射電磁弁（８７Ｃｄ）ノズルの嵌入用凹部（８６）を具備し、高温水噴射電磁弁（８７Ｃｄ）より拡径部に直接高温水噴射するＨ型エネルギ保存サイクル機関。
【請求項１０８４】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させると共に、電磁加熱縮径ピストン（２２）の拡径部に高温水噴射電磁弁（８７Ｃｄ）ノズルの嵌入用凹部（８６）を具備し、高温水噴射電磁弁（８７Ｃｄ）より拡径部に直接高温水噴射するＤ型エネルギ保存サイクル機関。
【請求項１０８５】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させると共に、電磁加熱縮径ピストン（２２）の拡径部に高温水噴射電磁弁（８７Ｃｄ）ノズルの嵌入用凹部（８６）を具備し、高温水噴射電磁弁（８７Ｃｄ）より拡径部に直接高温水噴射するＥ型エネルギ保存サイクル機関。
【請求項１０８６】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させると共に、電磁加熱縮径ピストン（２２）の拡径部に高温水噴射電磁弁（８７Ｃｄ）ノズルの嵌入用凹部（８６）を具備し、高温水噴射電磁弁（８７Ｃｄ）より拡径部に直接高温水噴射するエネルギ保存サイクル機関。
【請求項１０８７】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）ノズルより拡径部に直接高温水噴射するＨ型エネルギ保存サイクル機関。
【請求項１０８８】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）ノズルより拡径部に直接高温水噴射するＤ型エネルギ保存サイクル機関。
【請求項１０８９】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）ノズルより拡径部に直接高温水噴射するＥ型エネルギ保存サイクル機関。
【請求項１０９０】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）ノズルより拡径部に直接高温水噴射するエネルギ保存サイクル機関。
【請求項１０９１】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より水噴射燃焼させると共に、電磁加熱縮径ピストン（２２）の拡径部に高温水噴射電磁弁（８７Ｃｄ）ノズルの嵌入用凹部（８６）を具備し、拡径部に直接高温水噴射するＨ型エネルギ保存サイクル機関。
【請求項１０９２】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より水噴射燃焼させると共に、電磁加熱縮径ピストン（２２）の拡径部に高温水噴射電磁弁（８７Ｃｄ）ノズルの嵌入用凹部（８６）を具備し、拡径部に直接高温水噴射するＤ型エネルギ保存サイクル機関。
【請求項１０９３】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より水噴射燃焼させると共に、電磁加熱縮径ピストン（２２）の拡径部に高温水噴射電磁弁（８７Ｃｄ）ノズルの嵌入用凹部（８６）を具備し、拡径部に直接高温水噴射するＥ型エネルギ保存サイクル機関。
【請求項１０９４】
動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より水噴射燃焼させると共に、電磁加熱縮径ピストン（２２）の拡径部に高温水噴射電磁弁（８７Ｃｄ）ノズルの嵌入用凹部（８６）を具備し、拡径部に直接高温水噴射するエネルギ保存サイクル機関。
【請求項１０９５】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＨ型エネルギ保存サイクル機関。
【請求項１０９６】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＤ型エネルギ保存サイクル機関。
【請求項１０９７】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＥ型エネルギ保存サイクル機関。
【請求項１０９８】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するエネルギ保存サイクル機関。
【請求項１０９９】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＨ型エネルギ保存サイクル機関。
【請求項１１００】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＤ型エネルギ保存サイクル機関。
【請求項１１０１】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＥ型エネルギ保存サイクル機関。
【請求項１１０２】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するエネルギ保存サイクル機関。
【請求項１１０３】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＨ型エネルギ保存サイクル機関。
【請求項１１０４】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＤ型エネルギ保存サイクル機関。
【請求項１１０５】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＥ型エネルギ保存サイクル機関。
【請求項１１０６】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするエネルギ保存サイクル機関。
【請求項１１０７】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＨ型エネルギ保存サイクル機関。
【請求項１１０８】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＤ型エネルギ保存サイクル機関。
【請求項１１０９】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＥ型エネルギ保存サイクル機関。
【請求項１１１０】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするエネルギ保存サイクル機関。
【請求項１１１１】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＨ型エネルギ保存サイクル機関。
【請求項１１１２】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＤ型エネルギ保存サイクル機関。
【請求項１１１３】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＥ型エネルギ保存サイクル機関。
【請求項１１１４】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるエネルギ保存サイクル機関。
【請求項１１１５】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＨ型エネルギ保存サイクル機関。
【請求項１１１６】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＤ型エネルギ保存サイクル機関。
【請求項１１１７】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＥ型エネルギ保存サイクル機関。
【請求項１１１８】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるエネルギ保存サイクル機関。
【請求項１１１９】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＨ型エネルギ保存サイクル機関。
【請求項１１２０】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＤ型エネルギ保存サイクル機関。
【請求項１１２１】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＥ型エネルギ保存サイクル機関。
【請求項１１２２】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるエネルギ保存サイクル機関。
【請求項１１２３】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＨ型エネルギ保存サイクル機関。
【請求項１１２４】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＤ型エネルギ保存サイクル機関。
【請求項１１２５】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＥ型エネルギ保存サイクル機関。
【請求項１１２６】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるエネルギ保存サイクル機関。
【請求項１１２７】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＨ型エネルギ保存サイクル機関。
【請求項１１２８】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＤ型エネルギ保存サイクル機関。
【請求項１１２９】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＥ型エネルギ保存サイクル機関。
【請求項１１３０】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるエネルギ保存サイクル機関。
【請求項１１３１】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＨ型エネルギ保存サイクル機関。
【請求項１１３２】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＤ型エネルギ保存サイクル機関。
【請求項１１３３】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＥ型エネルギ保存サイクル機関。
【請求項１１３４】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるエネルギ保存サイクル機関。
【請求項１１３５】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＨ型エネルギ保存サイクル機関。
【請求項１１３６】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＤ型エネルギ保存サイクル機関。
【請求項１１３７】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＥ型エネルギ保存サイクル機関。
【請求項１１３８】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるエネルギ保存サイクル機関。
【請求項１１３９】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＨ型エネルギ保存サイクル機関。
【請求項１１４０】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＤ型エネルギ保存サイクル機関。
【請求項１１４１】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＥ型エネルギ保存サイクル機関。
【請求項１１４２】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるエネルギ保存サイクル機関。
【請求項１１４３】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＨ型エネルギ保存サイクル機関。
【請求項１１４４】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＤ型エネルギ保存サイクル機関。
【請求項１１４５】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＥ型エネルギ保存サイクル機関。
【請求項１１４６】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するエネルギ保存サイクル機関。
【請求項１１４７】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＨ型エネルギ保存サイクル機関。
【請求項１１４８】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＤ型エネルギ保存サイクル機関。
【請求項１１４９】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＥ型エネルギ保存サイクル機関。
【請求項１１５０】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するエネルギ保存サイクル機関。
【請求項１１５１】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＨ型エネルギ保存サイクル機関。
【請求項１１５２】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＤ型エネルギ保存サイクル機関。
【請求項１１５３】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＥ型エネルギ保存サイクル機関。
【請求項１１５４】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するエネルギ保存サイクル機関。
【請求項１１５５】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＨ型エネルギ保存サイクル機関。
【請求項１１５６】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＤ型エネルギ保存サイクル機関。
【請求項１１５７】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＥ型エネルギ保存サイクル機関。
【請求項１１５８】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するエネルギ保存サイクル機関。
【請求項１１５９】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＨ型エネルギ保存サイクル機関。
【請求項１１６０】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＤ型エネルギ保存サイクル機関。
【請求項１１６１】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＥ型エネルギ保存サイクル機関。
【請求項１１６２】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するエネルギ保存サイクル機関。
【請求項１１６３】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＨ型エネルギ保存サイクル機関。
【請求項１１６４】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＤ型エネルギ保存サイクル機関。
【請求項１１６５】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＥ型エネルギ保存サイクル機関。
【請求項１１６６】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するエネルギ保存サイクル機関。
【請求項１１６７】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＨ型エネルギ保存サイクル機関。
【請求項１１６８】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＤ型エネルギ保存サイクル機関。
【請求項１１６９】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＥ型エネルギ保存サイクル機関。
【請求項１１７０】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するエネルギ保存サイクル機関。
【請求項１１７１】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＨ型エネルギ保存サイクル機関。
【請求項１１７２】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＤ型エネルギ保存サイクル機関。
【請求項１１７３】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＥ型エネルギ保存サイクル機関。
【請求項１１７４】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するエネルギ保存サイクル機関。
【請求項１１７５】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項１１７６】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項１１７７】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項１１７８】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項１１７９】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項１１８０】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項１１８１】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項１１８２】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項１１８３】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項１１８４】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項１１８５】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項１１８６】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項１１８７】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項１１８８】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項１１８９】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項１１９０】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項１１９１】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射することで、蒸気機関としても短時間使用可能としたＨ型エネルギ保存サイクル機関。
【請求項１１９２】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射することで、蒸気機関としても短時間使用可能としたＤ型エネルギ保存サイクル機関。
【請求項１１９３】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射することで、蒸気機関としても短時間使用可能としたＥ型エネルギ保存サイクル機関。
【請求項１１９４】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射することで、蒸気機関としても短時間使用可能としたエネルギ保存サイクル機関。
【請求項１１９５】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射することで、蒸気機関としても短時間使用可能としたＨ型エネルギ保存サイクル機関。
【請求項１１９６】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射することで、蒸気機関としても短時間使用可能としたＤ型エネルギ保存サイクル機関。
【請求項１１９７】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射することで、蒸気機関としても短時間使用可能としたＥ型エネルギ保存サイクル機関。
【請求項１１９８】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射することで、蒸気機関としても短時間使用可能としたエネルギ保存サイクル機関。
【請求項１１９９】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射することで、蒸気機関としても短時間使用可能としたＨ型エネルギ保存サイクル機関。
【請求項１２００】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射することで、蒸気機関としても短時間使用可能としたＤ型エネルギ保存サイクル機関。
【請求項１２０１】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射することで、蒸気機関としても短時間使用可能としたＥ型エネルギ保存サイクル機関。
【請求項１２０２】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射することで、蒸気機関としても短時間使用可能としたエネルギ保存サイクル機関。
【請求項１２０３】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射することで、蒸気機関としても短時間使用可能としたＨ型エネルギ保存サイクル機関。
【請求項１２０４】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射することで、蒸気機関としても短時間使用可能としたＤ型エネルギ保存サイクル機関。
【請求項１２０５】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射することで、蒸気機関としても短時間使用可能としたＥ型エネルギ保存サイクル機関。
【請求項１２０６】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射することで、蒸気機関としても短時間使用可能としたエネルギ保存サイクル機関。
【請求項１２０７】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に再燃焼させるＨ型エネルギ保存サイクル機関。
【請求項１２０８】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に再燃焼させるＤ型エネルギ保存サイクル機関。
【請求項１２０９】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に再燃焼させるＥ型エネルギ保存サイクル機関。
【請求項１２１０】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に再燃焼させるエネルギ保存サイクル機関。
【請求項１２１１】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に再燃焼させるＨ型エネルギ保存サイクル機関。
【請求項１２１２】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に再燃焼させるＤ型エネルギ保存サイクル機関。
【請求項１２１３】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に再燃焼させるＥ型エネルギ保存サイクル機関。
【請求項１２１４】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に再燃焼させるエネルギ保存サイクル機関。
【請求項１２１５】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に再燃焼させるＨ型エネルギ保存サイクル機関。
【請求項１２１６】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に再燃焼させるＤ型エネルギ保存サイクル機関。
【請求項１２１７】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に再燃焼させるＥ型エネルギ保存サイクル機関。
【請求項１２１８】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に再燃焼させるエネルギ保存サイクル機関。
【請求項１２１９】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に再燃焼させるＨ型エネルギ保存サイクル機関。
【請求項１２２０】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に再燃焼させるＤ型エネルギ保存サイクル機関。
【請求項１２２１】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に再燃焼させるＥ型エネルギ保存サイクル機関。
【請求項１２２２】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に再燃焼させるエネルギ保存サイクル機関。
【請求項１２２３】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＨ型エネルギ保存サイクル機関。
【請求項１２２４】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＤ型エネルギ保存サイクル機関。
【請求項１２２５】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＥ型エネルギ保存サイクル機関。
【請求項１２２６】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるエネルギ保存サイクル機関。
【請求項１２２７】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＨ型エネルギ保存サイクル機関。
【請求項１２２８】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＤ型エネルギ保存サイクル機関。
【請求項１２２９】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＥ型エネルギ保存サイクル機関。
【請求項１２３０】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるエネルギ保存サイクル機関。
【請求項１２３１】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＨ型エネルギ保存サイクル機関。
【請求項１２３２】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＤ型エネルギ保存サイクル機関。
【請求項１２３３】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＥ型エネルギ保存サイクル機関。
【請求項１２３４】
電磁加熱縮径ピストン（２２）の拡径部に高温水噴射電磁弁（８７Ｃｄ）の嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるエネルギ保存サイクル機関。
【請求項１２３５】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＨ型エネルギ保存サイクル機関。
【請求項１２３６】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＤ型エネルギ保存サイクル機関。
【請求項１２３７】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるＥ型エネルギ保存サイクル機関。
【請求項１２３８】
電磁加熱縮径ピストン（２２）の拡径部に高温水噴射電磁弁（８７Ｃｄ）ノズルの嵌入用凹部（８６）を具備し、超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させるエネルギ保存サイクル機関。
【請求項１２３９】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＨ型エネルギ保存サイクル機関。
【請求項１２４０】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＤ型エネルギ保存サイクル機関。
【請求項１２４１】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＥ型エネルギ保存サイクル機関。
【請求項１２４２】
電磁加熱縮径ピストン（２２）の拡径部に高温水噴射電磁弁（８７Ｃｄ）の嵌入用凹部（８６）を具備し、送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたエネルギ保存サイクル機関。
【請求項１２４３】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＨ型エネルギ保存サイクル機関。
【請求項１２４４】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＤ型エネルギ保存サイクル機関。
【請求項１２４５】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＥ型エネルギ保存サイクル機関。
【請求項１２４６】
電磁加熱縮径ピストン（２２）の拡径部に高温水噴射電磁弁（８７Ｃｄ）ノズルの嵌入用凹部（８６）を具備し、送水ポンプ兼磁気摩擦動力伝達装置（５５）により昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたエネルギ保存サイクル機関。
【請求項１２４７】
電磁加熱縮径ピストン（２２）の拡径部に高温水噴射電磁弁（８７Ｃｄ）の嵌入用凹部（８６）を具備し、適宜に昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＨ型エネルギ保存サイクル機関。
【請求項１２４８】
電磁加熱縮径ピストン（２２）の拡径部に高温水噴射電磁弁（８７Ｃｄ）の嵌入用凹部（８６）を具備し、適宜に昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＤ型エネルギ保存サイクル機関。
【請求項１２４９】
電磁加熱縮径ピストン（２２）の拡径部に高温水噴射電磁弁（８７Ｃｄ）の嵌入用凹部（８６）を具備し、適宜に昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＥ型エネルギ保存サイクル機関。
【請求項１２５０】
電磁加熱縮径ピストン（２２）の拡径部に高温水噴射電磁弁（８７Ｃｄ）の嵌入用凹部（８６）を具備し、適宜に昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたエネルギ保存サイクル機関。
【請求項１２５１】
電磁加熱縮径ピストン（２２）の拡径部に高温水噴射電磁弁（８７Ｃｄ）ノズルの嵌入用凹部（８６）を具備し、適宜に昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＨ型エネルギ保存サイクル機関。
【請求項１２５２】
電磁加熱縮径ピストン（２２）の拡径部に高温水噴射電磁弁（８７Ｃｄ）ノズルの嵌入用凹部（８６）を具備し、適宜に昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＤ型エネルギ保存サイクル機関。
【請求項１２５３】
電磁加熱縮径ピストン（２２）の拡径部に高温水噴射電磁弁（８７Ｃｄ）ノズルの嵌入用凹部（８６）を具備し、適宜に昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたＥ型エネルギ保存サイクル機関。
【請求項１２５４】
電磁加熱縮径ピストン（２２）の拡径部に高温水噴射電磁弁（８７Ｃｄ）ノズルの嵌入用凹部（８６）を具備し、適宜に昇圧した超臨界温度等複数温度の高温水（５２ｂ）として縮径主燃焼室兼熱交換器（１）に高温水噴射電磁弁（８７Ｃｃ）より水噴射させることで、蒸気機関としても短時間使用可能としたエネルギ保存サイクル機関。
【請求項１２５５】
電磁加熱縮径ピストン（２２）の拡径部に高温水噴射電磁弁（８７Ｃｄ）の嵌入用凹部（８６）を具備し、送水ポンプ（７５）により昇圧した水を縮径主燃焼室兼熱交換器（１）に高温水噴射電磁弁（８７Ｃｃ）より水噴射燃焼させるＨ型エネルギ保存サイクル機関。
【請求項１２５６】
電磁加熱縮径ピストン（２２）の拡径部に高温水噴射電磁弁（８７Ｃｄ）の嵌入用凹部（８６）を具備し、送水ポンプ（７５）により昇圧した水を縮径主燃焼室兼熱交換器（１）に高温水噴射電磁弁（８７Ｃｃ）より水噴射燃焼させるＤ型エネルギ保存サイクル機関。
【請求項１２５７】
電磁加熱縮径ピストン（２２）の拡径部に高温水噴射電磁弁（８７Ｃｄ）の嵌入用凹部（８６）を具備し、送水ポンプ（７５）により昇圧した水を縮径主燃焼室兼熱交換器（１）に高温水噴射電磁弁（８７Ｃｃ）より水噴射燃焼させるＥ型エネルギ保存サイクル機関。
【請求項１２５８】
電磁加熱縮径ピストン（２２）の拡径部に高温水噴射電磁弁（８７Ｃｄ）の嵌入用凹部（８６）を具備し、送水ポンプ（７５）により昇圧した水を縮径主燃焼室兼熱交換器（１）に高温水噴射電磁弁（８７Ｃｃ）より水噴射燃焼させるエネルギ保存サイクル機関。
【請求項１２５９】
電磁加熱縮径ピストン（２２）の拡径部に高温水噴射電磁弁（８７Ｃｄ）ノズルの嵌入用凹部（８６）を具備し、送水ポンプ（７５）により昇圧した水を縮径主燃焼室兼熱交換器（１）に高温水噴射電磁弁（８７Ｃｃ）より水噴射燃焼させるＨ型エネルギ保存サイクル機関。
【請求項１２６０】
電磁加熱縮径ピストン（２２）の拡径部に高温水噴射電磁弁（８７Ｃｄ）ノズルの嵌入用凹部（８６）を具備し、送水ポンプ（７５）により昇圧した水を縮径主燃焼室兼熱交換器（１）に高温水噴射電磁弁（８７Ｃｃ）より水噴射燃焼させるＤ型エネルギ保存サイクル機関。
【請求項１２６１】
電磁加熱縮径ピストン（２２）の拡径部に高温水噴射電磁弁（８７Ｃｄ）ノズルの嵌入用凹部（８６）を具備し、送水ポンプ（７５）により昇圧した水を縮径主燃焼室兼熱交換器（１）に高温水噴射電磁弁（８７Ｃｃ）より水噴射燃焼させるＥ型エネルギ保存サイクル機関。
【請求項１２６２】
電磁加熱縮径ピストン（２２）の拡径部に高温水噴射電磁弁（８７Ｃｄ）ノズルの嵌入用凹部（８６）を具備し、送水ポンプ（７５）により昇圧した水を縮径主燃焼室兼熱交換器（１）に高温水噴射電磁弁（８７Ｃｃ）より水噴射燃焼させるエネルギ保存サイクル機関。
【請求項１２６３】
電磁加熱縮径ピストン（２２）の拡径部に高温水噴射電磁弁（８７Ｃｄ）の嵌入用凹部（８６）を具備し、適宜に昇圧した高温水（５２ｂ）を縮径主燃焼室兼熱交換器（１）に高温水噴射電磁弁（８７Ｃｃ）より水噴射燃焼させるＨ型エネルギ保存サイクル機関。
【請求項１２６４】
電磁加熱縮径ピストン（２２）の拡径部に高温水噴射電磁弁（８７Ｃｄ）の嵌入用凹部（８６）を具備し、適宜に昇圧した高温水（５２ｂ）を縮径主燃焼室兼熱交換器（１）に高温水噴射電磁弁（８７Ｃｃ）より水噴射燃焼させるＤ型エネルギ保存サイクル機関。
【請求項１２６５】
電磁加熱縮径ピストン（２２）の拡径部に高温水噴射電磁弁（８７Ｃｄ）の嵌入用凹部（８６）を具備し、適宜に昇圧した高温水（５２ｂ）を縮径主燃焼室兼熱交換器（１）に高温水噴射電磁弁（８７Ｃｃ）より水噴射燃焼させるＥ型エネルギ保存サイクル機関。
【請求項１２６６】
電磁加熱縮径ピストン（２２）の拡径部に高温水噴射電磁弁（８７Ｃｄ）の嵌入用凹部（８６）を具備し、適宜に昇圧した高温水（５２ｂ）を縮径主燃焼室兼熱交換器（１）に高温水噴射電磁弁（８７Ｃｃ）より水噴射燃焼させるエネルギ保存サイクル機関。
【請求項１２６７】
電磁加熱縮径ピストン（２２）の拡径部に高温水噴射電磁弁（８７Ｃｄ）ノズルの嵌入用凹部（８６）を具備し、適宜に昇圧した高温水（５２ｂ）を縮径主燃焼室兼熱交換器（１）に高温水噴射電磁弁（８７Ｃｃ）より水噴射燃焼させるＨ型エネルギ保存サイクル機関。
【請求項１２６８】
電磁加熱縮径ピストン（２２）の拡径部に高温水噴射電磁弁（８７Ｃｄ）ノズルの嵌入用凹部（８６）を具備し、適宜に昇圧した高温水（５２ｂ）を縮径主燃焼室兼熱交換器（１）に高温水噴射電磁弁（８７Ｃｃ）より水噴射燃焼させるＤ型エネルギ保存サイクル機関。
【請求項１２６９】
電磁加熱縮径ピストン（２２）の拡径部に高温水噴射電磁弁（８７Ｃｄ）ノズルの嵌入用凹部（８６）を具備し、適宜に昇圧した高温水（５２ｂ）を縮径主燃焼室兼熱交換器（１）に高温水噴射電磁弁（８７Ｃｃ）より水噴射燃焼させるＥ型エネルギ保存サイクル機関。
【請求項１２７０】
電磁加熱縮径ピストン（２２）の拡径部に高温水噴射電磁弁（８７Ｃｄ）ノズルの嵌入用凹部（８６）を具備し、適宜に昇圧した高温水（５２ｂ）を縮径主燃焼室兼熱交換器（１）に高温水噴射電磁弁（８７Ｃｃ）より水噴射燃焼させるエネルギ保存サイクル機関。
【請求項１２７１】
電磁加熱縮径ピストン（２２）の拡径部に高温水噴射電磁弁（８７Ｃｄ）ノズルの嵌入用凹部（８６）を具備し、送水ポンプ（７５）により昇圧した水を加熱高温として、縮径主燃焼室兼熱交換器（１）に高温水噴射電磁弁（８７Ｃｃ）より高温水噴射燃焼させるＨ型エネルギ保存サイクル機関。
【請求項１２７２】
電磁加熱縮径ピストン（２２）の拡径部に高温水噴射電磁弁（８７Ｃｄ）ノズルの嵌入用凹部（８６）を具備し、送水ポンプ（７５）により昇圧した水を加熱高温として、縮径主燃焼室兼熱交換器（１）に高温水噴射電磁弁（８７Ｃｃ）より水噴射燃焼させるＤ型エネルギ保存サイクル機関。
【請求項１２７３】
電磁加熱縮径ピストン（２２）の拡径部に高温水噴射電磁弁（８７Ｃｄ）ノズルの嵌入用凹部（８６）を具備し、送水ポンプ（７５）により昇圧した水を加熱高温として、縮径主燃焼室兼熱交換器（１）に高温水噴射電磁弁（８７Ｃｃ）より水噴射燃焼させるＥ型エネルギ保存サイクル機関。
【請求項１２７４】
電磁加熱縮径ピストン（２２）の拡径部に高温水噴射電磁弁（８７Ｃｄ）ノズルの嵌入用凹部（８６）を具備し、送水ポンプ（７５）により昇圧した水を加熱高温として、縮径主燃焼室兼熱交換器（１）に高温水噴射電磁弁（８７Ｃｃ）より水噴射燃焼させるエネルギ保存サイクル機関。
【請求項１２７５】
電磁加熱縮径ピストン（２２）の拡径部に高温水噴射電磁弁（８７Ｃｄ）ノズルの嵌入用凹部（８６）を具備し、送水ポンプ（７５）により昇圧した超臨界温度等複数温度の高温水（５２ｂ）として、縮径主燃焼室兼熱交換器（１）に高温水噴射電磁弁（８７Ｃｃ）より超臨界圧力高温水噴射燃焼させるＨ型エネルギ保存サイクル機関。
【請求項１２７６】
電磁加熱縮径ピストン（２２）の拡径部に高温水噴射電磁弁（８７Ｃｄ）ノズルの嵌入用凹部（８６）を具備し、送水ポンプ（７５）により昇圧した超臨界温度等複数温度の高温水（５２ｂ）として、縮径主燃焼室兼熱交換器（１）に高温水噴射電磁弁（８７Ｃｃ）より超臨界圧力高温水噴射燃焼させるＤ型エネルギ保存サイクル機関。
【請求項１２７７】
電磁加熱縮径ピストン（２２）の拡径部に高温水噴射電磁弁（８７Ｃｄ）ノズルの嵌入用凹部（８６）を具備し、送水ポンプ（７５）により昇圧した超臨界温度等複数温度の高温水（５２ｂ）として、縮径主燃焼室兼熱交換器（１）に高温水噴射電磁弁（８７Ｃｃ）より超臨界圧力高温水噴射燃焼させるＥ型エネルギ保存サイクル機関。
【請求項１２７８】
電磁加熱縮径ピストン（２２）の拡径部に高温水噴射電磁弁（８７Ｃｄ）ノズルの嵌入用凹部（８６）を具備し、送水ポンプ（７５）により昇圧した超臨界温度等複数温度の高温水（５２ｂ）として、縮径主燃焼室兼熱交換器（１）に高温水噴射電磁弁（８７Ｃｃ）より超臨界圧力高温水噴射燃焼させるエネルギ保存サイクル機関。
【請求項１２７９】
電磁加熱縮径ピストン（２２）の拡径部に高温水噴射電磁弁（８７Ｃｄ）ノズルの嵌入用凹部（８６）を具備し、送水ポンプ（７５）により昇圧した水を加熱高温として、縮径主燃焼室兼熱交換器（１）に高温水噴射電磁弁（８７Ｃｃ）より水噴射することで、蒸気機関としても短時間使用可能としたＨ型エネルギ保存サイクル機関。
【請求項１２８０】
電磁加熱縮径ピストン（２２）の拡径部に高温水噴射電磁弁（８７Ｃｄ）ノズルの嵌入用凹部（８６）を具備し、送水ポンプ（７５）により昇圧した水を加熱高温として、縮径主燃焼室兼熱交換器（１）に高温水噴射電磁弁（８７Ｃｃ）より水噴射することで、蒸気機関としても短時間使用可能としたＤ型エネルギ保存サイクル機関。
【請求項１２８１】
電磁加熱縮径ピストン（２２）の拡径部に高温水噴射電磁弁（８７Ｃｄ）ノズルの嵌入用凹部（８６）を具備し、送水ポンプ（７５）により昇圧した水を加熱高温として、縮径主燃焼室兼熱交換器（１）に高温水噴射電磁弁（８７Ｃｃ）より水噴射することで、蒸気機関としても短時間使用可能としたＥ型エネルギ保存サイクル機関。
【請求項１２８２】
電磁加熱縮径ピストン（２２）の拡径部に高温水噴射電磁弁（８７Ｃｄ）ノズルの嵌入用凹部（８６）を具備し、送水ポンプ（７５）により昇圧した水を加熱高温として、縮径主燃焼室兼熱交換器（１）に高温水噴射電磁弁（８７Ｃｃ）より水噴射することで、蒸気機関としても短時間使用可能としたエネルギ保存サイクル機関。
【請求項１２８３】
電磁加熱縮径ピストン（２２）の拡径部に高温水噴射電磁弁（８７Ｃｄ）ノズルの嵌入用凹部（８６）を具備し、動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させるＨ型エネルギ保存サイクル機関。
【請求項１２８４】
電磁加熱縮径ピストン（２２）の拡径部に高温水噴射電磁弁（８７Ｃｄ）ノズルの嵌入用凹部（８６）を具備し、動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させるＤ型エネルギ保存サイクル機関。
【請求項１２８５】
電磁加熱縮径ピストン（２２）の拡径部に高温水噴射電磁弁（８７Ｃｄ）ノズルの嵌入用凹部（８６）を具備し、動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させるＥ型エネルギ保存サイクル機関。
【請求項１２８６】
電磁加熱縮径ピストン（２２）の拡径部に高温水噴射電磁弁（８７Ｃｄ）ノズルの嵌入用凹部（８６）を具備し、動力伝達装置として使用する送水ポンプ兼磁気摩擦動力伝達装置（５５）により昇圧した水を、縮径主燃焼室兼熱交換器（１）に高温水噴射電磁弁（８７Ｃｃ）より高温水噴射燃焼させるエネルギ保存サイクル機関。
【請求項１２８７】
電磁加熱縮径ピストン（２２）の拡径部に高温水噴射電磁弁（８７Ｃｄ）ノズルの嵌入用凹部（８６）を具備し、動力伝達装置として使用する送水ポンプ兼磁気摩擦動力伝達装置（５５）により昇圧した水を加熱高温として、縮径主燃焼室兼熱交換器（１）に高温水噴射電磁弁（８７Ｃｃ）末広ノズル噴口部（９４ａ）より高温水噴射燃焼させるＨ型エネルギ保存サイクル機関。
【請求項１２８８】
電磁加熱縮径ピストン（２２）の拡径部に高温水噴射電磁弁（８７Ｃｄ）ノズルの嵌入用凹部（８６）を具備し、動力伝達装置として使用する送水ポンプ兼磁気摩擦動力伝達装置（５５）により昇圧した水を加熱高温として、縮径主燃焼室兼熱交換器（１）に高温水噴射電磁弁（８７Ｃｃ）末広ノズル噴口部（９４ａ）より高温水噴射燃焼させるＤ型エネルギ保存サイクル機関。
【請求項１２８９】
電磁加熱縮径ピストン（２２）の拡径部に高温水噴射電磁弁（８７Ｃｄ）ノズルの嵌入用凹部（８６）を具備し、動力伝達装置として使用する送水ポンプ兼磁気摩擦動力伝達装置（５５）により昇圧した水を加熱高温として、縮径主燃焼室兼熱交換器（１）に高温水噴射電磁弁（８７Ｃｃ）末広ノズル噴口部（９４ａ）より高温水噴射燃焼させるＥ型エネルギ保存サイクル機関。
【請求項１２９０】
電磁加熱縮径ピストン（２２）の拡径部に高温水噴射電磁弁（８７Ｃｄ）ノズルの嵌入用凹部（８６）を具備し、動力伝達装置として使用する送水ポンプ兼磁気摩擦動力伝達装置（５５）により昇圧した水を加熱高温として、縮径主燃焼室兼熱交換器（１）に高温水噴射電磁弁（８７Ｃｃ）末広ノズル噴口部（９４ａ）より高温水噴射燃焼させるエネルギ保存サイクル機関。
【請求項１２９１】
電磁弁装着部（９３ａ）に高温水噴射電磁弁（８７Ｃｄ）を後退して具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＨ型エネルギ保存サイクル機関。
【請求項１２９２】
電磁弁装着部（９３ａ）に高温水噴射電磁弁（８７Ｃｄ）を後退して具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＤ型エネルギ保存サイクル機関。
【請求項１２９３】
電磁弁装着部（９３ａ）に高温水噴射電磁弁（８７Ｃｄ）を後退して具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するＥ型エネルギ保存サイクル機関。
【請求項１２９４】
電磁弁装着部（９３ａ）に高温水噴射電磁弁（８７Ｃｄ）を後退して具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射するエネルギ保存サイクル機関。
【請求項１２９５】
電磁弁装着部（９３ａ）に高温水噴射電磁弁（８７Ｃｄ）を後退して具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＨ型エネルギ保存サイクル機関。
【請求項１２９６】
電磁弁装着部（９３ａ）に高温水噴射電磁弁（８７Ｃｄ）を後退して具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＤ型エネルギ保存サイクル機関。
【請求項１２９７】
電磁弁装着部（９３ａ）に高温水噴射電磁弁（８７Ｃｄ）を後退して具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするＥ型エネルギ保存サイクル機関。
【請求項１２９８】
電磁弁装着部（９３ａ）に高温水噴射電磁弁（８７Ｃｄ）を後退して具備し、送水ポンプ兼磁気摩擦動力伝達装置（５５）により昇圧した水を高温水噴射電磁弁（８７Ｃｄ）より拡径部に直接水噴射すると共に、高温水噴射電磁弁（８７Ｃｃ）から高温水（５２ｂ）を噴射し、夫々の気化爆発力により重力仕事率を最大にするエネルギ保存サイクル機関。
【請求項１２９９】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＨ型エネルギ保存サイクル機関。
【請求項１３００】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＤ型エネルギ保存サイクル機関。
【請求項１３０１】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるＥ型エネルギ保存サイクル機関。
【請求項１３０２】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼圧力を上昇させるエネルギ保存サイクル機関。
【請求項１３０３】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼圧力を上昇させるＨ型エネルギ保存サイクル機関。
【請求項１３０４】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼圧力を上昇させるＤ型エネルギ保存サイクル機関。
【請求項１３０５】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼圧力を上昇させるＥ型エネルギ保存サイクル機関。
【請求項１３０６】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼圧力を上昇させるエネルギ保存サイクル機関。
【請求項１３０７】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＨ型エネルギ保存サイクル機関。
【請求項１３０８】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＤ型エネルギ保存サイクル機関。
【請求項１３０９】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＥ型エネルギ保存サイクル機関。
【請求項１３１０】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼圧力を上昇させるエネルギ保存サイクル機関。
【請求項１３１１】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＨ型エネルギ保存サイクル機関。
【請求項１３１２】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＤ型エネルギ保存サイクル機関。
【請求項１３１３】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼圧力を上昇させるＥ型エネルギ保存サイクル機関。
【請求項１３１４】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼圧力を上昇させるエネルギ保存サイクル機関。
【請求項１３１５】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＨ型エネルギ保存サイクル機関。
【請求項１３１６】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＤ型エネルギ保存サイクル機関。
【請求項１３１７】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるＥ型エネルギ保存サイクル機関。
【請求項１３１８】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させるエネルギ保存サイクル機関。
【請求項１３１９】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させるＨ型エネルギ保存サイクル機関。
【請求項１３２０】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させるＤ型エネルギ保存サイクル機関。
【請求項１３２１】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させるＥ型エネルギ保存サイクル機関。
【請求項１３２２】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させるエネルギ保存サイクル機関。
【請求項１３２３】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＨ型エネルギ保存サイクル機関。
【請求項１３２４】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＤ型エネルギ保存サイクル機関。
【請求項１３２５】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるＥ型エネルギ保存サイクル機関。
【請求項１３２６】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させるエネルギ保存サイクル機関。
【請求項１３２７】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させるＨ型エネルギ保存サイクル機関。
【請求項１３２８】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させるＤ型エネルギ保存サイクル機関。
【請求項１３２９】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させるＥ型エネルギ保存サイクル機関。
【請求項１３３０】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させるエネルギ保存サイクル機関。
【請求項１３３１】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＨ型エネルギ保存サイクル機関。
【請求項１３３２】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＤ型エネルギ保存サイクル機関。
【請求項１３３３】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するＥ型エネルギ保存サイクル機関。
【請求項１３３４】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射するエネルギ保存サイクル機関。
【請求項１３３５】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射するＨ型エネルギ保存サイクル機関。
【請求項１３３６】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射するＤ型エネルギ保存サイクル機関。
【請求項１３３７】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射するＥ型エネルギ保存サイクル機関。
【請求項１３３８】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射するエネルギ保存サイクル機関。
【請求項１３３９】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＨ型エネルギ保存サイクル機関。
【請求項１３４０】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＤ型エネルギ保存サイクル機関。
【請求項１３４１】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＥ型エネルギ保存サイクル機関。
【請求項１３４２】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するエネルギ保存サイクル機関。
【請求項１３４３】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＨ型エネルギ保存サイクル機関。
【請求項１３４４】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＤ型エネルギ保存サイクル機関。
【請求項１３４５】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するＥ型エネルギ保存サイクル機関。
【請求項１３４６】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射するエネルギ保存サイクル機関。
【請求項１３４７】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＨ型エネルギ保存サイクル機関。
【請求項１３４８】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＤ型エネルギ保存サイクル機関。
【請求項１３４９】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＥ型エネルギ保存サイクル機関。
【請求項１３５０】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するエネルギ保存サイクル機関。
【請求項１３５１】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＨ型エネルギ保存サイクル機関。
【請求項１３５２】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＤ型エネルギ保存サイクル機関。
【請求項１３５３】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するＥ型エネルギ保存サイクル機関。
【請求項１３５４】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集するエネルギ保存サイクル機関。
【請求項１３５５】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＨ型エネルギ保存サイクル機関。
【請求項１３５６】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＤ型エネルギ保存サイクル機関。
【請求項１３５７】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＥ型エネルギ保存サイクル機関。
【請求項１３５８】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するエネルギ保存サイクル機関。
【請求項１３５９】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＨ型エネルギ保存サイクル機関。
【請求項１３６０】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＤ型エネルギ保存サイクル機関。
【請求項１３６１】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するＥ型エネルギ保存サイクル機関。
【請求項１３６２】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集するエネルギ保存サイクル機関。
【請求項１３６３】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項１３６４】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項１３６５】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項１３６６】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項１３６７】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項１３６８】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項１３６９】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項１３７０】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項１３７１】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項１３７２】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項１３７３】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項１３７４】
電磁弁装着部（９３ａ）に高温水噴射電磁弁（８７Ｃｄ）を後退して具備し、送水ポンプ兼磁気摩擦動力伝達装置（５５）により昇圧した水を加熱高温として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項１３７５】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＨ型エネルギ保存サイクル機関。
【請求項１３７６】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＤ型エネルギ保存サイクル機関。
【請求項１３７７】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるＥ型エネルギ保存サイクル機関。
【請求項１３７８】
電磁弁装着部（９３ａ）に高温水噴射電磁弁（８７Ｃｄ）を後退して具備し、超臨界温度等複数温度の高温水（５２ｂ）として、縮径主燃焼室兼熱交換器（１）に高温水噴射電磁弁（８７Ｃｃ）より高温水噴射し、夫々の気化爆発力により重力仕事率を最大にし、燃焼温度を低下させ燃焼ガスを高温水で噴射して断熱膨張低温燃焼ガスにより水蒸気を冷却凝集し、ＣＯ２排気を０に近付けるエネルギ保存サイクル機関。
【請求項１３７９】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、拡径部に直接高温水噴射するＨ型エネルギ保存サイクル機関。
【請求項１３８０】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、拡径部に直接高温水噴射するＤ型エネルギ保存サイクル機関。
【請求項１３８１】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、拡径部に直接高温水噴射するＥ型エネルギ保存サイクル機関。
【請求項１３８２】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、拡径部に直接高温水噴射するエネルギ保存サイクル機関。
【請求項１３８３】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、拡径部に直接高温水噴射するＨ型エネルギ保存サイクル機関。
【請求項１３８４】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、拡径部に直接高温水噴射するＤ型エネルギ保存サイクル機関。
【請求項１３８５】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、拡径部に直接高温水噴射するＥ型エネルギ保存サイクル機関。
【請求項１３８６】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、拡径部に直接高温水噴射するエネルギ保存サイクル機関。
【請求項１３８７】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＨ型エネルギ保存サイクル機関。
【請求項１３８８】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＤ型エネルギ保存サイクル機関。
【請求項１３８９】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＥ型エネルギ保存サイクル機関。
【請求項１３９０】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するエネルギ保存サイクル機関。
【請求項１３９１】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＨ型エネルギ保存サイクル機関。
【請求項１３９２】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＤ型エネルギ保存サイクル機関。
【請求項１３９３】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＥ型エネルギ保存サイクル機関。
【請求項１３９４】
超臨界温度等複数温度の高温水（５２ｂ）として、縮径主燃焼室兼熱交換器（１）に高温水噴射電磁弁（８７Ｃｃ）より高温水噴射燃焼圧力を上昇させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するエネルギ保存サイクル機関。
【請求項１３９５】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＨ型エネルギ保存サイクル機関。
【請求項１３９６】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＤ型エネルギ保存サイクル機関。
【請求項１３９７】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＥ型エネルギ保存サイクル機関。
【請求項１３９８】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたエネルギ保存サイクル機関。
【請求項１３９９】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＨ型エネルギ保存サイクル機関。
【請求項１４００】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＤ型エネルギ保存サイクル機関。
【請求項１４０１】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＥ型エネルギ保存サイクル機関。
【請求項１４０２】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたエネルギ保存サイクル機関。
【請求項１４０３】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＨ型エネルギ保存サイクル機関。
【請求項１４０４】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＤ型エネルギ保存サイクル機関。
【請求項１４０５】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＥ型エネルギ保存サイクル機関。
【請求項１４０６】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたエネルギ保存サイクル機関。
【請求項１４０７】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＨ型エネルギ保存サイクル機関。
【請求項１４０８】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＤ型エネルギ保存サイクル機関。
【請求項１４０９】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＥ型エネルギ保存サイクル機関。
【請求項１４１０】
超臨界温度等複数温度の高温水（５２ｂ）として、縮径主燃焼室兼熱交換器（１）に高温水噴射電磁弁（８７Ｃｃ）より高温水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたエネルギ保存サイクル機関。
【請求項１４１１】
超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＨ型エネルギ保存サイクル機関。
【請求項１４１２】
超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＤ型エネルギ保存サイクル機関。
【請求項１４１３】
超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するＥ型エネルギ保存サイクル機関。
【請求項１４１４】
超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射するエネルギ保存サイクル機関。
【請求項１４１５】
超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＨ型エネルギ保存サイクル機関。
【請求項１４１６】
超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＤ型エネルギ保存サイクル機関。
【請求項１４１７】
超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するＥ型エネルギ保存サイクル機関。
【請求項１４１８】
超臨界温度等複数温度の高温水（５２ｂ）として、縮径主燃焼室兼熱交換器（１）に高温水噴射電磁弁（８７Ｃｃ）より高温水噴射燃焼圧力を上昇し、隔離燃焼解除時に拡径燃焼室（１０）内再燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射するエネルギ保存サイクル機関。
【請求項１４１９】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＨ型エネルギ保存サイクル機関。
【請求項１４２０】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＤ型エネルギ保存サイクル機関。
【請求項１４２１】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたＥ型エネルギ保存サイクル機関。
【請求項１４２２】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、拡径部に直接高温水噴射することで、蒸気機関としても短時間使用可能としたエネルギ保存サイクル機関。
【請求項１４２３】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＨ型エネルギ保存サイクル機関。
【請求項１４２４】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＤ型エネルギ保存サイクル機関。
【請求項１４２５】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたＥ型エネルギ保存サイクル機関。
【請求項１４２６】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、拡径部に直接高温水噴射することで、蒸気機関としても短時間使用可能としたエネルギ保存サイクル機関。
【請求項１４２７】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＨ型エネルギ保存サイクル機関。
【請求項１４２８】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＤ型エネルギ保存サイクル機関。
【請求項１４２９】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＥ型エネルギ保存サイクル機関。
【請求項１４３０】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）の嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたエネルギ保存サイクル機関。
【請求項１４３１】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＨ型エネルギ保存サイクル機関。
【請求項１４３２】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＤ型エネルギ保存サイクル機関。
【請求項１４３３】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたＥ型エネルギ保存サイクル機関。
【請求項１４３４】
適宜に昇圧した超臨界温度等複数温度の高温水（５２ｂ）として縮径主燃焼室兼熱交換器（１）に高温水噴射電磁弁（８７Ｃｃ）より水噴射すると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接高温水噴射することで、蒸気機関としても短時間使用可能としたエネルギ保存サイクル機関。
【請求項１４３５】
送水ポンプ（７５）により昇圧した水を加熱高温として、縮径主燃焼室兼熱交換器（１）に水噴射燃焼させると共に、電磁加熱縮径ピストン（２２）の拡径部に高温水噴射電磁弁（８７Ｃｄ）ノズルの嵌入用凹部（８６）を具備し、拡径部に直接水噴射するＨ型エネルギ保存サイクル機関。
【請求項１４３６】
送水ポンプ（７５）により昇圧した水を加熱高温として、縮径主燃焼室兼熱交換器（１）に水噴射燃焼させると共に、電磁加熱縮径ピストン（２２）の拡径部に高温水噴射電磁弁（８７Ｃｄ）ノズルの嵌入用凹部（８６）を具備し、拡径部に直接水噴射するＤ型エネルギ保存サイクル機関。
【請求項１４３７】
送水ポンプ（７５）により昇圧した水を加熱高温として、縮径主燃焼室兼熱交換器（１）に水噴射燃焼させると共に、電磁加熱縮径ピストン（２２）の拡径部に高温水噴射電磁弁（８７Ｃｄ）ノズルの嵌入用凹部（８６）を具備し、拡径部に直接水噴射するＥ型エネルギ保存サイクル機関。
【請求項１４３８】
送水ポンプ（７５）により昇圧した水を加熱高温として、縮径主燃焼室兼熱交換器（１）に水噴射燃焼させると共に、電磁加熱縮径ピストン（２２）の拡径部に高温水噴射電磁弁（８７Ｃｄ）ノズルの嵌入用凹部（８６）を具備し、拡径部に直接水噴射するエネルギ保存サイクル機関。
【請求項１４３９】
送水ポンプ（７５）により昇圧した水を加熱高温として、縮径主燃焼室兼熱交換器（１）に水噴射燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接水噴射するＨ型エネルギ保存サイクル機関。
【請求項１４４０】
送水ポンプ（７５）により昇圧した水を加熱高温として、縮径主燃焼室兼熱交換器（１）に水噴射燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接水噴射するＤ型エネルギ保存サイクル機関。
【請求項１４４１】
送水ポンプ（７５）により昇圧した水を加熱高温として、縮径主燃焼室兼熱交換器（１）に水噴射燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接水噴射するＥ型エネルギ保存サイクル機関。
【請求項１４４２】
送水ポンプ（７５）により昇圧した水を加熱高温として、縮径主燃焼室兼熱交換器（１）に水噴射燃焼させると共に、電磁加熱縮径ピストン（２２）の拡径部に高温水噴射電磁弁（８７Ｃｄ）ノズルの嵌入用凹部（８６）を具備し、嵌入用凹部に嵌合自在に設けた高温水噴射電磁弁（８７Ｃｄ）より拡径部に直接水噴射するエネルギ保存サイクル機関。
【請求項１４４３】
前記縮径主燃焼室兼熱交換器（１）に高温水（５２ｂ）を噴射する電磁弁に高温水噴射電磁弁（８７Ｄｃ）を使用することを特徴とするＨ型エネルギ保存サイクル機関。
【請求項１４４４】
前記縮径主燃焼室兼熱交換器（１）に高温水（５２ｂ）を噴射する電磁弁に高温水噴射電磁弁（８７Ｄｃ）を使用することを特徴とするＤ型エネルギ保存サイクル機関。
【請求項１４４５】
前記縮径主燃焼室兼熱交換器（１）に高温水（５２ｂ）を噴射する電磁弁に高温水噴射電磁弁（８７Ｄｃ）を使用することを特徴とするＥ型エネルギ保存サイクル機関。
【請求項１４４６】
前記縮径主燃焼室兼熱交換器（１）に高温水（５２ｂ）を噴射する電磁弁に高温水噴射電磁弁（８７Ｄｃ）を使用することを特徴とするエネルギ保存サイクル機関。
【請求項１４４７】
前記縮径主燃焼室兼熱交換器（１）に超臨界圧力高温水（５２ｂ）を噴射する電磁弁に高温水噴射電磁弁（８７Ｃｃ）を使用することを特徴とするＨ型エネルギ保存サイクル機関。
【請求項１４４８】
前記縮径主燃焼室兼熱交換器（１）に超臨界圧力高温水（５２ｂ）を噴射する電磁弁に高温水噴射電磁弁（８７Ｃｃ）を使用することを特徴とするＤ型エネルギ保存サイクル機関。
【請求項１４４９】
前記縮径主燃焼室兼熱交換器（１）に超臨界圧力高温水（５２ｂ）を噴射する電磁弁に高温水噴射電磁弁（８７Ｃｃ）を使用することを特徴とするＥ型エネルギ保存サイクル機関。
【請求項１４５０】
前記縮径主燃焼室兼熱交換器（１）に超臨界圧力高温水（５２ｂ）を噴射する電磁弁に高温水噴射電磁弁（８７Ｃｃ）を使用することを特徴とするエネルギ保存サイクル機関。
【請求項１４５１】
前記縮径主燃焼室兼熱交換器（１）に超臨界圧力高温水（５２ｂ）を噴射する電磁弁に高温水噴射電磁弁（８７Ｄｃ）を使用することを特徴とするＨ型エネルギ保存サイクル機関。
【請求項１４５２】
前記縮径主燃焼室兼熱交換器（１）に超臨界圧力高温水（５２ｂ）を噴射する電磁弁に高温水噴射電磁弁（８７Ｄｃ）を使用することを特徴とするＤ型エネルギ保存サイクル機関。
【請求項１４５３】
前記縮径主燃焼室兼熱交換器（１）に超臨界圧力高温水（５２ｂ）を噴射する電磁弁に高温水噴射電磁弁（８７Ｄｃ）を使用することを特徴とするＥ型エネルギ保存サイクル機関。
【請求項１４５４】
前記縮径主燃焼室兼熱交換器（１）に超臨界圧力高温水（５２ｂ）を噴射する電磁弁に高温水噴射電磁弁（８７Ｄｃ）を使用することを特徴とするエネルギ保存サイクル機関。
【請求項１４５５】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にすることを特徴とするＨ型エネルギ保存サイクル機関。
【請求項１４５６】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にすることを特徴とするＤ型エネルギ保存サイクル機関。
【請求項１４５７】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にすることを特徴とするＥ型エネルギ保存サイクル機関。
【請求項１４５８】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にすることを特徴とするエネルギ保存サイクル機関。
【請求項１４５９】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にすることを特徴とするＨ型エネルギ保存サイクル機関。
【請求項１４６０】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にすることを特徴とするＤ型エネルギ保存サイクル機関。
【請求項１４６１】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にすることを特徴とするＥ型エネルギ保存サイクル機関。
【請求項１４６２】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にすることを特徴とするエネルギ保存サイクル機関。
【請求項１４６３】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にすることを特徴とするＨ型エネルギ保存サイクル機関。
【請求項１４６４】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にすることを特徴とするＤ型エネルギ保存サイクル機関。
【請求項１４６５】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にすることを特徴とするＥ型エネルギ保存サイクル機関。
【請求項１４６６】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にすることを特徴とするエネルギ保存サイクル機関。
【請求項１４６７】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にすることを特徴とするＨ型エネルギ保存サイクル機関。
【請求項１４６８】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にすることを特徴とするＤ型エネルギ保存サイクル機関。
【請求項１４６９】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にすることを特徴とするＥ型エネルギ保存サイクル機関。
【請求項１４７０】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にすることを特徴とするエネルギ保存サイクル機関。
【請求項１４７１】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして燃焼熱により加熱高温にすることを特徴とするＨ型エネルギ保存サイクル機関。
【請求項１４７２】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして燃焼熱により加熱高温にすることを特徴とするＤ型エネルギ保存サイクル機関。
【請求項１４７３】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして燃焼熱により加熱高温にすることを特徴とするＥ型エネルギ保存サイクル機関。
【請求項１４７４】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして燃焼熱により加熱高温にすることを特徴とするエネルギ保存サイクル機関。
【請求項１４７５】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして燃焼熱により加熱高温にすることを特徴とするＨ型エネルギ保存サイクル機関。
【請求項１４７６】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして燃焼熱により加熱高温にすることを特徴とするＤ型エネルギ保存サイクル機関。
【請求項１４７７】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして燃焼熱により加熱高温にすることを特徴とするＥ型エネルギ保存サイクル機関。
【請求項１４７８】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして燃焼熱により加熱高温にすることを特徴とするエネルギ保存サイクル機関。
【請求項１４７９】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして燃焼熱により加熱高温にすることを特徴とするＨ型エネルギ保存サイクル機関。
【請求項１４８０】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして燃焼熱により加熱高温にすることを特徴とするＤ型エネルギ保存サイクル機関。
【請求項１４８１】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして燃焼熱により加熱高温にすることを特徴とするＥ型エネルギ保存サイクル機関。
【請求項１４８２】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして燃焼熱により加熱高温にすることを特徴とするエネルギ保存サイクル機関。
【請求項１４８３】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして燃焼熱により加熱高温にすることを特徴とするＨ型エネルギ保存サイクル機関。
【請求項１４８４】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして燃焼熱により加熱高温にすることを特徴とするＤ型エネルギ保存サイクル機関。
【請求項１４８５】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして燃焼熱により加熱高温にすることを特徴とするＥ型エネルギ保存サイクル機関。
【請求項１４８６】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして燃焼熱により加熱高温にすることを特徴とするエネルギ保存サイクル機関。
【請求項１４８７】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして内部螺旋溝を設けたことを特徴とするＨ型エネルギ保存サイクル機関。
【請求項１４８８】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして内部螺旋溝を設けたことを特徴とするＤ型エネルギ保存サイクル機関。
【請求項１４８９】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして内部螺旋溝を設けたことを特徴とするＥ型エネルギ保存サイクル機関。
【請求項１４９０】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして内部螺旋溝を設けたことを特徴とするエネルギ保存サイクル機関。
【請求項１４９１】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして内部螺旋溝を設けたことを特徴とするＨ型エネルギ保存サイクル機関。
【請求項１４９２】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして内部螺旋溝を設けたことを特徴とするＤ型エネルギ保存サイクル機関。
【請求項１４９３】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして内部螺旋溝を設けたことを特徴とするＥ型エネルギ保存サイクル機関。
【請求項１４９４】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして内部螺旋溝を設けたことを特徴とするエネルギ保存サイクル機関。
【請求項１４９５】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして内部螺旋溝を設けたことを特徴とするＨ型エネルギ保存サイクル機関。
【請求項１４９６】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして内部螺旋溝を設けたことを特徴とするＤ型エネルギ保存サイクル機関。
【請求項１４９７】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして内部螺旋溝を設けたことを特徴とするＥ型エネルギ保存サイクル機関。
【請求項１４９８】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして内部螺旋溝を設けたことを特徴とするエネルギ保存サイクル機関。
【請求項１４９９】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして内部螺旋溝を設けたことを特徴とするＨ型エネルギ保存サイクル機関。
【請求項１５００】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして内部螺旋溝を設けたことを特徴とするＤ型エネルギ保存サイクル機関。
【請求項１５０１】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして内部螺旋溝を設けたことを特徴とするＥ型エネルギ保存サイクル機関。
【請求項１５０２】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして内部螺旋溝を設けたことを特徴とするエネルギ保存サイクル機関。
【請求項１５０３】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして内部螺旋溝を設けて燃焼熱により加熱高温にしたことを特徴とするＨ型エネルギ保存サイクル機関。
【請求項１５０４】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして内部螺旋溝を設けて燃焼熱により加熱高温にしたことを特徴とするＤ型エネルギ保存サイクル機関。
【請求項１５０５】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして内部螺旋溝を設けて燃焼熱により加熱高温にしたことを特徴とするＥ型エネルギ保存サイクル機関。
【請求項１５０６】
前記縮径主燃焼室兼熱交換器（１）に高温水（５２ｂ）を噴射する電磁弁に高温水噴射電磁弁（８７Ｃｃ）を使用し、末広ノズル噴口部（９４ａ）にして内部螺旋溝を設けて燃焼熱により加熱高温にしたことを特徴とするエネルギ保存サイクル機関。
【請求項１５０７】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして内部螺旋溝を設けて燃焼熱により加熱高温にしたことを特徴とするＨ型エネルギ保存サイクル機関。
【請求項１５０８】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして内部螺旋溝を設けて燃焼熱により加熱高温にしたことを特徴とするＤ型エネルギ保存サイクル機関。
【請求項１５０９】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして内部螺旋溝を設けて燃焼熱により加熱高温にしたことを特徴とするＥ型エネルギ保存サイクル機関。
【請求項１５１０】
前記縮径主燃焼室兼熱交換器（１）に高温水（５２ｂ）を噴射する電磁弁に高温水噴射電磁弁（８７Ｄｃ）を使用し、末広ノズル噴口部（９４ａ）にして内部螺旋溝を設けて燃焼熱により加熱高温にしたことを特徴とするエネルギ保存サイクル機関。
【請求項１５１１】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして内部螺旋溝を設けて燃焼熱により加熱高温にしたことを特徴とするＨ型エネルギ保存サイクル機関。
【請求項１５１２】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして内部螺旋溝を設けて燃焼熱により加熱高温にしたことを特徴とするＤ型エネルギ保存サイクル機関。
【請求項１５１３】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして内部螺旋溝を設けて燃焼熱により加熱高温にしたことを特徴とするＥ型エネルギ保存サイクル機関。
【請求項１５１４】
前記縮径主燃焼室兼熱交換器（１）に超臨界圧力高温水（５２ｂ）を噴射する電磁弁に高温水噴射電磁弁（８７Ｃｃ）を使用し、末広ノズル噴口部（９４ａ）にして内部螺旋溝を設けて燃焼熱により加熱高温にしたことを特徴とするエネルギ保存サイクル機関。
【請求項１５１５】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして内部螺旋溝を設けて燃焼熱により加熱高温にしたことを特徴とするＨ型エネルギ保存サイクル機関。
【請求項１５１６】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして内部螺旋溝を設けて燃焼熱により加熱高温にしたことを特徴とするＤ型エネルギ保存サイクル機関。
【請求項１５１７】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして内部螺旋溝を設けて燃焼熱により加熱高温にしたことを特徴とするＥ型エネルギ保存サイクル機関。
【請求項１５１８】
前記縮径主燃焼室兼熱交換器（１）に超臨界圧力高温水（５２ｂ）を噴射する電磁弁に高温水噴射電磁弁（８７Ｄｃ）を使用し、末広ノズル噴口部（９４ａ）にして内部螺旋溝を設けて燃焼熱により加熱高温にしたことを特徴とするエネルギ保存サイクル機関。
【請求項１５１９】
前記縮径主燃焼室兼熱交換器（１）に高温水（５２ｂ）を噴射する電磁弁に高温水噴射電磁弁（８７Ｃｃ）を使用し、重力仕事率を増大することを特徴とするＨ型エネルギ保存サイクル機関。
【請求項１５２０】
前記縮径主燃焼室兼熱交換器（１）に高温水（５２ｂ）を噴射する電磁弁に高温水噴射電磁弁（８７Ｃｃ）を使用し、重力仕事率を増大することを特徴とするＤ型エネルギ保存サイクル機関。
【請求項１５２１】
前記縮径主燃焼室兼熱交換器（１）に高温水（５２ｂ）を噴射する電磁弁に高温水噴射電磁弁（８７Ｃｃ）を使用し、重力仕事率を増大することを特徴とするＥ型エネルギ保存サイクル機関。
【請求項１５２２】
前記縮径主燃焼室兼熱交換器（１）に高温水（５２ｂ）を噴射する電磁弁に高温水噴射電磁弁（８７Ｃｃ）を使用し、重力仕事率を増大することを特徴とするエネルギ保存サイクル機関。
【請求項１５２３】
前記縮径主燃焼室兼熱交換器（１）に高温水（５２ｂ）を噴射する電磁弁に高温水噴射電磁弁（８７Ｄｃ）を使用し、重力仕事率を増大することを特徴とするＨ型エネルギ保存サイクル機関。
【請求項１５２４】
前記縮径主燃焼室兼熱交換器（１）に高温水（５２ｂ）を噴射する電磁弁に高温水噴射電磁弁（８７Ｄｃ）を使用し、重力仕事率を増大することを特徴とするＤ型エネルギ保存サイクル機関。
【請求項１５２５】
前記縮径主燃焼室兼熱交換器（１）に高温水（５２ｂ）を噴射する電磁弁に高温水噴射電磁弁（８７Ｄｃ）を使用し、重力仕事率を増大することを特徴とするＥ型エネルギ保存サイクル機関。
【請求項１５２６】
前記縮径主燃焼室兼熱交換器（１）に高温水（５２ｂ）を噴射する電磁弁に高温水噴射電磁弁（８７Ｄｃ）を使用し、重力仕事率を増大することを特徴とするエネルギ保存サイクル機関。
【請求項１５２７】
前記縮径主燃焼室兼熱交換器（１）に超臨界圧力高温水（５２ｂ）を噴射する電磁弁に高温水噴射電磁弁（８７Ｃｃ）を使用し、重力仕事率を増大することを特徴とするＨ型エネルギ保存サイクル機関。
【請求項１５２８】
前記縮径主燃焼室兼熱交換器（１）に超臨界圧力高温水（５２ｂ）を噴射する電磁弁に高温水噴射電磁弁（８７Ｃｃ）を使用し、重力仕事率を増大することを特徴とするＤ型エネルギ保存サイクル機関。
【請求項１５２９】
前記縮径主燃焼室兼熱交換器（１）に超臨界圧力高温水（５２ｂ）を噴射する電磁弁に高温水噴射電磁弁（８７Ｃｃ）を使用し、重力仕事率を増大することを特徴とするＥ型エネルギ保存サイクル機関。
【請求項１５３０】
前記縮径主燃焼室兼熱交換器（１）に超臨界圧力高温水（５２ｂ）を噴射する電磁弁に高温水噴射電磁弁（８７Ｃｃ）を使用し、重力仕事率を増大することを特徴とするエネルギ保存サイクル機関。
【請求項１５３１】
前記縮径主燃焼室兼熱交換器（１）に超臨界圧力高温水（５２ｂ）を噴射する電磁弁に高温水噴射電磁弁（８７Ｄｃ）を使用し、重力仕事率を増大することを特徴とするＨ型エネルギ保存サイクル機関。
【請求項１５３２】
前記縮径主燃焼室兼熱交換器（１）に超臨界圧力高温水（５２ｂ）を噴射する電磁弁に高温水噴射電磁弁（８７Ｄｃ）を使用し、重力仕事率を増大することを特徴とするＤ型エネルギ保存サイクル機関。
【請求項１５３３】
前記縮径主燃焼室兼熱交換器（１）に超臨界圧力高温水（５２ｂ）を噴射する電磁弁に高温水噴射電磁弁（８７Ｄｃ）を使用し、重力仕事率を増大することを特徴とするＥ型エネルギ保存サイクル機関。
【請求項１５３４】
前記縮径主燃焼室兼熱交換器（１）に超臨界圧力高温水（５２ｂ）を噴射する電磁弁に高温水噴射電磁弁（８７Ｄｃ）を使用し、重力仕事率を増大することを特徴とするエネルギ保存サイクル機関。
【請求項１５３５】
前記縮径主燃焼室兼熱交換器（１）に空気を噴射する一方向空気流路（９）に逆止弁（９７）を使用し、シリンダヘッド（１５）に拡径燃焼室（１０）側から取付けることを特徴とするＨ型エネルギ保存サイクル機関。
【請求項１５３６】
前記縮径主燃焼室兼熱交換器（１）に空気を噴射する一方向空気流路（９）に逆止弁（９７）を使用し、シリンダヘッド（１５）に拡径燃焼室（１０）側から取付けることを特徴とするＤ型エネルギ保存サイクル機関。
【請求項１５３７】
前記縮径主燃焼室兼熱交換器（１）に空気を噴射する一方向空気流路（９）に逆止弁（９７）を使用し、シリンダヘッド（１５）に拡径燃焼室（１０）側から取付けることを特徴とするＥ型エネルギ保存サイクル機関。
【請求項１５３８】
前記縮径主燃焼室兼熱交換器（１）に空気を噴射する一方向空気流路（９）に逆止弁（９７）を使用し、シリンダヘッド（１５）に拡径燃焼室（１０）側から取付けることを特徴とするエネルギ保存サイクル機関。
【請求項１５３９】
前記縮径主燃焼室兼熱交換器（１）に空気を噴射する一方向空気流路（９）の逆止弁（９７）を、シリンダヘッド（１５）に拡径燃焼室（１０）側からねじ込み使用することを特徴とするＨ型エネルギ保存サイクル機関。
【請求項１５４０】
前記縮径主燃焼室兼熱交換器（１）に空気を噴射する一方向空気流路（９）の逆止弁（９７）を、シリンダヘッド（１５）に拡径燃焼室（１０）側からねじ込み使用することを特徴とするＤ型エネルギ保存サイクル機関。
【請求項１５４１】
前記縮径主燃焼室兼熱交換器（１）に空気を噴射する一方向空気流路（９）の逆止弁（９７）を、シリンダヘッド（１５）に拡径燃焼室（１０）側からねじ込み使用することを特徴とするＥ型エネルギ保存サイクル機関。
【請求項１５４２】
前記縮径主燃焼室兼熱交換器（１）に空気を噴射する一方向空気流路（９）の逆止弁（９７）を、シリンダヘッド（１５）に拡径燃焼室（１０）側からねじ込み使用することを特徴とするエネルギ保存サイクル機関。
【請求項１５４３】
前記縮径主燃焼室兼熱交換器（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧することを特徴とするＨ型エネルギ保存サイクル機関。
【請求項１５４４】
前記縮径主燃焼室兼熱交換器（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧することを特徴とするＤ型エネルギ保存サイクル機関。
【請求項１５４５】
前記縮径主燃焼室兼熱交換器（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧することを特徴とするＥ型エネルギ保存サイクル機関。
【請求項１５４６】
前記縮径主燃焼室兼熱交換器（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧することを特徴とするエネルギ保存サイクル機関。
【請求項１５４７】
前記縮径主燃焼室兼熱交換器（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧し、空圧差により開弁閉弁することを特徴とするＨ型エネルギ保存サイクル機関。
【請求項１５４８】
前記縮径主燃焼室兼熱交換器（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧し、空圧差により開弁閉弁することを特徴とするＤ型エネルギ保存サイクル機関。
【請求項１５４９】
前記縮径主燃焼室兼熱交換器（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧し、空圧差により開弁閉弁することを特徴とするＥ型エネルギ保存サイクル機関。
【請求項１５５０】
前記縮径主燃焼室兼熱交換器（１）に空気を噴射する一方向空気流路（９）の逆止弁（９７）を、シリンダヘッド（１５）に拡径燃焼室（１０）側からねじ込み使用し、弁体（９９）を弁座（９８）に発条（９６）により付勢押圧し、空圧差により開弁閉弁することを特徴とするエネルギ保存サイクル機関。
【請求項１５５１】
前記電磁加熱縮径ピストン（２２）の拡径部に高温水（５２ｂ）を噴射する電磁弁に高温水噴射電磁弁（８７Ｃｄ）を使用することを特徴とするＨ型エネルギ保存サイクル機関。
【請求項１５５２】
前記電磁加熱縮径ピストン（２２）の拡径部に高温水（５２ｂ）を噴射する電磁弁に高温水噴射電磁弁（８７Ｃｄ）を使用することを特徴とするＤ型エネルギ保存サイクル機関。
【請求項１５５３】
前記電磁加熱縮径ピストン（２２）の拡径部に高温水（５２ｂ）を噴射する電磁弁に高温水噴射電磁弁（８７Ｃｄ）を使用することを特徴とするＥ型エネルギ保存サイクル機関。
【請求項１５５４】
前記電磁加熱縮径ピストン（２２）の拡径部に高温水（５２ｂ）を噴射する電磁弁に高温水噴射電磁弁（８７Ｃｄ）を使用することを特徴とするエネルギ保存サイクル機関。
【請求項１５５５】
前記電磁加熱縮径ピストン（２２）の頭頂部に高温水（５２ｂ）を噴射する電磁弁に高温水噴射電磁弁（８７Ｃｃ）を使用することを特徴とするＨ型エネルギ保存サイクル機関。
【請求項１５５６】
前記電磁加熱縮径ピストン（２２）の頭頂部に高温水（５２ｂ）を噴射する電磁弁に高温水噴射電磁弁（８７Ｃｃ）を使用することを特徴とするＤ型エネルギ保存サイクル機関。
【請求項１５５７】
前記電磁加熱縮径ピストン（２２）の頭頂部に高温水（５２ｂ）を噴射する電磁弁に高温水噴射電磁弁（８７Ｃｃ）を使用することを特徴とするＥ型エネルギ保存サイクル機関。
【請求項１５５８】
前記電磁加熱縮径ピストン（２２）の頭頂部に高温水（５２ｂ）を噴射する電磁弁に高温水噴射電磁弁（８７Ｃｃ）を使用することを特徴とするエネルギ保存サイクル機関。
【請求項１５５９】
前記電磁加熱縮径ピストン（２２）の頭頂部に高温水（５２ｂ）を噴射する電磁弁に高温水噴射電磁弁（８７Ｄｃ）を使用することを特徴とするＨ型エネルギ保存サイクル機関。
【請求項１５６０】
前記電磁加熱縮径ピストン（２２）の頭頂部に高温水（５２ｂ）を噴射する電磁弁に高温水噴射電磁弁（８７Ｄｃ）を使用することを特徴とするＤ型エネルギ保存サイクル機関。
【請求項１５６１】
前記電磁加熱縮径ピストン（２２）の頭頂部に高温水（５２ｂ）を噴射する電磁弁に高温水噴射電磁弁（８７Ｄｃ）を使用することを特徴とするＥ型エネルギ保存サイクル機関。
【請求項１５６２】
前記電磁加熱縮径ピストン（２２）の頭頂部に高温水（５２ｂ）を噴射する電磁弁に高温水噴射電磁弁（８７Ｄｃ）を使用することを特徴とするエネルギ保存サイクル機関。
【請求項１５６３】
前記電磁加熱縮径ピストン（２２）の任意に変形させた頭頂部に高温水（５２ｂ）を噴射する電磁弁に高温水噴射電磁弁（８７Ｃｃ）を使用することを特徴とするＨ型エネルギ保存サイクル機関。
【請求項１５６４】
前記電磁加熱縮径ピストン（２２）の任意に変形させた頭頂部に高温水（５２ｂ）を噴射する電磁弁に高温水噴射電磁弁（８７Ｃｃ）を使用することを特徴とするＤ型エネルギ保存サイクル機関。
【請求項１５６５】
前記電磁加熱縮径ピストン（２２）の任意に変形させた頭頂部に高温水（５２ｂ）を噴射する電磁弁に高温水噴射電磁弁（８７Ｃｃ）を使用することを特徴とするＥ型エネルギ保存サイクル機関。
【請求項１５６６】
前記電磁加熱縮径ピストン（２２）の任意に変形させた頭頂部に高温水（５２ｂ）を噴射する電磁弁に高温水噴射電磁弁（８７Ｃｃ）を使用することを特徴とするエネルギ保存サイクル機関。
【請求項１５６７】
前記電磁加熱縮径ピストン（２２）の任意に変形させた頭頂部に高温水（５２ｂ）を噴射する電磁弁に高温水噴射電磁弁（８７Ｄｃ）を使用することを特徴とするＨ型エネルギ保存サイクル機関。
【請求項１５６８】
前記電磁加熱縮径ピストン（２２）の任意に変形させた頭頂部に高温水（５２ｂ）を噴射する電磁弁に高温水噴射電磁弁（８７Ｄｃ）を使用することを特徴とするＤ型エネルギ保存サイクル機関。
【請求項１５６９】
前記電磁加熱縮径ピストン（２２）の任意に変形させた頭頂部に高温水（５２ｂ）を噴射する電磁弁に高温水噴射電磁弁（８７Ｄｃ）を使用することを特徴とするＥ型エネルギ保存サイクル機関。
【請求項１５７０】
前記電磁加熱縮径ピストン（２２）の任意に変形させた頭頂部に高温水（５２ｂ）を噴射する電磁弁に高温水噴射電磁弁（８７Ｄｃ）を使用することを特徴とするエネルギ保存サイクル機関。
【請求項１５７１】
前記電磁加熱縮径ピストン（２２）の任意に変形させた頭頂部を特徴とするＨ型エネルギ保存サイクル機関。
【請求項１５７２】
前記電磁加熱縮径ピストン（２２）の任意に変形させた頭頂部を特徴とするＤ型エネルギ保存サイクル機関。
【請求項１５７３】
前記電磁加熱縮径ピストン（２２）の任意に変形させた頭頂部を特徴とするＥ型エネルギ保存サイクル機関。
【請求項１５７４】
前記電磁加熱縮径ピストン（２２）の任意に変形させた頭頂部を特徴とするエネルギ保存サイクル機関。
【請求項１５７５】
前記電磁加熱縮径ピストン（２２）の任意に変形させた頭頂部に超臨界圧力高温水（５２ｂ）を噴射することを特徴とするＨ型エネルギ保存サイクル機関。
【請求項１５７６】
前記電磁加熱縮径ピストン（２２）の任意に変形させた頭頂部に超臨界圧力高温水（５２ｂ）を噴射することを特徴とするＤ型エネルギ保存サイクル機関。
【請求項１５７７】
前記電磁加熱縮径ピストン（２２）の任意に変形させた頭頂部に超臨界圧力高温水（５２ｂ）を噴射することを特徴とするＥ型エネルギ保存サイクル機関。
【請求項１５７８】
前記電磁加熱縮径ピストン（２２）の任意に変形させた頭頂部に超臨界圧力高温水（５２ｂ）を噴射することを特徴とするエネルギ保存サイクル機関。
【請求項１５７９】
前記電磁加熱縮径ピストン（２２）の拡径部に高温水（５２ｂ）を噴射する電磁弁に高温水噴射電磁弁（８７Ｃｄ）を使用することを特徴とするＨ型エネルギ保存サイクル機関。
【請求項１５８０】
前記電磁加熱縮径ピストン（２２）の拡径部に高温水（５２ｂ）を噴射する電磁弁に高温水噴射電磁弁（８７Ｃｄ）を使用することを特徴とするＤ型エネルギ保存サイクル機関。
【請求項１５８１】
前記電磁加熱縮径ピストン（２２）の拡径部に高温水（５２ｂ）を噴射する電磁弁に高温水噴射電磁弁（８７Ｃｄ）を使用することを特徴とするＥ型エネルギ保存サイクル機関。
【請求項１５８２】
前記電磁加熱縮径ピストン（２２）の拡径部に高温水（５２ｂ）を噴射する電磁弁に高温水噴射電磁弁（８７Ｃｄ）を使用することを特徴とするエネルギ保存サイクル機関。
【請求項１５８３】
前記電磁加熱縮径ピストン（２２）の拡径部に高温水（５２ｂ）を噴射する電磁弁に高温水噴射電磁弁（８７Ｄｄ）を使用することを特徴とするＨ型エネルギ保存サイクル機関。
【請求項１５８４】
前記電磁加熱縮径ピストン（２２）の拡径部に高温水（５２ｂ）を噴射する電磁弁に高温水噴射電磁弁（８７Ｄｄ）を使用することを特徴とするＤ型エネルギ保存サイクル機関。
【請求項１５８５】
前記電磁加熱縮径ピストン（２２）の拡径部に高温水（５２ｂ）を噴射する電磁弁に高温水噴射電磁弁（８７Ｄｄ）を使用することを特徴とするＥ型エネルギ保存サイクル機関。
【請求項１５８６】
前記電磁加熱縮径ピストン（２２）の拡径部に高温水（５２ｂ）を噴射する電磁弁に高温水噴射電磁弁（８７Ｄｄ）を使用することを特徴とするエネルギ保存サイクル機関。
【請求項１５８７】
前記電磁加熱縮径ピストン（２２）の拡径部に超臨界圧力高温水（５２ｂ）を噴射する電磁弁に高温水噴射電磁弁（８７Ｃｄ）を使用することを特徴とするＨ型エネルギ保存サイクル機関。
【請求項１５８８】
前記電磁加熱縮径ピストン（２２）の拡径部に超臨界圧力高温水（５２ｂ）を噴射する電磁弁に高温水噴射電磁弁（８７Ｃｄ）を使用することを特徴とするＤ型エネルギ保存サイクル機関。
【請求項１５８９】
前記電磁加熱縮径ピストン（２２）の拡径部に超臨界圧力高温水（５２ｂ）を噴射する電磁弁に高温水噴射電磁弁（８７Ｃｄ）を使用することを特徴とするＥ型エネルギ保存サイクル機関。
【請求項１５９０】
前記電磁加熱縮径ピストン（２２）の拡径部に超臨界圧力高温水（５２ｂ）を噴射する電磁弁に高温水噴射電磁弁（８７Ｃｄ）を使用することを特徴とするエネルギ保存サイクル機関。
【請求項１５９１】
前記電磁加熱縮径ピストン（２２）の拡径部に超臨界圧力高温水（５２ｂ）を噴射する電磁弁に高温水噴射電磁弁（８７Ｄｄ）を使用することを特徴とするＨ型エネルギ保存サイクル機関。
【請求項１５９２】
前記電磁加熱縮径ピストン（２２）の拡径部に超臨界圧力高温水（５２ｂ）を噴射する電磁弁に高温水噴射電磁弁（８７Ｄｄ）を使用することを特徴とするＤ型エネルギ保存サイクル機関。
【請求項１５９３】
前記電磁加熱縮径ピストン（２２）の拡径部に超臨界圧力高温水（５２ｂ）を噴射する電磁弁に高温水噴射電磁弁（８７Ｄｄ）を使用することを特徴とするＥ型エネルギ保存サイクル機関。
【請求項１５９４】
前記電磁加熱縮径ピストン（２２）の拡径部に超臨界圧力高温水（５２ｂ）を噴射する電磁弁に高温水噴射電磁弁（８７Ｄｄ）を使用することを特徴とするエネルギ保存サイクル機関。
【請求項１５９５】
前記電磁加熱縮径ピストン（２２）の拡径部に高温水（５２ｂ）を噴射する電磁弁に高温水噴射電磁弁（８７Ｃｄ）を使用し、そのノズルを砲身状に長大化することを特徴とするＨ型エネルギ保存サイクル機関。
【請求項１５９６】
前記電磁加熱縮径ピストン（２２）の拡径部に高温水（５２ｂ）を噴射する電磁弁に高温水噴射電磁弁（８７Ｃｄ）を使用し、そのノズルを砲身状に長大化することを特徴とするＤ型エネルギ保存サイクル機関。
【請求項１５９７】
前記電磁加熱縮径ピストン（２２）の拡径部に高温水（５２ｂ）を噴射する電磁弁に高温水噴射電磁弁（８７Ｃｄ）を使用し、そのノズルを砲身状に長大化することを特徴とするＥ型エネルギ保存サイクル機関。
【請求項１５９８】
前記電磁加熱縮径ピストン（２２）の拡径部に高温水（５２ｂ）を噴射する電磁弁に高温水噴射電磁弁（８７Ｃｄ）を使用し、そのノズルを砲身状に長大化することを特徴とするエネルギ保存サイクル機関。
【請求項１５９９】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化することを特徴とするＨ型エネルギ保存サイクル機関。
【請求項１６００】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化することを特徴とするＤ型エネルギ保存サイクル機関。
【請求項１６０１】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化することを特徴とするＥ型エネルギ保存サイクル機関。
【請求項１６０２】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化することを特徴とするエネルギ保存サイクル機関。
【請求項１６０３】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化することを特徴とするＨ型エネルギ保存サイクル機関。
【請求項１６０４】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化することを特徴とするＤ型エネルギ保存サイクル機関。
【請求項１６０５】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化することを特徴とするＥ型エネルギ保存サイクル機関。
【請求項１６０６】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化することを特徴とするエネルギ保存サイクル機関。
【請求項１６０７】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化することを特徴とするＨ型エネルギ保存サイクル機関。
【請求項１６０８】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化することを特徴とするＤ型エネルギ保存サイクル機関。
【請求項１６０９】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化することを特徴とするＥ型エネルギ保存サイクル機関。
【請求項１６１０】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化することを特徴とするエネルギ保存サイクル機関。
【請求項１６１１】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化することを特徴とするＨ型エネルギ保存サイクル機関。
【請求項１６１２】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化することを特徴とするＤ型エネルギ保存サイクル機関。
【請求項１６１３】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化することを特徴とするＥ型エネルギ保存サイクル機関。
【請求項１６１４】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化することを特徴とするエネルギ保存サイクル機関。
【請求項１６１５】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化することを特徴とするＨ型エネルギ保存サイクル機関。
【請求項１６１６】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化することを特徴とするＤ型エネルギ保存サイクル機関。
【請求項１６１７】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化することを特徴とするＥ型エネルギ保存サイクル機関。
【請求項１６１８】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化することを特徴とするエネルギ保存サイクル機関。
【請求項１６１９】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化することを特徴とするＨ型エネルギ保存サイクル機関。
【請求項１６２０】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化することを特徴とするＤ型エネルギ保存サイクル機関。
【請求項１６２１】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化することを特徴とするＥ型エネルギ保存サイクル機関。
【請求項１６２２】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化することを特徴とするエネルギ保存サイクル機関。
【請求項１６２３】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化することを特徴とするＨ型エネルギ保存サイクル機関。
【請求項１６２４】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化することを特徴とするＤ型エネルギ保存サイクル機関。
【請求項１６２５】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化することを特徴とするＥ型エネルギ保存サイクル機関。
【請求項１６２６】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化することを特徴とするエネルギ保存サイクル機関。
【請求項１６２７】
前記電磁加熱縮径ピストン（２２）の拡径部に高温水（５２ｂ）を噴射する電磁弁に高温水噴射電磁弁（８７Ｃｄ）を使用し、そのノズルを砲身状に長大化して加熱高温手段（１０１）に挿入することを特徴とするＨ型エネルギ保存サイクル機関。
【請求項１６２８】
前記電磁加熱縮径ピストン（２２）の拡径部に高温水（５２ｂ）を噴射する電磁弁に高温水噴射電磁弁（８７Ｃｄ）を使用し、そのノズルを砲身状に長大化して加熱高温手段（１０１）に挿入することを特徴とするＤ型エネルギ保存サイクル機関。
【請求項１６２９】
前記電磁加熱縮径ピストン（２２）の拡径部に高温水（５２ｂ）を噴射する電磁弁に高温水噴射電磁弁（８７Ｃｄ）を使用し、そのノズルを砲身状に長大化して加熱高温手段（１０１）に挿入することを特徴とするＥ型エネルギ保存サイクル機関。
【請求項１６３０】
前記電磁加熱縮径ピストン（２２）の拡径部に高温水（５２ｂ）を噴射する電磁弁に高温水噴射電磁弁（８７Ｃｄ）を使用し、そのノズルを砲身状に長大化して加熱高温手段（１０１）に挿入することを特徴とするエネルギ保存サイクル機関。
【請求項１６３１】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化して加熱高温手段（１０１）に挿入することを特徴とするＨ型エネルギ保存サイクル機関。
【請求項１６３２】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化して加熱高温手段（１０１）に挿入することを特徴とするＤ型エネルギ保存サイクル機関。
【請求項１６３３】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化して加熱高温手段（１０１）に挿入することを特徴とするＥ型エネルギ保存サイクル機関。
【請求項１６３４】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化して加熱高温手段（１０１）に挿入することを特徴とするエネルギ保存サイクル機関。
【請求項１６３５】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化して加熱高温手段（１０１）に挿入することを特徴とするＨ型エネルギ保存サイクル機関。
【請求項１６３６】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化して加熱高温手段（１０１）に挿入することを特徴とするＤ型エネルギ保存サイクル機関。
【請求項１６３７】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化して加熱高温手段（１０１）に挿入することを特徴とするＥ型エネルギ保存サイクル機関。
【請求項１６３８】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化して加熱高温手段（１０１）に挿入することを特徴とするエネルギ保存サイクル機関。
【請求項１６３９】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化して加熱高温手段（１０１）に挿入することを特徴とするＨ型エネルギ保存サイクル機関。
【請求項１６４０】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化して加熱高温手段（１０１）に挿入することを特徴とするＤ型エネルギ保存サイクル機関。
【請求項１６４１】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化して加熱高温手段（１０１）に挿入することを特徴とするＥ型エネルギ保存サイクル機関。
【請求項１６４２】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化して加熱高温手段（１０１）に挿入することを特徴とするエネルギ保存サイクル機関。
【請求項１６４３】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化して加熱高温手段（１０１）に挿入することを特徴とするＨ型エネルギ保存サイクル機関。
【請求項１６４４】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化して加熱高温手段（１０１）に挿入することを特徴とするＤ型エネルギ保存サイクル機関。
【請求項１６４５】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化して加熱高温手段（１０１）に挿入することを特徴とするＥ型エネルギ保存サイクル機関。
【請求項１６４６】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化して加熱高温手段（１０１）に挿入することを特徴とするエネルギ保存サイクル機関。
【請求項１６４７】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化して加熱高温手段（１０１）に挿入することを特徴とするＨ型エネルギ保存サイクル機関。
【請求項１６４８】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化して加熱高温手段（１０１）に挿入することを特徴とするＤ型エネルギ保存サイクル機関。
【請求項１６４９】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化して加熱高温手段（１０１）に挿入することを特徴とするＥ型エネルギ保存サイクル機関。
【請求項１６５０】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化して加熱高温手段（１０１）に挿入することを特徴とするエネルギ保存サイクル機関。
【請求項１６５１】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化して加熱高温手段（１０１）に挿入することを特徴とするＨ型エネルギ保存サイクル機関。
【請求項１６５２】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化して加熱高温手段（１０１）に挿入することを特徴とするＤ型エネルギ保存サイクル機関。
【請求項１６５３】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化して加熱高温手段（１０１）に挿入することを特徴とするＥ型エネルギ保存サイクル機関。
【請求項１６５４】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化して加熱高温手段（１０１）に挿入することを特徴とするエネルギ保存サイクル機関。
【請求項１６５５】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化して加熱高温手段（１０１）に挿入することを特徴とするＨ型エネルギ保存サイクル機関。
【請求項１６５６】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化して加熱高温手段（１０１）に挿入することを特徴とするＤ型エネルギ保存サイクル機関。
【請求項１６５７】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化して加熱高温手段（１０１）に挿入することを特徴とするＥ型エネルギ保存サイクル機関。
【請求項１６５８】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化して加熱高温手段（１０１）に挿入することを特徴とするエネルギ保存サイクル機関。
【請求項１６５９】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化して内部螺旋溝を設けて加熱高温手段（１０１）に挿入することを特徴とするＨ型エネルギ保存サイクル機関。
【請求項１６６０】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化して内部螺旋溝を設けて加熱高温手段（１０１）に挿入することを特徴とするＤ型エネルギ保存サイクル機関。
【請求項１６６１】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化して内部螺旋溝を設けて加熱高温手段（１０１）に挿入することを特徴とするＥ型エネルギ保存サイクル機関。
【請求項１６６２】
前記電磁加熱縮径ピストン（２２）の拡径部に高温水（５２ｂ）を噴射する電磁弁に高温水噴射電磁弁（８７Ｃｄ）を使用し、そのノズルを末広砲身状に長大化して内部螺旋溝を設けて加熱高温手段（１０１）に挿入することを特徴とするエネルギ保存サイクル機関。
【請求項１６６３】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化して内部螺旋溝を設けて加熱高温手段（１０１）に挿入することを特徴とするＨ型エネルギ保存サイクル機関。
【請求項１６６４】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化して内部螺旋溝を設けて加熱高温手段（１０１）に挿入することを特徴とするＤ型エネルギ保存サイクル機関。
【請求項１６６５】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化して内部螺旋溝を設けて加熱高温手段（１０１）に挿入することを特徴とするＥ型エネルギ保存サイクル機関。
【請求項１６６６】
前記電磁加熱縮径ピストン（２２）の拡径部に高温水（５２ｂ）を噴射する電磁弁に高温水噴射電磁弁（８７Ｄｄ）を使用し、そのノズルを砲身状に長大化して内部螺旋溝を設けて加熱高温手段（１０１）に挿入することを特徴とするエネルギ保存サイクル機関。
【請求項１６６７】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化して内部螺旋溝を設けて加熱高温手段（１０１）に挿入することを特徴とするＨ型エネルギ保存サイクル機関。
【請求項１６６８】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化して内部螺旋溝を設けて加熱高温手段（１０１）に挿入することを特徴とするＤ型エネルギ保存サイクル機関。
【請求項１６６９】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化して内部螺旋溝を設けて加熱高温手段（１０１）に挿入することを特徴とするＥ型エネルギ保存サイクル機関。
【請求項１６７０】
前記電磁加熱縮径ピストン（２２）の拡径部に高温水（５２ｂ）を噴射する電磁弁に高温水噴射電磁弁（８７Ｄｄ）を使用し、そのノズルを末広砲身状に長大化して内部螺旋溝を設けて加熱高温手段（１０１）に挿入することを特徴とするエネルギ保存サイクル機関。
【請求項１６７１】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化して内部螺旋溝を設けて加熱高温手段（１０１）に挿入することを特徴とするＨ型エネルギ保存サイクル機関。
【請求項１６７２】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化して内部螺旋溝を設けて加熱高温手段（１０１）に挿入することを特徴とするＤ型エネルギ保存サイクル機関。
【請求項１６７３】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化して内部螺旋溝を設けて加熱高温手段（１０１）に挿入することを特徴とするＥ型エネルギ保存サイクル機関。
【請求項１６７４】
前記電磁加熱縮径ピストン（２２）の拡径部に超臨界圧力高温水（５２ｂ）を噴射する電磁弁に高温水噴射電磁弁（８７Ｃｄ）を使用し、そのノズルを砲身状に長大化して内部螺旋溝を設けて加熱高温手段（１０１）に挿入することを特徴とするエネルギ保存サイクル機関。
【請求項１６７５】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化して内部螺旋溝を設けて加熱高温手段（１０１）に挿入することを特徴とするＨ型エネルギ保存サイクル機関。
【請求項１６７６】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化して内部螺旋溝を設けて加熱高温手段（１０１）に挿入することを特徴とするＤ型エネルギ保存サイクル機関。
【請求項１６７７】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化して内部螺旋溝を設けて加熱高温手段（１０１）に挿入することを特徴とするＥ型エネルギ保存サイクル機関。
【請求項１６７８】
前記電磁加熱縮径ピストン（２２）の拡径部に超臨界圧力高温水（５２ｂ）を噴射する電磁弁に高温水噴射電磁弁（８７Ｃｄ）を使用し、そのノズルを末広砲身状に長大化して内部螺旋溝を設けて加熱高温手段（１０１）に挿入することを特徴とするエネルギ保存サイクル機関。
【請求項１６７９】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化して内部螺旋溝を設けて加熱高温手段（１０１）に挿入することを特徴とするＨ型エネルギ保存サイクル機関。
【請求項１６８０】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化して内部螺旋溝を設けて加熱高温手段（１０１）に挿入することを特徴とするＤ型エネルギ保存サイクル機関。
【請求項１６８１】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化して内部螺旋溝を設けて加熱高温手段（１０１）に挿入することを特徴とするＥ型エネルギ保存サイクル機関。
【請求項１６８２】
前記電磁加熱縮径ピストン（２２）の拡径部に超臨界圧力高温水（５２ｂ）を噴射する電磁弁に高温水噴射電磁弁（８７Ｄｄ）を使用し、そのノズルを砲身状に長大化して内部螺旋溝を設けて加熱高温手段（１０１）に挿入することを特徴とするエネルギ保存サイクル機関。
【請求項１６８３】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化して内部螺旋溝を設けて加熱高温手段（１０１）に挿入することを特徴とするＨ型エネルギ保存サイクル機関。
【請求項１６８４】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化して内部螺旋溝を設けて加熱高温手段（１０１）に挿入することを特徴とするＤ型エネルギ保存サイクル機関。
【請求項１６８５】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化して内部螺旋溝を設けて加熱高温手段（１０１）に挿入することを特徴とするＥ型エネルギ保存サイクル機関。
【請求項１６８６】
前記電磁加熱縮径ピストン（２２）の拡径部に超臨界圧力高温水（５２ｂ）を噴射する電磁弁に高温水噴射電磁弁（８７Ｄｄ）を使用し、そのノズルを末広砲身状に長大化して内部螺旋溝を設けて加熱高温手段（１０１）に挿入することを特徴とするエネルギ保存サイクル機関。
【請求項１６８７】
前記電磁加熱縮径ピストン（２２）は、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１６８８】
前記電磁加熱縮径ピストン（２２）は、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１６８９】
前記電磁加熱縮径ピストン（２２）は、電磁加熱拡径部まで拡大したものをＪａ型として、Ｊａ型電磁加熱縮径ピストン（２２）として具備することを特徴とするエネルギ保存サイクル機関。
【請求項１６９０】
前記電磁加熱縮径ピストン（２２）は、電磁加熱拡径部を湾曲部まで拡大したものをＫａ型として、Ｋａ型電磁加熱縮径ピストン（２２）として具備することを特徴とするエネルギ保存サイクル機関。
【請求項１６９１】
前記電磁加熱縮径ピストン（２２）は、拡径ピストン２１にコイル８２を設けて通電し、磁力線の渦電流で加熱高温とし、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１６９２】
前記電磁加熱縮径ピストン（２２）は、拡径ピストン２１にコイル８２を設けて通電し、磁力線の渦電流で加熱高温とし、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１６９３】
前記電磁加熱縮径ピストン（２２）は、拡径ピストン２１にコイル８２を設けて通電し、磁力線の渦電流で加熱高温とし、電磁加熱拡径部まで拡大したものをＪａ型として、Ｊａ型電磁加熱縮径ピストン（２２）として具備することを特徴とするエネルギ保存サイクル機関。
【請求項１６９４】
前記電磁加熱縮径ピストン（２２）は、拡径ピストン２１にコイル８２を設けて通電し、磁力線の渦電流で加熱高温とし、電磁加熱拡径部を湾曲部まで拡大したものをＫａ型として、Ｋａ型電磁加熱縮径ピストン（２２）として具備することを特徴とするエネルギ保存サイクル機関。
【請求項１６９５】
前記電磁加熱縮径ピストン（２２）は、電磁加熱高温にすることを特徴とするエネルギ保存サイクル機関。
【請求項１６９６】
前記電磁加熱縮径ピストン（２２）は、渦電流の電気抵抗により加熱高温にすることを特徴とするエネルギ保存サイクル機関。
【請求項１６９７】
前記電磁加熱縮径ピストン（２２）は、コイル８２の磁力線の渦電流の電気抵抗により加熱高温にすることを特徴とするエネルギ保存サイクル機関。
【請求項１６９８】
前記電磁加熱縮径ピストン（２２）は、電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１６９９】
前記電磁加熱縮径ピストン（２２）は、電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７００】
前記電磁加熱縮径ピストン（２２）は、熱伝導良好な材料で構成して拡径部を電磁加熱高温にすることを特徴とするエネルギ保存サイクル機関。
【請求項１７０１】
前記電磁加熱縮径ピストン（２２）は、熱伝導良好な材料で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７０２】
前記電磁加熱縮径ピストン（２２）は、熱伝導良好な材料で構成して電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７０３】
前記電磁加熱縮径ピストン（２２）は、縮径部を熱伝導良好な材料で構成して拡径部を電磁加熱高温にすることを特徴とするエネルギ保存サイクル機関。
【請求項１７０４】
前記電磁加熱縮径ピストン（２２）は、縮径部をセラミックスで構成して拡径部を電磁加熱高温にすることを特徴とするエネルギ保存サイクル機関。
【請求項１７０５】
前記電磁加熱縮径ピストン（２２）は、縮径部をセラミックスで構成して拡径部を電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７０６】
前記電磁加熱縮径ピストン（２２）は、縮径部をセラミックスで構成して拡径部を電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７０７】
前記電磁加熱縮径ピストン（２２）は、表面をセラミックスの被覆で構成して電磁加熱高温にすることを特徴とするエネルギ保存サイクル機関。
【請求項１７０８】
前記電磁加熱縮径ピストン（２２）は、表面をセラミックスの被覆で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７０９】
前記電磁加熱縮径ピストン（２２）は、表面をセラミックスの被覆で構成して電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７１０】
前記電磁加熱縮径ピストン（２２）は、縮径部表面をセラミックスの被覆で構成して拡径部を電磁加熱高温にすることを特徴とするエネルギ保存サイクル機関。
【請求項１７１１】
前記電磁加熱縮径ピストン（２２）は、縮径部表面をセラミックスの被覆で構成して拡径部を電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７１２】
前記電磁加熱縮径ピストン（２２）は、縮径部表面をセラミックスの被覆で構成して拡径部を電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７１３】
前記電磁加熱縮径ピストン（２２）は、断熱材（３０）を設けて電磁加熱高温にすることを特徴とするエネルギ保存サイクル機関。
【請求項１７１４】
前記電磁加熱縮径ピストン（２２）は、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７１５】
前記電磁加熱縮径ピストン（２２）は、断熱材（３０）を設けて電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７１６】
前記電磁加熱縮径ピストン（２２）は、熱伝導良好な材料で構成して、断熱材（３０）を設けて電磁加熱高温にすることを特徴とするエネルギ保存サイクル機関。
【請求項１７１７】
前記電磁加熱縮径ピストン（２２）は、熱伝導良好な材料で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７１８】
前記電磁加熱縮径ピストン（２２）は、熱伝導良好な材料で構成して、断熱材（３０）を設けて電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７１９】
前記電磁加熱縮径ピストン（２２）は、縮径部を熱伝導良好な材料で構成して、断熱材（３０）を設けて電磁加熱高温にすることを特徴とするエネルギ保存サイクル機関。
【請求項１７２０】
前記電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７２１】
前記電磁加熱縮径ピストン（２２）は、縮径部を熱伝導良好な材料で構成して、断熱材（３０）を設けて電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７２２】
前記電磁加熱縮径ピストン（２２）は、縮径部をセラミックスで構成して、断熱材（３０）を設けて電磁加熱高温にすることを特徴とするエネルギ保存サイクル機関。
【請求項１７２３】
前記電磁加熱縮径ピストン（２２）は、縮径部をセラミックスで構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７２４】
前記電磁加熱縮径ピストン（２２）は、縮径部をセラミックスで構成して、断熱材（３０）を設けて電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７２５】
前記電磁加熱縮径ピストン（２２）は、表面をセラミックスの被覆で構成して、断熱材（３０）を設けて電磁加熱高温にすることを特徴とするエネルギ保存サイクル機関。
【請求項１７２６】
前記電磁加熱縮径ピストン（２２）は、縮径部表面をセラミックスの被覆で構成して、断熱材（３０）を設けて電磁加熱高温にすることを特徴とするエネルギ保存サイクル機関。
【請求項１７２７】
前記電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７２８】
前記電磁加熱縮径ピストン（２２）は、縮径部表面をセラミックスの被覆で構成して、断熱材（３０）を設けて電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７２９】
前記Ｈａ型電磁加熱縮径ピストン（２２）は、電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３０】
前記Ｈａ型電磁加熱縮径ピストン（２２）は、電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３１】
前記Ｈａ型電磁加熱縮径ピストン（２２）は、熱伝導良好な材料で構成して電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３２】
前記Ｈａ型電磁加熱縮径ピストン（２２）は、熱伝導良好な材料で構成して電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３３】
前記Ｈａ型電磁加熱縮径ピストン（２２）は、縮径部を熱伝導良好な材料で構成して電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３４】
前記Ｈａ型電磁加熱縮径ピストン（２２）は、縮径部を熱伝導良好な材料で構成して電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３５】
前記Ｈａ型電磁加熱縮径ピストン（２２）は、縮径部をセラミックスで構成して電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３６】
前記Ｈａ型電磁加熱縮径ピストン（２２）は、縮径部をセラミックスで構成して電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３７】
前記Ｈａ型電磁加熱縮径ピストン（２２）は、表面をセラミックスの被覆で構成して電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３８】
前記Ｈａ型電磁加熱縮径ピストン（２２）は、表面をセラミックスの被覆で構成して電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７３９】
前記Ｈａ型電磁加熱縮径ピストン（２２）は、縮径部表面をセラミックスの被覆で構成して電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４０】
前記Ｈａ型電磁加熱縮径ピストン（２２）は、縮径部表面をセラミックスの被覆で構成して電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４１】
前記Ｈａ型電磁加熱縮径ピストン（２２）は、断熱材（３０）を設けて電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４２】
前記Ｈａ型電磁加熱縮径ピストン（２２）は、断熱材（３０）を設けて電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４３】
前記Ｈａ型電磁加熱縮径ピストン（２２）は、熱伝導良好な材料で構成して、断熱材（３０）を設けて電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４４】
前記Ｈａ型電磁加熱縮径ピストン（２２）は、熱伝導良好な材料で構成して、断熱材（３０）を設けて電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４５】
前記Ｈａ型電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４６】
前記Ｈａ型電磁加熱縮径ピストン（２２）は、縮径部を熱伝導良好な材料で構成して、断熱材（３０）を設けて電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４７】
前記Ｈａ型電磁加熱縮径ピストン（２２）は、縮径部をセラミックスで構成して、断熱材（３０）を設けて電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４８】
前記Ｈａ型電磁加熱縮径ピストン（２２）は、縮径部をセラミックスで構成して、断熱材（３０）を設けて電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７４９】
前記Ｈａ型電磁加熱縮径ピストン（２２）は、表面をセラミックスの被覆で構成して、断熱材（３０）を設けて電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７５０】
前記Ｈａ型電磁加熱縮径ピストン（２２）は、表面をセラミックスの被覆で構成して、断熱材（３０）を設けて電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７５１】
前記Ｈａ型電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７５２】
前記Ｈａ型電磁加熱縮径ピストン（２２）は、縮径部表面をセラミックスの被覆で構成して、断熱材（３０）を設けて電磁加熱高温としてシリンダヘッド（１５）の内部に突出して具備した高温水噴射電磁弁（８７Ｃｄ）より直接Ｈａ型電磁加熱縮径ピストン（２２）の拡径部に高温水（５２ｂ）噴射するエネルギ保存サイクル機関。
【請求項１７５３】
前記Ｉａ型電磁加熱縮径ピストン（２２）は、電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７５４】
前記Ｉａ型電磁加熱縮径ピストン（２２）は、電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７５５】
前記Ｉａ型電磁加熱縮径ピストン（２２）は、熱伝導良好な材料で構成して電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７５６】
前記Ｉａ型電磁加熱縮径ピストン（２２）は、熱伝導良好な材料で構成して電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７５７】
前記Ｉａ型電磁加熱縮径ピストン（２２）は、縮径部を熱伝導良好な材料で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項１７５８】
前記Ｉａ型電磁加熱縮径ピストン（２２）は、縮径部を熱伝導良好な材料で構成して電磁加熱高温としてシリンダヘッド（１５）の内部に突出して具備した高温水噴射電磁弁（８７Ｃｄ）より直接電磁加熱縮径ピストン（２２）の拡径部に高温水（５２ｂ）噴射するエネルギ保存サイクル機関。
【請求項１７５９】
前記Ｉａ型電磁加熱縮径ピストン（２２）は、縮径部をセラミックスで構成して電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６０】
前記Ｉａ型電磁加熱縮径ピストン（２２）は、縮径部をセラミックスで構成して電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６１】
前記Ｉａ型電磁加熱縮径ピストン（２２）は、表面をセラミックスの被覆で構成して電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６２】
前記Ｉａ型電磁加熱縮径ピストン（２２）は、縮径部表面をセラミックスの被覆で構成して電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６３】
前記Ｉａ型電磁加熱縮径ピストン（２２）は、断熱材（３０）を設けて電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６４】
前記Ｉａ型電磁加熱縮径ピストン（２２）は、熱伝導良好な材料で構成して、断熱材（３０）を設けて電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６５】
前記Ｉａ型電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６６】
前記Ｉａ型電磁加熱縮径ピストン（２２）は、縮径部をセラミックスで構成して、断熱材（３０）を設けて電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６７】
前記Ｉａ型電磁加熱縮径ピストン（２２）は、表面をセラミックスの被覆で構成して、断熱材（３０）を設けて電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６８】
前記Ｉａ型電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７６９】
前記Ｊａ型電磁加熱縮径ピストン（２２）は、電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７０】
前記Ｊａ型電磁加熱縮径ピストン（２２）は、熱伝導良好な材料で構成して電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７１】
前記Ｊａ型電磁加熱縮径ピストン（２２）は、縮径部を熱伝導良好な材料で構成して電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７２】
前記Ｊａ型電磁加熱縮径ピストン（２２）は、縮径部をセラミックスで構成して電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７３】
前記Ｊａ型電磁加熱縮径ピストン（２２）は、表面をセラミックスの被覆で構成して電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７４】
前記Ｊａ型電磁加熱縮径ピストン（２２）は、縮径部表面をセラミックスの被覆で構成して電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７５】
前記Ｊａ型電磁加熱縮径ピストン（２２）は、断熱材（３０）を設けて電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７６】
前記Ｊａ型電磁加熱縮径ピストン（２２）は、熱伝導良好な材料で構成して、断熱材（３０）を設けて電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７７】
前記Ｊａ型電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７８】
前記Ｊａ型電磁加熱縮径ピストン（２２）は、縮径部をセラミックスで構成して、断熱材（３０）を設けて電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７７９】
前記Ｊａ型電磁加熱縮径ピストン（２２）は、表面をセラミックスの被覆で構成して、断熱材（３０）を設けて電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７８０】
前記Ｊａ型電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１７８１】
前記Ｋａ型電磁加熱縮径ピストン（２２）は、電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７８２】
前記Ｋａ型電磁加熱縮径ピストン（２２）は、熱伝導良好な材料で構成して電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７８３】
前記Ｋａ型電磁加熱縮径ピストン（２２）は、縮径部を熱伝導良好な材料で構成して電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７８４】
前記Ｋａ型電磁加熱縮径ピストン（２２）は、縮径部をセラミックスで構成して電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７８５】
前記Ｋａ型電磁加熱縮径ピストン（２２）は、表面をセラミックスの被覆で構成して電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７８６】
前記Ｋａ型電磁加熱縮径ピストン（２２）は、縮径部表面をセラミックスの被覆で構成して電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７８７】
前記Ｋａ型電磁加熱縮径ピストン（２２）は、断熱材（３０）を設けて電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７８８】
前記Ｋａ型電磁加熱縮径ピストン（２２）は、熱伝導良好な材料で構成して、断熱材（３０）を設けて電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７８９】
前記Ｋａ型電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７９０】
前記Ｋａ型電磁加熱縮径ピストン（２２）は、縮径部をセラミックスで構成して、断熱材（３０）を設けて電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７９１】
前記Ｋａ型電磁加熱縮径ピストン（２２）は、表面をセラミックスの被覆で構成して、断熱材（３０）を設けて電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７９２】
前記Ｋａ型電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１７９３】
前記Ｉａ型電磁加熱縮径ピストン（２２）は、表面をセラミックスの被覆で構成して電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７９４】
前記Ｉａ型電磁加熱縮径ピストン（２２）は、縮径部表面をセラミックスの被覆で構成して電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７９５】
前記Ｉａ型電磁加熱縮径ピストン（２２）は、断熱材（３０）を設けて電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７９６】
前記Ｉａ型電磁加熱縮径ピストン（２２）は、熱伝導良好な材料で構成して、断熱材（３０）を設けて電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７９７】
前記Ｉａ型電磁加熱縮径ピストン（２２）は、縮径部を熱伝導良好な材料で構成して、断熱材（３０）を設けて電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７９８】
前記Ｉａ型電磁加熱縮径ピストン（２２）は、縮径部をセラミックスで構成して、断熱材（３０）を設けて電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１７９９】
前記Ｉａ型電磁加熱縮径ピストン（２２）は、表面をセラミックスの被覆で構成して、断熱材（３０）を設けて電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１８００】
前記Ｉａ型電磁加熱縮径ピストン（２２）は、縮径部表面をセラミックスの被覆で構成して、断熱材（３０）を設けて電磁加熱高温としてシリンダヘッド（１５）の内部に突出して具備した高温水噴射電磁弁（８７Ｃｄ）より直接Ｉａ型電磁加熱縮径ピストン（２２）の拡径部に高温水（５２ｂ）噴射するエネルギ保存サイクル機関。
【請求項１８０１】
前記Ｊａ型電磁加熱縮径ピストン（２２）は、電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８０２】
前記Ｊａ型電磁加熱縮径ピストン（２２）は、熱伝導良好な材料で構成して電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８０３】
前記Ｊａ型電磁加熱縮径ピストン（２２）は、縮径部を熱伝導良好な材料で構成して電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８０４】
前記Ｊａ型電磁加熱縮径ピストン（２２）は、縮径部をセラミックスで構成して電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８０５】
前記Ｊａ型電磁加熱縮径ピストン（２２）は、表面をセラミックスの被覆で構成して電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８０６】
前記Ｊａ型電磁加熱縮径ピストン（２２）は、縮径部表面をセラミックスの被覆で構成して電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８０７】
前記Ｊａ型電磁加熱縮径ピストン（２２）は、断熱材（３０）を設けて電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８０８】
前記Ｊａ型電磁加熱縮径ピストン（２２）は、熱伝導良好な材料で構成して、断熱材（３０）を設けて電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８０９】
前記Ｊａ型電磁加熱縮径ピストン（２２）は、縮径部を熱伝導良好な材料で構成して、断熱材（３０）を設けて電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８１０】
前記Ｊａ型電磁加熱縮径ピストン（２２）は、縮径部をセラミックスで構成して、断熱材（３０）を設けて電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８１１】
前記Ｊａ型電磁加熱縮径ピストン（２２）は、表面をセラミックスの被覆で構成して、断熱材（３０）を設けて電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８１２】
前記Ｊａ型電磁加熱縮径ピストン（２２）は、縮径部表面をセラミックスの被覆で構成して、断熱材（３０）を設けて電磁加熱高温としてシリンダヘッド（１５）の内部に突出して具備した高温水噴射電磁弁（８７Ｃｄ）より直接Ｊａ型電磁加熱縮径ピストン（２２）の拡径部に高温水（５２ｂ）噴射するエネルギ保存サイクル機関。
【請求項１８１３】
前記Ｋａ型電磁加熱縮径ピストン（２２）は、電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８１４】
前記Ｋａ型電磁加熱縮径ピストン（２２）は、熱伝導良好な材料で構成して電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８１５】
前記Ｋａ型電磁加熱縮径ピストン（２２）は、縮径部を熱伝導良好な材料で構成して電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８１６】
前記Ｋａ型電磁加熱縮径ピストン（２２）は、縮径部をセラミックスで構成して電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８１７】
前記Ｋａ型電磁加熱縮径ピストン（２２）は、表面をセラミックスの被覆で構成して電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８１８】
前記Ｋａ型電磁加熱縮径ピストン（２２）は、縮径部表面をセラミックスの被覆で構成して電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８１９】
前記Ｋａ型電磁加熱縮径ピストン（２２）は、断熱材（３０）を設けて電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８２０】
前記Ｋａ型電磁加熱縮径ピストン（２２）は、熱伝導良好な材料で構成して、断熱材（３０）を設けて電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８２１】
前記Ｋａ型電磁加熱縮径ピストン（２２）は、縮径部を熱伝導良好な材料で構成して、断熱材（３０）を設けて電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８２２】
前記Ｋａ型電磁加熱縮径ピストン（２２）は、縮径部をセラミックスで構成して、断熱材（３０）を設けて電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８２３】
前記Ｋａ型電磁加熱縮径ピストン（２２）は、表面をセラミックスの被覆で構成して、断熱材（３０）を設けて電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８２４】
前記Ｋａ型電磁加熱縮径ピストン（２２）は、縮径部表面をセラミックスの被覆で構成して、断熱材（３０）を設けて電磁加熱高温としてシリンダヘッド（１５）の内部に突出して具備した高温水噴射電磁弁（８７Ｃｄ）より直接Ｋａ型電磁加熱縮径ピストン（２２）の拡径部に高温水（５２ｂ）噴射するエネルギ保存サイクル機関。
【請求項１８２５】
前記高温水噴射電磁弁（８７Ｃｃ）は縮径主燃焼室熱交換器（２）に連絡することを特徴とするエネルギ保存サイクル機関。
【請求項１８２６】
前記高温水噴射電磁弁（８７Ｃｃ）は縮径主燃焼室熱交換器（２）の１以上複数の導水管（３）に連絡することを特徴とするエネルギ保存サイクル機関。
【請求項１８２７】
前記高温水噴射電磁弁（８７Ｃｄ）のノズルを挿入する加熱高温手段（１０１）は電磁弁装着部（９３ａ）に断熱材（３０）を介して具備することを特徴とするエネルギ保存サイクル機関。
【請求項１８２８】
前記高温水噴射電磁弁（８７Ｄｄ）のノズルを挿入する加熱高温手段（１０１）は電磁弁装着部（９３ａ）に断熱材（３０）を介して具備することを特徴とするエネルギ保存サイクル機関。
【請求項１８２９】
前記高温水噴射電磁弁（８７Ｃｄ）のノズルを挿入する加熱高温手段（１０１）は電気抵抗により加熱高温にすることを特徴とするエネルギ保存サイクル機関。
【請求項１８３０】
前記高温水噴射電磁弁（８７Ｄｄ）のノズルを挿入する加熱高温手段（１０１）は電気抵抗により加熱高温にすることを特徴とするエネルギ保存サイクル機関。
【請求項１８３１】
前記高温水噴射電磁弁（８７Ｃｄ）のノズルを挿入する加熱高温手段（１０１）は電磁加熱高温にすることを特徴とするエネルギ保存サイクル機関。
【請求項１８３２】
前記高温水噴射電磁弁（８７Ｄｄ）のノズルを挿入する加熱高温手段（１０１）は電磁加熱高温にすることを特徴とするエネルギ保存サイクル機関。
【請求項１８３３】
前記高温水噴射電磁弁（８７Ｃｄ）は縮径主燃焼室熱交換器（２）に連絡することを特徴とするエネルギ保存サイクル機関。
【請求項１８３４】
前記高温水噴射電磁弁（８７Ｄｄ）は縮径主燃焼室熱交換器（２）に連絡することを特徴とするエネルギ保存サイクル機関。
【請求項１８３５】
前記高温水噴射電磁弁（８７Ｃｄ）は縮径主燃焼室熱交換器（２）の１以上複数の導水管（３）に連絡することを特徴とするエネルギ保存サイクル機関。
【請求項１８３６】
前記高温水噴射電磁弁（８７Ｃｃ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用することを特徴とするエネルギ保存サイクル機関。
【請求項１８３７】
前記高温水噴射電磁弁（８７Ｃｄ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用することを特徴とするエネルギ保存サイクル機関。
【請求項１８３８】
前記高温水噴射電磁弁（８７Ｄｃ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用することを特徴とするエネルギ保存サイクル機関。
【請求項１８３９】
前記高温水噴射電磁弁（８７Ｄｄ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用することを特徴とするエネルギ保存サイクル機関。
【請求項１８４０】
前記高温水噴射電磁弁（８７Ｃｃ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備することを特徴とするエネルギ保存サイクル機関。
【請求項１８４１】
前記高温水噴射電磁弁（８７Ｃｄ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備することを特徴とするエネルギ保存サイクル機関。
【請求項１８４２】
前記高温水噴射電磁弁（８７Ｄｃ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備することを特徴とするエネルギ保存サイクル機関。
【請求項１８４３】
前記高温水噴射電磁弁（８７Ｄｄ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備することを特徴とするエネルギ保存サイクル機関。
【請求項１８４４】
前記高温水噴射電磁弁（８７Ｃｃ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備して冷却可能に入口送水路（７９）及び出口送水路（７９）を具備することを特徴とするエネルギ保存サイクル機関。
【請求項１８４５】
前記高温水噴射電磁弁（８７Ｃｄ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備して冷却可能に入口送水路（７９）及び出口送水路（７９）を具備することを特徴とするエネルギ保存サイクル機関。
【請求項１８４６】
前記高温水噴射電磁弁（８７Ｄｃ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備して冷却可能に入口送水路（７９）及び出口送水路（７９）を具備することを特徴とするエネルギ保存サイクル機関。
【請求項１８４７】
前記高温水噴射電磁弁（８７Ｄｄ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備して冷却可能に入口送水路（７９）及び出口送水路（７９）を具備することを特徴とするエネルギ保存サイクル機関。
【請求項１８４８】
前記高温水噴射電磁弁（８７Ｃｃ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備して冷却可能に入口送水路（７９）及び出口送水路（７９）を具備することを特徴とするエネルギ保存サイクル機関。
【請求項１８４９】
前記高温水噴射電磁弁（８７Ｃｄ）は外箱（７７）に複数の電磁石（５８）を固着して夫々のコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備し、冷却可能に入口送水路（７９）及び出口送水路（７９）を具備することを特徴とするエネルギ保存サイクル機関。
【請求項１８５０】
前記高温水噴射電磁弁（８７Ｄｃ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備して冷却可能に入口送水路（７９）及び出口送水路（７９）を具備することを特徴とするエネルギ保存サイクル機関。
【請求項１８５１】
前記高温水噴射電磁弁（８７Ｄｄ）は外箱（７７）に電磁石（５８）を固着してコイル（８２）の電流方向を逆転可能に具備し、弁棒（２３）に固着して電磁石（５８）に吸引反発可能に複数の棒磁石（５７）を使用し、下部に断熱壁（９０）を介して冷却室（９１）を具備して冷却可能に入口送水路（７９）及び出口送水路（７９）を具備することを特徴とするエネルギ保存サイクル機関。
【請求項１８５２】
前記高温水噴射電磁弁（８７Ｃｃ）は縮径主燃焼室兼熱交換器（１）の電磁弁装着部（９３）に固着することを特徴とするエネルギ保存サイクル機関。
【請求項１８５３】
前記高温水噴射電磁弁（８７Ｃｄ）は電磁弁装着部（９３ａ）の円筒端部に固着することを特徴とするエネルギ保存サイクル機関。
【請求項１８５４】
前記高温水噴射電磁弁（８７Ｃｃ）は縮径主燃焼室兼熱交換器（１）の電磁弁装着部（９３）に固着し、縮径主燃焼室熱交換器（２）に連絡することを特徴とするエネルギ保存サイクル機関。
【請求項１８５５】
前記高温水噴射電磁弁（８７Ｃｄ）は電磁弁装着部（９３ａ）の円筒端部に固着し、縮径主燃焼室熱交換器（２）に連絡することを特徴とするエネルギ保存サイクル機関。
【請求項１８５６】
前記高温水噴射電磁弁（８７Ｃｃ）は縮径主燃焼室兼熱交換器（１）の電磁弁装着部（９３）に固着し、縮径主燃焼室熱交換器（２）の１以上複数の導水管（３）に連絡することを特徴とするエネルギ保存サイクル機関。
【請求項１８５７】
前記高温水噴射電磁弁（８７Ｃｄ）は電磁弁装着部（９３ａ）の円筒端部に固着し、縮径主燃焼室熱交換器（２）の１以上複数の導水管（３）に連絡することを特徴とするエネルギ保存サイクル機関。
【請求項１８５８】
前記高温水噴射電磁弁（８７Ｃｃ）は縮径主燃焼室兼熱交換器（１）の電磁弁装着部（９３）にボルト締め固着し、縮径主燃焼室熱交換器（２）の１以上複数の導水管（３）に連絡することを特徴とするエネルギ保存サイクル機関。
【請求項１８５９】
前記高温水噴射電磁弁（８７Ｃｄ）は電磁弁装着部（９３ａ）の円筒端部にボルト締め固着し、縮径主燃焼室熱交換器（２）の１以上複数の導水管（３）に連絡することを特徴とするエネルギ保存サイクル機関。
【請求項１８６０】
前記高温水噴射電磁弁（８７Ｃｃ）は縮径主燃焼室兼熱交換器（１）の電磁弁装着部（９３）にねじ締め固着し、縮径主燃焼室熱交換器（２）の１以上複数の導水管（３）に連絡することを特徴とするエネルギ保存サイクル機関。
【請求項１８６１】
前記高温水噴射電磁弁（８７Ｃｄ）は電磁弁装着部（９３ａ）の円筒端部にねじ締め固着し、縮径主燃焼室熱交換器（２）の１以上複数の導水管（３）に連絡することを特徴とするエネルギ保存サイクル機関。
【請求項１８６２】
前記高温水噴射電磁弁（８７Ｃｃ）は縮径主燃焼室兼熱交換器（１）の電磁弁装着部（９３）に固着し、縮径主燃焼室熱交換器（２）の１以上複数の導水管（３）に連絡して高温水を高温水溜（９５）に導入することを特徴とするエネルギ保存サイクル機関。
【請求項１８６３】
前記高温水噴射電磁弁（８７Ｃｄ）は電磁弁装着部（９３ａ）の円筒端部に固着し、縮径主燃焼室熱交換器（２）の１以上複数の導水管（３）に連絡して高温水を高温水溜（９５）に導入することを特徴とするエネルギ保存サイクル機関。
【請求項１８６４】
前記高温水噴射電磁弁（８７Ｃｃ）は縮径主燃焼室兼熱交換器（１）の電磁弁装着部（９３）に固着し、縮径主燃焼室熱交換器（２）の１以上複数の導水管（３）に連絡して超臨界圧力高温水を高温水溜（９５）に導入することを特徴とするエネルギ保存サイクル機関。
【請求項１８６５】
前記高温水噴射電磁弁（８７Ｃｄ）は電磁弁装着部（９３ａ）の円筒端部に固着し、縮径主燃焼室熱交換器（２）の１以上複数の導水管（３）に連絡して超臨界圧力高温水を高温水溜（９５）に導入することを特徴とするエネルギ保存サイクル機関。
【請求項１８６６】
前記高温水噴射電磁弁（８７Ｃｃ）は通電停止前に閉弁制御し、閉弁装置（９２）を閉弁方向に付勢して停止操作することを特徴とするエネルギ保存サイクル機関。
【請求項１８６７】
前記高温水噴射電磁弁（８７Ｃｃ）は通電停止前に電磁石（５８）を閉弁制御し、閉弁後に閉弁装置（９２）を閉弁制御して停止操作することを特徴とするエネルギ保存サイクル機関。
【請求項１８６８】
前記高温水噴射電磁弁（８７Ｃｄ）は通電停止前に電磁石（５８）を閉弁制御し、閉弁後に閉弁装置（９２）を閉弁制御して停止操作することを特徴とするエネルギ保存サイクル機関。
【請求項１８６９】
前記高温水噴射電磁弁（８７Ｃｄ）は通電停止前に閉弁制御し、閉弁装置（９２）を閉弁方向に付勢して停止操作することを特徴とするエネルギ保存サイクル機関。
【請求項１８７０】
前記高温水噴射電磁弁（８７Ｃｃ）は始動時に閉弁装置（９２）により全開可能にすることを特徴とするエネルギ保存サイクル機関。
【請求項１８７１】
前記高温水噴射電磁弁（８７Ｃｄ）は始動時に閉弁装置（９２）により全開可能にすることを特徴とするエネルギ保存サイクル機関。
【請求項１８７２】
前記高温水噴射電磁弁（８７Ｃｃ）は始動前に閉弁制御を確認し、閉弁装置（９２）により全開可能にすることを特徴とするエネルギ保存サイクル機関。
【請求項１８７３】
前記高温水噴射電磁弁（８７Ｃｄ）は始動前に閉弁制御を確認し、閉弁装置（９２）により全開可能にすることを特徴とするエネルギ保存サイクル機関。
【請求項１８７４】
前記高温水噴射電磁弁（８７Ｃｃ）は始動前に閉弁制御を確認し、閉弁装置（９２）を開弁制御して全開可能にすることを特徴とするエネルギ保存サイクル機関。
【請求項１８７５】
前記高温水噴射電磁弁（８７Ｃｄ）は始動前に閉弁制御を確認し、閉弁装置（９２）を開弁制御して全開可能にすることを特徴とするエネルギ保存サイクル機関。
【請求項１８７６】
前記高温水噴射電磁弁（８７Ｃｃ）は弁棒（２３）を閉弁方向に付勢する発条（９６）を具備することを特徴とするエネルギ保存サイクル機関。
【請求項１８７７】
前記高温水噴射電磁弁（８７Ｃｄ）は弁棒（２３）を閉弁方向に付勢する発条（９６）を具備することを特徴とするエネルギ保存サイクル機関。
【請求項１８７８】
前記高温水噴射電磁弁（８７Ｃｃ）は弁棒（２３）を開弁方向に付勢するとき、夫々の電磁石（５８）の上部を同極は反発する方向に通電して下部を異極は吸引する磁石にすることを特徴とするエネルギ保存サイクル機関。
【請求項１８７９】
前記高温水噴射電磁弁（８７Ｃｄ）は弁棒（２３）を開弁方向に付勢するとき、夫々の電磁石（５８）の上部を同極は反発する方向に通電して下部を異極は吸引する磁石にすることを特徴とするエネルギ保存サイクル機関。
【請求項１８８０】
前記高温水噴射電磁弁（８７Ｄｃ）は縮径主燃焼室兼熱交換器（１）の電磁弁装着部（９３）に固着することを特徴とするエネルギ保存サイクル機関。
【請求項１８８１】
前記高温水噴射電磁弁（８７Ｄｄ）は電磁弁装着部（９３ａ）の円筒端部に固着することを特徴とするエネルギ保存サイクル機関。
【請求項１８８２】
前記高温水噴射電磁弁（８７Ｄｃ）は縮径主燃焼室兼熱交換器（１）の電磁弁装着部（９３）に固着し、縮径主燃焼室熱交換器（２）に連絡することを特徴とするエネルギ保存サイクル機関。
【請求項１８８３】
前記高温水噴射電磁弁（８７Ｄｄ）は電磁弁装着部（９３ａ）の円筒端部に固着し、縮径主燃焼室熱交換器（２）に連絡することを特徴とするエネルギ保存サイクル機関。
【請求項１８８４】
前記高温水噴射電磁弁（８７Ｄｃ）は縮径主燃焼室兼熱交換器（１）の電磁弁装着部（９３）に固着し、縮径主燃焼室熱交換器（２）の１以上複数の導水管（３）に連絡することを特徴とするエネルギ保存サイクル機関。
【請求項１８８５】
前記高温水噴射電磁弁（８７Ｄｄ）は電磁弁装着部（９３ａ）の円筒端部に固着し、縮径主燃焼室熱交換器（２）の１以上複数の導水管（３）に連絡することを特徴とするエネルギ保存サイクル機関。
【請求項１８８６】
前記高温水噴射電磁弁（８７Ｄｃ）は縮径主燃焼室兼熱交換器（１）の電磁弁装着部（９３）にボルト締め固着し、縮径主燃焼室熱交換器（２）の１以上複数の導水管（３）に連絡することを特徴とするエネルギ保存サイクル機関。
【請求項１８８７】
前記高温水噴射電磁弁（８７Ｄｄ）は電磁弁装着部（９３ａ）の円筒端部にボルト締め固着し、縮径主燃焼室熱交換器（２）の１以上複数の導水管（３）に連絡することを特徴とするエネルギ保存サイクル機関。
【請求項１８８８】
前記高温水噴射電磁弁（８７Ｄｃ）は縮径主燃焼室兼熱交換器（１）の電磁弁装着部（９３）にねじ締め固着し、縮径主燃焼室熱交換器（２）の１以上複数の導水管（３）に連絡することを特徴とするエネルギ保存サイクル機関。
【請求項１８８９】
前記高温水噴射電磁弁（８７Ｄｄ）は電磁弁装着部（９３ａ）の円筒端部にねじ締め固着し、縮径主燃焼室熱交換器（２）の１以上複数の導水管（３）に連絡することを特徴とするエネルギ保存サイクル機関。
【請求項１８９０】
前記高温水噴射電磁弁（８７Ｄｃ）は縮径主燃焼室兼熱交換器（１）の電磁弁装着部（９３）に固着し、縮径主燃焼室熱交換器（２）の１以上複数の導水管（３）に連絡して高温水（５２ｂ）を高温水溜（９５）に導入することを特徴とするエネルギ保存サイクル機関。
【請求項１８９１】
前記高温水噴射電磁弁（８７Ｄｄ）は電磁弁装着部（９３ａ）の円筒端部に固着し、縮径主燃焼室熱交換器（２）の１以上複数の導水管（３）に連絡して高温水（５２ｂ）を高温水溜（９５）に導入することを特徴とするエネルギ保存サイクル機関。
【請求項１８９２】
前記高温水噴射電磁弁（８７Ｄｃ）は縮径主燃焼室兼熱交換器（１）の電磁弁装着部（９３）に固着し、縮径主燃焼室熱交換器（２）の１以上複数の導水管（３）に連絡して高温水（５２ｂ）を高温水溜（９５）に導入することを特徴とするエネルギ保存サイクル機関。
【請求項１８９３】
前記高温水噴射電磁弁（８７Ｄｄ）は電磁弁装着部（９３ａ）の円筒端部に固着し、縮径主燃焼室熱交換器（２）の１以上複数の導水管（３）に連絡して高温水（５２ｂ）を高温水溜（９５）に導入することを特徴とするエネルギ保存サイクル機関。
【請求項１８９４】
前記高温水噴射電磁弁（８７Ｄｃ）は縮径主燃焼室兼熱交換器（１）の電磁弁装着部（９３）に固着し、縮径主燃焼室熱交換器（２）の１以上複数の導水管（３）に連絡して超臨界圧力高温水（５２ｂ）を高温水溜（９５）に導入することを特徴とするエネルギ保存サイクル機関。
【請求項１８９５】
前記高温水噴射電磁弁（８７Ｄｄ）は電磁弁装着部（９３ａ）の円筒端部に固着し、縮径主燃焼室熱交換器（２）の１以上複数の導水管（３）に連絡して超臨界圧力高温水（５２ｂ）を高温水溜（９５）に導入することを特徴とするエネルギ保存サイクル機関。
【請求項１８９６】
前記高温水噴射電磁弁（８７Ｄｃ）は通電停止前に閉弁制御し、閉弁装置（９２）を閉弁制御して閉弁方向に付勢して閉弁停止することを特徴とするエネルギ保存サイクル機関。
【請求項１８９７】
前記高温水噴射電磁弁（８７Ｄｄ）は通電停止前に閉弁制御し、閉弁装置（９２）を閉弁制御して閉弁方向に付勢して閉弁停止することを特徴とするエネルギ保存サイクル機関。
【請求項１８９８】
前記高温水噴射電磁弁（８７Ｄｃ）は通電時前に閉弁制御を確認し、閉弁装置（９２）を開弁制御により全開可能にすることを特徴とするエネルギ保存サイクル機関。
【請求項１８９９】
前記高温水噴射電磁弁（８７Ｄｄ）は通電時前に閉弁制御を確認し、閉弁装置（９２）を開弁制御により全開可能にすることを特徴とするエネルギ保存サイクル機関。
【請求項１９００】
前記高温水噴射電磁弁（８７Ｄｃ）は通電時前に閉弁制御を確認し、閉弁装置（９２）を開弁により全開可能にすることを特徴とするエネルギ保存サイクル機関。
【請求項１９０１】
前記高温水噴射電磁弁（８７Ｄｄ）は通電時前に閉弁制御を確認し、閉弁装置（９２）を開弁により全開可能にすることを特徴とするエネルギ保存サイクル機関。
【請求項１９０２】
前記高温水噴射電磁弁（８７Ｄｃ）は通電時前に閉弁制御を確認し、閉弁装置（９２）を開弁制御により全開始動可能にすることを特徴とするエネルギ保存サイクル機関。
【請求項１９０３】
前記高温水噴射電磁弁（８７Ｄｄ）は通電時前に閉弁制御を確認し、閉弁装置（９２）を開弁制御により全開始動可能にすることを特徴とするエネルギ保存サイクル機関。
【請求項１９０４】
前記高温水噴射電磁弁（８７Ｄｃ）は通電時前に閉弁制御を確認し、閉弁装置（９２）を開弁により全開始動可能にすることを特徴とするエネルギ保存サイクル機関。
【請求項１９０５】
前記高温水噴射電磁弁（８７Ｄｄ）は通電時前に閉弁制御を確認し、閉弁装置（９２）を開弁により全開始動可能にすることを特徴とするエネルギ保存サイクル機関。
【請求項１９０６】
前記高温水噴射電磁弁（８７Ｄｃ）は弁棒（２３）を閉弁方向に付勢する発条（９６）を具備することを特徴とするエネルギ保存サイクル機関。
【請求項１９０７】
前記高温水噴射電磁弁（８７Ｄｄ）は弁棒（２３）を閉弁方向に付勢する発条（９６）を具備することを特徴とするエネルギ保存サイクル機関。
【請求項１９０８】
前記高温水噴射電磁弁（８７Ｄｃ）は弁棒（２３）を閉弁方向に付勢するとき、電磁石（５８）の上部を同極は反発する方向に通電して下部を異極は吸引する磁石にすることを特徴とするエネルギ保存サイクル機関。
【請求項１９０９】
前記高温水噴射電磁弁（８７Ｄｄ）は弁棒（２３）を閉弁方向に付勢するとき、電磁石（５８）の上部を同極は反発する方向に通電して下部を異極は吸引する磁石にすることを特徴とするエネルギ保存サイクル機関。
【請求項１９１０】
前記縮径主燃焼室熱交換器（２）は導水管（３）を螺旋環状に具備したことを特徴とするエネルギ保存サイクル機関。
【請求項１９１１】
前記縮径主燃焼室熱交換器（２）は複数の導水管（３）を螺旋環状に具備したことを特徴とするエネルギ保存サイクル機関。
【請求項１９１２】
前記縮径主燃焼室熱交換器（２）は複数の導水管（３）を螺旋環状に具備して、その一部を露出したことを特徴とするエネルギ保存サイクル機関。
【請求項１９１３】
前記縮径主燃焼室熱交換器（２）は複数の導水管（３）を螺旋環状に具備してその一部を露出し、露出部分を任意の螺旋状にしたことを特徴とするエネルギ保存サイクル機関。
【請求項１９１４】
前記縮径主燃焼室熱交換器（２）は導水管（３）を螺旋環状に二重以上具備したことを特徴とするエネルギ保存サイクル機関。
【請求項１９１５】
前記縮径主燃焼室熱交換器（２）は複数の導水管（３）を螺旋環状に二重以上具備したことを特徴とするエネルギ保存サイクル機関。
【請求項１９１６】
前記縮径主燃焼室熱交換器（２）は複数の導水管（３）を螺旋環状に二重以上具備して、その一部を露出したことを特徴とするエネルギ保存サイクル機関。
【請求項１９１７】
前記縮径主燃焼室熱交換器（２）は複数の導水管（３）を螺旋環状に二重以上具備してその一部を露出し、露出部分を任意の螺旋状にしたことを特徴とするエネルギ保存サイクル機関。
【請求項１９１８】
前記縮径主燃焼室熱交換器（２）は導水管（３）を螺旋環状に具備し、終端を高温水噴射電磁弁（８７Ｃｃ）に連絡可能としたことを特徴とするエネルギ保存サイクル機関。
【請求項１９１９】
前記縮径主燃焼室熱交換器（２）は複数の導水管（３）を螺旋環状に具備し、終端を高温水噴射電磁弁（８７Ｃｃ）に連絡可能としたことを特徴とするエネルギ保存サイクル機関。
【請求項１９２０】
前記縮径主燃焼室熱交換器（２）は複数の導水管（３）を螺旋環状に具備し、終端を高温水噴射電磁弁（８７Ｃｃ）に連絡可能として、その一部を露出したことを特徴とするエネルギ保存サイクル機関。
【請求項１９２１】
前記縮径主燃焼室熱交換器（２）は複数の導水管（３）を螺旋環状に具備し、終端を高温水噴射電磁弁（８７Ｃｃ）に連絡可能としてその一部を露出し、露出部分を任意の螺旋状にしたことを特徴とするエネルギ保存サイクル機関。
【請求項１９２２】
前記縮径主燃焼室熱交換器（２）は導水管（３）を螺旋環状に二重以上具備し、終端を高温水噴射電磁弁（８７Ｃｃ）に連絡可能としたことを特徴とするエネルギ保存サイクル機関。
【請求項１９２３】
前記縮径主燃焼室熱交換器（２）は複数の導水管（３）を螺旋環状に二重以上具備し、終端を高温水噴射電磁弁（８７Ｃｃ）に連絡可能としたことを特徴とするエネルギ保存サイクル機関。
【請求項１９２４】
前記縮径主燃焼室熱交換器（２）は複数の導水管（３）を螺旋環状に二重以上具備し、終端を高温水噴射電磁弁（８７Ｃｃ）に連絡可能として、その一部を露出したことを特徴とするエネルギ保存サイクル機関。
【請求項１９２５】
前記縮径主燃焼室熱交換器（２）は複数の導水管（３）を螺旋環状に二重以上具備し、終端を高温水噴射電磁弁（８７Ｃｃ）に連絡可能としてその一部を露出し、露出部分を任意の螺旋状にしたことを特徴とするエネルギ保存サイクル機関。
【請求項１９２６】
前記縮径主燃焼室熱交換器（２）は導水管（３）を螺旋環状に具備し、終端を高温水噴射電磁弁（８７Ｄｃ）に連絡可能としたことを特徴とするエネルギ保存サイクル機関。
【請求項１９２７】
前記縮径主燃焼室熱交換器（２）は複数の導水管（３）を螺旋環状に具備し、終端を高温水噴射電磁弁（８７Ｄｃ）に連絡可能としたことを特徴とするエネルギ保存サイクル機関。
【請求項１９２８】
前記縮径主燃焼室熱交換器（２）は複数の導水管（３）を螺旋環状に具備し、終端を高温水噴射電磁弁（８７Ｄｃ）に連絡可能として、その一部を露出したことを特徴とするエネルギ保存サイクル機関。
【請求項１９２９】
前記縮径主燃焼室熱交換器（２）は複数の導水管（３）を螺旋環状に具備し、終端を高温水噴射電磁弁（８７Ｄｃ）に連絡可能としてその一部を露出し、露出部分を任意の螺旋状にしたことを特徴とするエネルギ保存サイクル機関。
【請求項１９３０】
前記縮径主燃焼室熱交換器（２）は導水管（３）を螺旋環状に二重以上具備し、終端を高温水噴射電磁弁（８７Ｄｃ）に連絡可能としたことを特徴とするエネルギ保存サイクル機関。
【請求項１９３１】
前記縮径主燃焼室熱交換器（２）は複数の導水管（３）を螺旋環状に二重以上具備し、終端を高温水噴射電磁弁（８７Ｄｃ）に連絡可能としたことを特徴とするエネルギ保存サイクル機関。
【請求項１９３２】
前記縮径主燃焼室熱交換器（２）は複数の導水管（３）を螺旋環状に二重以上具備し、終端を高温水噴射電磁弁（８７Ｄｃ）に連絡可能として、その一部を露出したことを特徴とするエネルギ保存サイクル機関。
【請求項１９３３】
前記縮径主燃焼室熱交換器（２）は複数の導水管（３）を螺旋環状に二重以上具備し、終端を高温水噴射電磁弁（８７Ｄｃ）に連絡可能としてその一部を露出し、露出部分を任意の螺旋状にしたことを特徴とするエネルギ保存サイクル機関。
【請求項１９３４】
前記電磁弁装着部（９３）は縮径主燃焼室兼熱交換器（１）に具備することを特徴とするエネルギ保存サイクル機関。
【請求項１９３５】
前記電磁弁装着部（９３ａ）はシリンダヘッド（１５）に具備することを特徴とするエネルギ保存サイクル機関。
【請求項１９３６】
前記電磁弁装着部（９３ａ）はシリンダヘッド（１５）に複数具備することを特徴とするエネルギ保存サイクル機関。
【請求項１９３７】
前記電磁弁装着部（９３ａ）はシリンダヘッド（１５）に多数具備することを特徴とするエネルギ保存サイクル機関。
【請求項１９３８】
前記電磁弁装着部（９３）は導水管（３）に連絡可能としたことを特徴とするエネルギ保存サイクル機関。
【請求項１９３９】
前記電磁弁装着部（９３ａ）は導水管（３）に連絡可能としたことを特徴とするエネルギ保存サイクル機関。
【請求項１９４０】
前記電磁弁装着部（９３）は複数の導水管（３）に連絡可能としたことを特徴とするエネルギ保存サイクル機関。
【請求項１９４１】
前記電磁弁装着部（９３ａ）は複数の導水管（３）に連絡可能としたことを特徴とするエネルギ保存サイクル機関。
【請求項１９４２】
前記電磁弁装着部（９３）は導水管（３）の終端部に連絡したことを特徴とするエネルギ保存サイクル機関。
【請求項１９４３】
前記電磁弁装着部（９３）は複数の導水管（３）の終端部に連絡したことを特徴とするエネルギ保存サイクル機関。
【請求項１９４４】
前記電磁弁装着部（９３）は導水管（３）の高温水終端部に連絡したことを特徴とするエネルギ保存サイクル機関。
【請求項１９４５】
前記電磁弁装着部（９３）は複数の導水管（３）の高温水終端部に連絡したことを特徴とするエネルギ保存サイクル機関。
【請求項１９４６】
前記電磁弁装着部（９３）は導水管（３）の終端部に連絡して、円筒端部に高温水噴射電磁弁（８７Ｃｃ）をボルト締めしたことを特徴とするエネルギ保存サイクル機関。
【請求項１９４７】
前記電磁弁装着部（９３）は複数の導水管（３）の終端部に連絡して、円筒端部に高温水噴射電磁弁（８７Ｃｃ）をボルト締めしたことを特徴とするエネルギ保存サイクル機関。
【請求項１９４８】
前記電磁弁装着部（９３）は導水管（３）の高温水終端部に連絡して、円筒端部に高温水噴射電磁弁（８７Ｃｃ）をボルト締めしたことを特徴とするエネルギ保存サイクル機関。
【請求項１９４９】
前記電磁弁装着部（９３）は複数の導水管（３）の高温水終端部に連絡して、円筒端部に高温水噴射電磁弁（８７Ｃｃ）をボルト締めしたことを特徴とするエネルギ保存サイクル機関。
【請求項１９５０】
前記電磁弁装着部（９３）は導水管（３）の終端部に連絡して、円筒端部に高温水噴射電磁弁（８７Ｄｃ）をボルト締めしたことを特徴とするエネルギ保存サイクル機関。
【請求項１９５１】
前記電磁弁装着部（９３）は複数の導水管（３）の終端部に連絡して、円筒端部に高温水噴射電磁弁（８７Ｄｃ）をボルト締めしたことを特徴とするエネルギ保存サイクル機関。
【請求項１９５２】
前記電磁弁装着部（９３）は導水管（３）の高温水終端部に連絡して、円筒端部に高温水噴射電磁弁（８７Ｄｃ）をボルト締めしたことを特徴とするエネルギ保存サイクル機関。
【請求項１９５３】
前記電磁弁装着部（９３）は複数の導水管（３）の高温水終端部に連絡して、円筒端部に高温水噴射電磁弁（８７Ｄｃ）をボルト締めしたことを特徴とするエネルギ保存サイクル機関。
【請求項１９５４】
前記電磁弁装着部（９３）は導水管（３）の終端部に連絡して、円筒端部に高温水噴射電磁弁（８７Ｃｃ）をねじ込み固着したことを特徴とするエネルギ保存サイクル機関。
【請求項１９５５】
前記電磁弁装着部（９３）は複数の導水管（３）の終端部に連絡して、円筒端部に高温水噴射電磁弁（８７Ｃｃ）をねじ込み固着したことを特徴とするエネルギ保存サイクル機関。
【請求項１９５６】
前記電磁弁装着部（９３）は導水管（３）の高温過熱蒸気終端部に連絡して、円筒端部に高温水噴射電磁弁（８７Ｃｃ）をねじ込み固着したことを特徴とするエネルギ保存サイクル機関。
【請求項１９５７】
前記電磁弁装着部（９３）は複数の導水管（３）の高温過熱蒸気終端部に連絡して、円筒端部に高温水噴射電磁弁（８７Ｃｃ）をねじ込み固着したことを特徴とするエネルギ保存サイクル機関。
【請求項１９５８】
前記電磁弁装着部（９３）は導水管（３）の終端部に連絡して、円筒端部に高温水噴射電磁弁（８７Ｄｃ）をねじ込み固着したことを特徴とするエネルギ保存サイクル機関。
【請求項１９５９】
前記電磁弁装着部（９３）は複数の導水管（３）の終端部に連絡して、円筒端部に高温水噴射電磁弁（８７Ｄｃ）をねじ込み固着したことを特徴とするエネルギ保存サイクル機関。
【請求項１９６０】
前記電磁弁装着部（９３）は導水管（３）の高温水（５２ｂ）終端部に連絡して、円筒端部に高温水噴射電磁弁（８７Ｄｃ）をねじ込み固着したことを特徴とするエネルギ保存サイクル機関。
【請求項１９６１】
前記電磁弁装着部（９３）は複数の導水管（３）の高温水（５２ｂ）終端部に連絡して、円筒端部に高温水噴射電磁弁（８７Ｄｃ）をねじ込み固着したことを特徴とするエネルギ保存サイクル機関。
【請求項１９６２】
前記電磁弁装着部（９３ａ）は導水管（３）の最適高温水（５２ｂ）部に連絡したことを特徴とするエネルギ保存サイクル機関。
【請求項１９６３】
前記電磁弁装着部（９３ａ）は複数の導水管（３）の最適高温水（５２ｂ）部に連絡したことを特徴とするエネルギ保存サイクル機関。
【請求項１９６４】
前記電磁弁装着部（９３ａ）は導水管（３）の最適高温水（５２ｂ）部で分岐して連絡したことを特徴とするエネルギ保存サイクル機関。
【請求項１９６５】
前記電磁弁装着部（９３ａ）は複数の導水管（３）の最適高温水（５２ｂ）部で分岐して連絡したことを特徴とするエネルギ保存サイクル機関。
【請求項１９６６】
前記電磁弁装着部（９３ａ）は導水管（３）の最適高温水（５２ｂ）部で複数に分岐して連絡したことを特徴とするエネルギ保存サイクル機関。
【請求項１９６７】
前記電磁弁装着部（９３ａ）は複数の導水管（３）の最適高温水（５２ｂ）部で複数に分岐して連絡したことを特徴とするエネルギ保存サイクル機関。
【請求項１９６８】
前記電磁弁装着部（９３ａ）は導水管（３）の最適高温水（５２ｂ）部で多数に分岐して連絡したことを特徴とするエネルギ保存サイクル機関。
【請求項１９６９】
前記電磁弁装着部（９３ａ）は複数の導水管（３）の最適高温水（５２ｂ）部で多数に分岐して連絡したことを特徴とするエネルギ保存サイクル機関。
【請求項１９７０】
前記電磁弁装着部（９３ａ）は導水管（３）に連絡可能として、円筒端部に高温水噴射電磁弁（８７Ｃｄ）をボルト締め固着したことを特徴とするエネルギ保存サイクル機関。
【請求項１９７１】
前記電磁弁装着部（９３ａ）は複数の導水管（３）に連絡可能として、円筒端部に高温水噴射電磁弁（８７Ｃｄ）をボルト締め固着したことを特徴とするエネルギ保存サイクル機関。
【請求項１９７２】
前記電磁弁装着部（９３ａ）は導水管（３）に連絡可能として、円筒端部に高温水噴射電磁弁（８７Ｃｄ）をねじ込み固着したことを特徴とするエネルギ保存サイクル機関。
【請求項１９７３】
前記電磁弁装着部（９３ａ）は複数の導水管（３）に連絡可能として、円筒端部に高温水噴射電磁弁（８７Ｃｄ）をねじ込み固着したことを特徴とするエネルギ保存サイクル機関。
【請求項１９７４】
前記電磁弁装着部（９３ａ）は導水管（３）に連絡可能として、円筒端部に高温水噴射電磁弁（８７Ｄｄ）をボルト締め固着したことを特徴とするエネルギ保存サイクル機関。
【請求項１９７５】
前記電磁弁装着部（９３ａ）は複数の導水管（３）に連絡可能として、円筒端部に高温水噴射電磁弁（８７Ｄｄ）をボルト締め固着したことを特徴とするエネルギ保存サイクル機関。
【請求項１９７６】
前記電磁弁装着部（９３ａ）は導水管（３）に連絡可能として、円筒端部に高温水噴射電磁弁（８７Ｄｄ）をねじ込み固着したことを特徴とするエネルギ保存サイクル機関。
【請求項１９７７】
前記電磁弁装着部（９３ａ）は複数の導水管（３）に連絡可能として、円筒端部に高温水噴射電磁弁（８７Ｄｄ）をねじ込み固着したことを特徴とするエネルギ保存サイクル機関。
【請求項１９７８】
前記電磁弁装着部（９３ａ）及び高温水噴射電磁弁（８７Ｄｄ）を具備したことを特徴とするエネルギ保存サイクル機関。
【請求項１９７９】
前記電磁弁装着部（９３ａ）及び高温水噴射電磁弁（８７Ｃｄ）を具備したことを特徴とするエネルギ保存サイクル機関。
【請求項１９８０】
前記電磁弁装着部（９３ａ）及び高温水噴射電磁弁（８７Ｄｄ）を複数具備したことを特徴とするエネルギ保存サイクル機関。
【請求項１９８１】
前記電磁弁装着部（９３ａ）及び高温水噴射電磁弁（８７Ｃｄ）を複数具備したことを特徴とするエネルギ保存サイクル機関。
【請求項１９８２】
前記電磁弁装着部（９３ａ）及び高温水噴射電磁弁（８７Ｄｄ）を具備したことを特徴とするエネルギ保存サイクル機関。
【請求項１９８３】
前記電磁弁装着部（９３ａ）及び高温水噴射電磁弁（８７Ｃｄ）を具備したことを特徴とするエネルギ保存サイクル機関。
【請求項１９８４】
前記電磁弁装着部（９３ａ）及び高温水噴射電磁弁（８７Ｄｄ）を複数具備したことを特徴とするエネルギ保存サイクル機関。
【請求項１９８５】
前記電磁弁装着部（９３ａ）及び高温水噴射電磁弁（８７Ｃｄ）を複数具備したことを特徴とするエネルギ保存サイクル機関。
【請求項１９８６】
前記電磁弁装着部（９３）及び高温水噴射電磁弁（８７Ｄｃ）を具備したことを特徴とするエネルギ保存サイクル機関。
【請求項１９８７】
前記電磁弁装着部（９３）及び高温水噴射電磁弁（８７Ｃｃ）を具備したことを特徴とするエネルギ保存サイクル機関。
【請求項１９８８】
前記嵌入用凹部（８６）を具備した電磁加熱縮径ピストン（２２）は、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１９８９】
前記嵌入用凹部（８６）を具備した電磁加熱縮径ピストン（２２）は、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１９９０】
前記嵌入用凹部（８６）を具備した電磁加熱縮径ピストン（２２）は、電磁加熱拡径部まで拡大したものをＪａ型として、Ｊａ型電磁加熱縮径ピストン（２２）として具備することを特徴とするエネルギ保存サイクル機関。
【請求項１９９１】
前記嵌入用凹部（８６）を具備した電磁加熱縮径ピストン（２２）は、電磁加熱拡径部を湾曲部まで拡大したものをＫａ型として、Ｋａ型電磁加熱縮径ピストン（２２）として具備することを特徴とするエネルギ保存サイクル機関。
【請求項１９９２】
前記ノズル嵌入用凹部（８６）を具備した電磁加熱縮径ピストン（２２）は、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１９９３】
前記ノズル嵌入用凹部（８６）を具備した電磁加熱縮径ピストン（２２）は、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１９９４】
前記ノズル嵌入用凹部（８６）を具備した電磁加熱縮径ピストン（２２）は、電磁加熱拡径部まで拡大したものをＪａ型として、Ｊａ型電磁加熱縮径ピストン（２２）として具備することを特徴とするエネルギ保存サイクル機関。
【請求項１９９５】
前記ノズル嵌入用凹部（８６）を具備した電磁加熱縮径ピストン（２２）は、電磁加熱拡径部を湾曲部まで拡大したものをＫａ型として、Ｋａ型電磁加熱縮径ピストン（２２）として具備することを特徴とするエネルギ保存サイクル機関。
【請求項１９９６】
前記嵌入用凹部（８６）を具備した電磁加熱縮径ピストン（２２）は、拡径ピストン２１にコイル８２を設けて通電し、磁力線の渦電流で加熱高温とし、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項１９９７】
前記嵌入用凹部（８６）を具備した電磁加熱縮径ピストン（２２）は、拡径ピストン２１にコイル８２を設けて通電し、磁力線の渦電流で加熱高温とし、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項１９９８】
前記嵌入用凹部（８６）を具備した電磁加熱縮径ピストン（２２）は、拡径ピストン２１にコイル８２を設けて通電し、磁力線の渦電流で加熱高温とし、電磁加熱拡径部まで拡大したものをＪａ型として、Ｊａ型電磁加熱縮径ピストン（２２）として具備することを特徴とするエネルギ保存サイクル機関。
【請求項１９９９】
前記嵌入用凹部（８６）を具備した電磁加熱縮径ピストン（２２）は、拡径ピストン２１にコイル８２を設けて通電し、磁力線の渦電流で加熱高温とし、電磁加熱拡径部を湾曲部まで拡大したものをＫａ型として、Ｋａ型電磁加熱縮径ピストン（２２）として具備することを特徴とするエネルギ保存サイクル機関。
【請求項２０００】
前記ノズル嵌入用凹部（８６）を具備した電磁加熱縮径ピストン（２２）は、拡径ピストン２１にコイル８２を設けて通電し、磁力線の渦電流で加熱高温とし、電磁加熱拡径部に掃気弁（２６）を設けたものをＨａ型として、Ｈａ型電磁加熱縮径ピストン（２２）として具備することを特徴とするＨ型エネルギ保存サイクル機関。
【請求項２００１】
前記ノズル嵌入用凹部（８６）を具備した電磁加熱縮径ピストン（２２）は、拡径ピストン２１にコイル８２を設けて通電し、磁力線の渦電流で加熱高温とし、電磁加熱拡径部を湾曲部まで拡大して掃気弁（２６）を設けたものをＩａ型として、Ｉａ型電磁加熱縮径ピストン（２２）として具備することを特徴とするＨ型エネルギ保存サイクル機関。
【請求項２００２】
前記ノズル嵌入用凹部（８６）を具備した電磁加熱縮径ピストン（２２）は、拡径ピストン２１にコイル８２を設けて通電し、磁力線の渦電流で加熱高温とし、電磁加熱拡径部まで拡大したものをＪａ型として、Ｊａ型電磁加熱縮径ピストン（２２）として具備することを特徴とするエネルギ保存サイクル機関。
【請求項２００３】
前記ノズル嵌入用凹部（８６）を具備した電磁加熱縮径ピストン（２２）は、拡径ピストン２１にコイル８２を設けて通電し、磁力線の渦電流で加熱高温とし、電磁加熱拡径部を湾曲部まで拡大したものをＫａ型として、Ｋａ型電磁加熱縮径ピストン（２２）として具備することを特徴とするエネルギ保存サイクル機関。
【請求項２００４】
前記嵌入用凹部（８６）を具備した電磁加熱縮径ピストン（２２）は、電磁加熱高温にすることを特徴とするエネルギ保存サイクル機関。
【請求項２００５】
前記ノズル嵌入用凹部（８６）を具備した電磁加熱縮径ピストン（２２）は、電磁加熱高温にすることを特徴とするエネルギ保存サイクル機関。
【請求項２００６】
前記嵌入用凹部（８６）を具備した電磁加熱縮径ピストン（２２）は、電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２００７】
前記ノズル嵌入用凹部（８６）を具備した電磁加熱縮径ピストン（２２）は、電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２００８】
前記嵌入用凹部（８６）を具備した電磁加熱縮径ピストン（２２）は、熱伝導良好な材料で構成して拡径部を電磁加熱高温にすることを特徴とするエネルギ保存サイクル機関。
【請求項２００９】
前記ノズル嵌入用凹部（８６）を具備した電磁加熱縮径ピストン（２２）は、熱伝導良好な材料で構成して拡径部を電磁加熱高温にすることを特徴とするエネルギ保存サイクル機関。
【請求項２０１０】
前記嵌入用凹部（８６）を具備した電磁加熱縮径ピストン（２２）は、熱伝導良好な材料で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０１１】
前記ノズル嵌入用凹部（８６）を具備した電磁加熱縮径ピストン（２２）は、熱伝導良好な材料で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０１２】
前記嵌入用凹部（８６）を具備した電磁加熱縮径ピストン（２２）は、縮径部を熱伝導良好な材料で構成して拡径部を電磁加熱高温にすることを特徴とするエネルギ保存サイクル機関。
【請求項２０１３】
前記ノズル嵌入用凹部（８６）を具備した電磁加熱縮径ピストン（２２）は、縮径部を熱伝導良好な材料で構成して拡径部を電磁加熱高温にすることを特徴とするエネルギ保存サイクル機関。
【請求項２０１４】
前記嵌入用凹部（８６）を具備した電磁加熱縮径ピストン（２２）は、縮径部を熱伝導良好な材料で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０１５】
前記嵌入用凹部（８６）を具備した電磁加熱縮径ピストン（２２）は、縮径部をセラミックスで構成して拡径部を電磁加熱高温にすることを特徴とするエネルギ保存サイクル機関。
【請求項２０１６】
前記ノズル嵌入用凹部（８６）を具備した電磁加熱縮径ピストン（２２）は、縮径部を熱伝導良好な材料で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０１７】
前記ノズル嵌入用凹部（８６）を具備した電磁加熱縮径ピストン（２２）は、縮径部をセラミックスで構成して拡径部を電磁加熱高温にすることを特徴とするエネルギ保存サイクル機関。
【請求項２０１８】
前記嵌入用凹部（８６）を具備した電磁加熱縮径ピストン（２２）は、縮径部をセラミックスで構成して拡径部を電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０１９】
前記ノズル嵌入用凹部（８６）を具備した電磁加熱縮径ピストン（２２）は、縮径部をセラミックスで構成して拡径部を電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０２０】
前記嵌入用凹部（８６）を具備した電磁加熱縮径ピストン（２２）は、表面をセラミックスの被覆で構成して電磁加熱高温にすることを特徴とするエネルギ保存サイクル機関。
【請求項２０２１】
前記ノズル嵌入用凹部（８６）を具備した電磁加熱縮径ピストン（２２）は、表面をセラミックスの被覆で構成して電磁加熱高温にすることを特徴とするエネルギ保存サイクル機関。
【請求項２０２２】
前記嵌入用凹部（８６）を具備した電磁加熱縮径ピストン（２２）は、表面をセラミックスの被覆で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０２３】
前記ノズル嵌入用凹部（８６）を具備した電磁加熱縮径ピストン（２２）は、表面をセラミックスの被覆で構成して電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０２４】
前記嵌入用凹部（８６）を具備した電磁加熱縮径ピストン（２２）は、縮径部表面をセラミックスの被覆で構成して拡径部を電磁加熱高温にすることを特徴とするエネルギ保存サイクル機関。
【請求項２０２５】
前記ノズル嵌入用凹部（８６）を具備した電磁加熱縮径ピストン（２２）は、縮径部表面をセラミックスの被覆で構成して拡径部を電磁加熱高温にすることを特徴とするエネルギ保存サイクル機関。
【請求項２０２６】
前記嵌入用凹部（８６）を具備した電磁加熱縮径ピストン（２２）は、縮径部表面をセラミックスの被覆で構成して拡径部を電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０２７】
前記ノズル嵌入用凹部（８６）を具備した電磁加熱縮径ピストン（２２）は、縮径部表面をセラミックスの被覆で構成して拡径部を電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０２８】
前記嵌入用凹部（８６）を具備した電磁加熱縮径ピストン（２２）は、断熱材（３０）を設けて電磁加熱高温にすることを特徴とするエネルギ保存サイクル機関。
【請求項２０２９】
前記ノズル嵌入用凹部（８６）を具備した電磁加熱縮径ピストン（２２）は、断熱材（３０）を設けて電磁加熱高温にすることを特徴とするエネルギ保存サイクル機関。
【請求項２０３０】
前記嵌入用凹部（８６）を具備した電磁加熱縮径ピストン（２２）は、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０３１】
前記ノズル嵌入用凹部（８６）を具備した電磁加熱縮径ピストン（２２）は、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０３２】
前記嵌入用凹部（８６）を具備した電磁加熱縮径ピストン（２２）は、熱伝導良好な材料で構成して、断熱材（３０）を設けて電磁加熱高温にすることを特徴とするエネルギ保存サイクル機関。
【請求項２０３３】
前記ノズル嵌入用凹部（８６）を具備した電磁加熱縮径ピストン（２２）は、熱伝導良好な材料で構成して、断熱材（３０）を設けて電磁加熱高温にすることを特徴とするエネルギ保存サイクル機関。
【請求項２０３４】
前記嵌入用凹部（８６）を具備した電磁加熱縮径ピストン（２２）は、熱伝導良好な材料で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０３５】
前記ノズル嵌入用凹部（８６）を具備した電磁加熱縮径ピストン（２２）は、熱伝導良好な材料で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０３６】
前記嵌入用凹部（８６）を具備した電磁加熱縮径ピストン（２２）は、縮径部を熱伝導良好な材料で構成して、断熱材（３０）を設けて電磁加熱高温にすることを特徴とするエネルギ保存サイクル機関。
【請求項２０３７】
前記ノズル嵌入用凹部（８６）を具備した電磁加熱縮径ピストン（２２）は、縮径部を熱伝導良好な材料で構成して、断熱材（３０）を設けて電磁加熱高温にすることを特徴とするエネルギ保存サイクル機関。
【請求項２０３８】
前記嵌入用凹部（８６）を具備した電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０３９】
前記ノズル嵌入用凹部（８６）を具備した電磁加熱縮径ピストン（２２）は、縮径部を熱伝導良好な材料で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０４０】
前記嵌入用凹部（８６）を具備した電磁加熱縮径ピストン（２２）は、縮径部をセラミックスで構成して、断熱材（３０）を設けて電磁加熱高温にすることを特徴とするエネルギ保存サイクル機関。
【請求項２０４１】
前記ノズル嵌入用凹部（８６）を具備した電磁加熱縮径ピストン（２２）は、縮径部をセラミックスで構成して、断熱材（３０）を設けて電磁加熱高温にすることを特徴とするエネルギ保存サイクル機関。
【請求項２０４２】
前記嵌入用凹部（８６）を具備した電磁加熱縮径ピストン（２２）は、縮径部をセラミックスで構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０４３】
前記ノズル嵌入用凹部（８６）を具備した電磁加熱縮径ピストン（２２）は、縮径部をセラミックスで構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０４４】
前記嵌入用凹部（８６）を具備した電磁加熱縮径ピストン（２２）は、表面をセラミックスの被覆で構成して、断熱材（３０）を設けて電磁加熱高温にすることを特徴とするエネルギ保存サイクル機関。
【請求項２０４５】
前記ノズル嵌入用凹部（８６）を具備した電磁加熱縮径ピストン（２２）は、表面をセラミックスの被覆で構成して、断熱材（３０）を設けて電磁加熱高温にすることを特徴とするエネルギ保存サイクル機関。
【請求項２０４６】
前記嵌入用凹部（８６）を具備した電磁加熱縮径ピストン（２２）は、表面をセラミックスの被覆で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０４７】
前記嵌入用凹部（８６）を具備した電磁加熱縮径ピストン（２２）は、縮径部表面をセラミックスの被覆で構成して、断熱材（３０）を設けて電磁加熱高温にすることを特徴とするエネルギ保存サイクル機関。
【請求項２０４８】
前記ノズル嵌入用凹部（８６）を具備した電磁加熱縮径ピストン（２２）は、表面をセラミックスの被覆で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０４９】
前記ノズル嵌入用凹部（８６）を具備した電磁加熱縮径ピストン（２２）は、縮径部表面をセラミックスの被覆で構成して、断熱材（３０）を設けて電磁加熱高温にすることを特徴とするエネルギ保存サイクル機関。
【請求項２０５０】
前記嵌入用凹部（８６）を具備した電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０５１】
前記ノズル嵌入用凹部（８６）を具備した電磁加熱縮径ピストン（２２）は、縮径部表面をセラミックスの被覆で構成して、断熱材（３０）を設けて電磁加熱高温としてシリンダヘッド（１５）に具備した高温水噴射電磁弁（８７Ｃｄ）より直接電磁加熱縮径ピストン（２２）の拡径部に高温水（５２ｂ）噴射するエネルギ保存サイクル機関。
【請求項２０５２】
前記シリンダヘッド（１５）に具備して高温水噴射する電磁弁（８７）は、高温水噴射電磁弁（８７Ｃｄ）・高温水噴射電磁弁（８７Ｄｄ）の何れかを使用するエネルギ保存サイクル機関。
【請求項２０５３】
前記シリンダヘッド（１５）に具備して高温水噴射する電磁弁（８７）は、高温水噴射電磁弁（８７Ｃｄ）・高温水噴射電磁弁（８７Ｄｄ）の何れか２以上を使用するエネルギ保存サイクル機関。
【請求項２０５４】
前記エネルギ保存サイクル機関は、動力伝達装置として送水ポンプ兼磁気摩擦動力伝達装置（５５）を具備することを特徴とするエネルギ保存サイクル機関。
【請求項２０５５】
前記エネルギ保存サイクル機関は、動力伝達装置として磁気摩擦動力伝達装置（７６）を具備することを特徴とするエネルギ保存サイクル機関。
【請求項２０５６】
前記エネルギ保存サイクル機関は、動力伝達装置として二重反転磁気摩擦動力伝達装置（８５）を具備することを特徴とするエネルギ保存サイクル機関。
【請求項２０５７】
前記エネルギ保存サイクル機関は、動力伝達装置として二重反転磁気摩擦動力伝達装置（８５）を具備して、大中小型船舶の推進用プロペラを二重反転させることを特徴とするエネルギ保存サイクル機関。
【請求項２０５８】
前記エネルギ保存サイクル機関は、動力伝達装置として二重反転磁気摩擦動力伝達装置（８５）を具備して、大中小型高速船の推進用プロペラを二重反転させることを特徴とするエネルギ保存サイクル機関。
【請求項２０５９】
前記エネルギ保存サイクル機関は、動力伝達装置として二重反転磁気摩擦動力伝達装置（８５）を具備して、大中小型飛行機の推進用プロペラを二重反転させることを特徴とするエネルギ保存サイクル機関。
【請求項２０６０】
前記エネルギ保存サイクル機関は、動力伝達装置として二重反転磁気摩擦動力伝達装置（８５）を具備して、大中小型飛行機の浮上推進用プロペラを二重反転させることを特徴とするエネルギ保存サイクル機関。
【請求項２０６１】
前記エネルギ保存サイクル機関は、動力伝達装置として二重反転磁気摩擦動力伝達装置（８５）を具備して、大中小型ヘリコプターの浮上推進用プロペラを二重反転させることを特徴とするエネルギ保存サイクル機関。
【請求項２０６２】
前記Ｅ型エネルギ保存サイクル機関は、動力伝達装置として送水ポンプ兼磁気摩擦動力伝達装置（５５）を具備して、完全弾性衝突対向往復運動を同期させることを特徴とするエネルギ保存サイクル機関。
【請求項２０６３】
前記Ｅ型エネルギ保存サイクル機関は、動力伝達装置として送水ポンプ兼磁気摩擦動力伝達装置（５５）を具備して、回転方向上流側及び下流側に設けた電磁石（５８）の吸引力を調整して、完全弾性衝突対向往復運動を最適同期させることを特徴とするエネルギ保存サイクル機関。
【請求項２０６４】
前記Ｅ型エネルギ保存サイクル機関は、動力伝達装置として送水ポンプ兼磁気摩擦動力伝達装置（５５）を具備して、回転方向上流側に設けた電磁石（５８）の吸引力を調整して、完全弾性衝突対向往復運動を最適同期させることを特徴とするエネルギ保存サイクル機関。
【請求項２０６５】
前記Ｅ型エネルギ保存サイクル機関は、動力伝達装置として送水ポンプ兼磁気摩擦動力伝達装置（５５）を具備して、回転方向下流側に設けた電磁石（５８）の吸引力を調整して、完全弾性衝突対向往復運動を最適同期させることを特徴とするエネルギ保存サイクル機関。
【請求項２０６６】
前記エネルギ保存サイクル機関は、送水ポンプとして送水ポンプ兼磁気摩擦動力伝達装置（５５）を具備することを特徴とするエネルギ保存サイクル機関。
【請求項２０６７】
前記エネルギ保存サイクル機関は、超高圧少量送水ポンプとして、送水ポンプ兼磁気摩擦動力伝達装置（５５）を具備することを特徴とするエネルギ保存サイクル機関。
【請求項２０６８】
前記送水ポンプ兼磁気摩擦動力伝達装置（５５）により、水を昇圧すると共に超臨界温度等複数温度に加熱して縮径主燃焼室兼熱交換器（１）に噴射し、噴射量を増大して水質量の速度エネルギに変換して動圧及び反動を増大し、電磁加熱高温の電磁加熱縮径ピストン（２２）との間に気化膜を設けて摩擦損失を低減して出力を増大することを特徴とするエネルギ保存サイクル機関。
【請求項２０６９】
前記送水ポンプ兼磁気摩擦動力伝達装置（５５）により、水を多段に昇圧すると共に超臨界温度等複数温度に加熱して縮径主燃焼室兼熱交換器（１）に噴射し、噴射量を増大して水質量の速度エネルギに変換して動圧及び反動を増大し、電磁加熱高温の電磁加熱縮径ピストン（２２）との間に気化膜を設けて摩擦損失を低減して出力を増大することを特徴とするエネルギ保存サイクル機関。
【請求項２０７０】
前記送水ポンプ兼磁気摩擦動力伝達装置（５５）により、水を昇圧すると共に超臨界温度等複数温度に加熱して縮径主燃焼室兼熱交換器（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項２０７１】
前記送水ポンプ兼磁気摩擦動力伝達装置（５５）により、水を昇圧して縮径主燃焼室熱交換器（２）に供給して、超臨界温度等複数温度にして縮径主燃焼室兼熱交換器（１）に噴射し、燃焼ガスを冷却することを特徴とするエネルギ保存サイクル機関。
【請求項２０７２】
前記送水ポンプ兼磁気摩擦動力伝達装置（５５）により、水を昇圧して縮径主燃焼室熱交換器（２）に供給して、超臨界温度等複数温度にして縮径主燃焼室兼熱交換器（１）に噴射し、ＮＯｘ低減燃焼にすることを特徴とするエネルギ保存サイクル機関。
【請求項２０７３】
前記送水ポンプ兼磁気摩擦動力伝達装置（５５）により、水を昇圧して廃熱回収熱交換器（２ａ）及び縮径主燃焼室熱交換器（２）に供給し、超臨界温度等複数温度に加熱して縮径主燃焼室兼熱交換器（１）に噴射し、ＮＯｘ低減燃焼にすることを特徴とするエネルギ保存サイクル機関。
【請求項２０７４】
前記送水ポンプ兼磁気摩擦動力伝達装置（５５）により、動力伝達すると共に送水ポンプ（７５）として昇圧して廃熱回収熱交換器（２ａ）及び縮径主燃焼室熱交換器（２）に供給し、超臨界温度等複数温度に加熱して縮径主燃焼室兼熱交換器（１）に噴射し、ＮＯｘ低減燃焼にすることを特徴とするエネルギ保存サイクル機関。
【請求項２０７５】
前記送水ポンプ兼磁気摩擦動力伝達装置（５５）により、水を昇圧して廃熱回収熱交換器（２ａ）及び縮径主燃焼室熱交換器（２）に供給し、最適温度に加熱して拡径燃焼室（１０）に直接噴射し、噴射量を増大することを特徴とするエネルギ保存サイクル機関。
【請求項２０７６】
前記送水ポンプ兼磁気摩擦動力伝達装置（５５）により、動力伝達すると共に送水ポンプ（７５）として昇圧して廃熱回収熱交換器（２ａ）及び縮径主燃焼室熱交換器（２）に供給し、最適温度に加熱して拡径燃焼室（１０）に直接噴射し、噴射量を増大することを特徴とするエネルギ保存サイクル機関。
【請求項２０７７】
前記送水ポンプ兼磁気摩擦動力伝達装置（５５）により、水を昇圧して超臨界温度等複数温度にして拡径燃焼室（１０）に直接噴射し、噴射量を増大して水質量の速度エネルギに変換して動圧及び反動を増大することを特徴とするエネルギ保存サイクル機関。
【請求項２０７８】
前記送水ポンプ兼磁気摩擦動力伝達装置（５５）により、水を昇圧して超臨界温度等複数温度にして拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減することを特徴とするエネルギ保存サイクル機関。
【請求項２０７９】
前記送水ポンプ兼磁気摩擦動力伝達装置（５５）により、水を昇圧して超臨界温度等複数温度にして拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項２０８０】
前記送水ポンプ兼磁気摩擦動力伝達装置（５５）により、水を昇圧して超臨界温度等複数温度にして拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項２０８１】
前記送水ポンプ兼磁気摩擦動力伝達装置（５５）により、水を昇圧して超臨界温度等複数温度にして拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項２０８２】
前記送水ポンプ兼磁気摩擦動力伝達装置（５５）により、水を昇圧して超臨界温度等複数温度にして拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた安全弁（５４）より圧力水を排水するエネルギ保存サイクル機関。
【請求項２０８３】
前記送水ポンプ兼磁気摩擦動力伝達装置（５５）により、水を昇圧して縮径主燃焼室熱交換器（２）に供給して、超臨界温度等複数温度にして縮径主燃焼室兼熱交換器（１）及び拡径燃焼室（１０）に直接噴射し、燃焼ガスを冷却し出力を増大することを特徴とするエネルギ保存サイクル機関。
【請求項２０８４】
前記送水ポンプ兼磁気摩擦動力伝達装置（５５）により、水を昇圧して縮径主燃焼室熱交換器（２）に供給して、超臨界温度等複数温度にして縮径主燃焼室兼熱交換器（１）及び拡径燃焼室（１０）に直接噴射し、ＮＯｘ低減燃焼及び出力増大することを特徴とするエネルギ保存サイクル機関。
【請求項２０８５】
前記送水ポンプ兼磁気摩擦動力伝達装置（５５）により、水を昇圧して廃熱回収熱交換器（２ａ）及び縮径主燃焼室熱交換器（２）に供給し、超臨界温度等複数温度に加熱して縮径主燃焼室兼熱交換器（１）及び拡径燃焼室（１０）に直接噴射し、ＮＯｘ低減燃焼及び出力増大することを特徴とするエネルギ保存サイクル機関。
【請求項２０８６】
前記送水ポンプ兼磁気摩擦動力伝達装置（５５）により、動力伝達すると共に送水ポンプ（７５）として昇圧して廃熱回収熱交換器（２ａ）及び縮径主燃焼室熱交換器（２）に供給し、超臨界温度等複数温度に加熱して縮径主燃焼室兼熱交換器（１）及び拡径燃焼室（１０）に直接噴射し、ＮＯｘ低減燃焼及び出力増大することを特徴とするエネルギ保存サイクル機関。
【請求項２０８７】
前記送水ポンプ兼磁気摩擦動力伝達装置（５５）により、水を昇圧して廃熱回収熱交換器（２ａ）及び縮径主燃焼室熱交換器（２）に供給し、超臨界温度等複数温度に加熱して縮径主燃焼室兼熱交換器（１）及び拡径燃焼室（１０）に直接噴射し、噴射量を増大することを特徴とするエネルギ保存サイクル機関。
【請求項２０８８】
前記送水ポンプ兼磁気摩擦動力伝達装置（５５）により、動力伝達すると共に送水ポンプ（７５）として昇圧して廃熱回収熱交換器（２ａ）及び縮径主燃焼室熱交換器（２）に供給し、超臨界温度等複数温度に加熱して縮径主燃焼室兼熱交換器（１）及び拡径燃焼室（１０）に直接噴射し、噴射量を増大することを特徴とするエネルギ保存サイクル機関。
【請求項２０８９】
前記送水ポンプ兼磁気摩擦動力伝達装置（５５）により、水を昇圧すると共に超臨界温度等複数温度に加熱して縮径主燃焼室兼熱交換器（１）及び拡径燃焼室（１０）に直接噴射し、噴射量を増大して水質量の速度エネルギに変換して動圧及び反動を増大することを特徴とするエネルギ保存サイクル機関。
【請求項２０９０】
前記送水ポンプ兼磁気摩擦動力伝達装置（５５）により、水を昇圧すると共に超臨界温度等複数温度に加熱して縮径主燃焼室兼熱交換器（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減することを特徴とするエネルギ保存サイクル機関。
【請求項２０９１】
前記送水ポンプ兼磁気摩擦動力伝達装置（５５）により、水を昇圧すると共に超臨界温度等複数温度に加熱して縮径主燃焼室兼熱交換器（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項２０９２】
前記送水ポンプ兼磁気摩擦動力伝達装置（５５）により、水を昇圧すると共に超臨界温度等複数温度に加熱して縮径主燃焼室兼熱交換器（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項２０９３】
前記送水ポンプ兼磁気摩擦動力伝達装置（５５）により、水を昇圧すると共に超臨界温度等複数温度に加熱して縮径主燃焼室兼熱交換器（１）及び拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項２０９４】
前記送水ポンプ兼磁気摩擦動力伝達装置（５５）により、水を昇圧すると共に超臨界温度等複数温度に加熱して縮径主燃焼室兼熱交換器（１）及び拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた安全弁（５４）より圧力水を排水するエネルギ保存サイクル機関。
【請求項２０９５】
前記送水ポンプ兼磁気摩擦動力伝達装置（５５）により水を昇圧して拡径燃焼室（１０）に直接噴射する、高温水噴射電磁弁（８７Ｃｄ）を、１以上設けたエネルギ保存サイクル機関。
【請求項２０９６】
前記送水ポンプ兼磁気摩擦動力伝達装置（５５）により水を昇圧して拡径燃焼室（１０）に直接噴射する、高温水噴射電磁弁（８７Ｃｄ）を、多数設けたエネルギ保存サイクル機関。
【請求項２０９７】
前記送水ポンプ兼磁気摩擦動力伝達装置（５５）により水を昇圧して拡径燃焼室（１０）に直接噴射する、任意の高温水噴射装置を、１以上設けたエネルギ保存サイクル機関。
【請求項２０９８】
前記送水ポンプ兼磁気摩擦動力伝達装置（５５）により水を昇圧して拡径燃焼室（１０）に直接噴射する、任意の高温水噴射装置を、多数設けたエネルギ保存サイクル機関。
【請求項２０９９】
前記送水ポンプ兼二重反転磁気摩擦動力伝達装置（８４）により水を昇圧して拡径燃焼室（１０）に直接噴射する、高温水噴射電磁弁（８７Ｃｄ）を、１以上設けたエネルギ保存サイクル機関。
【請求項２１００】
前記送水ポンプ兼二重反転磁気摩擦動力伝達装置（８４）により水を昇圧して拡径燃焼室（１０）に直接噴射する、高温水噴射電磁弁（８７Ｃｄ）を、多数設けたエネルギ保存サイクル機関。
【請求項２１０１】
前記高温水噴射電磁弁（８７Ｃｃ）に換えて高温水噴射電磁弁（８７Ｄｃ）を使用することを特徴とするエネルギ保存サイクル機関。
【請求項２１０２】
前記高温水噴射電磁弁（８７Ｃｃ）に換えて高温水噴射電磁弁（８７Ｄｃ）を使用することを特徴とするＨ型エネルギ保存サイクル機関。
【請求項２１０３】
前記高温水噴射電磁弁（８７Ｃｃ）に換えて高温水噴射電磁弁（８７Ｄｃ）を使用することを特徴とするＤ型エネルギ保存サイクル機関。
【請求項２１０４】
前記高温水噴射電磁弁（８７Ｃｃ）に換えて高温水噴射電磁弁（８７Ｄｃ）を使用することを特徴とするＥ型エネルギ保存サイクル機関。
【請求項２１０５】
前記高温水噴射電磁弁（８７Ｃｄ）に換えて高温水噴射電磁弁（８７Ｄｄ）を使用することを特徴とするエネルギ保存サイクル機関。
【請求項２１０６】
前記高温水噴射電磁弁（８７Ｃｄ）に換えて高温水噴射電磁弁（８７Ｄｄ）を使用することを特徴とするＨ型エネルギ保存サイクル機関。
【請求項２１０７】
前記高温水噴射電磁弁（８７Ｃｄ）に換えて高温水噴射電磁弁（８７Ｄｄ）を使用することを特徴とするＤ型エネルギ保存サイクル機関。
【請求項２１０８】
前記高温水噴射電磁弁（８７Ｃｄ）に換えて高温水噴射電磁弁（８７Ｄｄ）を使用することを特徴とするＥ型エネルギ保存サイクル機関。
【請求項２１０９】
前記高温水噴射電磁弁（８７Ｄｃ）に換えて高温水噴射電磁弁（８７Ｃｃ）を使用することを特徴とするエネルギ保存サイクル機関。
【請求項２１１０】
前記高温水噴射電磁弁（８７Ｄｃ）に換えて高温水噴射電磁弁（８７Ｃｃ）を使用することを特徴とするＨ型エネルギ保存サイクル機関。
【請求項２１１１】
前記高温水噴射電磁弁（８７Ｄｃ）に換えて高温水噴射電磁弁（８７Ｃｃ）を使用することを特徴とするＤ型エネルギ保存サイクル機関。
【請求項２１１２】
前記高温水噴射電磁弁（８７Ｄｃ）に換えて高温水噴射電磁弁（８７Ｃｃ）を使用することを特徴とするＥ型エネルギ保存サイクル機関。
【請求項２１１３】
前記高温水噴射電磁弁（８７Ｄｄ）に換えて高温水噴射電磁弁（８７Ｃｄ）を使用することを特徴とするエネルギ保存サイクル機関。
【請求項２１１４】
前記高温水噴射電磁弁（８７Ｄｄ）に換えて高温水噴射電磁弁（８７Ｃｄ）を使用することを特徴とするＨ型エネルギ保存サイクル機関。
【請求項２１１５】
前記高温水噴射電磁弁（８７Ｄｄ）に換えて高温水噴射電磁弁（８７Ｃｄ）を使用することを特徴とするＤ型エネルギ保存サイクル機関。
【請求項２１１６】
前記高温水噴射電磁弁（８７Ｄｄ）に換えて高温水噴射電磁弁（８７Ｃｄ）を使用することを特徴とするＥ型エネルギ保存サイクル機関。
【請求項２１１７】
前記エネルギ保存サイクル機関は、動力伝達装置として送水ポンプ兼二重反転磁気摩擦動力伝達装置（８４）を具備することを特徴とするエネルギ保存サイクル機関。
【請求項２１１８】
前記エネルギ保存サイクル機関は、動力伝達装置として送水ポンプ兼二重反転磁気摩擦動力伝達装置（８４）を具備して、大中小型船舶の推進用プロペラを二重反転させることを特徴とするエネルギ保存サイクル機関。
【請求項２１１９】
前記エネルギ保存サイクル機関は、動力伝達装置として送水ポンプ兼二重反転磁気摩擦動力伝達装置（８４）を具備して、大中小型高速船の推進用プロペラを二重反転させることを特徴とするエネルギ保存サイクル機関。
【請求項２１２０】
前記エネルギ保存サイクル機関は、動力伝達装置として送水ポンプ兼二重反転磁気摩擦動力伝達装置（８４）を具備して、大中小型飛行機の推進用プロペラを二重反転させることを特徴とするエネルギ保存サイクル機関。
【請求項２１２１】
前記エネルギ保存サイクル機関は、動力伝達装置として送水ポンプ兼二重反転磁気摩擦動力伝達装置（８４）を具備して、大中小型飛行機の浮上推進用プロペラを二重反転させることを特徴とするエネルギ保存サイクル機関。
【請求項２１２２】
前記エネルギ保存サイクル機関は、動力伝達装置として送水ポンプ兼二重反転磁気摩擦動力伝達装置（８４）を具備して、大中小型ヘリコプターの浮上推進用プロペラを二重反転させることを特徴とするエネルギ保存サイクル機関。
【請求項２１２３】
前記送水ポンプ兼二重反転磁気摩擦動力伝達装置（８４）の着磁摩擦車（６１ａ）は、環筒状の強磁性材料の径方向左右に磁極のＮ極及びＳ極を着磁して、その両側を環板状のヨーク（７４）で挟んで固定し、外径方向動力伝達面（５６）に延長して固着し、該動力伝達面（５６）に低凹凸（６９）を設け、夫々着磁摩擦車（６１ａ）（６１ａ）として、回転方向上流側及び下流側に棒磁石（５７）及び電磁石（５８）のいずれかを設けて異極は吸引する磁石として、転がり接触の着磁摩擦車装置（６５ａ）とし、外箱（７７）及び吸水路（７８）及び送水路（７９）を設けたことを特徴とするエネルギ保存サイクル機関。
【請求項２１２４】
前記送水ポンプ兼二重反転磁気摩擦動力伝達装置（８４）の着磁摩擦車（６１ａ）は、環筒状の強磁性材料の径方向左右に磁極のＮ極及びＳ極を着磁して、その両側を環板状のヨーク（７４）で挟んで固定し、外径方向動力伝達面（５６）に延長して固着し、該動力伝達面（５６）に低凹凸（６９）を設け、夫々着磁摩擦車（６１ａ）（６１ａ）として、回転方向上流側及び下流側のいずれかに棒磁石（５７）及び電磁石（５８）のいずれかを設けて異極は吸引する磁石として、転がり接触の着磁摩擦車装置（６５ａ）とし、外箱（７７）及び吸水路（７８）及び送水路（７９）を設けたことを特徴とするエネルギ保存サイクル機関。
【請求項２１２５】
前記送水ポンプ兼二重反転磁気摩擦動力伝達装置（８４）の着磁摩擦車（６１ｂ）は、環筒状の強磁性材料の内径側と外径側に磁極のＮ極及びＳ極を着磁して、ヨーク（７４）を磁石の内周側から左右外径動力伝達面（５６）に延長し、該動力伝達面のヨークと磁石の間に摩擦増大耐久手段（８０）を環状に動力伝達面側に固着し、その外周面に低凹凸（６９）を設けて、夫々着磁摩擦車（６１ｂ）（６１ｂ）として、回転方向上流側及び下流側に棒磁石（５７）及び電磁石（５８）のいずれかを設けて、異極は吸引する磁石として、転がり接触の着磁摩擦車装置（６５ｂ）とし、外箱（７７）及び吸水路（７８）及び送水路（７９）を設けたことを特徴とするエネルギ保存サイクル機関。
【請求項２１２６】
前記送水ポンプ兼二重反転磁気摩擦動力伝達装置（８４）の着磁摩擦車（６１ｂ）は、環筒状の強磁性材料の内径側と外径側に磁極のＮ極及びＳ極を着磁して、ヨーク（７４）を磁石の内周側から左右外径動力伝達面（５６）に延長し、該動力伝達面のヨークと磁石の間に摩擦増大耐久手段（８０）を環状に動力伝達面側に固着し、その外周面に低凹凸（６９）を設けて、夫々着磁摩擦車（６１ｂ）（６１ｂ）として、回転方向上流側及び下流側のいずれかに棒磁石（５７）及び電磁石（５８）のいずれかを設けて、異極は吸引する磁石として、転がり接触の着磁摩擦車装置（６５ｂ）とし、外箱（７７）及び吸水路（７８）及び送水路（７９）を設けたことを特徴とするエネルギ保存サイクル機関。
【請求項２１２７】
前記送水ポンプ兼二重反転磁気摩擦動力伝達装置（８４）の磁着摩擦車（６３）は、環筒状の強磁性材料の外径動力伝達面（５６）に低凹凸（６９）を設け、夫々磁着摩擦車（６３）（６３）として、回転方向上流側及び下流側に棒磁石（５７）及び電磁石（５８）の何れかを設け、磁石は吸引する磁石として、転がり接触の磁着摩擦車装置（６７）とし、外箱（７７）及び吸水路（７８）及び送水路（７９）を設けたことを特徴とするエネルギ保存サイクル機関。
【請求項２１２８】
前記送水ポンプ兼二重反転磁気摩擦動力伝達装置（８４）の磁着摩擦車（６３）は、環筒状の強磁性材料の外径動力伝達面（５６）に低凹凸（６９）を設け、夫々磁着摩擦車（６３）着磁摩擦車（６１ａ）として、回転方向上流側及び下流側に棒磁石（５７）及び電磁石（５８）のいずれかを設けて、異極は吸引する磁石として、転がり接触の磁気摩擦動力伝達装置（７６）とし、外箱（７７）及び吸水路（７８）及び送水路（７９）を設けたことを特徴とするエネルギ保存サイクル機関。
【請求項２１２９】
前記送水ポンプ兼二重反転磁気摩擦動力伝達装置（８４）の内着磁摩擦車（６２ａ）は、環筒状の強磁性材料の径方向左右に磁極のＮ極及びＳ極を着磁して、その両側を環板状のヨーク（７４）で挟んで、内径方向動力伝達面（５６）まで突出させて固着し、その動力伝達面に低凹凸（６９）を設け、夫々１以上の着磁摩擦車（６１ａ）と噛み合わせて、回転方向上流側及び下流側に棒磁石（５７）及び電磁石（５８）の何れかを設け、異極は吸引する磁石として、転がり接触による内着磁摩擦車装置（６６）とし、外箱（７７）及び吸水路（７８）及び送水路（７９）を設けたことを特徴とするエネルギ保存サイクル機関。
【請求項２１３０】
前記着磁摩擦車（６１ａ）に換えて、各種着磁摩擦車（６１）及び各種磁着摩擦車（６３）のいずれかとし、各種着磁摩擦車（６１）及び各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル機関。
【請求項２１３１】
前記着磁摩擦車（６１ａ）に換えて、複数の各種着磁摩擦車（６１）及び複数の各種磁着摩擦車（６３）のいずれかとし、複数の各種着磁摩擦車（６１）及び複数の各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル機関。
【請求項２１３２】
前記内着磁摩擦車（６２ａ）に換えて、各種内着磁摩擦車（６２）及び各種内磁着摩擦車（６４）のいずれかとし、各種着磁摩擦車（６１）及び各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル機関。
【請求項２１３３】
前記内着磁摩擦車（６２ａ）に換えて、複数の各種内着磁摩擦車（６２）及び複数の各種内磁着摩擦車（６４）のいずれかとし、複数の各種着磁摩擦車（６１）及び複数の各種磁着摩擦車（６３）のいずれかと噛み合う、磁気摩擦動力伝達装置（７６）として、送水ポンプ兼二重反転磁気摩擦動力伝達装置（８４）を構成させたことを特徴とするエネルギ保存サイクル機関。
【請求項２１３４】
前記送水ポンプ兼二重反転磁気摩擦動力伝達装置（８４）の各種着磁摩擦車や各種磁着摩擦車は、夫々適宜に互換して使用することを特徴とするエネルギ保存サイクル機関。
【請求項２１３５】
前記送水ポンプ兼二重反転磁気摩擦動力伝達装置（８４）の各種内着磁摩擦車や各種内磁着摩擦車は、夫々適宜に互換して使用することを特徴とするエネルギ保存サイクル機関。
【請求項２１３６】
前記送水ポンプ兼二重反転磁気摩擦動力伝達装置（８４）により、水を昇圧して廃熱回収熱交換器（２ａ）に供給して使用することを特徴とするエネルギ保存サイクル機関。
【請求項２１３７】
前記送水ポンプ兼二重反転磁気摩擦動力伝達装置（８４）により、水を昇圧して廃熱回収熱交換器（２ａ）及び縮径主燃焼室熱交換器（２）に供給して使用することを特徴とするエネルギ保存サイクル機関。
【請求項２１３８】
前記送水ポンプ兼二重反転磁気摩擦動力伝達装置（８４）により、水を昇圧して縮径主燃焼室熱交換器（２）に供給して使用することを特徴とするエネルギ保存サイクル機関。
【請求項２１３９】
前記送水ポンプ兼二重反転磁気摩擦動力伝達装置（８４）により、水を多段に昇圧して縮径主燃焼室熱交換器（２）に供給して使用することを特徴とするエネルギ保存サイクル機関。
【請求項２１４０】
前記送水ポンプ兼二重反転磁気摩擦動力伝達装置（８４）により、水を多段に昇圧して廃熱回収熱交換器（２ａ）に供給して使用することを特徴とするエネルギ保存サイクル機関。
【請求項２１４１】
前記送水ポンプ兼二重反転磁気摩擦動力伝達装置（８４）により、水を多段に昇圧して廃熱回収熱交換器（２ａ）及び縮径主燃焼室熱交換器（２）に供給して使用することを特徴とするエネルギ保存サイクル機関。
【請求項２１４２】
前記送水ポンプ兼二重反転磁気摩擦動力伝達装置（８４）により、水を昇圧して縮径主燃焼室熱交換器（２）に供給して使用すると共に、該水圧上昇により送水ポンプ（７５）を非接触に近付けることを特徴とするエネルギ保存サイクル機関。
【請求項２１４３】
前記送水ポンプ兼二重反転磁気摩擦動力伝達装置（８４）により、水を昇圧して縮径主燃焼室熱交換器（２）に供給して使用すると共に、該水圧上昇により送水ポンプ（７５）を非接触に近付けて、省エネを図ることを特徴とするエネルギ保存サイクル機関。
【請求項２１４４】
前記送水ポンプ兼二重反転磁気摩擦動力伝達装置（８４）により、水を昇圧して縮径主燃焼室熱交換器（２）に供給して、超臨界温度等複数温度にして使用することを特徴とするエネルギ保存サイクル機関。
【請求項２１４５】
前記送水ポンプ兼二重反転磁気摩擦動力伝達装置（８４）により、水を昇圧して縮径主燃焼室熱交換器（２）に供給して、超臨界温度等複数温度にして縮径主燃焼室兼熱交換器（１）に噴射し、燃焼ガスを冷却することを特徴とするエネルギ保存サイクル機関。
【請求項２１４６】
前記送水ポンプ兼二重反転磁気摩擦動力伝達装置（８４）により、水を昇圧して縮径主燃焼室熱交換器（２）に供給して、超臨界温度等複数温度にして縮径主燃焼室兼熱交換器（１）に噴射し、ＮＯｘ低減燃焼にすることを特徴とするエネルギ保存サイクル機関。
【請求項２１４７】
前記送水ポンプ兼二重反転磁気摩擦動力伝達装置（８４）により、水を昇圧して廃熱回収熱交換器（２ａ）及び縮径主燃焼室熱交換器（２）に供給して、超臨界温度等複数温度に上昇して縮径主燃焼室兼熱交換器（１）に噴射し、ＮＯｘ低減燃焼にすることを特徴とするエネルギ保存サイクル機関。
【請求項２１４８】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給して、超臨界温度等複数温度に上昇して縮径主燃焼室兼熱交換器（１）に噴射し、ＮＯｘ低減燃焼にすることを特徴とするエネルギ保存サイクル機関。
【請求項２１４９】
前記送水ポンプ兼二重反転磁気摩擦動力伝達装置（８４）により、水を昇圧して廃熱回収熱交換器（２ａ）及び縮径主燃焼室熱交換器（２）に供給して、超臨界温度等複数温度に上昇して縮径主燃焼室兼熱交換器（１）に噴射し、噴射量を増大することを特徴とするエネルギ保存サイクル機関。
【請求項２１５０】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給して、超臨界温度等複数温度に上昇して縮径主燃焼室兼熱交換器（１）に噴射し、噴射量を増大することを特徴とするエネルギ保存サイクル機関。
【請求項２１５１】
前記送水ポンプ兼二重反転磁気摩擦動力伝達装置（８４）により、水を昇圧すると共に超臨界温度等複数温度に加熱して縮径主燃焼室兼熱交換器（１）に噴射し、噴射量を増大して水質量の速度エネルギに変換して動圧及び反動を増大することを特徴とするエネルギ保存サイクル機関。
【請求項２１５２】
前記送水ポンプ兼二重反転磁気摩擦動力伝達装置（８４）により、水を多段に昇圧すると共に超臨界温度等複数温度に加熱して縮径主燃焼室兼熱交換器（１）に噴射し、噴射量を増大して水質量の速度エネルギに変換して動圧及び反動を増大することを特徴とするエネルギ保存サイクル機関。
【請求項２１５３】
前記送水ポンプ兼二重反転磁気摩擦動力伝達装置（８４）により、水を昇圧すると共に超臨界温度等複数温度に加熱して縮径主燃焼室兼熱交換器（１）に噴射し、噴射量を増大して水質量の速度エネルギに変換して動圧及び反動を増大し、加熱高温の電磁加熱縮径ピストン（２２）との間に気化膜を設けて摩擦損失を低減することを特徴とするエネルギ保存サイクル機関。
【請求項２１５４】
前記送水ポンプ兼二重反転磁気摩擦動力伝達装置（８４）により、水を多段に昇圧すると共に超臨界温度等複数温度に加熱して縮径主燃焼室兼熱交換器（１）に噴射し、噴射量を増大して水質量の速度エネルギに変換して動圧及び反動を増大し、加熱高温の電磁加熱縮径ピストン（２２）との間に気化膜を設けて摩擦損失を低減することを特徴とするエネルギ保存サイクル機関。
【請求項２１５５】
前記送水ポンプ兼二重反転磁気摩擦動力伝達装置（８４）により、水を昇圧すると共に超臨界温度等複数温度に加熱して縮径主燃焼室兼熱交換器（１）に噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項２１５６】
前記送水ポンプ兼二重反転磁気摩擦動力伝達装置（８４）により、水を多段に昇圧すると共に超臨界温度等複数温度に加熱して縮径主燃焼室兼熱交換器（１）に噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項２１５７】
前記送水ポンプ兼二重反転磁気摩擦動力伝達装置（８４）により、水を昇圧すると共に超臨界温度等複数温度に加熱して縮径主燃焼室兼熱交換器（１）に噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項２１５８】
前記送水ポンプ兼二重反転磁気摩擦動力伝達装置（８４）により、水を昇圧すると共に超臨界温度等複数温度に加熱して縮径主燃焼室兼熱交換器（１）に噴射し、噴射量を増大して動圧及び反動を増大し、加熱高温の電磁加熱縮径ピストン（２２）との間に気化膜を設けて摩擦損失を低減して出力を増大し、下方に設けた安全弁（５４）より圧力水を排水するエネルギ保存サイクル機関。
【請求項２１５９】
前記送水ポンプ兼二重反転磁気摩擦動力伝達装置（８４）により、水を昇圧して縮径主燃焼室熱交換器（２）に供給して、超臨界温度等複数温度にして拡径燃焼室（１０）に直接噴射するエネルギ保存サイクル機関。
【請求項２１６０】
前記送水ポンプ兼二重反転磁気摩擦動力伝達装置（８４）により、水を昇圧して縮径主燃焼室熱交換器（２）に供給して、超臨界温度等複数温度にして縮径主燃焼室兼熱交換器（１）に噴射し、ＮＯｘ低減燃焼にすることを特徴とするエネルギ保存サイクル機関。
【請求項２１６１】
前記送水ポンプ兼二重反転磁気摩擦動力伝達装置（８４）により、水を昇圧して廃熱回収熱交換器（２ａ）及び縮径主燃焼室熱交換器（２）に供給し、超臨界温度等複数温度に加熱して縮径主燃焼室兼熱交換器（１）に噴射し、ＮＯｘ低減燃焼にすることを特徴とするエネルギ保存サイクル機関。
【請求項２１６２】
前記送水ポンプ兼二重反転磁気摩擦動力伝達装置（８４）により、水を昇圧すると共に摩擦ポンプ（７５）として昇圧して廃熱回収熱交換器（２ａ）及び縮径主燃焼室熱交換器（２）に供給し、超臨界温度等複数温度に加熱して縮径主燃焼室兼熱交換器（１）に噴射し、ＮＯｘ低減燃焼にすることを特徴とするエネルギ保存サイクル機関。
【請求項２１６３】
前記送水ポンプ兼二重反転磁気摩擦動力伝達装置（８４）により、水を昇圧して廃熱回収熱交換器（２ａ）及び縮径主燃焼室熱交換器（２）に供給し、超臨界温度等複数温度に加熱して縮径主燃焼室兼熱交換器（１）に噴射し、噴射量を増大することを特徴とするエネルギ保存サイクル機関。
【請求項２１６４】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給し、超臨界温度等複数温度に加熱して縮径主燃焼室兼熱交換器（１）に噴射し、噴射量を増大することを特徴とするエネルギ保存サイクル機関。
【請求項２１６５】
前記送水ポンプ兼二重反転磁気摩擦動力伝達装置（８４）により、水を昇圧して超臨界温度等複数温度にして拡径燃焼室（１０）に直接噴射し、噴射量を増大して水質量の速度エネルギに変換して動圧及び反動を増大することを特徴とするエネルギ保存サイクル機関。
【請求項２１６６】
前記送水ポンプ兼二重反転磁気摩擦動力伝達装置（８４）により、水を昇圧して超臨界温度等複数温度にして拡径燃焼室（１０）に直接噴射し、噴射量を増大して水質量の速度エネルギに変換して動圧及び反動を増大し、加熱高温の電磁加熱縮径ピストン（２２）拡径部との間に気化膜を設けて摩擦損失を低減することを特徴とするエネルギ保存サイクル機関。
【請求項２１６７】
前記送水ポンプ兼二重反転磁気摩擦動力伝達装置（８４）により、水を昇圧して超臨界温度等複数温度にして拡径燃焼室（１０）に直接噴射し、噴射量を増大して水質量の速度エネルギに変換して動圧及び反動を増大し、加熱高温の電磁加熱縮径ピストン（２２）拡径部との間に気化膜を設けて摩擦損失を低減して出力を増大することを特徴とするエネルギ保存サイクル機関。
【請求項２１６８】
前記送水ポンプ兼二重反転磁気摩擦動力伝達装置（８４）により、水を昇圧して超臨界温度等複数温度にして拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項２１６９】
前記送水ポンプ兼二重反転磁気摩擦動力伝達装置（８４）により、水を昇圧して超臨界温度等複数温度にして拡径燃焼室（１０）に直接噴射し、噴射量を増大して動圧及び反動を増大し、加熱高温の電磁加熱縮径ピストン（２２）拡径部との間に気化膜を設けて摩擦損失を低減して出力を増大し、下方に設けた安全弁（５４）より圧力水を排水するエネルギ保存サイクル機関。
【請求項２１７０】
前記送水ポンプ兼二重反転磁気摩擦動力伝達装置（８４）により、水を昇圧して縮径主燃焼室熱交換器（２）に供給して、超臨界温度等複数温度にして縮径主燃焼室兼熱交換器（１）及び拡径燃焼室（１０）に直接噴射し、燃焼ガスを冷却し出力を増大することを特徴とするエネルギ保存サイクル機関。
【請求項２１７１】
前記送水ポンプ兼二重反転磁気摩擦動力伝達装置（８４）により、水を昇圧して縮径主燃焼室熱交換器（２）に供給して、超臨界温度等複数温度にして縮径主燃焼室兼熱交換器（１）及び拡径燃焼室（１０）に直接噴射し、ＮＯｘ低減燃焼及び出力増大することを特徴とするエネルギ保存サイクル機関。
【請求項２１７２】
前記送水ポンプ兼二重反転磁気摩擦動力伝達装置（８４）により、水を昇圧して廃熱回収熱交換器（２ａ）及び縮径主燃焼室熱交換器（２）に供給し、超臨界温度等複数温度に加熱して縮径主燃焼室兼熱交換器（１）及び拡径燃焼室（１０）に直接噴射し、ＮＯｘ低減燃焼及び出力増大することを特徴とするエネルギ保存サイクル機関。
【請求項２１７３】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給し、超臨界温度等複数温度に加熱して縮径主燃焼室兼熱交換器（１）及び拡径燃焼室（１０）に直接噴射し、ＮＯｘ低減燃焼及び出力増大することを特徴とするエネルギ保存サイクル機関。
【請求項２１７４】
前記送水ポンプ兼二重反転磁気摩擦動力伝達装置（８４）により、水を昇圧して廃熱回収熱交換器（２ａ）及び縮径主燃焼室熱交換器（２）に供給し、超臨界温度等複数温度に加熱して縮径主燃焼室兼熱交換器（１）及び拡径燃焼室（１０）に直接噴射し、噴射量及び出力を増大することを特徴とするエネルギ保存サイクル機関。
【請求項２１７５】
前記送水ポンプ兼二重反転磁気摩擦動力伝達装置（８４）により、動力伝達すると共に送水ポンプ（７５）として昇圧して廃熱回収熱交換器（２ａ）及び縮径主燃焼室熱交換器（２）に供給し、超臨界温度等複数温度に加熱して縮径主燃焼室兼熱交換器（１）及び拡径燃焼室（１０）に直接噴射し、噴射量及び出力を増大することを特徴とするエネルギ保存サイクル機関。
【請求項２１７６】
前記送水ポンプ兼二重反転磁気摩擦動力伝達装置（８４）により、水を昇圧すると共に超臨界温度等複数温度に加熱して縮径主燃焼室兼熱交換器（１）及び拡径燃焼室（１０）に直接噴射し、噴射量を増大して水質量の速度エネルギに変換して動圧及び反動を増大することを特徴とするエネルギ保存サイクル機関。
【請求項２１７７】
前記送水ポンプ兼二重反転磁気摩擦動力伝達装置（８４）により、水を昇圧すると共に超臨界温度等複数温度に加熱して縮径主燃焼室兼熱交換器（１）及び拡径燃焼室（１０）に直接噴射し、噴射量を増大して水質量の速度エネルギに変換して動圧及び反動を増大し、加熱高温の電磁加熱縮径ピストン（２２）拡径部との間に気化膜を設けて摩擦損失を低減することを特徴とするエネルギ保存サイクル機関。
【請求項２１７８】
前記送水ポンプ兼二重反転磁気摩擦動力伝達装置（８４）により、水を昇圧すると共に超臨界温度等複数温度に加熱して縮径主燃焼室兼熱交換器（１）及び拡径燃焼室（１０）に直接噴射し、噴射量を増大して水質量の速度エネルギに変換して動圧及び反動を増大し、加熱高温の電磁加熱縮径ピストン（２２）との間に気化膜を設けて摩擦損失を低減して出力を増大することを特徴とするエネルギ保存サイクル機関。
【請求項２１７９】
前記送水ポンプ兼二重反転磁気摩擦動力伝達装置（８４）により、水を昇圧すると共に超臨界温度等複数温度に加熱して縮径主燃焼室兼熱交換器（１）及び拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた排気穴（５）より排気排水することを特徴とするエネルギ保存サイクル機関。
【請求項２１８０】
前記送水ポンプ兼二重反転磁気摩擦動力伝達装置（８４）により、水を昇圧すると共に超臨界温度等複数温度に加熱して縮径主燃焼室兼熱交換器（１）及び拡径燃焼室（１０）に直接噴射し、噴射量を増大して動圧及び反動を増大し、加熱高温の電磁加熱縮径ピストン（２２）との間に気化膜を設けて摩擦損失を低減して出力を増大し、下方に設けた安全弁（５４）より圧力水を排水するエネルギ保存サイクル機関。
【請求項２１８１】
前記送水ポンプ兼二重反転磁気摩擦動力伝達装置（８４）により水を昇圧して拡径燃焼室（１０）に直接噴射する、任意の高温水噴射装置を、１以上設けたエネルギ保存サイクル機関。
【請求項２１８２】
前記送水ポンプ兼二重反転磁気摩擦動力伝達装置（８４）により水を昇圧して拡径燃焼室（１０）に直接噴射する、任意の高温水噴射装置を、多数設けたエネルギ保存サイクル機関。
【請求項２１８３】
前記送水ポンプ兼二重反転磁気摩擦動力伝達装置（８４）により、大中小型船舶の推進用プロペラを二重反転させることを特徴とするエネルギ保存サイクル機関。
【請求項２１８４】
前記送水ポンプ兼二重反転磁気摩擦動力伝達装置（８４）により、大中小型高速船の推進用プロペラを二重反転させることを特徴とするエネルギ保存サイクル機関。
【請求項２１８５】
前記送水ポンプ兼二重反転磁気摩擦動力伝達装置（８４）により、大中小型船舶の吸引噴射推進用プロペラを二重反転させることを特徴とするエネルギ保存サイクル機関。
【請求項２１８６】
前記送水ポンプ兼二重反転磁気摩擦動力伝達装置（８４）により、大中小型高速船の吸引噴射推進用プロペラを二重反転させることを特徴とするエネルギ保存サイクル機関。
【請求項２１８７】
前記送水ポンプ兼二重反転磁気摩擦動力伝達装置（８４）により、大中小型飛行機の推進用プロペラを二重反転させることを特徴とするエネルギ保存サイクル機関。
【請求項２１８８】
前記送水ポンプ兼二重反転磁気摩擦動力伝達装置（８４）により、大中小型ヘリコプターの浮上推進用プロペラを二重反転させることを特徴とするエネルギ保存サイクル機関。
【請求項２１８９】
前記送水ポンプ兼二重反転磁気摩擦動力伝達装置（８４）により、大中小型飛行機の浮上推進用プロペラを二重反転させることを特徴とするエネルギ保存サイクル機関。
【請求項２１９０】
前記送水ポンプ兼二重反転磁気摩擦動力伝達装置（８４）により、水を昇圧して縮径主燃焼室熱交換器（２）に供給して使用すると共に、該水圧上昇により摩擦ポンプ（７５）を非接触に近付けて、省エネを図り発生する熱を回収し、該水に物質を混入して公害を低減することを特徴とするエネルギ保存サイクル機関。
【請求項２１９１】
前記送水ポンプ兼二重反転磁気摩擦動力伝達装置（８４）の低凹凸（６９）は、歯車のかみ合い高さを限りなく低下させて、転がり接触動力伝達の低凹凸（６９）としたことを特徴とするエネルギ保存サイクル機関。
【請求項２１９２】
前記送水ポンプ兼二重反転磁気摩擦動力伝達装置（８４）の低凹凸（６９）は、歯車のかみ合い高さを限りなく低下させて、転がり接触動力伝達の低凹凸（６９）とし、歯車と略同型の平凹凸（７０）、ハスバ凹凸（７１）、ヤマバ凹凸（７２）のいずれかとしたことを特徴とするエネルギ保存サイクル機関。
【請求項２１９３】
前記送水ポンプ兼二重反転磁気摩擦動力伝達装置（８４）の低凹凸（６９）は、歯車のかみ合い高さを限りなく低下させて、転がり接触動力伝達とすることで、歯車以外の形状を可能にしたことを特徴とするエネルギ保存サイクル機関。
【請求項２１９４】
前記送水ポンプ兼二重反転磁気摩擦動力伝達装置（８４）の低凹凸（６９）は、歯車のかみ合い高さを限りなく低下させて、転がり接触動力伝達とすることで、噛み合う形状すべてを可能にしたことを特徴とするエネルギ保存サイクル機関。
【請求項２１９５】
前記下方に設けた排気穴（５）より排気排水するＨ型エネルギ保存サイクルは、下方に設けた安全弁（５４）より圧力水を排水することを特徴とするエネルギ保存サイクル機関。
【請求項２１９６】
前記下方に設けた排気穴（５）より排気排水するＨ型エネルギ保存サイクルは、下方に設けた安全弁（５４）より圧力水を排水し、廃熱回収熱交換器（２ａ）により夫々の排気排水より熱回収することを特徴とするエネルギ保存サイクル機関。
【請求項２１９７】
前記下方に設けた排気穴（５）より排気排水するＤ型エネルギ保存サイクルは、下方に設けた安全弁（５４）より圧力水を排水することを特徴とするエネルギ保存サイクル機関。
【請求項２１９８】
前記下方に設けた排気穴（５）より排気排水するＤ型エネルギ保存サイクルは、下方に設けた安全弁（５４）より圧力水を排水し、廃熱回収熱交換器（２ａ）により夫々の排気排水より熱回収することを特徴とするエネルギ保存サイクル機関。
【請求項２１９９】
前記下方に設けた排気穴（５）より排気排水するＥ型エネルギ保存サイクルは、下方に設けた安全弁（５４）より圧力水を排水することを特徴とするエネルギ保存サイクル機関。
【請求項２２００】
前記下方に設けた排気穴（５）より排気排水するＥ型エネルギ保存サイクルは、下方に設けた安全弁（５４）より圧力水を排水し、廃熱回収熱交換器（２ａ）により夫々の排気排水より熱回収することを特徴とするエネルギ保存サイクル機関。
【請求項２２０１】
前記下方に設けた排気穴（５）より排気排水するＨ型エネルギ保存サイクルは、下方に設けた安全弁（５４）より圧力水を排水し、廃熱回収熱交換器（２ａ）により夫々の排気排水より熱回収して、熱を繰り返し再使用することを特徴とするエネルギ保存サイクル機関。
【請求項２２０２】
前記下方に設けた排気穴（５）より排気排水するＤ型エネルギ保存サイクルは、下方に設けた安全弁（５４）より圧力水を排水し、廃熱回収熱交換器（２ａ）により夫々の排気排水より熱回収して、熱を繰り返し再使用することを特徴とするエネルギ保存サイクル機関。
【請求項２２０３】
前記下方に設けた排気穴（５）より排気排水するＥ型エネルギ保存サイクルは、下方に設けた安全弁（５４）より圧力水を排水し、廃熱回収熱交換器（２ａ）により夫々の排気排水より熱回収して、熱を繰り返し再使用することを特徴とするエネルギ保存サイクル機関。
【請求項２２０４】
前記エネルギ保存サイクル機関は、高温水（５２ｂ）噴射燃焼としたことを特徴とするエネルギ保存サイクル機関。
【請求項２２０５】
前記エネルギ保存サイクル機関は、高温水（５２ｂ）噴射燃焼として重力仕事率を水により増大することを特徴とするエネルギ保存サイクル機関。
【請求項２２０６】
前記エネルギ保存サイクル機関は、高温水（５２ｂ）噴射燃焼として該水を限りなく増大して重力仕事率を増大することを特徴とするエネルギ保存サイクル機関。
【請求項２２０７】
前記エネルギ保存サイクル機関は、高温水（５２ｂ）噴射燃焼として該水温及び水質量を限りなく上昇増大して出力及び重力仕事率を増大することを特徴とするエネルギ保存サイクル機関。
【請求項２２０８】
前記エネルギ保存サイクル機関は、高温水（５２ｂ）噴射燃焼として該水質量を限りなく増大して動圧及び出力及び重力仕事率を増大することを特徴とするエネルギ保存サイクル機関。
【請求項２２０９】
前記エネルギ保存サイクル機関は、高温水（５２ｂ）噴射燃焼として水温は選択することを特徴とするエネルギ保存サイクル機関。
【請求項２２１０】
前記エネルギ保存サイクル機関は、高温水（５２ｂ）噴射燃焼として圧力を選択することを特徴とするエネルギ保存サイクル機関。
【請求項２２１１】
前記エネルギ保存サイクル機関は、高温水（５２ｂ）噴射燃焼として該水温を縮径主燃焼室熱交換器（２）により上昇することを特徴とするエネルギ保存サイクル機関。
【請求項２２１２】
前記エネルギ保存サイクル機関は、高温水（５２ｂ）噴射燃焼として該温度を縮径主燃焼室熱交換器（２）により上昇することを特徴とするエネルギ保存サイクル機関。
【請求項２２１３】
前記エネルギ保存サイクル機関は、高温水（５２ｂ）噴射燃焼として該圧力温度を縮径主燃焼室熱交換器（２）により上昇することを特徴とするエネルギ保存サイクル機関。
【請求項２２１４】
前記エネルギ保存サイクル機関は、過熱蒸気噴射燃焼及び高温水噴射燃焼として該水温を廃熱回収熱交換器（２ａ）により上昇することを特徴とするエネルギ保存サイクル機関。
【請求項２２１５】
前記エネルギ保存サイクル機関は、過熱蒸気噴射燃焼及び高温水噴射燃焼として該水温を廃熱回収熱交換器（２ａ）及び縮径主燃焼室熱交換器（２）により上昇することを特徴とするエネルギ保存サイクル機関。
【請求項２２１６】
前記エネルギ保存サイクル機関は、過熱蒸気噴射燃焼及び高温水噴射燃焼として該水温を縮径主燃焼室熱交換器（２）により繰り返し熱回収して上昇することを特徴とするエネルギ保存サイクル機関。
【請求項２２１７】
前記エネルギ保存サイクル機関は、過熱蒸気噴射燃焼及び高温水噴射燃焼として該水温を廃熱回収熱交換器（２ａ）により繰り返し熱回収して上昇することを特徴とするエネルギ保存サイクル機関。
【請求項２２１８】
前記エネルギ保存サイクル機関は、過熱蒸気噴射燃焼及び高温水噴射燃焼として該水温を廃熱回収熱交換器（２ａ）及び縮径主燃焼室熱交換器（２）により繰り返し熱回収して上昇することを特徴とするエネルギ保存サイクル機関。
【請求項２２１９】
前記エネルギ保存サイクル機関は、過熱蒸気噴射燃焼及び高温水噴射燃焼として該水温を縮径主燃焼室熱交換器（２）により上昇することを特徴とするエネルギ保存サイクル機関。
【請求項２２２０】
前記エネルギ保存サイクル機関は、過熱蒸気噴射燃焼及び高温水噴射燃焼として該水温を廃熱回収熱交換器（２ａ）により上昇することを特徴とするエネルギ保存サイクル機関。
【請求項２２２１】
前記エネルギ保存サイクル機関は、過熱蒸気噴射燃焼及び高温水噴射燃焼として該水圧を摩擦ポンプ（７５）により上昇することを特徴とするエネルギ保存サイクル機関。
【請求項２２２２】
前記エネルギ保存サイクル機関は、電磁加熱縮径ピストン（２２）を電磁加熱高温とすることで、水等との間の摩擦損失を低減することを特徴とするエネルギ保存サイクル機関。
【請求項２２２３】
前記エネルギ保存サイクル機関は、電磁加熱縮径ピストン（２２）を電磁加熱高温とすることを特徴とするエネルギ保存サイクル機関。
【請求項２２２４】
前記エネルギ保存サイクル機関は、電磁加熱縮径ピストン（２２）を電磁加熱高温とすることで、水等との間に気化膜を設けることを特徴とするエネルギ保存サイクル機関。
【請求項２２２５】
前記エネルギ保存サイクル機関は、電磁加熱縮径ピストン（２２）を電磁加熱高温とすることで、水等との間に気化膜を設けて摩擦損失を最低とすることを特徴とするエネルギ保存サイクル機関。
【請求項２２２６】
前記エネルギ保存サイクル機関は、電磁加熱縮径ピストン（２２）を電磁加熱高温とすることで、水等との間に気化膜を設けて摩擦損失を最低の出力最大とすることを特徴とするエネルギ保存サイクル機関。
【請求項２２２７】
前記エネルギ保存サイクル機関は、電磁加熱縮径ピストン（２２）を電磁加熱高温とすることで、水等との間に気化膜を設けて、摩擦損失を最低として両頭拡径ピストン（３７）を動圧反動駆動することを特徴とするエネルギ保存サイクル機関。
【請求項２２２８】
前記エネルギ保存サイクル機関は、高温水噴射燃焼として燃焼ガス質量を増大し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項２２２９】
前記エネルギ保存サイクル機関は、高温水噴射燃焼として燃焼ガス質量を増大し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項２２３０】
前記エネルギ保存サイクル機関は、超臨界圧力水蒸気噴射燃焼として燃焼ガス質量を増大し、電磁加熱縮径ピストン（２２）を断熱して設けて加熱高温にすることで水等との間の摩擦損失を低減して両頭拡径ピストン（３７）を動圧反動駆動することを特徴とするエネルギ保存サイクル機関。
【請求項２２３１】
前記エネルギ保存サイクル機関は、超臨界圧力過熱蒸気噴射燃焼として燃焼ガス質量を増大し、電磁加熱縮径ピストン（２２）を断熱して設けて加熱高温にすることで水等との間の摩擦損失を低減して両頭拡径ピストン（３７）を動圧反動駆動することを特徴とするエネルギ保存サイクル機関。
【請求項２２３２】
前記エネルギ保存サイクル機関は、超臨界圧力高温水噴射燃焼として燃焼ガス質量を増大し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項２２３３】
前記エネルギ保存サイクル機関は、超臨界圧力水蒸気噴射出力発生燃焼として死点後９０°前の瞬時に放出し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項２２３４】
前記エネルギ保存サイクル機関は、超臨界圧力過熱蒸気噴射出力発生燃焼として死点後９０°前の瞬時に放出し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項２２３５】
前記エネルギ保存サイクル機関は、超臨界圧力高温水噴射出力発生燃焼として死点後９０°前の瞬時に放出し、電磁加熱縮径ピストン（２２）を断熱して設けて、加熱高温にすることで、水等との間の摩擦損失を低減して両頭拡径ピストン（３７）を動圧反動駆動することを特徴とするエネルギ保存サイクル機関。
【請求項２２３６】
前記エネルギ保存サイクル機関は、燃料に水を混合した燃焼として燃焼ガス質量を増大し、電磁加熱縮径ピストン（２２）を断熱して設けて加熱高温とすることで、水等との間に気化膜を設けて、摩擦損失最低として両頭拡径ピストン（３７）を動圧反動駆動することを特徴とするエネルギ保存サイクル機関。
【請求項２２３７】
前記エネルギ保存サイクル機関は、高温水（５２ｂ）噴射燃焼用の水に物質を混入して、ＣＯ２等の燃焼ガスを水に溶解混合合成を容易にして排出することを特徴とするエネルギ保存サイクル機関。
【請求項２２３８】
前記エネルギ保存サイクル機関は、超臨界圧力高温水（５２ｂ）噴射燃焼用の水に物質を混入して、ＣＯ２等の燃焼ガスを水に溶解混合合成を容易にして排出することを特徴とするエネルギ保存サイクル機関。
【請求項２２３９】
前記エネルギ保存サイクル機関は、水蒸気噴射燃焼用の水に公知物質（５３）を混入して、ＣＯ２等の燃焼ガスを水に溶解混合合成を容易にして排出することを特徴とするエネルギ保存サイクル機関。
【請求項２２４０】
前記エネルギ保存サイクル機関は、超臨界圧力過熱蒸気噴射燃焼用の水に公知物質（５３）を混入して、ＣＯ２等の燃焼ガスを水に溶解混合合成を容易にして排出することを特徴とするエネルギ保存サイクル機関。
【請求項２２４１】
前記エネルギ保存サイクル機関は、動力伝達装置に送水ポンプ兼二重反転磁気摩擦動力伝達装置（８４）を使用することを特徴とするエネルギ保存サイクル機関。
【請求項２２４２】
前記エネルギ保存サイクル機関は、動力伝達装置に送水ポンプ兼磁気摩擦動力伝達装置（５５）を使用することを特徴とするエネルギ保存サイクル機関。
【請求項２２４３】
前記エネルギ保存サイクル機関は、排水温度を３０℃に近付けることを特徴とするエネルギ保存サイクル機関。
【請求項２２４４】
前記エネルギ保存サイクル機関は、廃熱回収熱交換器（２ａ）により熱回収して、排水温度を３０℃に近付けることを特徴とするエネルギ保存サイクル機関。
【請求項２２４５】
前記エネルギ保存サイクル機関は、廃熱回収熱交換器（２ａ）により繰り返し熱回収して熱回収量を限りなく増大し、排水温度を大気圧３０℃に近付けることを特徴とするエネルギ保存サイクル機関。
【請求項２２４６】
前記エネルギ保存サイクル機関は、廃熱回収熱交換器（２ａ）により繰り返し熱回収して出力を限りなく増大し、排水温度を大気圧３０℃に近付けることを特徴とするエネルギ保存サイクル機関。
【請求項２２４７】
前記エネルギ保存サイクル機関は、廃熱回収熱交換器（２ａ）により繰り返し熱回収して出力及び熱回収量を限りなく増大し、排水温度を大気圧３０℃に近付けることを特徴とするエネルギ保存サイクル機関。
【請求項２２４８】
前記エネルギ保存サイクル機関は、縮径主燃焼室熱交換器（２）及び廃熱回収熱交換器（２ａ）により、排水温度を大気圧３０℃に近付けることを特徴とするエネルギ保存サイクル機関。
【請求項２２４９】
前記エネルギ保存サイクル機関は、縮径主燃焼室熱交換器（２）及び廃熱回収熱交換器（２ａ）により熱回収して、排水温度を大気圧３０℃に近付けることを特徴とするエネルギ保存サイクル機関。
【請求項２２５０】
前記エネルギ保存サイクル機関は、縮径主燃焼室熱交換器（２）及び廃熱回収熱交換器（２ａ）により繰り返し熱回収して熱回収量を限りなく増大し、排水温度を大気圧３０℃に近付けることを特徴とするエネルギ保存サイクル機関。
【請求項２２５１】
前記エネルギ保存サイクル機関は、縮径主燃焼室熱交換器（２）及び廃熱回収熱交換器（２ａ）により繰り返し熱回収して出力を限りなく増大し、排水温度を大気圧３０℃に近付けることを特徴とするエネルギ保存サイクル機関。
【請求項２２５２】
前記エネルギ保存サイクル機関は、縮径主燃焼室熱交換器（２）及び廃熱回収熱交換器（２ａ）により繰り返し熱回収して出力及び熱回収量を限りなく増大し、排水温度を大気圧３０℃に近付けることを特徴とするエネルギ保存サイクル機関。
【請求項２２５３】
前記エネルギ保存サイクル機関は、排水温度を３０℃に近付けて１００℃以下の水道水温熱として供給することを特徴とするエネルギ保存サイクル機関。
【請求項２２５４】
前記エネルギ保存サイクル機関は、廃熱回収熱交換器（２ａ）により熱回収して、排水温度を３０℃に近付けて１００℃以下の水道水温熱として供給することを特徴とするエネルギ保存サイクル機関。
【請求項２２５５】
前記エネルギ保存サイクル機関は、廃熱回収熱交換器（２ａ）により繰り返し熱回収して熱回収量を限りなく増大し、排水温度を大気圧３０℃に近付けて１００℃以下の水道水温熱として供給することを特徴とするエネルギ保存サイクル機関。
【請求項２２５６】
前記エネルギ保存サイクル機関は、廃熱回収熱交換器（２ａ）により繰り返し熱回収して出力を限りなく増大し、排水温度を大気圧３０℃に近付けて１００℃以下の水道水温熱として供給することを特徴とするエネルギ保存サイクル機関。
【請求項２２５７】
前記エネルギ保存サイクル機関は、廃熱回収熱交換器（２ａ）により繰り返し熱回収して出力及び熱回収量を限りなく増大し、排水温度を大気圧３０℃に近付けて１００℃以下の水道水温熱として供給することを特徴とするエネルギ保存サイクル機関。
【請求項２２５８】
前記エネルギ保存サイクル機関は、縮径主燃焼室熱交換器（２）及び廃熱回収熱交換器（２ａ）により、排水温度を大気圧３０℃に近付けて１００℃以下の水道水温熱として供給することを特徴とするエネルギ保存サイクル機関。
【請求項２２５９】
前記エネルギ保存サイクル機関は、縮径主燃焼室熱交換器（２）及び廃熱回収熱交換器（２ａ）により熱回収して、排水温度を大気圧３０℃に近付けて１００℃以下の水道水温熱として供給することを特徴とするエネルギ保存サイクル機関。
【請求項２２６０】
前記エネルギ保存サイクル機関は、縮径主燃焼室熱交換器（２）及び廃熱回収熱交換器（２ａ）により繰り返し熱回収して熱回収量を限りなく増大し、排水温度を大気圧３０℃に近付けて１００℃以下の水道水温熱として供給することを特徴とするエネルギ保存サイクル機関。
【請求項２２６１】
前記エネルギ保存サイクル機関は、縮径主燃焼室熱交換器（２）及び廃熱回収熱交換器（２ａ）により繰り返し熱回収して出力を限りなく増大し、排水温度を大気圧３０℃に近付けて１００℃以下の水道水温熱として供給することを特徴とするエネルギ保存サイクル機関。
【請求項２２６２】
前記エネルギ保存サイクル機関は、縮径主燃焼室熱交換器（２）及び廃熱回収熱交換器（２ａ）により繰り返し熱回収して出力及び熱回収量を限りなく増大し、排水温度を大気圧３０℃に近付けて１００℃以下の水道水温熱として供給することを特徴とするエネルギ保存サイクル機関。
【請求項２２６３】
前記エネルギ保存サイクル機関は、縮径主燃焼室熱交換器（２）及び廃熱回収熱交換器（２ａ）により繰り返し熱回収して熱回収量を限りなく増大し、超臨界圧力高温水を貯蔵増大することで、燃料無しの蒸気機関としても使用可能としたことを特徴とするエネルギ保存サイクル機関。
【請求項２２６４】
前記エネルギ保存サイクル機関は、縮径主燃焼室熱交換器（２）及び廃熱回収熱交換器（２ａ）により繰り返し熱回収して熱回収量を限りなく増大し、高温水を貯蔵増大することで、燃料無しの蒸気機関としても使用可能としたことを特徴とするエネルギ保存サイクル機関。
【請求項２２６５】
前記エネルギ保存サイクル機関は、縮径主燃焼室熱交換器（２）及び廃熱回収熱交換器（２ａ）により繰り返し熱回収して熱回収量を限りなく増大し、高圧高温水を貯蔵増大することで、燃料無しの蒸気機関としても使用可能としたことを特徴とするエネルギ保存サイクル機関。
【請求項２２６６】
前記エネルギ保存サイクル機関は、該回転力で駆動する装置に蓄電装置を含めたことを特徴とするエネルギ保存サイクル機関。
【請求項２２６７】
前記エネルギ保存サイクル機関は、該回転力で駆動する装置に蓄電装置及び該蓄電装置で駆動する装置を含めたことを特徴とするエネルギ保存サイクル機関。
【請求項２２６８】
前記エネルギ保存サイクル機関は、該回転力で駆動する装置を各種小型船舶としたことを特徴とするエネルギ保存サイクル機関。
【請求項２２６９】
前記エネルギ保存サイクル機関は、該回転力で駆動する装置を各種中型船舶としたことを特徴とするエネルギ保存サイクル機関。
【請求項２２７０】
前記エネルギ保存サイクル機関は、該回転力で駆動する装置を各種大型船舶としたことを特徴とするエネルギ保存サイクル機関。
【請求項２２７１】
前記エネルギ保存サイクル機関は、該回転力で駆動する装置を各種小型高速船としたことを特徴とするエネルギ保存サイクル機関。
【請求項２２７２】
前記エネルギ保存サイクル機関は、該回転力で駆動する装置を各種中型高速船としたことを特徴とするエネルギ保存サイクル機関。
【請求項２２７３】
前記エネルギ保存サイクル機関は、該回転力で駆動する装置を各種大型高速船としたことを特徴とするエネルギ保存サイクル機関。
【請求項２２７４】
前記エネルギ保存サイクル機関は、該回転力で駆動する装置を、燃料無しの蒸気機関としても短時間使用可能とした各種小型船舶としたことを特徴とするエネルギ保存サイクル機関。
【請求項２２７５】
前記エネルギ保存サイクル機関は、該回転力で駆動する装置を、燃料無しの蒸気機関としても短時間使用可能とした各種中型船舶としたことを特徴とするエネルギ保存サイクル機関。
【請求項２２７６】
前記エネルギ保存サイクル機関は、該回転力で駆動する装置を、燃料無しの蒸気機関としても短時間使用可能とした各種大型船舶としたことを特徴とするエネルギ保存サイクル機関。
【請求項２２７７】
前記エネルギ保存サイクル機関は、該回転力で駆動する装置を、燃料無しの蒸気機関としても短時間使用可能とした各種小型高速船としたことを特徴とするエネルギ保存サイクル機関。
【請求項２２７８】
前記エネルギ保存サイクル機関は、該回転力で駆動する装置を、燃料無しの蒸気機関としても短時間使用可能とした各種中型高速船としたことを特徴とするエネルギ保存サイクル機関。
【請求項２２７９】
前記エネルギ保存サイクル機関は、該回転力で駆動する装置を、燃料無しの蒸気機関としても短時間使用可能とした各種大型高速船としたことを特徴とするエネルギ保存サイクル機関。
【請求項２２８０】
前記エネルギ保存サイクル機関は、該回転力で駆動する装置を各種垂直上昇降下飛行機としたことを特徴とするエネルギ保存サイクル機関。
【請求項２２８１】
前記エネルギ保存サイクル機関の回転力で駆動する装置を、各種プロペラ飛行機としたことを特徴とするエネルギ保存サイクル機関。
【請求項２２８２】
前記エネルギ保存サイクル機関の回転力で駆動する装置を、各種ヘリコプターとしたことを特徴とするエネルギ保存サイクル機関。
【請求項２２８３】
前記エネルギ保存サイクル機関の回転力で駆動する装置を、各種飛行物体としたことを特徴とするエネルギ保存サイクル機関。
【請求項２２８４】
前記エネルギ保存サイクル機関は、該回転力で駆動する装置を燃料無しの蒸気機関としても短時間使用可能とした各種垂直上昇降下飛行機としたことを特徴とするエネルギ保存サイクル機関。
【請求項２２８５】
前記エネルギ保存サイクル機関の回転力で駆動する装置を、燃料無しの蒸気機関としても短時間使用可能とした各種プロペラ飛行機としたことを特徴とするエネルギ保存サイクル機関。
【請求項２２８６】
前記エネルギ保存サイクル機関の回転力で駆動する装置を、燃料無しの蒸気機関としても短時間使用可能とした各種ヘリコプターとしたことを特徴とするエネルギ保存サイクル機関。
【請求項２２８７】
前記エネルギ保存サイクル機関の回転力で駆動する装置を、燃料無しの蒸気機関としても短時間使用可能とした各種飛行物体としたことを特徴とするエネルギ保存サイクル機関。
【請求項２２８８】
前記エネルギ保存サイクル機関は、該回転力で駆動する装置を各種小型車両としたことを特徴とするエネルギ保存サイクル機関。
【請求項２２８９】
前記エネルギ保存サイクル機関は、該回転力で駆動する装置を各種中型車両としたことを特徴とするエネルギ保存サイクル機関。
【請求項２２９０】
前記エネルギ保存サイクル機関は、該回転力で駆動する装置を各種大型車両としたことを特徴とするエネルギ保存サイクル機関。
【請求項２２９１】
前記エネルギ保存サイクル機関は、該回転力で駆動する装置を各種小型自動車としたことを特徴とするエネルギ保存サイクル機関。
【請求項２２９２】
前記エネルギ保存サイクル機関は、該回転力で駆動する装置を各種中型自動車としたことを特徴とするエネルギ保存サイクル機関。
【請求項２２９３】
前記エネルギ保存サイクル機関は、該回転力で駆動する装置を各種大型自動車としたことを特徴とするエネルギ保存サイクル機関。
【請求項２２９４】
前記エネルギ保存サイクル機関は、該回転力で駆動する装置を各種小型機械としたことを特徴とするエネルギ保存サイクル機関。
【請求項２２９５】
前記エネルギ保存サイクル機関は、該回転力で駆動する装置を各種中型機械としたことを特徴とするエネルギ保存サイクル機関。
【請求項２２９６】
前記エネルギ保存サイクル機関は、該回転力で駆動する装置を各種大型機械としたことを特徴とするエネルギ保存サイクル機関。
【請求項２２９７】
前記エネルギ保存サイクル機関は、該回転力で駆動する装置を小型汎用機関としたことを特徴とするエネルギ保存サイクル機関。
【請求項２２９８】
前記エネルギ保存サイクル機関は、該回転力で駆動する装置を中型汎用機関としたことを特徴とするエネルギ保存サイクル機関。
【請求項２２９９】
前記エネルギ保存サイクル機関は、該回転力で駆動する装置を大型汎用機関としたことを特徴とするエネルギ保存サイクル機関。
【請求項２３００】
前記エネルギ保存サイクル機関は、該回転力で駆動する装置を燃料無しの蒸気機関としても短時間使用可能とした各種小型車両としたことを特徴とするエネルギ保存サイクル機関。
【請求項２３０１】
前記エネルギ保存サイクル機関は、該回転力で駆動する装置を燃料無しの蒸気機関としても短時間使用可能とした各種中型車両としたことを特徴とするエネルギ保存サイクル機関。
【請求項２３０２】
前記エネルギ保存サイクル機関は、該回転力で駆動する装置を燃料無しの蒸気機関としても短時間使用可能とした各種大型車両としたことを特徴とするエネルギ保存サイクル機関。
【請求項２３０３】
前記エネルギ保存サイクル機関は、該回転力で駆動する装置を燃料無しの蒸気機関としても短時間使用可能とした各種小型自動車としたことを特徴とするエネルギ保存サイクル機関。
【請求項２３０４】
前記エネルギ保存サイクル機関は、該回転力で駆動する装置を燃料無しの蒸気機関としても短時間使用可能とした各種中型自動車としたことを特徴とするエネルギ保存サイクル機関。
【請求項２３０５】
前記エネルギ保存サイクル機関は、該回転力で駆動する装置を燃料無しの蒸気機関としても短時間使用可能とした各種大型自動車としたことを特徴とするエネルギ保存サイクル機関。
【請求項２３０６】
前記エネルギ保存サイクル機関は、該回転力で駆動する装置を燃料無しの蒸気機関としても短時間使用可能とした各種小型機械としたことを特徴とするエネルギ保存サイクル機関。
【請求項２３０７】
前記エネルギ保存サイクル機関は、該回転力で駆動する装置を燃料無しの蒸気機関としても短時間使用可能とした各種中型機械としたことを特徴とするエネルギ保存サイクル機関。
【請求項２３０８】
前記エネルギ保存サイクル機関は、該回転力で駆動する装置を燃料無しの蒸気機関としても短時間使用可能とした各種大型機械としたことを特徴とするエネルギ保存サイクル機関。
【請求項２３０９】
前記エネルギ保存サイクル機関は、該回転力で駆動する装置を燃料無しの蒸気機関としても短時間使用可能とした小型汎用機関としたことを特徴とするエネルギ保存サイクル機関。
【請求項２３１０】
前記エネルギ保存サイクル機関は、該回転力で駆動する装置を燃料無しの蒸気機関としても短時間使用可能とした中型汎用機関としたことを特徴とするエネルギ保存サイクル機関。
【請求項２３１１】
前記エネルギ保存サイクル機関は、該回転力で駆動する装置を燃料無しの蒸気機関としても短時間使用可能とした大型汎用機関としたことを特徴とするエネルギ保存サイクル機関。
【請求項２３１２】
前記エネルギ保存サイクル機関は、該回転力で駆動する装置を燃料無しの蒸気機関としても短時間使用可能とした小型発電装置としたことを特徴とするエネルギ保存サイクル機関。
【請求項２３１３】
前記エネルギ保存サイクル機関は、該回転力で駆動する装置を燃料無しの蒸気機関としても短時間使用可能とした中型発電装置としたことを特徴とするエネルギ保存サイクル機関。
【請求項２３１４】
前記エネルギ保存サイクル機関は、該回転力で駆動する装置を燃料無しの蒸気機関としても短時間使用可能とした大型発電装置としたことを特徴とするエネルギ保存サイクル機関。
【請求項２３１５】
前記エネルギ保存サイクル機関は、該回転力で駆動する装置を小型発電装置としたことを特徴とするエネルギ保存サイクル機関。
【請求項２３１６】
前記エネルギ保存サイクル機関は、該回転力で駆動する装置を中型発電装置としたことを特徴とするエネルギ保存サイクル機関。
【請求項２３１７】
前記エネルギ保存サイクル機関は、該回転力で駆動する装置を大型発電装置としたことを特徴とするエネルギ保存サイクル機関。
【請求項２３１８】
前記エネルギ保存サイクル機関は、該回転力で駆動する装置を燃料無しの蒸気機関としても短時間使用可能とした熱と電気の小型併給装置としたエネルギ保存サイクル機関。
【請求項２３１９】
前記エネルギ保存サイクル機関は、該回転力で駆動する装置を燃料無しの蒸気機関としても短時間使用可能とした熱と電気の中型併給装置としたエネルギ保存サイクル機関。
【請求項２３２０】
前記エネルギ保存サイクル機関は、該回転力で駆動する装置を燃料無しの蒸気機関としても短時間使用可能とした熱と電気の大型併給装置としたエネルギ保存サイクル機関。
【請求項２３２１】
前記エネルギ保存サイクル機関は、該回転力で駆動する装置を熱と電気の小型併給装置としたエネルギ保存サイクル機関。
【請求項２３２２】
前記エネルギ保存サイクル機関は、該回転力で駆動する装置を熱と電気の中型併給装置としたエネルギ保存サイクル機関。
【請求項２３２３】
前記エネルギ保存サイクル機関は、該回転力で駆動する装置を熱と電気の大型併給装置としたエネルギ保存サイクル機関。
【請求項２３２４】
前記エネルギ保存サイクル機関は、該回転力で駆動する装置は、その種類を問わないことを特徴とするエネルギ保存サイクル機関。
【請求項２３２５】
前記エネルギ保存サイクル機関で燃焼させる燃料は、重油・軽油・水素・メタノール・メタン・ガソリン・天然ガス・プロパンガス・アルコールの何れかにしたことを特徴とするエネルギ保存サイクル機関。
【請求項２３２６】
前記エネルギ保存サイクル機関で燃焼させる燃料は、重油・軽油・水素・メタノール・メタン・ガソリン・天然ガス・プロパンガス・アルコールの何れか１以上にしたことを特徴とするエネルギ保存サイクル機関。
【発明の詳細な説明】
【０００１】
【発明の属する技術分野】
熱力学洗脳により最適速度×質量＝仕事能力のうち、質量の部分を思考停止して無茶苦茶とし、熱量を殆ど利用しない容積利用を最高構成として絶賛し、仮説出力を１／５００等にしているため、既存往復機関の５００倍仮説出力に増大するアイディアを、明快に説明するため仮説数字で説明するが、正解は実験数値として仮説数字に限定しません。熱回収量及び熱利用を最大にする各種エネルギ保存サイクル機関として、例えば縮径主燃焼室兼熱交換器の内径を拡径燃焼室の１／７に縮径して、死点近傍でのエネルギ放出量（ピストンの行程容積）を１／４９とした、縮径主燃焼室内隔離燃焼（密閉容器内完全燃焼終了・最高燃焼圧力を圧縮圧力の９倍に近付ける）とし、一定容積以上の縮径主燃焼室兼熱交換器では、ガソリン機関並み圧縮比（１〜２ＭＰａ）でディーゼル機関並み最高燃焼圧力（９〜１８ＭＰａ）に近付け、最大の熱回収が可能な熱交換冷却低温燃焼の、ＮＯｘ低減皆無燃焼にして、熱回収量及び熱利用を最大にする技術に関する。
【０００２】
縮径主燃焼室熱交換器＋廃熱回収熱交換器により、例えば既存往復機関排気温度５００℃前後を５０℃以下等として、１回転毎に４００℃以上の回収熱量を限り無く繰り返し増大し、超臨界圧力等の超臨界温度等複数温度の高温水５２ｂを最大に増大します。例えば縮径主燃焼室兼熱交換器１に具備した、複数弁座９８の高温水噴射電磁弁８７Ｃｃの末広ノズル噴口部９４ａより、超臨界温度等最高温度の高温水容積速度利用により、１００℃以下等の低温高温水を噴射して、任意に変形させた電磁加熱縮径ピストン２２の頭頂部に高温水を噴射して、燃焼温度を最低に低下させると同時に、死点後９０°前の絶好機に隔離燃焼解除して、低温燃焼ガスを高温水５２ｂで噴射して、高温水の容積利用により、加熱高温とした末広ノズル噴口部９４ａ内では、高温水５２ｂを弾丸や吹雪のように加速して、末広ノズル噴口部９４ａの外ではロケットや吹雪のように加速し、死点後９０°のクランク角度絶好機の動圧出力を最大にする技術に関する。
【０００３】
そして拡径燃焼室１０で再燃焼させると同時に、シリンダヘッド１５に具備した複数の複数弁座９８の高温水噴射電磁弁８７Ｃｄより、電磁加熱高温とした電磁加熱縮径ピストン２２の拡径部に、超臨界温度等最高温度の高温水５２ｂ容積速度利用により、１００℃以下等の低温高温水を直接噴射して、末広ノズル噴口部９４ａ内では高温水を弾丸や吹雪のように加速して、末広ノズル噴口部９４ａ外では５０℃前後の高温水５２ｂを吹雪のように加速し、消費熱量最少の重力仕事率最大の、摩擦損失最少で拡径ピストン２１を動圧反動駆動します。熱エネルギ放出を絶好機に集中することで、２／３空気等を利用する１段燃焼時間を最大にし、２段燃焼１／３空気等により再度未燃分皆無を可能として、断熱膨張極低温燃焼ガス及び高温水５２ｂにより水蒸気を冷却凝集し、ＣＯ２等を溶解容易にする化学物質の添加を含めて、水蒸気容積を最小としてＣＯ２排気を０に近付け、同一燃料量既存ガソリン機関の５００倍仮説出力等を狙う技術に関する。
【０００４】
例えば電磁加熱縮径ピストン２２の径を拡径ピストン２１の１／７に縮径すると、電磁加熱縮径ピストンの行程容積や熱エネルギ放出量や軸受荷重は１／４９となり、密閉容器内完全燃焼終了に近付き、最高燃焼圧力は圧縮圧力の９倍に近付き、燃焼温度は通常５０００℃を越えます。電磁加熱縮径ピストン２２頂部燃焼室長さを、通常の頂部隙間の４９倍の細長い円筒に近付けられるため、熱回収量を最大にするエネルギ保存サイクルとして、最適の熱交換冷却燃焼や最大の回収熱量が可能な、縮径主燃焼室兼熱交換器１となります。死点後９０度の絶好機に縮径主燃焼室内隔離燃焼を解除すると同時に、超臨界温度や５０℃前後等複数温度の高温水噴射量を最大にし、高温水５２ｂによる燃焼ガスの噴射として、断熱膨張低温燃焼ガスや高温水５２ｂによる水蒸気の冷却凝集とし、１００倍質量等の凝縮水に溶解排出して、ＣＯ２排気等を０に近付ける技術に関する。
【０００５】
例えば送水ポンプ兼磁気摩擦動力伝達装置５５により熱回収した、単位容積燃焼ガスの略１０００倍重力仕事率の超臨界圧力高温水噴射を（同一燃料量既存ガソリン機関絶好機静圧出力の４０倍動圧２５ＭＰａ×１００倍水質量重力仕事率×１／８効率）＝（既存ガソリン機関の５００倍仮説出力・単位ピストン面積最大動圧４０００倍）等とします。縮径主燃焼室兼熱交換器１やシリンダヘッド１５に具備した、複数弁座９８の高温水噴射電磁弁８７より、電磁加熱高温の電磁加熱縮径ピストン２２の拡径部に直接高温水５２ｂ噴射し、拡径ピストン２１を動圧反動駆動して、下部に設けた排気穴５より排気排水し、飽和蒸気によりターボ過給機１２を駆動し、圧縮行程の終りには安全弁５４より圧力水を排水し、廃熱回収熱交換器２ａにより排気排水より熱回収供給利用して、１００倍質量等の凝縮水にＣＯ２等燃焼ガスを、溶解排水地球温暖化防止が可能な、各種エネルギ保存サイクル機関に関する。
【０００６】
【従来の技術】
既存ガソリン機関やディーゼル機関やロータリー機関は、熱を全く利用しない容積利用のため、略断熱膨張排気のため排気温度も５００℃前後と非常に高く、燃焼ガスの単位重力仕事率が水の１／１０００前後と非常に僅少で、死点後９０°の絶好機落差も０．５〜１ＭＰａ前後と僅少な静圧作用で、無茶苦茶過ぎる容積利用では、同一燃料量の仮説出力が大型で１／５００前後に低減し、自動車等では燃料電池並出力に低減して大損失です。既存往復機関技術は偶々出力を発生したものの改良で、基礎研究皆無の容積利用では、ＣＯ２を排出する等と問題が多く絶対出力が僅少過ぎるため、性能が燃料電池や風力発電に近付くのです。そこで往復機関からのＣＯ２等の排気を０に近付けた、既存ガソリン機関の５００倍仮説出力や、地球温暖化防止・公害の低減が急務となっております。
【０００７】
既存往復機関駆動の、各種自動車や各種船舶や各種飛行機や各種機械や各種発電機や各種小型機械等から、京都議定書とは逆に膨大なＣＯ２等の排出増大が、中国等地球人口の大部分を占める途上国で急加速しており、此の儘ではＣＯ２等の排出が５倍前後に爆発的に増大し、地球温暖化も爆発的に加速してバランスが崩壊し、メタンハイドレートの大分解やＣＯ２濃度の急上昇等、予想を遥かに超える現象により、灼熱地球・人類滅亡を招きます。人類は集団自殺の末路に向かって急加速しており、仮説出力を１／５００等に低減した無茶苦茶過ぎる既存往復機関から排出される、ＣＯ２等の燃焼ガス排気を０乃至大幅に低減するため、一刻も早い地球温暖化防止の行動開始が急がれます。
【０００８】
既存技術は死点で最大の熱エネルギを放出して大損失です。特にロータリー機関はローターの死点とクランクの死点で最大の熱エネルギを放出するため、逆回転力や回転力を発生困難な損失の、不回転放出熱エネルギ損失が６５％乃至７０％前後に増大し、出力を３０％前後に低減して大損失です。既存ガソリン機関も回転力が発生しない死点近傍で、８０％前後の熱エネルギを放出するため、４サイクルガソリン機関の不回転放出熱エネルギ損失が、４０％前後に上昇して出力を６０％前後に低減して大損失です。
【０００９】
更に既存ガソリン機関は基礎研究皆無のため、往復運動で最も重要な運動エネルギが減少しない、完全弾性衝突往復運動に最も遠い往復運動のため、往復運動による運動エネルギの減少損失が３０％前後に上昇し、不回転放出熱エネルギ損失を含めると損失が７０％前後に増大し、既存ガソリン機関の出力は３０％前後に低減して大損失です。またディーゼル機関の場合は、燃焼を遅らせて熱効率の上昇を図るため、４／１等の超長行程機関以外では、燃焼時間の大幅な不足による、各種未燃微粒子黒煙公害が増大します。従って自動車など軽量大出力を必要とする用途には、常識的には使用不可となる欠点がある。
【００１０】
【発明が解決しようとする課題】
熱力学洗脳により「速度（落差）×質量（重力仕事率）＝仕事能力（出力）」の、最も基本的な思考が完璧に阻止されており、思考を復活することでＣＯ２等の排気も０乃至僅少にして、仮説出力を５００倍等に大幅に増大するのが急務となっております。そこで熱回収量及び熱利用を最大にする各種エネルギ保存サイクル機関として、例えば縮径主燃焼室兼熱交換器１の内径を拡径燃焼室１０の１／７に縮径し、電磁加熱縮径ピストン２２の行程容積を１／４９として、密閉容器内完全燃焼終了に近づけることで、例えば最高燃焼圧力を圧縮圧力２ＭＰａの９倍の１８ＭＰａに近付け、縮径主燃焼室熱交換器２＋廃熱回収熱交換器２ａにより、熱回収量を最大の超臨界温度等複数温度の高温水５２ｂとし、複数の高温水噴射電磁弁８７より噴射して、既存技術で無視されていた重力仕事率最大で、同一燃料量既存ガソリン機関の５００倍仮説出力発生等を目的にします。
【００１１】
熱量を超臨界温度等噴数温度の高温水５２ｂとして利用することで、往復機関最大の長所を活用して、従来排気温度５００℃前後を熱回収して、凝縮水温度を５０℃以下等の最低に低下させて放出し、一回転の回収熱量を４００℃以上等として、１回転毎に回収熱量を限りなく増大し、超臨界温度等複数温度の高温水５２ｂ熱量を最大に増大します。熱回収することで同一熱量を繰り返し限りなく増大使用し、縮径主燃焼室隔離燃焼解除と略同時に、複数の高温水噴射電磁弁８７より、超臨界温度等複数温度の高温水５２ｂを大量噴射して、直接電磁加熱縮径ピストン２２やその拡径部に噴射して、拡径ピストン２１を動圧駆動して、燃焼ガスの１００倍水質量等により５００倍仮説出力等に増大し、１００倍質量の水にＣＯ２等を溶解して排出し、ＣＯ２等の燃焼ガス排気０を目的にします。
【００１２】
既存４サイクルガソリン機関は、回転力を発生しない上死点付近で、全熱エネルギの５／６前後を放出するため、不回転放出熱エネルギ損失が４０％前後に増大し、完全弾性衝突往復運動を不採用のため、往復運動により運動エネルギが減少する、運動エネルギ減少損失が３０％前後に増大して、合計損失が７０％前後に増大し、出力が３０％前後に低下して大損失です。そこでエネルギ保存サイクルと完全弾性衝突往復運動を採用することで、不回転放出熱エネルギ損失と運動エネルギ減少損失の合計損失を０％に近付けて、同一燃料量既存ガソリン機関の５００倍仮説出力等を、容易にすることを目的とします。
【００１３】
そこでこの発明は熱回収量を最大にするエネルギ保存サイクルとし、熱交換冷却燃焼時間を大幅に増大して、高圧高温燃焼のまま完全燃焼終了し、熱を最も効率良く超臨界温度等複数温度の高温水５２ｂとして回収利用し、同一燃料量の仮説出力を５００倍等に増大すると共に、不回転放出熱エネルギ損失４０％前後を０％に近付け、完全弾性衝突往復運動乃至、完全弾性衝突対向往復運動を採用することで、運動エネルギ減少損失３０％前後を０％に近付けます。損失を０％に近付けて熱回収利用することで、出力の略全部を燃焼ガスの１０００倍重力仕事率の、高温水５２ｂ出力として超臨界圧力等の大落差大出力とし、極低温燃焼ガスや高温水により水蒸気を冷却凝集し、ＣＯ２等を凝縮水に溶解してＣＯ２等の排気を０乃至僅少にし、地球温暖化防止と公害の皆無を目的とする。
【００１４】
先の出願の各種エネルギ保存サイクル機関の各種使用方法により、大中小型舶用や大中小型自動車用や、大中小型飛行機や大中小型ヘリコプターや大中小型機械用や、各種大中小型汎用機関用や大中小型発電用や大中小型の熱と電気の併給用など、各種大中小型の駆動可能な装置の出力を大幅に上昇します。例えば加熱高温とした電磁加熱縮径ピストン２２やその拡径部に、直接超臨界温度等複数温度の高温水を噴射して、死点後９０°の絶好機動圧仮説出力を（既存ガソリン機関の４０倍落差×燃焼ガスの２０〜１００倍水質量重力仕事率×１／８効率）＝（既存ガソリン機関の１００〜５００倍仮説出力）等に増大することを目的とします。
【００１５】
死点後９０°付近の絶好機、同一ピストン面積既存ガソリン機関の、燃焼ガスの１／１０容積の高温水５２ｂ動圧を（既存ガソリン機関の４０倍落差×１００倍水質量重力仕事率）＝（４０００倍仮説動圧）として、高温水５２ｂとの間に気化膜を設けて、摩擦損失最少・重力仕事率最大・出力最大を目的とします。そして縮径主燃焼室熱交換器２や廃熱回収熱交換器２ａを可能な限り具備した、小型のエネルギ保存サイクル機関も提供し、用途や出力の増大を目的とします。また明快に説明するため、無理して仮説数字で説明を続けますが、数字に限定するものではなく、解り易い説明を目的とします。
【００１６】
【課題を解決するための手段】
熱力学洗脳思考停止から復活のエネルギ保存サイクル機関は、例えば縮径主燃焼室兼熱交換器１の内径を、拡径燃焼室１０の１／７に縮径したエネルギ保存サイクルとし、電磁加熱縮径ピストン２２の行程容積を１／４９として、死点付近の熱エネルギ放出量や軸受荷重を１／４９とし、電磁加熱縮径ピストン頂部燃焼室を４９倍厚さの長円筒とした、最適の熱交換冷却燃焼が容易な、縮径主燃焼室兼熱交換器１内隔離燃焼とします。すると密閉容器内完全燃焼終了・最高燃焼圧力圧縮圧力の９倍に近付き、ガソリン機関の圧縮比２ＭＰａで、ディーゼル機関の最高燃焼圧力１８ＭＰａに近付き、燃焼温度は通常５０００℃を越えるため、熱交換冷却長時間隔離燃焼にすると、発生熱量最大の回収熱量を最大とした、ＮＯｘ低減皆無長時間隔離燃焼となり、高温水５２ｂ大量噴射により、最高燃焼圧力の上昇や燃焼ガス温度の低下を可能にし、既存ガソリン機関の５００倍仮説出力にします。
【００１７】
可能な限り縮径主燃焼室熱交換器２及び廃熱回収熱交換器２ａを設けて、従来排気温度５００℃前後を熱回収して、凝縮水温度を５０℃以下等に低下させて放出し、１回転毎に回収熱量を限り無く増大して、縮径主燃焼室兼熱交換器１の高温水噴射電磁弁８７ｃより、熱交換して得た超臨界温度等最高温度の高温水５２ｂ容積速度利用により、５０℃前後等の低温高温水を大量噴射し、任意に変形させた電磁加熱縮径ピストン２２の頭頂部等に噴射して、消費熱量最少の仕事能力最大とし、用途により最高燃焼圧力を上昇して燃焼ガス温度を低下して、隔離燃焼解除時までには燃焼ガス温度を熱交換低下させて、隔離燃焼解除時に燃焼ガスを高温水５２ｂや、一方向空気流路９の圧縮空気で噴射して再燃焼可能とし、断熱膨張低温燃焼ガスや高温水５２ｂにより水蒸気を冷却凝集して、水蒸気容積を最適最少にすると共に、凝縮水に溶解してＣＯ２等の排気を０や僅少等にします。
【００１８】
縮径主燃焼室隔離燃焼解除時の２段燃焼再度未燃分を皆無とし、高温水５２ｂ噴射出力発生燃焼にすると同時に、シリンダヘッド１５に具備した複数等の複数弁座９８の高温水噴射電磁弁８７ｄより、死点後９０°付近の絶好機に、超臨界温度等最高温度の高温水容積速度利用により、１００℃以下等の低温高温水５２ｂを噴射して、ノズル噴口部９４乃至末広ノズル噴口部９４ａ内では、超臨界圧力超臨界温度等高温水５２ｂにより、５０℃前後の高温水５２ｂを弾丸や吹雪のように加速して、ノズル噴口部外では高温水を吹雪のように加速し、電磁加熱縮径ピストン２２の拡径部に、直接超臨界温度等複数温度の高温水５２ｂを噴射して、エネルギ保存サイクル機関の型式、Ａ型Ｂ型Ｃ型Ｄ型Ｅ型Ｆ型Ｇ型Ｈ型に関係なく、燃焼ガスの２０〜１００倍質量等の大量の高温水噴射による、同一燃料量既存ガソリン機関の、１００〜５００倍仮説出力を目指します。
【００１９】
熱回収量及び熱利用を最大にするエネルギ保存サイクルとして、不回転放出熱エネルギ損失を０％に近付け、完全弾性衝突往復運動を採用して運動エネルギ減少損失を０％に近付け、密閉容器内完全燃焼終了に近付けて、最大量の熱回収と熱交換冷却燃焼にすることで、縮径主燃焼室熱交換器２及び廃熱回収熱交換器２ａにより、従来排気温度５００℃前後を、５０℃以下等の用途に合わせた最低温度とします。例えば一回転の回収熱量を４００℃前後とすると、往復機関最大の長所を活用して、回収熱量は１回転毎に４００℃限りなく増大し、超臨界温度等複数温度の高温水５２ｂ熱量を限り無く増大して、高温水噴射電磁弁８７より噴射する高温水５２ｂを限り無く増大し、同一熱量を繰り返し回収噴射して、同一熱量の繰返し回収使用を可能にします。
【００２０】
中大型エネルギ保存サイクル機関では最終的に、燃焼ガスの２０〜１００倍質量等の、超臨界温度等複数温度の高温水５２ｂ噴射が可能な縮径主燃焼室内燃焼にし、高温水噴射電磁弁８７ｃより高温水５２ｂを噴射して、用途に合わせた燃焼圧力の上昇や燃焼ガスの冷却とし、絶好機の隔離燃焼解除時に低温燃焼ガスを高温水で噴射します。高温水噴射電磁弁８７ｃより高温水５２ｂを噴射して、末広ノズル噴口部９４ａ内では超臨界温度等の高温水５２ｂにより、５０℃前後の高温水５２ｂを弾丸や吹雪のように加速して、ノズル外では高温水５２ｂを吹雪のように加速し、電磁加熱縮径ピストン２２の頭頂部や拡径部に噴射して、拡径ピストン２１を動圧反動駆動する過程で、一方向空気流路９の圧縮空気や拡径燃焼室１０の空気による、未燃分皆無出力発生燃焼とし、断熱膨張極低温燃焼ガスや高温水により水蒸気を冷却凝集し、水蒸気容積を最適最小にします。
【００２１】
縮径主燃焼室内隔離燃焼解除と略同時に、シリンダヘッド１５に具備した１以上複数の高温水噴射電磁弁８７ｄより、超臨界温度等の高温水容積速度利用により５０℃前後の高温水５２ｂを噴射加速し、ノズル噴口部９４又は末広ノズル噴口部９４ａ内では、高温水を弾丸や吹雪のように加速して、ノズル噴口部外では高温水を吹雪のように加速し、同一燃料量絶好機（既存ガソリン機関燃焼ガスの１０００倍単位容積重力仕事率で２〜２０〜１００倍水質量×４０倍落差×１／８効率）＝（既存ガソリン機関の１０〜１００〜５００倍仮説出力）を目指します。そしてＮＯｘ皆無燃焼や出力発生水噴射や、下部に設けた排気穴５から排気排水して、飽和水蒸気によりターボ過給機１２を駆動し、圧縮行程後期の圧力水を安全弁５４より排水して、廃熱回収熱交換器２ａで飽和蒸気や高温水からの熱回収の過程では、２〜１０〜１００倍質量等の凝縮水にＣＯ２等を溶解し、５０℃以下等の最低温度で排水し、ＣＯ２等の排気を０乃至僅少にします。
【００２２】
通常のシリンダヘッド１５を含む縮径主燃焼室兼熱交換器１には、公知の燃料噴射弁８８や図に無い着火装置１０２や、一方向空気流路９や、高温水噴射電磁弁８７Ｃｄや高温水噴射電磁弁８７Ｄｄや、公知の各種流用噴射弁１００や他用途品の流用弁や、燃料に水を混合して燃焼させる公知技術等を、適宜に選択して設けます。一定容積以上の縮径主燃焼室兼熱交換器１では、用途により高温水噴射電磁弁８７Ｃｃや、高温水噴射電磁弁８７Ｄｃを設けます。ターボ過給機１２や回転式過給機１４を運動エネルギの減少しない一方向回転運動とし、公知の制御装置等を適宜に設け、略全出力を高温水５２ｂ出力に変換し、同一燃料量既存ガソリン機関の５００倍仮説出力を狙います。
【００２３】
死点近傍での熱エネルギ放出量を、１／９や１／２５や１／４９等適宜に選択した、エネルギ保存サイクルを採用することで、回転を阻止する方向に働く熱エネルギ損失の、既存ガソリン機関の不回転放出熱エネルギ損失４０％前後を、１０％以下０％に近付けて、出力を３０％以上の上昇にします。更に完全弾性衝突往復運動や、完全弾性衝突対向往復運動を採用することで、従来往復運動により運動エネルギが減少する損失の、既存ガソリン機関の運動エネルギ減少損失３０％前後を、１０％以下０％に近付けて合計損失を２０％以下０％に近付けて、出力を１００％に近付けます。
【００２４】
回収熱量の超臨界温度等複数温度の高温水５２ｂを最大にし、超臨界温度等複数温度の高温水噴射出力増大ＮＯｘ低減皆無燃焼や、超臨界温度等複数温度の高温水噴射拡径ピストン２１の直接駆動の過程で、動圧を最大とした回転力の発生では、高温水噴射電磁弁８７が最重要になります。そこで超高速度で電磁弁を開閉するため、図９及び図１０及び図１１及び図１２のように、電磁石５８と棒磁石５７を複数組設けて最も強力に高速開閉するものをＣ型とし、電磁石と２個の棒磁石を１組設けたものをＤ型とします。縮径主燃焼室兼熱交換器１に高温水を噴射するものをｃ型とし、電磁加熱縮径ビストン２２の拡径部に高温水を直接噴射するものをｄ型として、高温水噴射電磁弁８７Ｃｃ及び、高温水噴射電磁弁８７Ｄｃ及び、高温水噴射電磁弁８７Ｃｄ及び、高温水噴射電磁弁８７Ｄｄとして、用途に合わせてノズル噴口部９４や末広ノズル噴口部９４ａに内部螺旋溝を設けます。
【００２５】
シリンダヘッド１５の高温水噴射電磁弁８７ｄについては、単位熱量の高温水５２ｂで最大の動圧を得るため、電磁弁装着部９３ａに高温水噴射電磁弁８７ｄを設けて、高温水噴射電磁弁８７ｄのノズル噴口部９４又は末広ノズル噴口部９４ａを、図１２・最適の長さだけ拡径燃焼室１０側に突出して設ける場合は、その突出部分に合わせてノズル噴口部等に対応する、電磁加熱縮径ピストン２２の拡径部に、１以上複数の高温水噴射電磁弁８７ｄの末広ノズル噴口部等が嵌合い容易に、嵌入凹部８６を具備して、絶好機に高温水５２ｂを近距離にも噴射し、高温水を末広ノズル噴口部９４ａ内では弾丸や吹雪のように加速して、ノズル噴口部外では高温水を吹雪のように加速し、燃焼ガスの１００倍質量重力仕事率×４０倍落差等で、高温水５２ｂを噴射して、拡径ピストン２１の直接動圧反動駆動により、同一燃料量既存ガソリン機関の５００倍仮設出力等とします。
【００２６】
通常は図１１のように電磁弁装着部９３ａに高温水噴射電磁弁８７ｄを、拡径燃焼室１０側から最適の長さだけ後退して設けて、末広ノズル噴口部９４ａ等を用途に合わせて拡径燃焼室１０まで延長し、その外周に加熱高温手段１０１を設けて加熱高温とし、シリンダヘッド１５との間に断熱材３０を設けます。そして１以上複数の高温水噴射電磁弁８７ｄの、加熱高温とした末広ノズル噴口部９４ａ等と高温水との間に気化膜を設けて、摩擦損失最少で超臨界温度等の高温水で５０℃前後の高温水を加速し、絶好機に高温水を末広ノズル噴口部９４ａ内では弾丸や吹雪のように加速して、末広ノズル噴口部９４ａ外では高温水を吹雪のように加速し、電磁加熱高温とした電磁加熱縮径ピストン２２の拡径部に噴射して、高温水５２ｂとの間に気化膜を設けて、摩擦損失最少で拡径ピストン２１を動圧反動駆動し、同一燃料量既存ガソリン機関の５００倍仮設出力等とします。
【００２７】
出力発生の過程では、超臨界温度等複数温度の高温水５２ｂとして大量貯蔵を可能にし、短時間超高速蒸気機関として運転可能として、飛行機等に使用時の安全性を向上します。各種エネルギ保存サイクル機関は、上部に設けた給気穴４より給気して、圧縮行程の死点前７０°前後より、縮径主燃焼室隔離圧縮を始め、一方向空気流路９を介して、拡径燃焼室１０の２／３前後の空気を縮径主燃焼室兼熱交換器１に圧入します。そして縮径主燃焼室兼熱交換器１内隔離長時間熱交換冷却燃焼や、隔離燃焼解除時の出力発生燃焼により、燃焼が大幅に改善されるため、構造が簡単な２サイクルとして、右死点も左死点も爆発行程の完全弾性衝突往復運動乃至、完全弾性衝突対向往復運動にし、更に超短行程超高速を可能にし、構造簡単な両頭拡径ピストン３７の往復運動により、クランク軸１６を直接回転駆動する、Ｄ型乃至Ｅ型エネルギ保存サイクル機関を、主力中核製品とします。
【００２８】
又拡径燃焼室１０を圧縮圧力以下の低圧燃焼室とするため、縮径主燃焼室兼熱交換器１の電磁弁装着部９３に具備した、複数弁座９８の高温水噴射電磁弁８７ｃより、縮径主燃焼室兼熱交換器１に超臨界温度等複数温度の高温水５２ｂを噴射して、用途に合わせて最高燃焼圧力を上昇し燃焼温度を低下させ、隔離燃焼解除時には燃焼ガスを高温水で噴射して、出力発生の過程で断熱膨張低温燃焼ガスや高温水により水蒸気を冷却凝集し、ＣＯ２等排気を０に近付けます。隔離燃焼解除と略同時に、シリンダヘッド１５の電磁弁装着部９３ａに具備した、複数弁座９８の高温水噴射電磁弁８７ｄより高温水５２ｂを噴射し、超臨界温度等の高温水により５０℃前後の高温水を弾丸や吹雪のように加速して、同一燃料量既存ガソリン機関の５００倍仮説出力等を目指します。噴射する超臨界圧力等の高温水は、最高の出力が得られる様に、最適の噴射距離や水温や水圧を選択して、最適位置に高温水噴射電磁弁８７ｄを設けます。
【００２９】
電磁加熱縮径ピストン２２の形状は、拡径部に掃気弁２６を設けたものをＨａ型として、Ｈａ型電磁加熱縮径ピストン２２とします。拡径部を湾曲部まで拡大したものに掃気弁２６を設けたものをＩａ型とし、Ｉａ型電磁加熱縮径ピストン２２とします。拡径部を設けたものをＪａ型として、Ｊａ型電磁加熱縮径ピストン２２とします。拡径部を湾曲部まで拡大して設けたものをＫａ型とし、Ｋａ型電磁加熱縮径ピストン２２とします。そして公知技術を適宜に取り入れて、拡径ビストン２１に電磁調理器の電磁加熱プレートや、ＩＨジャー炊飯器等と略同様にコイル８２を設け、クランク軸１６に公知の回転接点を設けてコイル８２に通電し、そのコイル電流の磁力線により、鉄係等の電気抵抗の大きい材料の、縮径ピストン２２の拡径部を電磁渦電流による、電気抵抗のジュール熱で、電磁調理器と略同様に加熱高温にし、高温水との間に気化膜を設けて、摩擦損失最少で拡径ピストン２１を動圧反動駆動します。
【００３０】
そして隔離燃焼解除時の出力発生の過程で、燃焼ガスの１０００倍前後の単位重力仕事率の高温水５２ｂを、燃焼ガスの１００倍質量等として電磁過熱縮径ピストン２２に超高速噴射し、超臨界温度等の高温水５２ｂにより１００℃以下の高温水を、ノズル噴口部内や外では弾丸や吹雪のように加速して、拡径ピストン２１を動圧反動駆動し、クランク軸１６を直接回転させて、回転出力を発生増大します。出力発生増大の過程では、コイル８２の磁力線による渦電流により、加熱高温とした電磁加熱縮径ピストン２２の拡径部と、高温水との間に気化膜を設けて摩擦損失を僅少とし、同一燃料量大型エネルギ保存サイクル機関の出力を、同一燃料量既存ガソリン機関の５００倍仮説出力等に増大します。
【００３１】
【発明の実施の形態】
発明の実施の形態や実施例を、図面参照して説明するが、実施形態や実施例と既説明と、その構成が略同じ部分には、同一の名称又は符号を付して、重複説明はできるだけ省略し、特徴的な部分や説明不足部分は、順次追加重複説明する。又発明の意図する所及び予想を具体的に明快に説明するため、アイディアを仮説数字で説明するが、数字に限定はしません。熱力学洗脳により「速度×質量＝出力のうち質量が思考停止」しており、エネルギ保存サイクル機関は、１段縮径主燃焼室兼熱交換器内隔離燃焼により、死点後７５°前後まで高圧高温長時間隔離燃焼（密封容器内完全燃焼終了に近付ける）として、１回転毎に略４００℃繰返し回収熱量を増大し、超臨界温度等複数温度の高温水５２ｂ熱量質量を増大し、超臨界圧力超臨界温度高温水等により１００℃以下の高温水を加速して、速度×質量＝仕事能力を、最適噴射速度容積×重力仕事率最大の摩擦損失最少とした、高温水により出力を発生する、エネルギ保存サイクルにします。
【００３２】
縮径主燃焼室兼熱交換器１内隔離熱交換冷却燃焼解除時には、高温水で燃焼ガスを噴射して出力発生燃焼させると同時に、シリンダヘッド１５に具備した複数弁座９８の高温水噴射電磁弁８７ｄより、電磁加熱高温の電磁加熱縮径ピストン２２の拡径部に、直接超臨界温度等最高温度の高温水５２ｂの容積速度利用により、１００℃以下等の低温高温水を噴射し、絶好機に高温水を弾丸や吹雪のように加速して、摩擦損失最少で拡径ピストン２１を動圧反動駆動します。重力仕事率が大気圧水蒸気の１７００倍高温水質量の、動圧反動駆動力を最大にし、加熱高温の電磁加熱縮径ピストン２２の拡径部との間に気化膜を設け、摩擦損失最少で動圧反動作用させて、同一燃料量既存ガソリン機関の（１０〜１００〜５００倍仮説出力）の小型〜中型〜大型エネルギ保存サイクル機関を目指します。中型〜大型では２０〜１００倍質量等の凝縮水にＣＯ２を溶解して排出し、中型〜大型エネルギ保存サイクル機関ではＣＯ２等排気０を狙います。
【００３３】
図１のＤ型エネルギ保存サイクル機関の第一実施例を参照して説明する。例えば縮径主燃焼室兼熱交換器１の内径を拡径燃焼室１０の１／７に縮径し、ピストンの死点近傍の行程容積を１／４９として、ピストン頂部燃焼室厚さを４９倍（図１では厚さ４９倍を紙面の都合で２５倍にする）として、細長い縮径主燃焼室兼熱交換器内熱交換冷却燃焼に最適の、密閉容器内完全燃焼終了に近付けます。通常の縮径主燃焼室兼熱交換器１には適時開口可能に、公知の燃料噴射弁８８や図に無い公知の着火装置１０２を設けて、公知の制御装置により最適開閉着火制御選択可能とし、逆止弁付一方向空気流路９からの空気流と燃料を撹拌混合着火燃焼させ、８００℃以下の熱交換冷却燃焼を可能にします。一定容積以上の縮径主燃焼室兼熱交換器１では、用途により高温水噴射電磁弁８７ｃを設けます。
【００３４】
縮径主燃焼室兼熱交換器１内で死点後７５°前後迄、長時間隔離熱交換冷却燃焼隔離燃焼解除の過程で、高温水噴射電磁弁８７ｃより超臨界圧力超臨界温度等の高温水５２ｂにより、１００℃以下の高温水５２ｂを噴射して、図９図１０の燃焼熱により加熱高温として、高温水との間に気化膜を設けて摩擦損失最少とした、末広ノズル噴口部９４ａ内では高温水を弾丸や吹雪のように加速して、末広ノズル噴口部外では高温水を吹雪のように加速し、重力仕事率を１００倍等に上昇し、用途により最高燃焼圧力を上昇し、燃焼ガス温度を用途に合わせて低下させて、隔離燃焼解除時に燃焼ガスを高温水で噴射し、絶好機に高温水を弾丸や吹雪のように加速して出力を発生し、断熱膨張低温燃焼ガスや５０℃前後の高温水５２ｂにより水蒸気を冷却して、水蒸気容積を最適に縮小します。
【００３５】
そして隔離燃焼解除と略同時に、シリンダヘッド１５に具備した複数の高温水噴射電磁弁８７ｄより、拡径ピストン２１のコイル８２の磁力線の渦電流により、電磁調理器と同様に電磁加熱高温とした、電磁加熱縮径ビストン２２の拡径部に、超臨界温度等複数温度の高温水５２ｂを直接噴射して、高温水との間に気化膜を設けて摩擦損失最少として、出力を発生します。出力発生の過程では、図１１図１２の加熱高温手段１０１により加熱高温として、高温水との間に気化膜を設けて摩擦損失を最少とした、末広ノズル噴口部９４ａ内や外では、超臨界圧力超臨界温度等の高温水５２ｂにより、１００℃以下の高温水を弾丸や吹雪のように加速して、電磁加熱縮径ピストン２２と高温水との間に気化膜を設けて、摩擦損失最少で拡径ピストン２１を動圧反動駆動して、出力を発生します。
【００３６】
出力発生の過程では例えば、縮径主燃焼室兼熱交換器１の内径を拡径燃焼室１０の１／７に縮径して、ビストンの行程容積及びエネルギ放出量を既存往復機関の１／４９として、既存ガソリン機関の不回転放出熱エネルギ損失４０％前後を０％に近付け、最高燃焼圧力は圧縮圧力２ＭＰａでは９倍の１８ＭＰａに近付けます。縮径主燃焼室熱交換器２による大量の熱交換冷却燃焼の、一定容積以上の縮径主燃焼室兼熱交換器１内ＮＯｘ低減皆無燃焼では、熱交換して得た大量の超臨界温度等複数温度の高温水５２ｂ噴射を可能とし、最高燃焼圧力を超臨界圧力に近付け、断熱膨張低温燃焼ガスや５０℃前後の高温水により水蒸気を冷却凝集して、廃熱回収熱交換器２ａ等により、１００倍質量等の凝縮水にＣＯ２等の燃焼ガスを溶解混合して排出し、ＣＯ２等の排気を０乃至０に近付けます。
【００３７】
廃熱回収熱交換器２ａを設けて、図５図６図７乃至図８の、各種送水ポンプ兼磁気摩擦動力伝達装置５５乃至、送水ポンプ兼二重反転磁気摩擦動力伝達装置８４により、自己冷却した水を多段に昇圧して超高圧少量送水する、送水ポンプと動力伝達装置の兼用とすることで、超高速大動力の伝達を可能にし、既存技術の２〜１０倍回転数を狙います。廃熱回収熱交換器２ａにより飽和蒸気温度１００℃等から熱回収して、既存ガソリン機関の排気温度５００℃前後を、熱回収５０℃以下等のＣＯ２等の燃焼ガスを含む凝縮水として排水し、ＣＯ２等の排気を０に近付けます。熱回収した給水５２を、１以上複数の導水管３を螺旋環状に１列以上設けた、二重や三重の複数螺旋環状に埋設や露出部分も有りの、縮径主燃焼室熱交換器２に送水し、超臨界温度等複数温度の高温水５２ｂにします。
【００３８】
１回転毎に回収熱量を増大して例えば、１００回転の回収熱量を１００回転×４００℃等とし、限り無く熱回収量を増大してＮＯｘ低減皆無燃焼等として、超臨界温度等複数温度の高温水５２ｂを増大します。死点後７５°前後の縮径主燃焼室熱交換器２内隔離燃焼解除時に、燃焼ガスを高温水で噴射する出力発生燃焼と略同時に、重力仕事率が燃焼ガスの１０００倍の高温水５２ｂを、シリンダヘッド１５に図１図４図１１図１２のように、定位置又は突出又は、適宜に後退させて末広ノズル噴口部９４ａを長大化して具備した、１以上複数乃至多数の高温水噴射電磁弁８７ｄより、直接電磁加熱高温とした電磁加熱縮径ピストン２２の拡径部に、超臨界温度等複数温度の高温水５２ｂを、用途に合わせて最適速度噴射や最適距離噴射し、絶好機に高温水５２ｂを弾丸や吹雪のように加速噴射して、高温水との間に気化膜を設けて摩擦損失最少で出力を発生し、同一燃料量既存ガソリン機関の５００倍仮設出力等に上昇します。
【００３９】
死点後９０°の絶好機の動圧×質量出力を（既存ガソリン機関燃焼ガスの４０倍落差×２〜２０〜１００倍水質量重力仕事率×１／８効率）＝（既存ガソリン機関の小型１０倍〜中型１００倍〜大型５００倍のエネルギ保存サイクル機関仮説出力）に増大して、同一ピストン面積の最大動圧＝４０倍落差×１０００倍＝４００００倍動圧を狙います。図１では紙面の都合で内径／行程＝７６／１５とし、縮径主燃焼室兼熱交換器１の長さを１／２に短縮図示しておりますが、例えば縮径主燃焼室兼熱交換器１の内径を拡径燃焼室１０の１／７の１１ｍｍに縮径し、ピストン行程１５ｍｍを１／１０に圧縮して、２／３空気を利用する希薄燃焼にすると、ピストンの行程容積及び、死点近傍での熱エネルギ放出量が１／４９となるため、縮径主燃焼室最大圧縮時長さは（４９×１．５ｍｍ×２／３）＝４９ｍｍとなり、１１ｍｍ内径×４９ｍｍの細長い、最適の縮径主燃焼室兼熱交換器１とし、あらゆる燃焼温度の用途に対応可能とします。
【００４０】
送水ポンプ７５と動力伝達装置を兼用して多段に昇圧し、縮径主燃焼室兼熱交換器１や拡径燃焼室１０に直接高温水を噴射する、超高圧少量送水する出力発生用の水には、ＣＯ２等の燃焼ガスを溶解合成容易にする、公知物質５３を混入しておきます。そして出力発生の過程では、死点後９０°前の隔離燃焼解除の瞬時に、超臨界温度等複数温度の高温水５２ｂの噴射質量を増大して、超臨界温度等複数温度の高温水の容積質量速度利用を増大し、加熱高温の電磁加熱縮径ピストン２２の拡径部に、超臨界温度等の高温水容積利用により１００℃以下高温水を加速して、末広ノズル噴口部９４ａ内や外では、高温水を弾丸や吹雪のように加速して噴射し、絶好機単位ピストン面積の最大動圧を、既存ガソリン機関の４００００倍等に上昇して、動圧反動力最大の摩擦損失最少で出力を発生し、大型エネルギ保存サイクル機関では、同一燃料量既存ガソリン機関の５００倍仮説出力等に増大します。
【００４１】
排気の過程では下部に設けた排気穴５より排気排水の過程で、上部に設けた給気穴４より給気ダクト１３の空気を圧入して、拡径燃焼室１０を掃気すると共に、１００℃に近い飽和水蒸気によりターボ過給気１２を駆動して、給気ダクト１３に圧縮空気を供給し、圧縮行程の最終期に残りの水を圧力水として、排水弁兼用の安全弁５４を下部に設けて排水し、夫々の排気や排水より、廃熱回収熱交換器２ａで熱回収して５０℃以下等にし、熱交換して得た給水５２を縮径主燃焼室熱交換器２に供給して、超臨界温度等複数温度の高温水５２ｂとし、ＣＯ２等の燃焼ガスを１００倍質量等の凝縮水に溶解混合して排水し、ＣＯ２等の溶解を容易にする公知物質５３の混入を含めて、ＣＯ２等の燃焼ガス排気を０乃至僅少にします。始動時には公知の始動電動機兼発電機１７の回転動力により、機械式過給機１４を適宜に駆動して掃気圧力を上昇します。
【００４２】
燃焼は縮径主燃焼室兼熱交換器１内高圧長時間隔離熱交換冷却燃焼と、隔離燃焼解除時の一方向空気流路９内圧縮空気と拡径燃焼室１０内の、残りの１／３空気等との超高速攪拌再燃焼の２段燃焼とし、未燃分を２度皆無として燃焼を完璧に改善し、公害を略完璧に低減します。通常は縮径主燃焼室兼熱交換器１内計算燃焼温度が５０００℃以上に上昇するため、縮径主燃焼室兼熱交換器１内熱交換冷却燃焼により、燃焼温度８００℃前後も設計可能とした、ＮＯｘ低減皆無熱交換冷却燃焼とし、更に高温水大量噴射により燃焼ガス温度を高温水温度に近付け、断熱膨張低温燃焼ガスや５０℃前後の高温水により水蒸気を冷却凝集して、拡径燃焼室１０では、大気圧に近い飽和水蒸気温度や飽和水温度に低下させ、廃熱回収熱交換器２ａによりその熱を熱回収して、用途により既存ガソリン機関の排気温度５００℃前後を、３０℃以下等可能な最低温度にし、膨大過ぎる回収熱量は１００℃以下の水道水温熱に変換して、需要家に製造原価略０で供給します。
【００４３】
例えば回収熱量は１回転毎に４００℃限りなく増大して、同一熱量で繰り返し出力を発生増大の過程で、超臨界温度等複数温度の高温水噴射熱量質量を増大し、膨大な熱エネルギとして貯蔵増大し、短時間超臨界温度等の高温水で５０℃前後の高温水を噴射して、短時間は従来出力を発生する蒸気機関として使用可能とし、用途により飛行機のプロペラ等を非常に安全に駆動します。そして高温高圧の長時間隔離燃焼と２段の超高速出力発生燃焼で、燃焼速度を増大して燃焼を大幅に改善し、超短行程２サイクル両頭拡径ピストン３７の往復運動により、クランク軸１６を直接回転駆動して、右死点も左死点も爆発工程の、完全弾性衝突往復運動にし、既存ガソリン機関の運動エネルギ減少損失３０％前後を、０％に近付けて非常に簡単に構成します。そして不回転放出熱エネルギ損失低減を含めて、出力を１００％に近付けます。
【００４４】
隔離燃焼解除時の拡径燃焼室１０内出力発生２段燃焼により、再度残りの空気と超高速攪拌燃焼して未燃分を皆無にすると共に、下部等に設けた排気穴５より排気排水し、排気ダクト１１に移動した排気排水を適宜に使用して、飽和水蒸気等によりターボ過給機１２を駆動し、圧縮終期の残りの燃焼ガス溶解水は、排水弁兼用の安全弁５４より圧力水として排水します。夫々の排気排水より廃熱回収熱交換器２ａにより熱回収し、既存ガソリン機関排気温度５００℃前後を用途に合わせて３０℃に近付け、ＣＯ２等の燃焼ガス溶解排出を、小型２〜中型２０〜大型１００倍質量等の凝縮水に溶解して排出し、熱回収量やＣＯ２溶解量を増大して、ＣＯ２等燃焼ガス排気を０乃至僅少にします。
【００４５】
図６図７及び図８の、送水ポンプ兼用の各種磁気摩擦動力伝達装置５５及び、各種送水ポンプ兼二重反転磁気摩擦動力伝達装置８４の複数により、多段に昇圧して熱回収した水は、廃熱回収熱交換器２ａにより更に熱回収して、縮径主燃焼室熱交換器２に供給し、更に熱回収して超臨界温度等複数温度の高温水５２ｂにします。縮径主燃焼室兼熱交換器１内隔離熱交換冷却燃焼を、ＮＯｘ低減皆無燃焼や大量の超臨界圧力高温水噴射等とし、最高燃焼圧力の上昇や燃焼ガス温度の低下として、隔離燃焼解除時に燃焼ガスを超臨界圧力等の高温水５２ｂで噴射し、死点後７０°前後の隔離燃焼解除と略同時に、シリンダヘッド１５に具備した１以上複数の高温水噴射電磁弁８７ｄより、直接電磁加熱縮径ピストン２２の拡径部に噴射し、両頭拡径ピストン３７を動圧反動駆動して、同一燃料量既存ガソリン機関の５００倍仮説出力等に上昇します。
【００４６】
２段燃焼の拡径燃焼室１０は、両頭拡径ピストン３７を、重力仕事率が燃焼ガスの１０００倍前後の、小型２〜中型２０〜大型１００倍水質量等で、動圧反動駆動の出力発生燃焼室とし、１００倍水質量等の超臨界温度等複数温度の高温水にする給水５２には、ＣＯ２等の燃焼ガスを溶解等容易にする公知物質５３を混入し、１００倍水質量等にＣＯ２等を溶解容易にして、下部等に設けた排気穴５より排気排水します。排気ダクト１１に移動した排気の飽和水蒸気等により、ターボ過給機１２を駆動し、圧縮行程の後期には安全弁５４より圧力水を排水し、夫々の排気排水より廃熱回収熱交換器２ａで熱回収して、凝縮水に溶解してＣＯ２排気等を０に近付け、熱交換して得た給水５２を縮径主燃焼室熱交換器２に供給して、同一燃料量既存ガソリン機関の５００倍仮説出力等に上昇します。
【００４７】
拡径燃焼室１０では超臨界温度等の高温高温水５２ｂの容積速度利用により、５０℃等の低温高温水５２ｂを加速して出力を発生する過程で、低温燃焼ガスや低温高温水により水蒸気を冷却凝集して、断熱膨張大幅な容積の増大を回避しながら、圧縮圧力以下等の低圧燃焼室として大幅に軽量化し、低圧専用の超高速撹拌出力発生燃焼室として、２段燃焼による未燃分が皆無の２サイクルにします。そしてピストン行程Ｓとシリンダ内径Ｄの比Ｓ／Ｄ＝１／３等と、燃焼速度の増大により、既存ガソリン機関より回転数の大幅に大きい、高速軽量大出力のエネルギ保存サイクル機関にし、出力当りの製造原価も最大で１／１０等に低減を可能にします。そしてエネルギ保存サイクル機関を小型軽量大出力の極限と、製造原価低減の極限と、ＣＯ２排気低減・地球温暖化防止・公害低減の極限を、同時に達成可能な往復内燃機関とします。
【００４８】
燃焼ガスの１０００倍重力仕事率の、超臨界温度等高温の高温水容積速度利用により低温高温水５２ｂを加速して、末広ノズル噴口部９４ａ内や外では弾丸や吹雪のように加速し、最も効率良く最適速度×最大重力仕事率で出力を発生させるため、両頭拡径ピストン３７に電磁調理器と略同様にコイル８２を設けて、クランク軸１６に図に無い回転接点を設けて通電し、そのコイル電流の磁力線により、電磁加熱縮径ピストン２２の拡径部に渦電流を発生させて、その渦電流の電気抵抗により、電磁加熱縮径ピストン２２の拡径部を電磁調理器と同様に加熱高温とし、高温水との間に気化膜を設けて、摩擦損失最少の重力仕事率最大で両頭拡径ピストン３７を動圧反動駆動して、最も効率良く出力を発生させます。
【００４９】
両頭拡径ピストン３７の中央にはクランク軸１６を回転組立て可能に、案内穴４２・４２及び直交するクランク穴４３・４３を設け、案内具３８・３８を固定する固定用溝３９・３９を、図にない案内具側又は、図１図２のように拡径ピストン２１・２１側に設けて、案内具３８・３８を拡径ピストン２１・２１側に、螺子止め固定又はかしめにより公知技術で固定します。案内具３８・３８には案内溝４１ａを谷型に設けて、クランク軸１６が回転自在に、両頭拡径ピストン３７が往復自在に、略中心をクランク軸１６に支持された、略角形乃至略丸形の駆動具４０が案内溝４１ａを、略角形で摺動往復自在に又は略長方形で摺動往復自在に、又は丸形で転動往復自在に設けて、両頭拡径ピストン３７の往復運動により、クランク軸１６を回転させます。
【００５０】
分解組立てを容易にするため、水平継手３５・３５を設けて、上部と下部を用途に合せて整形し、拡径燃焼室シリンダ３６・３６に外嵌嵌合自在に設けて、クランク軸１６を分解組立て容易にすると共に、拡径燃焼室シリンダ３６・３６を、分割又は一体として夫々及び水平継手３５・３５に、夫々凹凸４４又は複数の凹凸４４又は環状の凹凸４４又は複数の環状凹凸４４を設けて、分解組立てを確実正確容易とします。又は、拡径燃焼室シリンダ３６・３６を分割して、夫々に螺旋状の凹凸４４又は複数の螺旋状凹凸４４を設けて、回転自在に組立てて拡径燃焼室１０・１０が、可変圧縮比が可能なＤ型エネルギ保存サイクル機関も可能とします。
【００５１】
始動時には図に無い蓄電池を含む始動電動機兼発電機１７により、入力軸１８及び出力軸１９を介して、機関本体２９のクランク軸１６及び機械式過給機１４を夫々回転駆動し、給気ダクト１３を介して給気穴４より拡径燃焼室１０に給気し、掃除空気として使用後にクランク軸１６の回転により圧縮行程に移行し、死点前７５度前後より隔離圧縮に移行します。隔離圧縮の過程では圧縮圧力の差を利用して、拡径燃焼室１０の空気を一方向空気流路９より縮径主燃焼室兼熱交換器１に噴射し、公知の燃料噴射弁８８から噴射される燃料と攪拌混合して、図にない着火装置１０２により着火燃焼して最高燃焼圧力に移行し、図９図１０の逆止弁９７により逆流を阻止します。
【００５２】
縮径主燃焼室兼熱交換器１内熱交換冷却燃焼して隔離燃焼解除し、拡径燃焼室１０内出力発生燃焼して、下部等の排気穴５より排気排水し給気穴４より掃除空気を供給して、通常の運転に移行し、クランク軸１６の回転により、入力軸１８を介して始動電動機兼発電機１７を駆動して、図にない蓄電池を充電して始動運転に備えます。そして始動時には蓄電池の電力により、入力軸１８を介してクランク軸１６を回転して、両頭拡径ピストン３７を駆動すると共に、出力軸１９を介して機械式過給機１４を駆動し、給気ダクト１３の過給空気圧力を上昇して、給気穴４より給気して縮径主燃焼室兼熱交換機１を掃気し、通常の運転に移行します。
【００５３】
図２のＨ型エネルギ保存サイクル機関４６の実施例を説明する。小型乃至超小型の出力やその他の用途に対応するものが、図２のＨ型エネルギ保存サイクル機関４６で、図１のＤ型エネルギ保存サイクル機関の燃焼室を半数にして、更に小型小出力を可能にしたものです。エネルギ保存サイクル部分は図１の説明と略同様に、給気穴４も図１と同様に可能ですが、給気穴４換えて掃気弁２６の１以上複数を可能にしたものです。燃焼室が半減して過給室４５の圧縮圧力になるため、完全弾性衝突往復運動の弾性が減少して、運動エネルギの減少損失低減が僅少となり、過給圧力は大幅に増大するため、機械式過給機１４が不要になり、ターボ過給機１２は用途により省略可能になります。
【００５４】
分解組立てを容易にするため、水平継手３５・３５を設けて、上部と下部を用途に合せて整形し、拡径燃焼室シリンダ３６・過給室シリンダ４８に外嵌嵌合自在に設けて、クランク軸１６を分解組立て容易にすると共に、拡径燃焼室シリンダ３６・過給室シリンダ４８を分割又は一体として、夫々及び水平継手３５に、夫々凹凸４４又は複数の凹凸４４又は環状の凹凸４４又は複数の環状凹凸４４を設けて、分解組立てを確実正確容易とします。又は、拡径燃焼室シリンダ３６を過給室シリンダ４８と分割して、夫々に螺旋状の凹凸４４又は複数の螺旋状凹凸４４を設けて、回転自在に組立てて、拡径燃焼室１０及び過給室４５の夫々が、可変圧縮比が可能なＨ型エネルギ保存サイクル機関４６も可能とします。
【００５５】
過給室シリンダ４８には、公知の吸気弁２８を具備した過給室蓋４７を固着します。小型の用途では縮径主燃焼室熱交換器２及び、廃熱回収熱交換器２ａは可能な限り簡単に設け、自己冷却熱回収する過程の水は図６・図７の、送水ポンプ兼磁気摩擦動力伝達装置５５により、動力を伝達する過程で多段に昇圧して超高圧少量送水し、廃熱回収熱交換器２ａ及び縮径主燃焼室熱交換器２により、最大の熱回収量とし、超臨界温度等複数温度の高温水５２ｂとして、高温水噴射電磁弁８７Ｃ及び８７ｄより噴射し、一定容積以下の縮径主燃焼室兼熱交換器１では、高温水噴射電磁弁８７ｄのみの使用として、超臨界温度等高温の高温水５２ｂにより５０℃等低温の高温水を加速して、図１０図１１の末広ノズル噴口部９４ａ内や外では、高温水５２ｂを弾丸や吹雪のように加速して、絶好機に既存ガソリン機関の１００倍質量等の高温水を、電磁加熱縮径ピストン２２の拡径部に噴射し、両頭拡径ピストン３７を動圧反動駆動して、最大の出力発生にします。
【００５６】
そして図１のＤ型と同様に（図２でも紙面の都合で内径／行程＝８８／３０とし、ピストン頂部隙間２ｍｍ×４９＝９８ｍｍの縮径主燃焼室兼熱交換器１の長さを１／３に短縮図示し、１３ｍｍ内径×９８ｍｍの細長い縮径主燃焼室熱交換器２）内ＮＯｘ低減皆無熱交換冷却燃焼、隔離燃焼解除出力発生燃焼や、用途に合わせて超臨界温度等複数温度の高温水５２ｂ大量噴射による、最高燃焼圧力の上昇や燃焼温度の低下とし、隔離燃焼解除時に燃焼ガスを高温水で噴射して出力発生燃焼にします。
【００５７】
そして縮径主燃焼室兼熱交換器１内隔離燃焼解除と略同時に、燃焼ガスの小型２〜中型２０倍質量等の超臨界温度等複数温度の高温水５２ｂを、シリンダヘッド１５に図１１のように適宜に後退させて設ける又は、図４図１２のように突出して設けて、ピストン行程等に合わせて最適距離に設けた、複数の高温水噴射電磁弁８７ｄより噴射して、大気圧水蒸気の１７００倍重力仕事率の高温水容積速度利用により、高温水を弾丸や吹雪のように加速して、同一燃料量既存ガソリン機関の１０〜１００倍仮説出力に増大します。
【００５８】
拡径ピストン２１及び過給ピストン２７の中央に、クランク軸１６を組立て可能に、案内穴４２・４２及び直交するクランク穴４３・４３を設け、案内具３８・３８を固定する固定用溝３９・３９を、図にない案内具側又は、図のように拡径ピストン２１及び過給ピストン２７側に設けて、案内具３８・３８を拡径ピストン２１側及び過給ピストン２７側に、螺子止め固定又はかしめにより公知技術で固定します。案内具３８・３８には案内溝４１ａを谷型に設けて、クランク軸１６が回転自在に拡径ピストン及び過給ピストンが往復自在に、略中心をクランク軸１６に支持された、略角形乃至略丸形の駆動具４０が案内溝４１ａを、略角形で摺動往復自在に又は略長方形で摺動往復自在に、又は丸形で転動往復自在に設けて、拡径ピストン２１及び過給ピストン２７の往復運動により、クランク軸１６を回転させます。
【００５９】
図１のターボ過給機１２を含む給気ダクト１３を介して、又は直接過給室蓋４７に具備された１以上の吸気弁２８より、空気を過給室４５に供給又は吸入し、公知の弁棒２３を有する１以上の掃気弁２６を介して、拡径燃焼室１０に掃除空気として供給します。掃除空気として拡径燃焼室１０に供給された空気は、圧縮行程の後半の死点前クランク角度７５度前後より、縮径主燃焼室兼熱交換器１と拡径燃焼室１０を、電磁加熱縮径ピストン２２により隔離します。
【００６０】
隔離後は逆止弁９７を具備した図２図９図１０の一方向空気流路９より、縮径主燃焼室兼熱交換器１に空気を噴射して、最適位置に設けた燃料噴射弁８８より噴射した燃料と撹拌混合し、例えば１／４９ピストン行程容積として、図に無い着火装置１０２の着火時期前進を可能にして、撹拌燃焼の過程を２／３前後圧縮空気利用の希薄燃焼にすると、密閉容器内完全燃焼終了に近付き、燃焼温度が５０００℃を越えます。そこでピストン行程３０ｍｍを１／１０の３ｍｍに圧縮して、縮径主燃焼室頂部隙間を４９×３ｍｍ×２／３＝９８ｍｍとし、１３ｍｍ内径×９８ｍｍの細長い、縮径主燃焼室兼熱交換器１内熱交換冷却ＮＯｘ低減皆無燃焼とし、熱回収量最大や各種用途に合わせた低温燃焼温度を可能にします。
【００６１】
通常の縮径主燃焼室兼熱交換器１では、燃焼温度を高温水温度に移転した燃焼温度８００℃以下も設計可能とします。一定容積以上の縮径主燃焼室兼熱交換器１では、用途により更に高温水噴射電磁弁８７ｃより、超臨界温度等複数温度の高温水５２ｂを大量噴射して、最高燃焼圧力の上昇や燃焼温度を低下させ、隔離燃焼解除時に燃焼ガスを超臨界圧力高温水等で噴射し、再度未燃分を皆無にしながら、図９図１０の末広ノズル噴口部９４ａ内や外では、高温水５２ｂを弾丸や吹雪のように加速して、出力発生燃焼します。
【００６２】
死点後７５°前後の縮径主燃焼室内隔離燃焼解除に併せて、多段に昇圧して加熱高温とした超臨界温度等複数温度の高温水５２ｂを、シリンダヘッド１５に具備した１以上複数の高温水噴射電磁弁８７ｄより噴射して、死点後９０°前の絶好機の瞬時に例えば、超臨界圧力超臨界温度等の高温水５２ｂの容積速度利用により、５０℃等の高温水５２ｂを加速噴射して、末広ノズル噴口部９４ａ内や外では、高温水５２ｂを弾丸や吹雪のように加速して、出力発生の過程で水蒸気容積を最適に縮小し、電磁加熱高温とした電磁加熱縮径ピストン２２を動圧反動駆動し、高温水噴射質量を燃焼ガス質量の２〜２０倍前後に増大し、同一燃料量既存ガソリン機関の１０〜１００倍仮説出力等に、大幅上昇を図ります。
【００６３】
超臨界圧力等の高温水噴射量を燃焼ガス質量の２〜２０倍前後に増大し、摩擦損失を最少として拡径ピストン２１を動圧反動駆動して、仮説出力を１０〜１００倍に増大させる、電磁加熱縮径ピストン２２が最重要となります。そこで断熱材３０を介して、拡径ビストン２１のコイル８２からの磁力線の渦電流の電気抵抗により、電磁調理器と同様に電磁加熱高温とした、電磁加熱縮径ピストン２２の拡径部を、拡径ピストン２１側から締め付ける等の、各種電磁加熱縮径ピストン２２を選択の過程で、電磁加熱拡径部に掃気弁２６を設けたものを、Ｈａ型電磁加熱縮径ピストン２２とし、電磁加熱拡径部を湾曲部まで拡大して掃気弁２６を設けたものを、Ｉａ型電磁加熱縮径ピストン２２とし、Ｈ型エネルギ保存サイクル機関に使用します。
【００６４】
図２の掃気弁２６に換えて図１のように、拡径燃焼室シリンダ３６に給気穴４を設けて、図２の過給室４５に連絡し、図２の吸気弁２８を図１の給気ダクト１３に連絡し、通常のエネルギ保存サイクルにします。そして電磁加熱縮径ピストン２２に拡径部を設けたものを、Ｊａ型電磁加熱縮径ピストン２２とし、電磁加熱縮径ピストン２２の拡径部を湾曲部まで拡大したものを、Ｋａ型電磁加熱縮径ピストン２２として、エネルギ保存サイクル機関の型式に関係なく使用します。
【００６５】
出力発生の過程では電磁加熱高温とした、電磁加熱縮径ピストン２２と高温水５２ｂとの間に気化膜を設けて、摩擦損失最少で出力を発生し、下部等に設けた排気穴５より排気排水の過程で、用途によりターボ過給機１２を駆動し、残りの水は排水弁兼用の安全弁５４より、圧縮行程の最終過程で圧力水として排水し、用途により夫々を廃熱回収熱交換器２ａ側に排出して、熱回収した給水５２を縮径主燃焼室熱交換器２側に供給し、燃焼ガスの２０倍質量等の凝縮水に、ＣＯ２等の燃焼ガスを溶解混合して排出します。
【００６６】
図３・図４の中大型のＥ型エネルギ保存サイクル機関を説明する。図１・図２のＤ型・Ｈ型エネルギ保存サイクル機関と略同様に、分解組立てを容易にするため、左右夫々に水平継手３５・３５を設けて、上半円筒部と下半円筒部を用途に合せて整形し、夫々の拡径燃焼室シリンダ３６に外嵌嵌合自在に設けて、夫々のクランク軸１６及びクランク軸受３４を分解組立て容易にします。夫々の拡径燃焼室シリンダ３６及び水平継手３５に、夫々凹凸４４又は複数の凹凸４４又は環状の凹凸４４又は複数の環状凹凸４４を設け、分解組立てを確実正確とします。
【００６７】
圧縮比の変更を可能に又は随時圧縮比の変更を可能にするため、更に夫々の拡径燃焼室シリンダ３６を２分割して、拡径燃焼室シリンダ３６・３６・３６・３６として、夫々凹凸４４又は複数の凹凸４４又は環状の凹凸４４又は複数の環状凹凸４４を設けて、部品取替え時も分解組立てを確実正確とし、又は夫々に螺旋状の凹凸４４又は複数の螺旋状凹凸４４を設けて、回転自在に組立てて用途により、運転中でも圧縮比の変更を可能にする、可変圧縮比が可能なＥ型エネルギ保存サイクル機関とします。
【００６８】
夫々の両頭拡径ピストン３７には、クランク軸１６を回転組立て可能に、案内穴４２・４２及び直交するクランク穴４３・４３を設け、案内具３８・３８を固定する固定用溝３９・３９を、図にない案内具側又は、図のように拡径ピストン２１側に設けて、案内具３８・３８を拡径ピストン２１側に、螺子止め固定又はかしめにより公知技術で固定します。そして案内具３８・３８には案内溝４１ａを谷型に設けて、クランク軸１６が回転自在に両頭拡径ピストン３７を往復自在にします。略中心をクランク軸１６に支持された、駆動具４０が案内溝４１ａ・４１ａを、略角形で摺動往復自在に又は略長方形で摺動往復自在に、又は丸形で転動往復自在に設け、クランク軸１６の回転により、両頭拡径ピストン３７・３７を直接対向往復運動させ、送水ポンプ兼磁気摩擦動力伝達装置５５により、クランク軸１６・１６を同期させます。
【００６９】
夫々の給気穴４より、掃除空気として拡径燃焼室１０・１０に供給された空気は、圧縮行程の後半の死点前８０度乃至６０度より、夫々の縮径主燃焼室兼熱交換器１と拡径燃焼室１０の隔離を、夫々の両頭拡径ピストン３７のコイル８２からの磁力線により、電磁加熱されて高温の電磁加熱縮径ピストン２２の縮径部により、隔離開始します。隔離後は逆止弁９７を具備した一方向空気流路９より、夫々の縮径主燃焼室兼熱交換器１に空気を噴射して、夫々の縮径主燃焼室兼熱交換器１に２／３前後の圧縮空気を噴射します。
【００７０】
公知の燃料噴射弁８８から噴射した燃料と撹拌混合し、燃料噴射時期は、圧縮行程中期より縮径主燃焼室内に限定して噴射可能とし、着火装置１０２により着火燃焼させ、８００℃以下の熱交換冷却燃焼を設計可能にします。一定容積以上の縮径主燃焼室兼熱交換器１では用途により、図１のＤ型エネルギ保存サイクル機関を対向に設けて、縮径主燃焼室兼熱交換器１に超臨界温度等複数温度の高温水５２ｂを噴射する、Ｅ型エネルギ保存サイクル機関として、送水ポンプ兼磁気摩擦動力伝達装置５５により、クランク軸１６・１６を同期させ、完全弾性衝突対向往復運動により、同一燃料量既存ガソリン機関の５００倍仮説出力等に上昇しますが、説明が図１と同様になる部分は省略します。
【００７１】
図４では縮径主燃焼室兼熱交換器１を、拡径燃焼室の１／５に縮径して、電磁加熱縮径ピストン２２の行程容積と、最高燃焼圧力によるクランク軸受３４の軸受荷重を１／２５として（図４でも紙面の都合で内径／行程＝９０／３０とし、縮径主燃焼室兼熱交換器１の長さを１／２に短縮して図示し、１８ｍｍ内径×５０ｍｍ×２の細長い縮径主燃焼室兼熱交換器１とし）一方向空気流路９より噴射された空気と、燃料噴射弁８８から噴射された燃料を攪拌混合して、公知の着火装置１０２により着火燃焼して、密閉容器内完全燃焼終了に近付け、縮径主燃焼室隔離燃焼解除して、拡径燃焼室１０の空気及び一方向空気流路９の圧縮空気により、再度未燃分皆無燃焼及び出力発生燃焼します。
【００７２】
一定容積以上の縮径主燃焼室兼熱交換器１では用途により、密閉容器内完全燃焼終了に近付け、着火時期前進による熱交換冷却燃焼時間の増大や、超臨界温度等複数温度の高温水５２ｂ噴射量の増大を可能にして、熱回収量を最大にする熱交換冷却燃焼に最適の、細長い縮径主燃焼室兼熱交換器１により、ＮＯｘ低減皆無燃焼にし、熱回収量を最大の超臨界圧力等の、超臨界温度等複数温度の高温水５２ｂ噴射により、絶好機に末広ノズル噴口部９４ａ内や外では、高温水５２ｂを弾丸や吹雪のように加速して出力を発生し、同一燃料量既存ガソリン機関の５００倍仮説出力等を狙う、Ｅ型エネルギ保存サイクル機関にします。
【００７３】
死点後６０°乃至８０°に縮径主燃焼室隔離燃焼解除して、死点後９０°前の瞬時に多段に昇圧して加熱高温にした、燃焼ガスの１０００倍前後重力仕事率の、超臨界温度等複数温度の高温水５２ｂを、燃焼ガス質量の２０〜１００倍等に増大して、シリンダヘッド１５に具備した高温水噴射電磁弁８７ｄより、電磁加熱高温の電磁加熱縮径ピストン２２の拡径部に噴射し、高温水５２ｂとの間に気化膜を設けて、摩擦損失最少の重力仕事率最大で、夫々の両頭拡径ビストン３７・３７を対向往復運動させて、同一燃料量既存ガソリン機関の１００〜５００倍仮説出力等に上昇します。
【００７４】
従って、縮径主燃焼室兼熱交換器１内の高温高圧の燃焼ガスを、電磁加熱縮径ピストン２２の多段減圧漏洩面３１に、多段に設けた鍔で減圧溜３２を構成して漏洩量を減少させ、高温高圧部の摺動部を皆無として摩擦損失を最少とします。そして燃焼ガスの１００倍質量等の超臨界温度等複数温度の高温水を噴射して、摩擦損失最少で出力を発生させる、拡径ピストン２１にコイル８２を設けて電磁調理器と同様に、電磁加熱縮径ピストンの拡径部を電磁加熱高温にして、高温水との間に気化膜を設けて、摩擦損失最少で同一燃料量既存ガソリン機関の５００倍仮説出力を発生させる、電磁加熱縮径ピストン２２も最重要となります。
【００７５】
超臨界圧力超臨界温度等の高温水容積速度利用により、１００℃以上や以下等各種温度の高温水５２ｂを噴射して、末広ノズル噴口部９４ａ内や外では高温水５２ｂを弾丸や吹雪のように加速し、燃焼ガスの１００倍質量等で最も効率良く出力を発生する、中大型用の電磁加熱縮径ピストン２２は、主として電磁加熱拡径部を設けて、電磁加熱高温とするＪａ型電磁加熱縮径ピストン２２や、電磁加熱拡径部を湾曲部まで拡大して、電磁加熱高温とするＫａ型電磁加熱縮径ピストン２２を使用します。
【００７６】
一方向空気流路９から噴射された空気により、燃料噴射弁８８から噴射した燃料を攪拌混合して、縮径主燃焼室兼熱交換器１により熱交換冷却燃焼して、用途により燃焼温度を８００℃以下等に低下させて、出力発生燃焼の隔離燃焼解除と略同時に、用途により図４図１１図１２シリンダヘッド１５に、加熱高温手段１０１や断熱材３０を含む、末広ノズル噴口部９４ａを突出して設けて、電磁加熱縮径ピストン２２の拡径部に、突出ノズル嵌入用の嵌入用凹部８６を設けて、最適噴射距離に設けた複数の高温水噴射電磁弁８７ｄより、直接拡径部に超臨界温度等複数温度の高温水を噴射し、ノズル内や外では高温水を弾丸や吹雪のように加速して、重力仕事率最大の摩擦損失最少で両頭拡径ピストン３７を動圧反動駆動します。
【００７７】
最適距離・摩擦損失最小・重力仕事率最大で、夫々の両頭拡径ピストン３７を動圧反動駆動の過程を、絶好機既存ガソリン機関燃焼ガスの（４０倍落差２５ＭＰａ×最大１００倍水質量重力仕事率×１／８効率）＝（同一燃料量既存ガソリン機関の５００倍仮説出力）等とし、同一ピストン面積の動圧最大を４０００倍に増大します。出力発生排気の過程では、断熱膨張低温燃焼ガスや低温高温水５２ｂにより水蒸気を冷却凝集し、下部に設けた排気穴５より排気ダクト１１に排気排水して、飽和水蒸気排気によりターボ過給機１２を駆動し、圧縮行程の終期には排水弁兼用の安全弁５４より排水して、夫々の排気排水から廃熱回収熱交換器２ａにより熱回収して、既存ガソリン機関排気温度５００℃前後を５０℃以下等の用途に合わせた最低温度とし、１００倍質量等の凝縮水にＣＯ２等の燃焼ガスを溶解して排出し、ＣＯ２等排気０乃至僅少とします。
【００７８】
完全弾性衝突対向往復運動する、Ｅ型エネルギ保存サイクル機関の、例えば縮径主燃焼室兼熱交換器１の内径を、拡径燃焼室１０の１／５に縮径して、死点後７５°前後まで隔離燃焼にすると、死点近傍での熱エネルギの放出量が既存ガソリン機関の１／２５となります。隔離燃焼解除時には、最高燃焼圧力が圧縮圧力の９倍に近付き、最高燃焼圧力の軸受荷重も既存ガソリン機関の１／２５となり、最高燃焼圧力が既存ガソリン機関の２５倍で損失が同じになり、ディーゼル機関の損失要因が略０になり、最高燃焼圧力を２５倍にして熱効率を大幅に上昇出来ます。更に過早着火の悪影響も１／２５になり、着火時期の前進を可能にして、高温高圧の長時間隔離燃焼により、縮径主燃焼室兼熱交換器１に熱負荷を集中し、最大の熱回収量を可能にします。
【００７９】
例えば図４の１／５縮径では（内径１８長さ５０×２の細長い）熱交換冷却燃焼に最適の、縮径主燃焼室兼熱交換器１により熱回収して、燃焼温度を落差の増大が容易な水の温度に変換し、絶好機落差既存ガソリン機関の４０倍×１００倍水質量重力仕事率等に増大して、隔離燃焼解除と略同時に、シリンダヘッド１５に具備した高温水噴射電磁弁８７ｄより、直接電磁加熱縮径ピストン２２の拡径部に、超臨界温度等複数温度の高温水５２ｂを噴射して、超臨界温度等の高温高温水の容積速度利用により、１００℃前後や５０℃前後の高温水５２ｂを加速して、高温水噴射質量を燃焼ガスの１００倍等に増大し、同一燃料量既存ガソリン機関の５００倍仮説出力等に上昇した、ＮＯｘ低減皆無燃焼も可能にします。
【００８０】
各種電磁加熱縮径ピストン２２を、熱伝導良好な材料や縮径部のみ熱伝導良好な材料や、縮径部のみセラミックス製や表面をセラミックスで被覆や、縮径部表面のみセラミックスの被覆で構成したものや、拡径部を電磁加熱高温とするための各種鉄合金を、各種用途に合わせて選択します。そして断熱材３０を介して、コイル８２を具備した拡径ピストン２１側から締め付ける等として、電磁加熱縮径ピストン２２を電磁加熱により加熱高温として、水等との間に気化膜を設けて、摩擦損失最小・重力仕事率最大とし、両頭拡径ピストン３７を動圧反動駆動します。超臨界温度等複数温度の高温水を噴射して、最も効率良く出力を発生する用途に使用するものが、各種電磁加熱縮径ピストン２２を具備した、両頭拡径ピストン３７です。そして安価な用途から大型エネルギ保存サイクル機関用まで、各種電磁加熱縮径ピストン２２を選択して使用します。
【００８１】
図３図４のＥ型エネルギ保存サイクル機関は、図１のＤ型エネルギ保存サイクル機関を、対向に設けたものであるため、例えば大型の縮径主燃焼室兼熱交換器１を、夫々拡径燃焼室１０の１／３や１／５や１／７に縮径して、死点近傍での熱エネルギ放出量を、既存ガソリン機関の１／９や１／２５や１／４９にし、縮径主燃焼室兼熱交換器１内隔離熱交換冷却燃焼を、用途に合わせて夫々密閉容器内完全燃焼終了に近付けます。
【００８２】
最高燃焼圧力を夫々圧縮圧力の９倍に近付け、夫々の縮径主燃焼室兼熱交換器１に熱負荷を集中した燃焼とし、往復機関最大の長所を活用して、熱回収量を１回転毎に４００℃前後限り無く増大し、同一回収熱量を超臨界温度等複数温度の高温水５２ｂとして噴射し、超臨界温度等の高温高温水の容積速度利用により、１００℃前後や５０℃前後の高温水を弾丸や吹雪のように加速して出力を発生し、熱回収して限り無く繰り返し使用します。
【００８３】
そして最大量の高圧高温水噴射を可能にするため、廃熱回収熱交換器２ａ及び縮径主燃焼室熱交換器２を設けて、高圧高温の最高の燃焼条件のまま、夫々縮径主燃焼室兼熱交換器内隔離熱交換冷却完全燃焼終了させて、死点後９０°前の瞬時に縮径主燃焼室内隔離燃焼解除して、一方向空気流路９内の圧縮空気及び拡径燃焼室１０の空気により、高速撹拌出力発生燃焼させて未燃分を再度皆無として公害を大幅に低減し、燃焼の大幅な改善により超短行程が可能な、夫々のクランク軸１６を両頭拡径ピストン３７で直接駆動の、完全弾性衝突対向往復運動する２サイクル両頭拡径ピストン３７として、構造を大幅に簡単にします。
【００８４】
夫々右死点も左死点も爆発行程の完全弾性衝突対向往復運動にして、既存ガソリン機関の運動エネルギ減少損失３０％前後を０％に近付け、エネルギ保存サイクルにより、既存ガソリン機関の不回転放出熱エネルギ損失４０％前後を、１０〜０％に近付けて出力を１００％に近付けます。排気の過程では下部に設けた排気穴５より、排気ダクト１１への排気排水の過程で、飽和蒸気排気によりターボ過給機１２を駆動し、圧縮行程の後期に安全弁５４から圧力水を排水し、夫々の排気排水より廃熱回収熱交換器２ａにより熱回収して、既存ガソリン機関の排気温度５００℃前後を、５０℃以下等の用途に合わせた低温度とします。
【００８５】
送水ポンプ兼磁気摩擦動力伝達装置５５等により、１回転毎に４００℃繰り返し熱回収して同一熱量を循環供給し、超臨界温度等高温の高温水の容積速度利用により、１００℃前後や５０℃前後の高温水を弾丸や吹雪のように加速して、死点後９０°の絶好機出力を（既存ガソリン機関燃焼ガスの４０倍落差２５ＭＰａ×１００倍水質量重力仕事率×１／８効率）＝（最大出力を同一燃料量既存ガソリン機関の５００倍仮説出力）等に増大し、超大型舶用機関では製造原価を１／１０前後にします。そして１００倍質量等の凝縮水に、ＣＯ２等の燃焼ガスを溶解容易にする、公知物質５３等を給水５２に混入してＣＯ２等溶解容易とし、ＣＯ２等排気を０等として公害低減・地球温暖化防止します。
【００８６】
図５・図６・図７及び図８を参照して、送水ポンプ兼磁気摩擦動力伝達装置５５及び、送水ポンプ兼二重反転磁気摩擦動力伝達装置８４を説明する。通常の各種歯車式動力伝達装置や各種歯車ポンプは、歯面に大きな荷重を含む、滑り歯面を必須とするため、潤滑油を必要とするのに加えて、摩擦熱損失も非常に大きく、高速回転を含む大動力の伝達装置や、超高圧少量送水の何れにも、使用不可乃至使用不適という問題がある。
【００８７】
このため動力伝達装置の摩擦損失を低減して、超高圧少量送水するには、ころがり接触による、超高速大動力伝達装置と超高圧少量送水装置の合体が必要です。超高速大動力伝達装置と超高圧少量送水を可能にすると共に、潤滑油も不用にするためには、歯車装置の滑り歯面を皆無に近づけたころがり接触の、熱交換自己水冷却して摩擦熱を回収して送水供給する、１以上多段多数の動力伝達装置を含む高圧少量送水の、送水ポンプ７５としても、磁気摩擦動力伝達装置７６としても使用可能な、送水ポンプ兼磁気摩擦動力伝達装置５５や、送水ポンプ兼二重反転磁気摩擦動力伝達装置８４として使用します。
【００８８】
図５の歯車のかみ合い高さを限りなく縮小した、動力伝達面５６の低凹凸６９のハスバ凹凸７１等として、転がり接触動力伝達装置とし、図６図７図８の回転方向５９上流側及び下流側、又は上流側又は下流側に、棒磁石５７又は電磁石５８を設けます。そして磁石の強い吸引力を利用して、各種着磁摩擦車装置６５の送水ポンプ７５や、図にない各種磁着摩擦車装置６７や、各種内着磁摩擦車装置６６や、各種内磁着摩擦車装置６８等の、歯車同様やその他すべての噛み合わせ使用を可能にします。
【００８９】
図６図７高圧少量送水する送水ポンプ７５と兼用のため、各種磁気摩擦動力伝達装置７６に外箱を設けて、外箱７７に吸水路７８や送水路７９を設け、送水ポンプ７５と兼用し、送水ポンプ兼磁気摩擦動力伝達装置５５とします。公知技術を含めて全面的に使用し、転がり接触に近付けて、摩擦熱損失を大幅に低減し、更に高圧少量送水ポンプ７５として、摩擦熱を自己冷却熱回収して送水する及び、超高速大動力を伝達する磁気摩擦動力伝達装置７６や、潤滑油に換えて無公害の水冷却とし、熱回収して廃熱回収熱交換器２ａや、縮径主燃焼室熱交換器２に多段に昇圧して供給する、送水ポンプ兼磁気摩擦動力伝達装置５５や、送水ポンプ兼二重反転磁気摩擦動力伝達装置８４とするものです。
【００９０】
超高速大動力を伝達する、磁気摩擦動力伝達装置７６とするためには、転がり接触に近付けても、摩擦熱の発生を避けられません。一方エネルギ保存サイクル機関は、超高圧大量の水や熱を利用して出力を発生させるため、超高速大動力を伝達する磁気摩擦動力伝達装置７６と共に、熱回収して多段に昇圧して高圧少量送水する送水ポンプ７５が必要です。
【００９１】
そこで各種歯車に換えて、各種着磁摩擦車６１や各種内着磁摩擦車６２や、各種磁着摩擦車６３や各種内磁着摩擦車６４等を使用し、磁気摩擦動力伝達装置７６として使用の過程で、回転方向上流側送水路７９及び下流側吸水路７８又は上流側又は下流側に、棒磁石５７乃至電磁石５８を設けて送水します。即ち永久磁石は高温に弱いため用途に合わせて、着磁摩擦車や磁着摩擦車や内着磁摩擦車や内磁着摩擦車の、すべての組み合わせを、磁石の強い吸引力により、互いに互換して使用を可能にし、自己発熱量も回収送水する送水ポンプ兼磁気摩擦動力伝達装置５５や、送水ポンプ兼二重反転磁気摩擦動力伝達装置８４とします。
【００９２】
着磁摩擦車６１や磁着摩擦車６３や内着磁摩擦車６２や内磁着摩擦車６４の、動力伝達面５６には低凹凸６９を設けます。低凹凸６９は噛み合い高さを限りなく低下させて、転がり接触として歯車以外の形状も可能にし、図に無いすべての噛み合う形状全部とします。歯車形低凹凸６９として具体的には、平歯車に換えて平凹凸７０車を、ハスバ歯車に換えてハスバ凹凸７１車を、ヤマバ歯車に換えてヤマバ凹凸７２車を、平内歯車に換えて平内凹凸７０ａ車を、ハスバ内歯車に換えてハスバ内凹凸７１ａ車を、ヤマバ内歯車に換えてヤマバ内凹凸７２ａ車を設ける。
【００９３】
そして公知の各種歯車ポンプと同様に、外箱７７や吸水路７８や送水路７９を設けて、摩擦熱を自己回収して多段に昇圧しながら、燃焼熱を回収して高圧少量送水する送水ポンプ７５と、磁気摩擦動力伝達装置７６や二重反転磁気摩擦動力伝達装置８５兼用とし、超高速大動力を伝達する、送水ポンプ兼用の各種磁気摩擦動力伝達装置５５や送水ポンプ兼二重反転磁気摩擦動力伝達装置８４として使用します。
【００９４】
図５ａの着磁摩擦車６１ａの実施例は、環筒状の強磁性材料の径方向左右に磁極のＮ極及びＳ極を着磁して、その両側を環板状のヨーク７４で挟んで、外径方向動力伝達面５６に延長して固着します。該動力伝達面５６の外周面に低凹凸６９のハスバ凹凸７１を設けて、着磁摩擦車６１ａとして、各要素を互いに互換してかみ合う、着磁摩擦車６１ａと磁着摩擦車６３や、図６の転がり接触の着磁摩擦車装置６５とします。
【００９５】
そして図６図７の着磁摩擦車６１ｃ・６１ｃや６１ｄ・６１ｄを夫々同径として、各種着磁摩擦車装置６５と同様に、外箱７７や吸水路７８や送水路７９を設けて、回転方向上流側及び下流側に棒磁石５７乃至電磁石５８を設けます。そして例えば着磁摩擦車装置６５の回転方向上流側及び下流側に設けた、電磁石５８の吸引力を調整して、Ｅ型エネルギ保存サイクル機関のクランク軸１６・１６を、最適接触圧力で同期させ、完全弾性衝突対向往復運動を最適に同期させ、磁気摩擦動力伝達装置７６や、送水ポンプ７５としても使用します。そして図６図７のように磁石の強い吸引力を最適利用した、送水ポンプ兼用の各種磁気摩擦動力伝達装置５５としても使用します。
【００９６】
図５ｂの内着磁摩擦車６２ａの実施例は、環筒状の強磁性材料の径方向左右に磁極のＮ極及びＳ極を着磁して、その両側を環板状のヨーク７４で挟んで、内径方向動力伝達面５６に延長して固着します。該動力伝達面５６の内周面に低凹凸６９の内平凹凸７０ａを設けて、内着磁摩擦車６２ａとして、各要素を互いに互換してかみ合う、内着磁摩擦車６２ａと磁着摩擦車６３や、図に無い転がり接触の内着磁摩擦車装置６６等とし、図６図７図８の各種着磁摩擦車装置６５と同様に、外箱７７や吸水路７８や送水路７９を設けて、回転方向上流側及び下流側に棒磁石５７乃至電磁石５８を設け、磁石の強い吸引力を利用した、送水ポンプ兼用の各種磁気摩擦動力伝達装置５５として使用します。
【００９７】
図５ｃの着磁摩擦車６１ｂの実施例は、環筒状の強磁性材料の内径側と外径側に磁極のＮ極及びＳ極を着磁して、ヨーク７４を磁石の内周側から左右外径動力伝達面５６に延長します。該動力伝達面近傍のヨークと磁石の間に、摩擦増大手段８０を環状に設けて固着し、その外周面に低凹凸６９のヤマバ凹凸７２を設けて、夫々着磁摩擦車６１ｂ・６１ｂとし、各要素を互いに互換した噛み合いとしては、磁着摩擦車６３と着磁摩擦車６１ｂや、図６図７図８の各種着磁摩擦車装置６５のように、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置５５として使用します。
【００９８】
図５ｄ・図５ｅの磁着摩擦車６３の実施例は、環筒状の強磁性材料乃至磁石に吸着材料の、外径面の動力伝達面５６に、低凹凸６９のハスバ凹凸７１又は平凹凸７０を設けて、夫々各種磁着摩擦車６３・６３とします。又は夫々各要素を互いに互換した噛み合いとして、図６図７図８と略同様に各種磁着摩擦車装置６７を構成し、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置５５とします。
【００９９】
図５ｆの内磁着摩擦車６４の実施例は、環筒状の強磁性材料乃至磁石に吸着材料の、内径面の動力伝達面５６に、低凹凸６９のヤマバ凹凸７２ａを設けて、内磁着摩擦車６４とします。例えば夫々各要素を互いに互換した噛み合いとして、転がり接触の各種内磁着摩擦車装置６８等とし、図８と略同様に各種内磁着摩擦車装置６８を構成し、外箱７７や吸水路７８や送水路７９を設けて、回転方向上流側及び下流側に棒磁石５７乃至電磁石５８を設けて、磁石の強い吸引力を利用した、送水ポンプ兼用の各種磁気摩擦動力伝達装置５５とします。
【０１００】
例えば図６図７の送水ポンプ兼磁気摩擦動力伝達装置５５の実施例は、着磁摩擦車装置６５に、既存歯車ポンプと同様に外箱７７を設け、回転方向下流側に吸水路７８を、回転方向上流側に送水路７９を設けて、回転方向上流側及び下流側に棒磁石５７乃至電磁石５８を設け、磁石の強い吸引力により、各種送水ポンプ７５及び各種磁気摩擦動力伝達装置７６を構成します。そして吸水路７８より給水５２を供給して、送水ポンプ兼用の各種磁気摩擦動力伝達装置５５で発生する熱を回収して、図１の廃熱回収熱交換器２ａで回収した燃焼熱と共に、送水路７９・７９により多段に昇圧して、縮径主燃焼室熱交換器２に送水して、熱回収により超臨界温度等複数温度の高温水噴射を可能にします。
【０１０１】
しかし着磁摩擦車装置６５等、多種多数の送水ポンプ兼磁気摩擦動力伝達装置５５により、送水ポンプ兼用となるのと動力伝達が主力のため、回転数も変化します。そこで公知の制御装置により、１以上多数の送水路７９や吸水路７８を最適制御して、１以上多段に昇圧して廃熱回収熱交換器２ａや、縮径主燃焼室熱交換器２側に給水し、１以上多数の送水ポンプ７５により摩擦熱を回収して自己水冷却し、超高速大動力を伝達する、各種送水ポンプ兼各種磁気摩擦動力伝達装置５５として使用します。又は夫々を単独使用可能とします。
【０１０２】
図８の送水ポンプ兼二重反転磁気摩擦動力伝達装置８４の実施例は、図６の送水ポンプ兼磁気摩擦動力伝達装置５５を、多段に設けて水を昇圧し、廃熱回収熱交換器２ａ及び縮径主燃焼室熱交換器２に供給し、加熱高温として縮径主燃焼室兼熱交換器１に噴射し、ＮＯｘ低減皆無燃焼や出力発生増大燃焼させる、送水ポンプ兼用の、二重反転磁気摩擦動力伝達装置８５としたものです。既存歯車ポンプと同様に外箱７７を設け、夫々の回転方向下流側に吸水路７８を、夫々の回転方向上流側に送水路７９を設けて、回転方向上流側及び下流側に棒磁石５７乃至電磁石５８を設け、磁石の強い吸引力により、各種送水ポンプ７５及び各種磁気摩擦動力伝達装置７６を構成します。
【０１０３】
吸水路７８より給水を吸水して、送水ポンプ兼二重反転磁気摩擦動力伝達装置８４で発生する熱を、多段に回収して、夫々の送水路７９により多段に昇圧して、図１の廃熱回収熱交換器２ａで回収した燃焼熱と共に、超高圧少量送水にし、縮径主燃焼室熱交換器２により熱回収高温にして、縮径主燃焼室兼熱交換器１及び拡径燃焼室１０に、超臨界温度等複数温度の高温水５２ｂとして噴射し、ＮＯｘ低減皆無燃焼出力発生増大燃焼や、落差及び重力仕事率最大で出力を発生させます。
【０１０４】
そして二重反転磁気摩擦動力伝達装置８５により、大中小型船舶や大中小型高速船や、大中小型飛行機や大中小型ヘリコプター等のプロペラを、最も効率良く二重反転させることで、推進速度を２倍に近付けると共に、超臨界圧力超臨界温度等の高温水を適宜に貯蔵して使用することで、短時間は超高速蒸気機関として使用可能とし、燃料無しでも短時間使用可能とし、非常に安全な飛行物体や、消火容易な火災皆無の輸送機器とします。
【０１０５】
図９・図１０及び図１１図１２の、高温水噴射電磁弁８７Ｃｃ・８７Ｄｃ及び、高温水噴射電磁弁８７Ｃｄ・８７Ｄｄの実施例を説明する。エネルギ保存サイクル機関は、死点後９０°近傍の絶好機の瞬時に、熱エネルギの放出を集中することで、燃焼を完璧に改善して最大の熱回収量とし、回収熱量を超臨界圧力超臨界温度等複数温度の高温水５２ｂとして、２以上の高温水溜９５及び弁座９８を設けて同時に開弁閉弁し、超臨界温度等の高温高温水５２ｂの容積速度利用により、１００℃前後や５０℃前後の低温高温水５２ｂを加速します。
【０１０６】
そして絶好機に高温水５２ｂを、ノズル噴口部９４や末広ノズル噴口部９４ａ内では、弾丸や吹雪のように加速し、ノズル噴口部９４等の外では吹雪のように加速して、動圧乃至重力仕事率を最大にすることで、同一燃料量既存ガソリン機関の５００倍仮説出力等を狙うため、超短時間に大質量保有熱量最少等の超臨界圧力高温水等を噴射し、超高速で開弁閉弁する図９・図１０の高温水噴射電磁弁８７Ｃｃや高温水噴射電磁弁８７Ｄｃや、図１１・図１２の高温水噴射電磁弁８７Ｃｄや、高温水噴射電磁弁８７Ｄｄや、夫々のノズル噴口部９４や末広ノズル噴口部９４ａの、長さや形状やノズル温度や容量が最重要になります。
【０１０７】
熱回収量を最大にするエネルギ保存サイクル機関は、密閉容器内完全燃焼終了に近付けて、例えば圧縮圧力２ＭＰａで９倍の最高燃焼圧力１８ＭＰａに近付けます。燃焼温度を５０００℃以上にする過程を、前述のように１３ｍｍ内径×９８ｍｍ等の細長い、縮径主燃焼室兼熱交換器１内隔離熱交換冷却長時間燃焼・完全燃焼終了等、燃焼温度は縮径主燃焼室兼熱交換器１の内径を変化させて、燃焼温度を自由自在に設計可能にします。
【０１０８】
超高圧隔離燃焼により熱回収量を大幅な最大として、燃焼温度５０００℃等を８００℃等に低下させ、更に大量の低温高温水噴射により、隔離燃焼解除時には４００℃等に低下も可能とします。そして断熱膨張燃焼ガス排気温度は−１００℃等に近付け、低温燃焼ガスや高温水により水蒸気を冷却凝集して、凝縮水に溶解してＣＯ２等の排気０を可能にします。廃熱回収熱交換器２ａの飽和蒸気温度１００℃回収を含めて、既存ガソリン機関排気温度５００℃前後を５０℃以下等に低下させ、１回転毎に回収熱量を４００℃前後増大して、高温水噴射電磁弁８７より噴射する、超臨界温度等複数温度の高温水熱量質量を増大します。
【０１０９】
そして図９図１０の縮径主燃焼室兼熱交換器１に具備するものをｃ型とし、電磁石５８複数と棒磁石５７を組合せて具備したものをＣ型として、第一実施例の高温水噴射電磁弁８７Ｃｃとします。電磁石５８を１個と棒磁石５７を組合せて、縮径主燃焼室兼熱交換器１に具備したものがＤｃ型とし、第二実施例の高温水噴射電磁弁８７Ｄｃとします。高温水噴射電磁弁８７Ｃｃや高温水噴射電磁弁８７Ｄｃにより、超臨界温度等複数温度の高温水５２ｂを、燃焼室温度により加熱高温とした、末広ノズル噴口部９４ａにより高温水との間に気化膜を設けて、絶好機前から絶好機までの短時間に摩擦損失最少で噴射します。
【０１１０】
砲身のように長大化した末広ノズル噴口部９４ａ内では、２以上の高温水溜９５及び弁座９８を設けて同時に開弁閉弁し、超臨界温度等の高温高温水５２ｂの容積速度利用により、例えば１００℃前後や５０℃前後の低温高温水５２ｂを加速して、末広ノズル噴口部９４ａ内では弾丸や吹雪のように加速し、末広ノズル噴口部９４ａより外では吹雪のように加速して、重力仕事率乃至動圧を最大にします。用途によりノズル内部に螺旋溝を設けて末広とし、高温水に遠心力を与える等とし、最高燃焼圧力を２５ＭＰａ等に近付け、燃焼ガス温度を低下させて、大落差大質量の燃焼ガスの１０００倍重力仕事率等の高温水で、燃焼ガスを噴射して再燃焼させ未燃分を皆無等にします。
【０１１１】
図９図１０外箱７７に固着した電磁石５８を１又は複数設けて、その両側に弁棒２３に固着した棒磁石５７を具備して、外箱７７に固着した１以上複数の、電磁石５８のコイル８２の通電方向を逆転することで、弁棒２３に固着した両側の棒磁石５７との反発力と吸引力を逆転し、強力に開弁・閉弁するものです。外箱７７には磁石室８９を断熱する、断熱壁９０及び冷却室９１を棒磁石５７の下部に設け、冷却室９１には磁石室８９を断熱して冷却室９１に送水する送水路７９を具備して、冷却室９１に送水して磁石室８９を断熱し、冷却室９１に設けた送水路７９より排水して、熱回収した後、送水路７９の給水５２に合流します。
【０１１２】
高温水噴射電磁弁８７Ｃｃ・８７Ｄｃを始動の場合は、総括制御装置２０によりコイル８２の通電方向を閉弁方向とし、図９図１０上部の閉弁装置９２を全開して、コイル８２の通電方向を開弁方向で、高温水噴射電磁弁８７ｃを全開可能として、始動準備を完了します。縮径主燃焼室兼熱交換器１は夫々の電磁弁装着部９３・９３ａ用として、夫々複数の導水管３を螺旋環状に、低温高温水５２ｂ部から高温高温水５２ｂ部まで用途に合わせて、１重乃至２重乃至３重等適宜に最適間隔で設けます。
【０１１３】
そして内側の露出導水管３を含む超臨界圧力超臨界温度等の、最高温度の高温水導水管３終端を、最上部の高温水溜９５に連絡し、１００℃前後乃至５０℃前後等の低温高温水導水管３を、下部の１以上の高温水溜９５に連絡して、夫々に設けられた弁座９８を同時に開弁閉弁し、高温水噴射電磁弁８７Ｃｃ乃至Ｄｃの燃焼熱により加熱高温とした、末広ノズル噴口部９４ａにより高温水との間に気化膜を設けて、超臨界温度等最高温度高温水の容積速度利用により、低温高温水を加速して、摩擦損失最少で末広ノズル噴口部内では高温水を弾丸や吹雪のように加速し、末広ノズル噴口部外では高温水を吹雪のように加速する、高温水噴射電磁弁８７Ｃｃ乃至Ｄｃを、夫々の高温水溜９５と導水管３が連絡可能に、一定容積以上の縮径主燃焼室兼熱交換器１では、電磁弁装着部９３に用途に合わせて選択具備します。
【０１１４】
電磁石５８のコイル８２の通電方向を逆転することで、磁石の強い吸引力と反発力を逆転して、弁棒２３と複数の弁座９８を超高速開閉して、絶好機前から絶好機までの短時間に大量の高温水を噴射して、最高燃焼圧力を２５ＭＰａ等の噴射圧力に近付ける等とし、用途に合わせて大落差大質量の高温水出力として、燃焼ガスの単位容積１０００倍重力仕事率で大出力にします。運転停止時も弁棒２３は超臨界圧力等により上方に押圧されるため、停止時は最上部に具備した発条９６と閉弁装置９２を閉方向に閉止して、コイル８２の通電を停止します。ノズル噴口部９４の形状については、ノズル内で弾丸や吹雪のように高温水を加速するため、砲身のように長大として、用途により螺旋状の溝を設けたり末広ノズル噴口部９４ａにし、高温水５２ｂを遠心力により拡散させます。
【０１１５】
例えば圧縮行程の死点前７５度前後より、１／４９行程容積等の縮径主燃焼室兼熱交換器１の隔離を始め、行程容積差を利用して拡径燃焼室１０の２／３前後空気を、一方向空気流路９を介して縮径主燃焼室兼熱交換器１に噴射して燃料と攪拌燃焼し、残りの１／３空気は２段燃焼時の予備とします。一方向空気流路９は、弁座９８に弁体９９を挿入し、弁体９９に発条９６を挿入して逆止弁９７を組立て、逆止弁９７をシリンダヘッド１５にねじ込み、空気圧の差圧を利用して弁座９８に発条９６により付勢押圧の弁体９９を開放して、拡径燃焼室１０の圧縮空気を縮径主燃焼室兼熱交換器１に噴射し、逆方向の流れを逆止弁９７により阻止する、一方向空気流路９とします。
【０１１６】
複数の送水ポンプ兼磁気摩擦動力伝達装置５５により多段に昇圧して、超高圧少量送水の過程で、廃熱回収熱交換器２ａにより飽和蒸気温度１００℃を熱回収し、縮径主燃焼室熱交換器２により超臨界温度等複数温度の高温水として、縮径主燃焼室兼熱交換器１に噴射し、用途により最高燃焼圧力を２５ＭＰａ等の噴射圧力に近付け、燃焼ガス温度を大幅に低下させ、大落差×大高温水質量の、燃焼ガスの１０００倍重力仕事率で大出力にします。縮径主燃焼室熱交換器２は、複数の導水管３で構成し、導水管３を螺旋状や螺旋環状に具備し、又は螺旋環状に二重以上設ける、又は用途により内側の導水管３の一部を、螺旋環状や任意の螺旋環状に露出して設けて、高温水温度の上昇を設計により容易にします。
【０１１７】
シリンダヘッド１５に具備するものをｄ型とし、電磁石５８複数と棒磁石５７を組合せて具備したものをＣ型として、図１１の第一実施例の高温水噴射電磁弁８７Ｃｄです。ｄ型の電磁石５８を１個と棒磁石５７を組合せて具備したものがＤ型で、図１２の第二実施例の高温水噴射電磁弁８７Ｄｄです。例えば図１１図１２のシリンダヘッド１５の、複数の電磁弁装着部９３ａには高温水溜９５に連絡可能に、高温水噴射電磁弁８７Ｃｄ又は８７Ｄｄをねじ込む等で固着します。
【０１１８】
縮径主燃焼室熱交換器２の内側の露出導水管３を含む、超臨界温度等最高温度高温水の導水管３を最上部の高温水溜９５に連絡し、１００℃前後乃至５０℃前後等の低温高温水導水管３を、下部の１以上の高温水溜９５に連絡して、夫々に設けられた弁座９８を同時に開弁閉弁し、高温水噴射電磁弁８７Ｃｄ又は８７Ｄｄの加熱高温手段１０１により、加熱高温とした末広ノズル噴口部９４ａにより、高温水５２ｂとの間に気化膜を設けて、超臨界温度等最高温度高温水の容積速度利用により、低温高温水を加速して消費熱量を僅少とし、摩擦損失最少で末広ノズル噴口部９４ａ内では、高温水を弾丸や吹雪のように加速し、末広ノズル噴口部９４ａ外では吹雪のように加速する、末広ノズル噴口部９４ａを断熱材３０内に設けた加熱高温手段１０１内に挿入します。
【０１１９】
高温水噴射電磁弁８７ｄの末広ノズル噴口部９４ａには、摩擦損失を最低にするため加熱高温手段１０１を円筒状に外嵌して、電気抵抗や電磁加熱等により適宜に高温とし、超臨界圧力超臨界温度等複数温度の高温水５２ｂとの間に気化膜を設けて、摩擦損失最低として電磁加熱高温とした、電磁加熱縮径ピストン２２の拡径部に、死点後９０°前の絶好機の瞬時に超短時間大量に直接噴射し、絶好機に高温水を末広ノズル噴口部９４ａ内では弾丸や吹雪のように加速して、末広ノズル噴口部９４ａ外では吹雪のように加速し、摩擦損失最少の重力仕事率最大で、拡径ピストン２１を直接動圧反動駆動して、同一燃料量既存ガソリン機関の１００〜５００倍仮説出力等を目指します。
【０１２０】
電磁石５８を１又は複数設けてその両側に棒磁石５７を具備して、外箱７７に固着した電磁石５８のコイル８２の通電方向を逆転することで、弁棒２３に固着した両側の棒磁石５７との反発力と吸引力を同時に逆転し、磁石の強い吸引力と反発力の逆転により強力に開弁・閉弁するものです。外箱７７には磁石室８９を断熱する、断熱壁９０及び冷却室９１を棒磁石５７の下部に設けて、冷却室９１を冷却する送水路７９を具備して、冷却室９１に送水して磁石室８９の温度上昇を阻止し、冷却室９１に設けた送水路７９より排水して、熱回収した後給水５２に合流します。
【０１２１】
高温水噴射電磁弁８７Ｃｄ乃至８７Ｄｄを始動の場合は、総括制御装置２０によりコイル８２の通電方向を閉弁方向とし、上部の閉弁装置９２を全開して始動準備を完了します。縮径主燃焼室熱交換器２は複数の導水管３を螺旋環状に、低温高温水部から高温高温水部まで、１重乃至２重乃至３重等に設けて、超臨界圧力超臨界温度等の最高の高温高温水部は露出して設けて、用途に合わせて夫々最適間隔で設けます。
【０１２２】
そして夫々超臨界温度等の、最高の高温高温水部１以上複数の導水管３の終点を、シリンダヘッド１５の１以上複数の電磁弁装着部９３ａの、高温水噴射電磁弁８７Ｃｄ又は８７Ｄｄの、最上部の高温水溜９５に連絡し、１００℃前後乃至５０℃前後の低温高温水導水管３を、下部１以上の高温水溜９５に連絡して、超臨界温度等最高温度の高温水容積速度利用により、１以上の低温高温水５２ｂを加速して、消費熱量を最少の重力仕事率を最大の最適噴射速度容積にすることで、同一燃料量既存ガソリン機関の５００倍仮説出力等に増大します。
【０１２３】
磁石の強い吸引力と反発力の逆転により、弁棒２３を超高速開閉して、死点後９０°前の絶好機の瞬時に超短時間大量の高温水を噴射して、超臨界温度等の高温水容積速度利用により、低温高温水を末広ノズル噴口部９４ａ内では弾丸や吹雪のように加速して、内部螺旋溝を設けた末広ノズル噴口部外では遠心力を含めて加速し、重力仕事率最大で電磁加熱縮径ピストン２２の拡径部に直接噴射して、単位ピストン面積絶好機の最大動圧を、既存ガソリン機関の４０００倍等に近付けます。末広ノズル噴口部９４ａの形状については、高温水を末広ノズル噴口部内では弾丸や吹雪のように加速するため、加熱高温にして砲身のように長大とし、用途により内部螺旋溝を設けます。
【０１２４】
送水ポンプ兼磁気摩擦動力伝達装置５５等複数により、多段に昇圧して超高圧少量送水の過程で、廃熱回収熱交換器２ａにより飽和蒸気等より熱回収して、既存ガソリン機関排気温度５００℃前後を３０℃に近付け、縮径主燃焼室熱交換器２により超臨界温度等複数温度の高温水とし、高温水噴射電磁弁８７ｄより電磁加熱縮径ピストン２２の拡径部に直接高温水を噴射して、絶好機の動圧出力により、同一燃料量既存ガソリン機関の５００倍仮説出力にし、膨大過ぎる回収熱量は、１００℃以下の水道水温熱に変換して需要家に供給します。
【０１２５】
縮径主燃焼室隔離燃焼解除時に、用途により残りの１／３空気と再燃焼と略同時に、シリンダヘッド１５に高温水噴射電磁弁８７Ｃｄ又は８７Ｄｄを１以上複数具備して、電磁石５８のコイル８２の電流方向を開弁方向に逆転して、死点後９０°前の絶好機の瞬時に、磁石の強い吸引力と反発力を同時に逆転・再逆転して、磁石の強い吸引力と反発力により弁棒２３を強力に開弁閉弁して、高温水噴射終了し、絶好機単位ピストン面積の最大動圧を（既存ガソリン機関の４０倍落差２５ＭＰａ×１００倍質量重力仕事率＝４０００倍）に増大し、最大出力を（既存ガソリン機関の４０倍落差×１００倍質量重力仕事率×１／８効率＝５００倍仮説出力）等に増大します。
【０１２６】
熱回収量を最大にするエネルギ保存サイクルについては、密閉容器内燃焼の実験結果に基づいたサイクルであるため、エネルギ保存サイクル機関を設計するための簡易実証試験は、回収した熱量の有効利用に限定出来ます。そこで高温水噴射電磁弁８７を製作利用して、超臨界圧力超臨界温度等の高温高温水の容積速度利用により、５０℃等各種低温高温水を噴射加速して、容易に簡易実証試験が可能です。
【０１２７】
図１３を参照して、回転力で駆動する装置を有する、Ｈ型又はＤ型又はＥ型エネルギ保存サイクル機関を説明する。回転力で駆動する装置の主なものは、各種大中小型船舶・各種大中小型飛行機・各種大中小型自動車等車両や車輪・各種大中小型機械・各種大中小型汎用機関・大中小型発電用機関・大中小型熱と電気の併給用機関等、Ｈ型又はＤ型又はＥ型エネルギ保存サイクル機関で駆動可能なもの全部とします。
【０１２８】
回転力で駆動する動力伝達装置の方法は、従来技術往復内燃機関で駆動していた方法を含めて、送水ポンプ兼用の各種磁気摩擦動力伝達装置５５や、各種磁気摩擦動力伝達装置７６や、送水ポンプ兼二重反転磁気摩擦動力伝達装置８４等により駆動します。制御装置は従来技術往復内燃機関の公知の制御方法を、Ｈ型又はＤ型又はＥ型エネルギ保存サイクル機関で使用するため、エネルギ保存サイクル総括制御装置２０として使用します。
【０１２９】
【発明の効果】
高温水噴射電磁弁８７Ｃｃ乃至８７Ｄｃ乃至８７Ｃｄ乃至８７Ｄｄにより、超臨界温度等最高温度の高温水容積速度利用により、１００℃や５０℃の低温高温水を噴射加速するため、速度×質量＝仕事能力のうち、速度は最適速度に限定されるため、消費熱量最少で最大の質量を噴射して、最大の出力にする大きな効果があります。
【０１３０】
電磁加熱縮径ピストン２２の拡径部に、高温水噴射電磁弁８７Ｃｄ乃至８７Ｄｄのノズル嵌入用の嵌入用凹部８６を設けたため、高温水噴射電磁弁８７Ｃｄ乃至Ｄｄの末広ノズル噴口部を突出して設けて、嵌入用凹部以外の部分の高温水噴射距離の最適化が可能になり、出力の増大が最高に良くなる効果があります。
【０１３１】
高温水噴射電磁弁８７Ｃｄ乃至８７Ｄｄを、シリンダヘッド１５に後退して具備するため、末広ノズル噴口部を最大に長大化して、超臨界温度等最高温度の高温水容積速度利用により、１００℃や５０℃の低温高温水を噴射加速するため、低温高温水を最適速度に加速して出力を増大出来る大きな効果がある。
【０１３２】
超臨界温度等最高温度の高温水容積速度利用により、１００℃や５０℃の低温高温水を噴射加速して、電磁加熱縮径ピストン２２の拡径部に直接噴射して出力を発生させるため、超臨界温度等の高温水を貯蔵増大しておき、火災消火用や、燃料切れ時にも短時間超高速蒸気機関として使用可能なため、非常に安全な飛行機や飛行物体等に出来る効果がある。
【０１３３】
超臨界温度等最高温度の高温水容積速度利用により、１００℃や５０℃の低温高温水を噴射加速して、末広ノズル噴口部内では弾丸や吹雪のように加速し、末広ノズル噴口部外では吹雪のように加速して、燃焼ガスの１００倍質量高温水との間に気化膜を設けて、重力仕事率最大の摩擦損失最少の最適噴射速度容積で、電磁加熱縮径ピストン２２の拡径部に直接噴射して、両頭拡径ピストンを動圧反動駆動出来るため、各種エネルギ保存サイクル機関の出力を大幅に上昇する効果があります。
【０１３４】
超臨界温度等最高温度の高温水容積速度利用により、１００℃や５０℃の低温高温水を噴射加速して、重力仕事率最大の摩擦損失最少の最適噴射速度容積で、電磁加熱縮径ピストン２２の拡径部に直接噴射して、各種大中小型船舶・各種大中小型飛行機・各種大中小型車両・各種大中小型機械・各種大中小型発電機・各種大中小型汎用機関・大中小型熱と電気の併給用機関を駆動するため、大中小型の各種エネルギ保存サイクル機関の性能が向上する効果があります。
【０１３５】
超臨界温度等最高温度の高温水容積速度利用により、１００℃や５０℃の低温高温水を噴射加速して、重力仕事率最大の摩擦損失最少の最適噴射速度容積で、各種エネルギ保存サイクル機関を駆動するため、重油や軽油やガソリンや天然ガスやメタノールや水素やプロパンやアルコール等各種燃料の、燃焼制御や保守が安全容易になる効果がある。
【図面の簡単な説明】
【図１】本発明のＤ型エネルギ保存サイクル機関の実施例を示す断面図。
【図２】本発明のＨ型エネルギ保存サイクル機関の実施例を示す断面図。
【図３】本発明のＥ型エネルギ保存サイクル機関の実施例を示す断面図。
【図４】本発明のＥ型エネルギ保存サイクル機関中央部の実施例を示す断面図。
【図５】送水ポンプ兼磁気摩擦動力伝達装置の構成部品を示す一部断面図。
【図６】送水ポンプ兼磁気摩擦動力伝達装置の第一実施例を示す一部断面図。
【図７】送水ポンプ兼磁気摩擦動力伝達装置の第二実施例を示す一部断面図。
【図８】送水ポンプ兼二重反転磁気摩擦動力伝達装置の実施例の一部断面図。
【図９】高温水噴射電磁弁８７Ｃｃの実施例の一部断面図。
【図１０】高温水噴射電磁弁８７Ｄｃの実施例の一部断面図。
【図１１】高温水噴射電磁弁８７Ｃｄの実施例の一部断面図。
【図１２】高温水噴射電磁弁８７Ｄｄの実施例の一部断面図。
【図１３】本発明のエネルギ保存サイクル機関駆動機器の実施形態を示す全体構成図。
【符号の説明】
１：縮径主燃焼室兼熱交換器、  ２：縮径主燃焼室熱交換器、  ２ａ：廃熱回収熱交換器、  ３：導水管、  ４：給気穴、  ５：排気穴、  ７：燃料蒸気噴射電磁弁、  ７Ｃ：燃料噴射電磁弁、  ７Ｄ：燃料水噴射電磁弁、  ７Ｅ：水噴射電磁弁、  ９：一方向空気流路、  １０：拡径燃焼室、  １１：排気ダクト、  １２：ターボ過給機、  １３：給気ダクト、  １４：機械式過給機、  １５：シリンダヘッド、  １６：クランク軸、  １７：始動電動機兼発電機、  １８：入力軸、  １９：出力軸、  ２０：エネルギ保存サイクル総括制御装置、  ２１：拡径ピストン、  ２２：電磁加熱縮径ピストン、  ２３：弁棒、  ２６：掃気弁、  ２７：過給ピストン、  ２８：吸気弁、  ２９：機関本体、  ３０：断熱材、  ３１：多段減圧漏洩面、  ３２：減圧溜、  ３４：クランク軸受、  ３５：水平継手、  ３６：拡径燃焼室シリンダ、  ３７：両頭拡径ピストン、  ３８：案内具、  ３９：固定用溝、  ４０：駆動具、  ４１：案内溝、  ４１ａ：案内溝、  ４２：案内穴、  ４３：クランク穴、  ４４：凹凸、  ４５：過給室、  ４６：Ｈ型エネルギ保存サイクル機関、  ４７：過給室蓋、  ４８：過給室シリンダ、  ５２：給水、  ５２ｂ：高温水（超臨界温度等複数温度の高温水）、  ５３：公知物質、  ５４：安全弁、  ５５：送水ポンプ兼磁気摩擦動力伝達装置、  ５６：動力伝達面、  ５７：棒磁石、  ５８：電磁石、  ５９：回転方向、６０：磁極、  ６１：着磁摩擦車、  ６２：内着磁摩擦車、  ６３：磁着摩擦車、  ６４：内磁着摩擦車、  ６５：着磁摩擦車装置、  ６６：内着磁摩擦車装置、  ６７：磁着摩擦車装置、  ６８：内磁着摩擦車装置、  ６９：低凹凸、  ７０：平凹凸、  ７１：ハスバ凹凸、  ７２：ヤマバ凹凸、  ７３：磁石部、  ７４：ヨーク、  ７５：送水ポンプ、  ７６：磁気摩擦動力伝達装置、  ７７：外箱、  ７８：吸水路、  ７９：送水路、  ８０：摩擦増大手段、  ８１：支軸８２：コイル  ８３：磁力線  ８４：送水ポンプ兼二重反転磁気摩擦動力伝達装置  ８５：二重反転磁気摩擦動力伝達装置  ８６：嵌入用凹部  ８７：電磁弁８７Ａａ：高温水噴射電磁弁  ８７Ｂａ：高温水噴射電磁弁  ８７Ａｂ：高温水噴射電磁弁  ８７Ｂｂ：高温水噴射電磁弁  ８７Ｃｃ：高温水噴射電磁弁（超臨界温度等複数温度の高温水５２ｂを主燃焼室噴射）  ８７Ｄｃ：高温水噴射電磁弁（超臨界温度等複数温度の高温水５２ｂを主燃焼室噴射）  ８７Ｃｄ：高温水噴射電磁弁（超臨界温度等複数温度の高温水５２ｂを拡径燃焼室噴射）  ８７Ｄｄ：高温水噴射電磁弁（超臨界温度等複数温度の高温水５２ｂを拡径燃焼室噴射）  ８８：公知の燃料噴射弁  ８９：磁石室  ９０：断熱壁  ９１：冷却室  ９２：閉弁装置  ９３：電磁弁装着部  ９３ａ：電磁弁装着部  ９４：ノズル噴口部  ９４ａ：末広ノズル噴口部  ９５：高温水溜  ９６：発条  ９７：逆止弁９８：弁座  ９９：弁体  １００：公知の各種流用噴射弁  １０１：加熱高温手段  １０２：着火装置
【図１】
2004332541.tif 000003
【図２】
2004332541.tif 000004
【図３】
2004332541.tif 000005
【図４】
2004332541.tif 000006
【図５】
2004332541.tif 000007
【図６】
2004332541.tif 000008
【図７】
2004332541.tif 000009
【図８】
2004332541.tif 000010
【図９】
2004332541.tif 000011
【図１０】
2004332541.tif 000012
【図１１】
2004332541.tif 000013
【図１２】
2004332541.tif 000014
【図１３】
2004332541.tif 000015